(57)【要約】【課題】パチスロ機に対応して設けられ、払出装置３０からメダルを払い出すための第１の制御（現金機用の運用）を行うと共に、対応するパチスロ機に設けられた払出手段からメダルを払い出すための第２の制御（ＣＲ機用の運用）を行う制御部２１を備えたメダルサンド２０において、運用形態を手間無く確実に切り替えることができるようにする。【解決手段】ＣＲ機用として運用する場合には、制御部に設けられる接続端子２８に、払出装置に代えて変換アダプタ４０を接続すると、払出装置が制御部に対して送信する信号（電圧がＬＯＷで一定の払出手段接続信号，及び電圧一定のエンプティ信号）とは異なる形態の制御切替信号（電圧がＨＩＧＨで一定の払出手段接続信号，及びパルス状のエンプティ信号）が該変換アダプタから制御部に対して送信され、該制御切替信号を受信した制御部は、ＣＲ機用の運用を実行する。【選択図】図３
2008161568.tif 000002
【特許請求の範囲】
【請求項１】
記録媒体を個々に識別可能な記録媒体識別情報に対応付けて遊技媒体の貸与に使用される残額を管理する管理装置と、
遊技機に対応して設けられ、
遊技媒体を払い出す払出手段が接続されることで、前記記録媒体の記録媒体識別情報に対応付けて前記管理装置にて管理されている残額である管理残額の範囲内で該払出手段から遊技媒体を払い出すための第１の制御を行うと共に、前記遊技機が接続されることで、前記管理残額の範囲内で該遊技機から遊技媒体を払い出すための第２の制御を行う制御部と、を有する遊技用装置と、
を備える遊技用システムであって、
前記制御部は、前記払出手段が接続される接続端子を有し、
該接続端子には、前記払出手段に代えて制御切替手段を接続可能であり、
該制御切替手段は、前記接続端子に接続されたことに基づいて、前記払出手段が前記制御部に対して送信する信号とは形態の異なる制御切替信号を前記制御部に対して送信し、
前記制御部は、該制御切替手段から制御切替信号を受信したことを条件として、前記第２の制御を行うことを特徴とする遊技用システム。
【請求項２】
請求項１に記載した遊技用システムであって、
前記払出手段は、前記接続端子に接続されていることに基づいて、該接続されている旨を示す払出手段接続信号を前記制御部に対して送信すると共に、当該払出手段に貯留されている遊技媒体が無くなったときにその旨を示すエンプティ信号を前記制御部に対して送信し、
前記制御部は、前記払出手段接続信号及び前記エンプティ信号に基づいて、前記第１の制御と前記第２の制御との切替を行い、
前記制御切替手段は、前記制御切替信号として、前記払出手段接続信号及び前記エンプティ信号の少なくともいずれか一方と形態の異なる信号を前記制御部に対して送信することを特徴とする遊技用システム。
【請求項３】
請求項１に記載した遊技用システムであって、
前記払出手段は、前記接続端子に接続されていることに基づいて、該接続されている旨を示す払出手段接続信号を前記制御部に対して送信すると共に、当該払出手段に貯留されている遊技媒体が所定量よりも少なくなったときにその旨を示すニアエンプティ信号を前記制御部に対して送信し、
前記制御部は、前記払出手段接続信号及び前記ニアエンプティ信号に基づいて、前記第１の制御と前記第２の制御との切替を行い、
前記制御切替手段は、前記制御切替信号として、前記払出手段接続信号及び前記ニアエンプティ信号の少なくともいずれか一方と形態の異なる信号を前記制御部に対して送信することを特徴とする遊技用システム。
【請求項４】
請求項１に記載した遊技用システムであって、
前記払出手段は、前記接続端子に接続されていることに基づいて、当該払出手段に貯留されている遊技媒体が無くなったときに該遊技媒体が無くなった旨を示すエンプティ信号を前記制御部に対して送信すると共に、当該払出手段に貯留されている遊技媒体が所定量よりも少なくなったときにその旨を示すニアエンプティ信号を前記制御部に対して送信し、
前記制御部は、前記エンプティ信号及び／又は前記ニアエンプティ信号に基づいて、前記第１の制御と前記第２の制御との切替を行い、
前記制御切替手段は、前記制御切替信号として、前記エンプティ信号及び前記ニアエンプティ信号の少なくともいずれか一方と形態の異なる信号を前記制御部に対して送信することを特徴とする遊技用システム。
【請求項５】
請求項２又は４に記載した遊技用システムであって、
前記払出手段は、前記エンプティ信号として、当該払出手段に遊技媒体が貯留されている状態で一の極性を示し、当該払出手段に遊技媒体が貯留されていない状態で前記一の極性とは逆極性を示す信号を、前記制御部の所定の端子に対して送信し、
前記制御切替手段は、前記エンプティ信号と形態の異なる制御切替信号として、一の極性と逆極性とを所定時間毎に繰り返す信号を、前記エンプティ信号が入力される前記制御部の端子に対して送信することを特徴とする遊技用システム。
【請求項６】
請求項１〜５のいずれか１つに記載した遊技用システムであって、
前記遊技用装置は、
前記払出手段から払い出された遊技媒体を前記対応する遊技機に対して供給するための遊技媒体供給通路が有る供給通路有りパネルを前面に装着可能であると共に、前記遊技媒体供給通路が無い供給通路無しパネルを前面に装着可能であり、
前記供給通路無しパネルが装着されていることを検出する検出手段をさらに有し、
前記制御部は、該検出手段により前記供給通路無しパネルが装着されていることを検出し、かつ前記制御切替手段から制御切替信号を受信したことを条件として、前記第２の制御を行うことを特徴とする遊技用システム。
【請求項７】
請求項１〜６のいずれか１つに記載した遊技用システムであって、
前記遊技用装置は、
前記払出手段から払い出された遊技媒体を前記対応する遊技機に対して供給するための遊技媒体供給通路が有る供給通路有りパネルを前面に装着可能であると共に、前記遊技媒体供給通路が無い供給通路無しパネルを前面に装着可能であり、
前記接続端子に前記制御切替手段が接続されている状態で前記供給通路無しパネルを装着したときに、当該遊技用装置の前面から内部に至り、遊技者の所有物を置くことが可能な収納スペースが形成されることを特徴とする遊技用システム。
【発明の詳細な説明】
【技術分野】
【０００１】
本発明は、遊技機に対応して設けられ、遊技媒体を払い出すための処理を行う遊技用装置に設けられた払出手段から遊技媒体を払い出すための第１の制御を行うと共に、対応する遊技機に設けられた払出手段から遊技媒体を払い出すための第２の制御を行う制御部を有する遊技用装置を備えた遊技用システムに関する。
【背景技術】
【０００２】
従来より、特許文献１に示すように、遊技機に対応して設けられ、遊技媒体を払い出すための処理を行う遊技用装置であって、現金を受け付けて該遊技用装置から遊技媒体を払い出す現金機用の運用と、プリペイドカードを受け付けて該遊技用装置に接続された遊技機から遊技媒体を払い出すＣＲ機用の運用とが可能なものが知られている。この遊技用装置では、玉払出ユニットとＣＲ通信ユニットとを付け替え可能とされており、該遊技用装置の制御基板は、取り付けられたユニットからの応答信号の種類によって、玉払出ユニットかＣＲ通信ユニットかを認識し、玉払出ユニットと認識した場合には現金機用の処理プログラムを実行し、ＣＲ通信ユニットと認識した場合にはＣＲ機用の処理プログラムを実行する。
【０００３】
また、特許文献２に示すように、上記特許文献１と同様に、現金機用の運用とＣＲ機用の運用とが可能な遊技媒体供給装置が知られている。この遊技媒体供給装置では、該遊技媒体供給装置から払い出された遊技媒体を遊技機に供給するためのノズルを備えた貸し玉供給ノズルユニットを装着可能とされており、該ユニットを装着するときに切り替えスイッチを人手でオンにするか、装着した該ユニットのコネクタが遊技媒体供給装置の制御部に設けられたソケットに連結されるか、又は装着した該ユニットが遊技媒体供給装置に設けられたスイッチを押圧すると、ユニットの装着を認識し、ユニットの装着を認識した場合には現金機用の処理を実行し、ユニットの装着を認識しない場合にはＣＲ機用の処理を実行する。
【０００４】
【特許文献１】特開２００３−７９９２２号公報（図１０，図１２、段落０１１７，０１１８，０１２２）
【特許文献２】特開平９−２７１５７６号公報（図３，図１０，図１１、段落００２４，００５７，００５８）
【発明の開示】
【発明が解決しようとする課題】
【０００５】
現在、遊技機の一例であるパチンコ機については、カード会社が製造販売する、前記第２の制御を行う遊技用装置（玉貸ユニット）からの指令に基づいて、プリペイドカードや現金等の価値媒体の価値に応じた遊技媒体（パチンコ玉）を払い出すＣＲパチンコ機が広く普及している。一方、遊技機の一例であるパチスロ機については、未だ前記第２の制御を行う遊技用装置に対応したＣＲパチスロ機が普及しておらず、前記第１の制御を行う遊技用装置（メダルサンド）が、前記カード会社や該カード会社以外の非カード会社により製造販売されている。しかし、今後パチスロ機についてもＣＲ機が普及してくると、前記第２の制御を行うメダルサンドが必要となる。この場合、遊技場のコスト負担を考慮すると、第２の制御を行うメダルサンドを新たに導入するのではなく、既設のメダルサンドの制御を第１の制御から第２の制御に切り替える方法が望ましい。
【０００６】
しかるに、特許文献１に示す方法は、非カード会社のメダルサンドには適するものの、カード会社のメダルサンドには適していない。つまり、特許文献１は、ＣＲ機用の運用をする場合に、制御基板と別個に設けられた玉払出ユニットをＣＲ通信ユニットに付け替えるものであるが、カード会社は、上述の如く、第２の制御を行う制御部を備えたカードユニットを既に製造販売している関係上、メダルサンドの制御部も第１の制御だけでなく第２の制御を行うものとなる（つまりＣＲ通信ユニットの機能を制御部が既に備えている）。従って、かかる制御部と別にＣＲ通信ユニットを新たに設ける特許文献１の方法では、製造コストが増加してしまうという問題がある。
【０００７】
またカード会社が製造するメダルサンドで、特許文献２に示す方法のように、切り替えスイッチを人手で切り替えたり、貸し玉供給ノズルユニットの装着・非装着で、運用形態を切り替えることも可能だが、切り替えスイッチによる切替を間違えたり、貸し玉供給ノズルユニットの装着が甘かったりすると、所望の切替を行うことができないといった不具合がある
【０００８】
本発明は、このような背景のもとになされたものであり、その目的は、遊技機に対応して設けられ、払出手段から遊技媒体を払い出すための第１の制御（前記現金機用の運用に相当）を行うと共に、対応する遊技機に設けられた払出手段から遊技媒体を払い出すための第２の制御（前記ＣＲ機用の運用に相当）を行う制御部を有する遊技用装置を備えた遊技用システムにおいて、運用形態を手間無く確実に切り替えることができるようにすることにある。
【課題を解決するための手段】
【０００９】
本発明は、前記課題を解決するために、次のような手段を採る。なお後述する発明を実施するための最良の形態の説明及び図面で使用した符号を参考のために括弧書きで付記するが、本発明の構成要素は該付記したものには限定されない。
【００１０】
まず請求項１に係る発明は、記録媒体（会員カード４，ビジタコイン５）を個々に識別可能な記録媒体識別情報（記録媒体ＩＤ）に対応付けて遊技媒体（メダル）の貸与に使用される残額を管理する管理装置（５０）と、遊技機（パチスロ機１０Ａ，１０Ｂ）に対応して設けられ、遊技媒体を払い出す払出手段（払出装置３０）が接続されることで、前記記録媒体の記録媒体識別情報に対応付けて前記管理装置にて管理されている残額である管理残額の範囲内で該払出手段から遊技媒体を払い出すための第１の制御（現金機用の運用）を行うと共に、前記遊技機（パチスロ機１０Ｂ）が接続されることで、前記管理残額の範囲内で該遊技機から遊技媒体を払い出すための第２の制御（ＣＲ機用の運用）を行う制御部（２１）と、を有する遊技用装置（メダルサンド２０）と、を備える遊技用システム（１）であって、前記制御部は、前記払出手段が接続される接続端子（２８）を有し、該接続端子には、前記払出手段に代えて制御切替手段（変換アダプタ４０）を接続可能であり、該制御切替手段は、前記接続端子に接続されたことに基づいて、前記払出手段が前記制御部に対して送信する信号とは形態の異なる制御切替信号を前記制御部に対して送信し、前記制御部は、該制御切替手段から制御切替信号を受信したことを条件として、前記第２の制御を行うことを特徴とする遊技用システムである。
【００１１】
また請求項２に係る発明は、請求項１に記載した遊技用システム（１）であって、前記払出手段（払出装置３０）は、前記接続端子（２８）に接続されていることに基づいて、該接続されている旨を示す払出手段接続信号を前記制御部（２１）に対して送信すると共に、当該払出手段に貯留されている遊技媒体（メダル）が無くなったときにその旨を示すエンプティ信号を前記制御部に対して送信し、前記制御部は、前記払出手段接続信号及び前記エンプティ信号に基づいて、前記第１の制御（現金機用の運用）と前記第２の制御（ＣＲ機用の運用）との切替を行い、前記制御切替手段（変換アダプタ４０）は、前記制御切替信号として、前記払出手段接続信号及び前記エンプティ信号の少なくともいずれか一方と形態の異なる信号を前記制御部に対して送信することを特徴とする遊技用システムである。
【００１２】
また請求項３に係る発明は、請求項１に記載した遊技用システム（１）であって、前記払出手段（払出装置３０）は、前記接続端子（２８）に接続されていることに基づいて、該接続されている旨を示す払出手段接続信号を前記制御部（２１）に対して送信すると共に、当該払出手段に貯留されている遊技媒体（メダル）が所定量よりも少なくなったときにその旨を示すニアエンプティ信号を前記制御部に対して送信し、前記制御部は、前記払出手段接続信号及び前記ニアエンプティ信号に基づいて、前記第１の制御（現金機用の運用）と前記第２の制御（ＣＲ機用の運用）との切替を行い、前記制御切替手段（変換アダプタ４０）は、前記制御切替信号として、前記払出手段接続信号及び前記ニアエンプティ信号の少なくともいずれか一方と形態の異なる信号を前記制御部に対して送信することを特徴とする遊技用システムである。
【００１３】
また請求項４に係る発明は、請求項１に記載した遊技用システム（１）であって、前記払出手段（払出装置３０）は、前記接続端子（２８）に接続されていることに基づいて、当該払出手段に貯留されている遊技媒体（メダル）が無くなったときに該遊技媒体が無くなった旨を示すエンプティ信号を前記制御部（２１）に対して送信すると共に、当該払出手段に貯留されている遊技媒体が所定量よりも少なくなったときにその旨を示すニアエンプティ信号を前記制御部に対して送信し、前記制御部は、前記エンプティ信号及び／又は前記ニアエンプティ信号に基づいて、前記第１の制御（現金機用の運用）と前記第２の制御（ＣＲ機用の運用）との切替を行い、前記制御切替手段（変換アダプタ４０）は、前記制御切替信号として、前記エンプティ信号及び前記ニアエンプティ信号の少なくともいずれか一方と形態の異なる信号を前記制御部に対して送信することを特徴とする遊技用システムである。
【００１４】
また請求項５に係る発明は、請求項２又は４に記載した遊技用システム（１）であって、前記払出手段（払出装置３０）は、前記エンプティ信号として、当該払出手段に遊技媒体（メダル）が貯留されている状態で一の極性を示し、当該払出手段に遊技媒体が貯留されていない状態で前記一の極性とは逆極性を示す信号を、前記制御部（２１）の所定の端子に対して送信し、前記制御切替手段（変換アダプタ４０）は、前記エンプティ信号と形態の異なる制御切替信号として、一の極性と逆極性とを所定時間毎に繰り返す信号を、前記エンプティ信号が入力される前記制御部の端子に対して送信することを特徴とする遊技用システムである。
【００１５】
また請求項６に係る発明は、請求項１〜５のいずれか１つに記載した遊技用システム（１）であって、前記遊技用装置（メダルサンド２０）は、前記払出手段（払出装置３０）から払い出された遊技媒体（メダル）を前記対応する遊技機（パチスロ機１０Ａ）に対して供給するための遊技媒体供給通路（ノズル３１ａ）が有る供給通路有りパネル（ノズル有りパネル３１）を前面に装着可能であると共に、前記遊技媒体供給通路が無い供給通路無しパネル（ノズル無しパネル４１）を前面に装着可能であり、前記供給通路無しパネルが装着されていることを検出する検出手段（パネル検出スイッチ４２）をさらに備え、前記制御部（２１）は、該検出手段により前記供給通路無しパネルが装着されていることを検出し、かつ前記制御切替手段（変換アダプタ４０）から制御切替信号を受信したことを条件として、前記第２の制御（ＣＲ機用の運用）を行うことを特徴とする遊技用システムである。
【００１６】
さらに請求項７に係る発明は、請求項１〜６のいずれか１つに記載した遊技用システム（１）であって、前記遊技用装置（メダルサンド２０）は、前記払出手段（払出装置３０）から払い出された遊技媒体（メダル）を前記対応する遊技機（パチスロ機１０Ａ）に対して供給するための遊技媒体供給通路（ノズル３１ａ）が有る供給通路有りパネル（ノズル有りパネル３１）を前面に装着可能であると共に、前記遊技媒体供給通路が無い供給通路無しパネル（ノズル無しパネル４１）を前面に装着可能であり、前記接続端子（２８）に前記制御切替手段（変換アダプタ４０）が接続されている状態で前記供給通路無しパネルを装着したときに、当該遊技用装置の前面から内部に至り、遊技者の所有物を置くことが可能な収納スペースが（収納スペース部４１ｂにより）形成されることを特徴とする遊技用システムである。
【発明の効果】
【００１７】
まず請求項１に係る遊技用システムによれば、遊技用装置において、払出手段に代えて制御切替手段を接続端子に接続するだけで、払出手段が制御部に対して送信する信号とは形態の異なる制御切替信号が該制御切替手段から制御部に対して送信されて、運用形態が第２の制御に切り替えられるので、第１の制御と第２の制御とを行う制御部を備えた遊技用装置であっても、運用形態を手間無く確実に切り替えることができる。
【００１８】
また請求項２に係る遊技用システムによれば、遊技用装置において、払出手段が出力する２種類の信号に基づいて運用形態の切替が行われ、該払出手段から出力される払出手段接続信号及びエンプティ信号の少なくともいずれか一方と形態の異なる制御切替信号を受信したことを条件として、運用形態が第２の制御に切り替えられるので、偶然に第１の制御から第２の制御に切り替わるおそれが低減される。
【００１９】
また請求項３に係る遊技用システムによれば、遊技用装置において、払出手段が出力する２種類の信号に基づいて運用形態の切替が行われ、該払出手段から出力される払出手段接続信号及びニアエンプティ信号の少なくともいずれか一方と形態の異なる制御切替信号を受信したことを条件として、運用形態が第２の制御に切り替えられるので、偶然に第１の制御から第２の制御に切り替わるおそれが低減される。
【００２０】
また請求項４に係る遊技用システムによれば、遊技用装置において、払出手段から出力されるエンプティ信号及びニアエンプティ信号の少なくともいずれか一方と形態の異なる制御切替信号を受信したことを条件として、運用形態を第２の制御に切り替えることができる。
【００２１】
また請求項５に係る遊技用システムによれば、遊技用装置において、払出手段が接続されているときには一の極性又は逆極性を継続して呈するエンプティ信号を、一の極性と逆極性とを所定時間毎に繰り返すパルス信号とすることで、制御切替信号とすることができる。
【００２２】
また請求項６に係る遊技用システムによれば、遊技用装置において、供給通路有りパネルが装着されているときには運用形態が第２の制御に切り替えられることがないので、遊技者が、供給通路が有ることにより運用形態が第１の制御であると誤解することが無くなる。
【００２３】
さらに請求項７に係る遊技用システムによれば、遊技用装置において、払出手段に代えて該払出手段よりも小さな制御切替手段を接続したことにより発生するスペースを、遊技者の所有物を置くことが可能な収納スペースとして有効に活用することができるので、遊技者の利便性が向上する。
【発明を実施するための最良の形態】
【００２４】
以下、本発明の実施の形態を、図面を参照して説明する。本発明に係る遊技用システム１は、図１に示すように、記録媒体（会員カード４，ビジタコイン５）を個々に識別可能な記録媒体識別情報（記録媒体ＩＤ）に対応付けて遊技媒体（メダル）の貸与に使用される残額を管理する管理装置５０と、遊技機（パチスロ機１０）に対応して設けられ、前記記録媒体の記録媒体識別情報に対応付けて前記管理装置５０にて管理されている残額である管理残額の範囲内で遊技媒体を払い出すための処理を行う遊技用装置（メダルサンド２０）と、を備えるものである。
【００２５】
そして遊技用装置（メダルサンド２０）は、図２〜図４に示すように、該遊技用装置に設けられた払出手段（払出装置３０）から遊技媒体を払い出すための第１の制御である現金機用の運用を行うと共に、対応する遊技機（パチスロ機１０Ｂ）に設けられた払出手段（メダル払出装置１３）から遊技媒体を払い出すための第２の制御であるＣＲ機用の運用を行う制御部２１を有するものである。
【００２６】
また遊技用システム１は、図１に示すように、遊技媒体の貸与に使用される残額を、記録媒体には記録せずに、該記録媒体の記録媒体識別情報に対応付けて管理する（いわゆる完全ＩＤ管理を行う）ものであり、特に該残額の管理を行う管理装置５０と通信可能な遊技用装置において、管理装置５０で管理されている管理残額を使用して遊技媒体を貸与する貸与処理を行う際に、該管理残額から貸与処理に使用された使用額及び該使用額に対応する間接税額（例えば消費税額）を減算すると共に、管理装置５０と通信できない通信不可能状態（オフライン状態）で貨幣を受け付けたときに、受付貨幣額から税込単位額の整数倍に相当する貸与対象額を特定して、遊技者の操作によることなく、該貸与対象額分の貸与処理（オフライン一発貸し）を行うものである。そして該オフライン一発貸しによって発生する端数額をオフライン端数額として記録媒体に記録して排出し、該オフライン端数額の使用や精算が可能であることを特徴とするものである。ここで税込単位額は、残額をメダルの貸与に使用する際の予め定められた一単位である単位使用額と該単位使用額に対応する消費税額との合算額である。例えば単位使用額が１００円であり、消費税率が５％の場合には、税込単位額は１０５円であり、該１０５円が１度数となる。
【００２７】
この遊技用システム１は、上記のような完全ＩＤ管理を採用したことにより、記録媒体には遊技媒体の貸与に使用される残額を記録しないので、残額が改ざんされるおそれはなく、セキュリティを担保できて、記録媒体のコストを下げることができる。即ち、例えば記録媒体がＩＣカードやＩＣコインである場合において、該記録媒体に残額を記録してセキュリティを担保しようとすれば、該記録媒体にＣＰＵを搭載して記録残額の管理を行う必要があるが、本発明の如く記録媒体に残額を記録しないのであれば、該記録媒体にＣＰＵを搭載しなくても良いので、記録媒体のコストを下げることができる。また記録媒体にＣＰＵを搭載すると、該ＣＰＵとの間で情報のやりとりを行うために、遊技用装置側の制御プログラムが複雑になるので、システムの設計コストが高くなるが、記録媒体にＣＰＵを搭載しないのであれば、該制御プログラムは複雑にならずに済むので、システムの設計コストを低くすることができる。
【００２８】
また遊技用システム１は、前記オフライン端数額が記録された記録媒体をオフライン状態にある遊技用装置に挿入（受付）し、該オフライン端数額を使用して遊技媒体の貸与を行った結果として当該オフライン端数額が零になったときにも、管理残額が有る記録媒体を遊技者に確実に返却できる一方で、管理残額が無く本来返却する必要のない記録媒体の無駄な返却を防止できることを特徴とするものである。
【００２９】
また遊技用システム１は、前記遊技用装置で行われる特定処理に伴って記録媒体に記録される通番を更新し、該特定処理に対応して管理装置５０で行われる連携処理に伴って前記記録媒体の記録媒体識別情報に対応付けられた通番を更新するので、オフライン状態が発生した遊技用装置がオンライン状態に復帰するのを待つことなく、該遊技用装置から排出された記録媒体が他のオンライン状態の遊技用装置において受け付けられることで、該記録媒体に記録されている通番と該記録媒体の記録媒体識別情報に対応付けて管理装置で管理されている通番から、オフライン状態の発生により遊技用装置で特定処理が行われたにも拘わらず該特定処理に対応する連携処理が管理装置で行われていないことを特定して、対処することができることを特徴とするものである。ここで通番とは、任意の数字（例えば０）から始って１つずつ加算される通し番号である。
【００３０】
さらに遊技用システム１は、管理装置５０と通信できないオフライン状態で前記遊技用装置が貨幣を受け付けてオフライン一発貸しを行った後にオンライン状態に復帰すると、遊技者の操作によらずに、受付貨幣額から該オフライン一発貸しに使用された使用額を減算した入金残額（オフライン端数額）と記録媒体識別情報とを含むオンライン復帰通知が管理装置５０に対して送信され、該入金残額と管理残額との合算額を特定可能な合算額特定情報（予定残額通知）が管理装置５０から送信されてきて、該合算額が貸与処理に使用可能となることを特徴とするものである。
【００３１】
なお前記遊技用装置であるメダルサンド２０には、図６及び図７に示すように、コイン投入口１１１と、コイン排出口１１２と、第１保持部（投入コイン保持部１２０）と、連絡通路１６１及び第１誘導通路１６３を有する投入記録媒体排出通路（投入コイン排出通路１６０）と、収納通路１３１及び第２誘導通路１３３を有する収納排出通路１３０と、を備え、投入コイン排出通路１６０の一部又は全部を、収納排出通路１３０に対して円盤状記録媒体（ビジタコイン５）の厚み方向に相対的にずらすと共に、第１誘導通路１６３と第２誘導通路１３３とが重畳してコイン排出口１１２に臨むように形成されていることを特徴とする記録媒体処理機構が設けられている。
【００３２】
この記録媒体処理機構は、以下に示す実施形態では、予め定められた特別処理として貸与処理を行うメダルサンド２０，及び該特別処理として精算処理を行う精算装置６０に備えられる。これらメダルサンド２０，及び精算装置６０は、管理装置５０と通信可能に接続され、全体として遊技用システム１を構成している。
【００３３】
以下においては、前記遊技用装置に対応する遊技機がパチスロ機１０であり、遊技媒体がメダルであり、貸与処理がメダル貸処理である例について説明する。また、以下においては、貸与処理に使用された使用額に対応する間接税額が徴収され、該間接税が、既に導入されている消費税である例について説明するが、該間接税は、今後導入の可能性もあり得る遊技税等であっても良い。ここで消費税率は、この例では５％であり、会員カード４やビジタコイン５を発行するカード会社で設定されて、遊技場に設けられた管理装置５０に対して配信され、メダルサンド２０に対して配信されて記憶される。さらに、以下においては、使用額及び該使用額に対応する消費税額を「使用額＋消費税額」，リーダ／ライタを「Ｒ／Ｗ」，データベースを「ＤＢ」，ステップＳを「Ｓ」と略記する。
【００３４】
以下においては、まず遊技用システム１の構成について説明し、次に遊技用システム１の作用について説明し、最後に変形例について説明する。
【００３５】
［１．遊技用システム１の構成］
まず、図１〜図１３を参照して、遊技用システム１の構成について説明する。この遊技用システム１は、図１に示すように、パチスロ機１０に対応して設けられるメダルサンド２０と、該メダルサンド２０と通信可能な管理装置５０と、該管理装置５０と通信可能な精算装置６０を遊技場内に備えると共に、前記管理装置５０と通信可能なセンタ管理装置８０を遊技場外のカード会社に備える。
【００３６】
この遊技用システム１では、紙幣２，硬貨３，会員カード４，及びビジタコイン５が使用される。紙幣２は貨幣の一例であって、図３（ｂ）に示すように、ここでは１０００円紙幣，２０００円紙幣，５０００円紙幣，及び１００００円紙幣の４種類が使用される。硬貨３も貨幣の一例であって、図３（ｂ）に示すように、ここでは５００円硬貨，及び１００円硬貨の２種類が使用される。
【００３７】
会員カード４は記録媒体の一例であって、図１３（ｃ）に示すように、該記録媒体を個々に識別可能な記録媒体識別情報である記録媒体ＩＤとして、カードＩＤが記録されている。また会員カード４はカード状記録媒体の一例でもあって、前記特別処理（貸与処理，及び精算処理）を行うための情報が記録されるものであり、ここでは記録媒体ＩＤであるカードＩＤが該情報に相当する。ここで会員カード４の記録媒体ＩＤは、例えば図１３（ａ）に示すように、会員遊技者（メンバー）を示すＭで始まる４桁の番号である。この遊技用システム１では完全ＩＤ管理が採用されているので、該会員カード４には、メダルの貸与に使用される残額（後述する単位使用額である１００円に、対応する消費税額である５円を加算した、１０５円以上の金額）は記録されないが、オフライン一発貸しによって発生する端数額（後述する単位使用額である１００円に、対応する消費税額である５円を加算した、１０５円未満の金額）が、オフライン端数額として記録される。
【００３８】
また会員カード４には、前記通番が記録されている。この通番は、後述する通番更新手段（メダルサンド２０の制御部２１）により、前記特定処理（後述する受付貨幣の取込や、使用額＋消費税額分の貸与処理や、オフライン端数額，オフライン消費情報，又はオフライン精算情報の消去処理）に伴って、第１の通番更新処理で更新される。また通番は、精算装置６０の制御部６２により、後述する精算処理に伴って、第３の通番更新処理で更新される。
【００３９】
この会員カード４は、長方形状を呈するプラスチック製の薄板における所定の部位に、記録媒体ＩＤ，オフライン端数額，通番，オフライン消費情報，及びオフライン精算情報等が記録される記録領域（図示外）が形成されてなるものであり、ここでは該記録領域として不揮発性のＥＥＰＲＯＭを備える非接触式の集積回路を搭載したＩＣカードである。ここで記録媒体ＩＤ，オフライン端数額，通番，オフライン消費情報，及びオフライン精算情報は、各情報に対応する記憶領域に各々記録されている。この会員カード４は、会員登録を行った遊技者に対して発行されるものである。
【００４０】
このようにして発行された会員カード４を、遊技者がオンライン状態のメダルサンド２０に挿入することにより、該会員カード４の管理残額を遊技媒体の貸与に使用可能となり、遊技者がオフライン状態のメダルサンド２０に挿入することにより、該会員カード４に記録されているオフライン端数額を遊技媒体の貸与に使用可能となり、遊技者が精算装置６０に挿入することにより、該会員カード４の管理残額を精算可能となる。
【００４１】
なお、以下において、「ビジタ」とは、会員カード４を所持していない遊技者，あるいは会員カード４を所持していても使用しない遊技者を意味する。従って、会員カード４の発行を受けた会員遊技者であっても、会員カード４を所持していない（会員カード４を忘れてきた等）場合や、会員カード４を所持していても使用しない場合には、ビジタとなる。
【００４２】
ビジタコイン５は記録媒体の一例であって、図１３（ｃ）に示すように、該記録媒体を個々に識別可能な記録媒体識別情報である記録媒体ＩＤとして、コインＩＤが記録されている。またビジタコイン５は円盤状記録媒体の一例でもあって、前記特別処理（貸与処理，及び精算処理）を行うための情報が記録されるものであり、ここでは記録媒体ＩＤであるコインＩＤが該情報に相当する。ここでビジタコイン５の記録媒体ＩＤは、例えば図１３（ａ）に示すように、ビジタを示すＶで始まる４桁の番号である。この遊技用システム１では完全ＩＤ管理が採用されているので、該ビジタコイン５にも、メダルの貸与に使用される残額（後述する単位使用額である１００円に、対応する消費税額である５円を加算した、１０５円以上の金額）は記録されないが、オフライン一発貸しによって発生する端数額（後述する単位使用額である１００円に、対応する消費税額である５円を加算した、１０５円未満の金額）が、入金残額記録手段の一例として機能する制御部２１及び記録媒体Ｒ／Ｗ１０２によって、オフライン端数額として記録される。
【００４３】
またビジタコイン５にも、前記通番が記録されている。この通番も、後述する通番更新手段（メダルサンド２０の制御部２１）により、前記特定処理（後述する受付貨幣の取込や、使用額＋消費税額分の貸与処理や、オフライン端数額，オフライン消費情報，又はオフライン精算情報の消去処理）に伴って、第１の通番更新処理で更新される。また通番は、精算装置６０の制御部６２により、後述する精算処理に伴って、第３の通番更新処理で更新される。
【００４４】
またビジタコイン５には、該ビジタコイン５の記録媒体ＩＤと対応付けて管理装置５０で管理されている残額である管理残額が零でない旨を示す管理残額有り情報として、オンライン残額有りフラグも記録される。具体的には、ビジタコイン５の管理残額が零であるときには、オンライン残額無しフラグである０が記録され、ビジタコイン５の管理残額が零でないときには、オンライン残額有りフラグである１が記録される。
【００４５】
このビジタコイン５は、円盤状を呈するプラスチック製のコインにおける所定の部位に、記録媒体ＩＤ，オフライン端数額，通番，オフライン消費情報，オフライン精算情報，及びオンライン残額有りフラグ等が記録される記録領域（図示外）が形成されてなるものであり、ここでは該記録領域として不揮発性のＥＥＰＲＯＭを備える非接触式の集積回路を搭載したＩＣコインである。ここで記録媒体ＩＤ，オフライン端数額，通番，オフライン消費情報，オフライン精算情報，及びオンライン残額有りフラグは、各情報に対応する記憶領域に各々記録されている。このビジタコイン５は、予め記録媒体ＩＤが記録されている一方、オフライン端数額，通番，オフライン消費情報，オフライン精算情報，及びオンライン残額有りフラグが記録されていない状態でカード会社から遊技場に納入されて、メダルサンド２０の後述する収納通路１３１に収納される。
【００４６】
そして図１４に示すように、管理装置５０と通信可能状態（オンライン状態）であるメダルサンド２０において、会員カード４又はビジタコイン５を受け付けていない状態で貨幣を受け付けた後、図１９に示すように、遊技者から排出操作（後述する返却ボタン２７の操作）を受け付けたことに基づいて、受付貨幣額のうちの貸与処理に使用されていない残額（後述する記憶残額）が零でないことを条件として、オンライン残額有りフラグが記録されたビジタコイン５が発行（排出）される。
【００４７】
また図２２に示すように、管理装置５０と通信不可能状態（オフライン状態）であるメダルサンド２０において、会員カード４又はビジタコイン５を受け付けていない状態で貨幣を受け付けた後、図２４に示すように、遊技者から排出操作（後述する返却ボタン２７の操作）を受け付けたことに基づいて、受付貨幣額のうちの貸与処理に使用されていない残額（後述する記憶端数額）が零でないことを条件として、オフライン端数額が記録されたビジタコイン５が発行（排出）される。
【００４８】
このようにして発行されたビジタコイン５を、遊技者がオンライン状態のメダルサンド２０に投入することにより、該ビジタコイン５の管理残額を遊技媒体の貸与に使用可能となり、遊技者がオフライン状態のメダルサンド２０に投入することにより、該ビジタコイン５に記録されているオフライン端数額を遊技媒体の貸与に使用可能となり、遊技者が精算装置６０に投入することにより、該ビジタコイン５の管理残額を精算可能となる。
【００４９】
ここで会員カード４及びビジタコイン５に記録されるオフライン精算情報は、オフライン状態において精算装置６０で精算された精算額を特定可能な情報であって、本実施形態においては、後述するように、該オフライン精算情報として金額自体を記録しなくても、管理装置５０で精算額を特定できる。このため、オフライン精算情報としては、オフライン状態において精算が行われたか否かを示すフラグが記録される。具体的には、オフライン状態において精算が行われたときには、フラグとして１が記録され、オフライン状態において精算が行われていないときには、フラグとして０が記録される。
【００５０】
また、本実施形態の会員カード４及びビジタコイン５には、管理残額を特定可能な管理残額特定情報として、図１３（ｃ）に示すように、基準データ，乗算データ，除算データ，加算データからなる元データと、演算方式フラグとを記録可能な領域が設けられており、会員カード４又はビジタコイン５がメダルサンド２０から返却されるときに、管理残額に対応した管理残額特定情報が各領域に記録されるが、その詳細については後述する。
【００５１】
メダルサンド２０に対応して設けられるパチスロ機１０は遊技機の一例であって、遊技媒体であるメダルを賭数として使用することで遊技が可能となり、各々を識別可能な複数種類の識別情報を可変表示させる可変表示装置の表示結果が導出表示されることにより１ゲームが終了するものである。このパチスロ機１０は、遊技場内に設けられた遊技島（図示外）に該パチスロ機１０の機種等に従って設置されている。このパチスロ機１０は、その内部に、図４に示すように接続される遊技制御基板１１，払出制御基板１２，及びメダル払出装置１３等を備えている。
【００５２】
このパチスロ機１０のうち、図２（ａ）に示すパチスロ機１０Ａは、いわゆる現金機と称されるものであって、図４（ａ）に示すように、隣接するメダルサンド２０とは接続されておらず、前記管理残額の範囲内で該メダルサンド２０に設けられた払出装置３０から払い出されるメダルを使用して遊技を行うものである。一方、パチスロ機１０のうち、図２（ｂ）に示すパチスロ機１０Ｂは、いわゆるＣＲ機と称されるものであって、図４（ｂ）に示すように、隣接するメダルサンド２０と接続されており、前記管理残額の範囲内で当該パチスロ機１０Ｂに設けられたメダル払出装置１３から払い出されるメダルを使用して遊技を行うものである。以下、パチスロ機１０Ａとパチスロ機１０Ｂとを区別しない場合には、単に「パチスロ機１０」と称する。
【００５３】
遊技制御基板１１は、パチスロ機１０における遊技状態を制御するものである。払出制御基板１２は、メダル払出装置１３と接続され、該メダル払出装置１３を制御するものである。また払出制御基板１２は、図４（ｂ）に示すように、ＣＲ機であるパチスロ機１０Ｂにおいては、メダルサンド２０の後述する貸与通信部２１ａと通信可能に接続され、後述する貸与処理が行われる場合に、パチスロ機１０とメダルサンド２０との間でメダルの貸出に関する信号のやり取りが行われる。メダル払出装置１３は、遊技の結果として遊技者に付与されるメダルを払い出す払出手段として機能するものである。またメダル払出装置１３は、ＣＲ機であるパチスロ機１０Ｂにおいては、貸与処理が行われて遊技者に貸し出されたメダルを払い出すものである。
【００５４】
このパチスロ機１０では、遊技媒体であるメダルが投入されて１ゲームの賭数が設定され、スタートレバーが操作されると、可変表示装置の可変表示が開始され、ストップボタンが操作されると、各ストップボタンに対応する可変表示装置の各リールが停止して、該可変表示装置の表示結果が導出表示されることにより１ゲームが終了し、該表示結果が遊技制御基板１１における内部抽選によって入賞が許容された入賞役に対応する表示結果であるときには、払出制御基板１２の指令により、該入賞役に応じた数のメダルが、該パチスロ機１０に設けられたメダル払出装置１３から払い出される。
【００５５】
次に、メダルサンド２０について説明する。メダルサンド２０は遊技用装置の一例であって、パチスロ機１０に対応して設けられ、記録媒体（会員カード４，ビジタコイン５）の記録媒体ＩＤに対応付けて管理装置５０にて管理されている残額である管理残額の範囲内で遊技媒体を払い出すための貸与処理を行うものであり、該貸与処理を含む各種処理を管理装置５０と連携して行う貸与処理手段を有するものである。この貸与処理手段として機能する制御部２１は、前記貸与処理として、図１５のＳ１２２に示す第１の貸与処理（使用額＋消費税額分の貸与処理）と、図２２のＳ５２２に示す第２の貸与処理（オフライン一発貸し）とを行う。
【００５６】
またメダルサンド２０は取引装置の一例でもあって、記録媒体（会員カード４，ビジタコイン５）の記録媒体ＩＤに対応付けて管理装置５０にて管理されている残額である管理残額を用いて遊技媒体を貸与するための第１の貸与処理を、取引処理として行う取引処理手段を有するものである。
【００５７】
またメダルサンド２０は、前記ビジタコイン５を受け付けて、該受け付けたビジタコイン５の記録情報（ここでは記録媒体ＩＤ）から特定される特別処理用価値の大きさ（ここでは残額）を使用した特別処理（ここでは貸与処理）を行うと共に、貨幣を受け付けて、該受け付けた貨幣の金額のうちの特別処理に使用されなかった残額に相当する特別処理用価値の大きさを前記ビジタコイン５の記録情報から特定可能として（ここでは貨幣受付時に受付貨幣額を含む入金要求を管理装置５０に対して送信し、貸与操作受付時に使用額＋消費税額を含む減算要求を管理装置５０に対して送信して）、当該ビジタコイン５を排出するものである。
【００５８】
このメダルサンド２０は、縦長の箱型の形状を呈するものであり、図２に示すように、その前面に、多機能ランプ２４，紙幣挿入口２２ａ，硬貨投入口２３ａ，硬貨返却ボタン２３ｅ，硬貨返却口２３ｆ，残額表示器２５，貸与ボタン２６，返却ボタン２７，コイン投入口１１１，コイン排出口１１２，カード挿入口１９０，及び開口扉２０ａ等を備え、図３に示すように、その内部に、制御部２１，貸与通信部２１ａ，外部通信部２１ｂ，紙幣識別機２２，硬貨識別機２３，通路ユニット１００，接続端子２８，パネル検出スイッチ４２，本体電源２０ｂ，及び払出装置用電源２０ｃ等を備えている。このメダルサンド２０は、装置ＩＤにより、各メダルサンド２０を個々に識別可能とされている。
【００５９】
ここで現金機であるパチスロ機１０Ａに対応して設けられるメダルサンド２０は、現金機用として運用され、図２（ａ）及び図３（ａ）に示すように、その前面に、ノズル有りパネル３１を備えていると共に、図３（ａ）及び図４（ａ）に示すように、その内部に、接続端子２８に接続される払出装置３０を備えている。またＣＲ機であるパチスロ機１０Ｂに対応して設けられるメダルサンド２０は、ＣＲ機用として運用され、図２（ｂ）及び図３（ｂ）に示すように、その前面に、ノズル無しパネル４１を備えていると共に、図３（ｂ）及び図４（ｂ）に示すように、その内部に、接続端子２８に接続される変換アダプタ４０を備えており、さらに貸与通信部２１ａがパチスロ機１０Ｂの払出制御基板１２と接続されている。
【００６０】
これらメダルサンド２０に備えられる各構成要素は、現金機用として運用される場合には図４（ａ），ＣＲ機用として運用される場合には図４（ｂ）に示すように接続されている。なお、現金機用としての運用に関する構成要素については３０番台の符号を付してあり、ＣＲ機用としての運用に関する構成要素については４０番台の符号を付してある。
【００６１】
開口扉２０ａは、遊技場の係員が所持する鍵により解錠及び施錠され、解錠された状態で右辺を支点として手前方向に回動することにより開放されるものであり、この開口扉２０ａが開放されることで、遊技場の係員により払出装置３０に対するメダルの補給が可能となる。本体電源２０ｂは、図３において太い実線で示すように、制御部２１，紙幣識別機２２，硬貨識別機２３，及び通路ユニット１００の各構成要素を駆動するための電力を供給するものである。払出装置用電源２０ｃは、図３において太い実線で示すように、接続端子２８に接続される払出装置３０又は変換アダプタ４０を駆動するための電力を供給するものである。なお払出装置用電源２０ｃは、図３において太い点線で示すように、該払出装置用電源２０ｃがＯＮであるか否かを制御部２１において判定するために（図１０，図１１のＳ１１）、該制御部２１にも電力を供給している。
【００６２】
制御部２１は、ＣＰＵ，ＲＡＭ，ＲＯＭ，ＥＥＰＲＯＭ等を備えており、ＲＯＭに記憶されている処理プログラムがＲＡＭを作業領域としてＣＰＵで実行されることにより、メダルサンド２０に備えられる各構成要素の動作を制御して各種の処理を行うものである。この制御部２１のＲＯＭには前記装置ＩＤが記憶されている。なお制御部２１の機能については、［１］遊技場の営業開始時に行う処理に関する機能，及び［２］遊技場の営業中に行う処理に関する機能として、後述する。
【００６３】
制御部２１には、貸与通信部２１ａと外部通信部２１ｂが設けられている。貸与通信部２１ａは、図４（ａ）に示すように、対応するパチスロ機１０が現金機（パチスロ機１０Ａ）である場合には、該パチスロ機１０Ａの払出制御基板１２とは接続されず、図４（ｂ）に示すように、対応するパチスロ機１０がＣＲ機（パチスロ機１０Ｂ）である場合には、該パチスロ機１０Ｂの払出制御基板１２と通信可能に接続される。外部通信部２１ｂは、管理装置５０の後述する通信部５１と通信可能に接続されており、メダルサンド２０と管理装置５０との間における通信を司るものである。なお外部通信部２１ｂの機能についても、［２］遊技場の営業中に行う処理に関する機能として、後述する。
【００６４】
紙幣識別機２２は貨幣受付手段（貨幣受付識別手段）の一例であって、貨幣を受け付けるものであり、ここでは図３に示すように、紙幣挿入口２２ａから前記４種類の紙幣２の挿入を受け付けて、該受け付けた紙幣２の真贋及び金種を識別する識別機である。なお紙幣識別機２２により受け付けられた紙幣２は、受付貨幣の取込処理によって、紙幣通路２２ｂを通じてメダルサンド２０の背面から外部に排出され、遊技島に設けられた紙幣搬送機構（図示外）により搬送されて、金庫（図示外）に回収される。また、紙幣識別機２２により受け付けられた紙幣２は、受付貨幣の返却処理によって、紙幣挿入口２２ａから排出されて、遊技者に返却される。
【００６５】
硬貨識別機２３も貨幣受付手段（貨幣受付識別手段）の一例であって、貨幣を受け付けるものであり、ここでは図３に示すように、硬貨投入口２３ａから前記２種類の硬貨３の投入を受け付けて、硬貨通路２３ｂを通じて落下してきた硬貨３の真贋及び金種を識別する識別機である。なお硬貨識別機２３により受け付けられた硬貨３も、受付貨幣の取込処理によって、硬貨通路２３ｃを通じてメダルサンド２０の背面から外部に排出され、遊技島に設けられた硬貨搬送機構（図示外）により搬送されて、金庫（図示外）に回収される。硬貨返却ボタン２３ｅは、硬貨識別機２３や硬貨通路２３ｂにおいて詰まった硬貨３の返却操作を受け付けるためのボタンであり、遊技者により硬貨返却ボタン２３ｅが押下されると、該詰まった硬貨３が硬貨通路２３ｄを通じて硬貨返却口２３ｆに戻る。また、硬貨識別機２３により受け付けられた硬貨３は、受付貨幣の返却処理によって、硬貨返却口２３ｆに排出されて、遊技者に返却される。
【００６６】
これら貨幣受付手段においては、管理装置５０とオンライン状態では、すべての種類の貨幣を受付可能であり、該貨幣を受け付けた場合に、受付貨幣額と記録媒体ＩＤとを含む入金要求（図１４のＳ１０３）が管理装置５０に対して送信される。また管理装置５０とオフライン状態では、１０００円以下の貨幣のみを受付可能であり、該貨幣を受け付けた場合に、後述するオフライン一発貸し（図２２のＳ５２２）が行われる。
【００６７】
多機能ランプ２４は、予め定められた複数の色のうちのいずれかの色で点灯又は点滅することによってメダルサンド２０の状態を報知するランプである。この多機能ランプ２４は、例えば通路ユニット１００により会員カード４及びビジタコイン５を受け付けていないときには青色で点灯してその旨を報知し、会員カード４を受け付けているときには緑色で点灯してその旨を報知し、ビジタコイン５を受け付けているときには黄色で点灯してその旨を報知し、異常が発生しているときには赤色で点滅してその旨を報知する。
【００６８】
残額表示器２５は、メダルサンド２０の制御部２１のＲＡＭに記憶されている残額（以下「記憶残額」と称する。），又は端数額（以下「記憶端数額」と称する。）を表示するための表示器であって、ここでは５桁の７セグメント表示器であり、１円単位まで金額が表示される。この残額表示器２５においては、オンライン状態では記憶残額が表示され、オフライン状態では記憶残額と記憶端数額との合算額が表示される。
【００６９】
貸与ボタン２６は、記録媒体（会員カード４，ビジタコイン５）の管理残額を使用した貸与処理を行うための貸与操作を遊技者から受け付けるボタンである。返却ボタン２７は、後述するカード保持部１９１で保持されている会員カード４，後述する投入コイン保持部１２０で保持されているビジタコイン５，又は後述する収納コイン保持部１４０で保持されているビジタコイン５を返却するための返却操作を遊技者から受け付けるボタンである。
【００７０】
前記制御部２１は接続端子２８を有し、図８に示すように、両者は複数の信号線を介して接続されている。この接続端子２８には、払出装置３０が接続され、また該払出装置３０に代えて変換アダプタ４０を接続可能である。
【００７１】
払出装置３０は払出手段の一例であって、メダルを払い出すものであり、図３（ａ）及び図４（ａ）に示すように、現金機であるパチスロ機１０Ａに対応して設けられるメダルサンド２０に備えられ、接続端子２８に接続される。この払出装置３０は、該払出装置３０に備えられる各構成要素の動作を制御して各種の処理を行う払出制御部３０ａと、メダルを貯留する漏斗状のメダルホッパ３０ｂと、メダルホッパ３０ｂに貯留されているメダルを払い出すためのモータ（図示外）を駆動するモータ駆動回路３０ｃと、モータの駆動によりメダルホッパ３０ｂから払い出されたメダルの枚数を計数する計数センサ３０ｄと、メダルホッパ３０ｂに貯留されているメダルが無くなったことを検出するエンプティセンサ３０ｅと、メダルホッパ３０ｂに貯留されているメダルが所定量（所定高さ）よりも少なくなったことを検出するニアエンプティセンサ３０ｆとを備えており、これらの各構成要素は図４（ａ）及び図８に示すように接続されている。
【００７２】
この払出装置３０は、図８に示すように、接続端子２８に接続されていることに基づいて、該接続されている旨を示す払出手段接続信号を、払出制御部３０ａから接続端子２８を介して制御部２１に対して送信する。この払出手段接続信号は、図９（ａ）に示すように、電圧がＬＯＷで一定の信号である。
【００７３】
また払出装置３０は、図８に示すように、前記第１の制御である現金機用の運用を行う制御部２１から接続端子２８を介して送信されてくるモータ駆動信号を払出制御部３０ａが受信すると、該払出制御部３０ａの制御によりモータ駆動回路３０ｃがモータの駆動を開始してメダルホッパ３０ｂに貯留されているメダルの払出を開始すると共に、計数センサ３０ｄが該払い出されたメダルの枚数を計数し、該計数したメダルの枚数が払い出すべき枚数に達すると、その旨を示す計数信号を、払出制御部３０ａから接続端子２８を介して制御部２１に対して送信する。そして該制御部２１から接続端子２８を介して送信されてくるモータ停止信号を払出制御部３０ａが受信すると、該払出制御部３０ａの制御によりモータ駆動回路３０ｃがモータの駆動を停止してメダルホッパ３０ｂに貯留されているメダルの払出を終了する。
【００７４】
また払出装置３０は、図８に示すように、メダルホッパ３０ｂに貯留されているメダルが無くなったことをエンプティセンサ３０ｅにより検出すると、その旨を示すエンプティ信号を、払出制御部３０ａから接続端子２８を介して制御部２１に対して送信する。このエンプティ信号は、図９（ａ）に示すように、メダルが有る状態でＬＯＷである電圧が、メダルが無くなるとＨＩＧＨになることにより示される信号である。なおエンプティ信号は、メダルホッパ３０ｂにメダルが補給され、エンプティセンサ３０ｅがメダルを検出すると、再び電圧がＬＯＷになる。換言すれば、エンプティ信号は、メダルホッパ３０ｂにメダルが貯留されている状態で一の極性（ここではＬＯＷ）を示し、メダルホッパ３０ｂにメダルが貯留されていない状態で前記一の極性とは逆極性（ここではＨＩＧＨ）を示す信号である。
【００７５】
さらに払出装置３０は、図８に示すように、メダルホッパ３０ｂに貯留されているメダルが所定量（所定高さ）よりも少なくなったことをニアエンプティセンサ３０ｆにより検出すると、その旨を示すニアエンプティ信号を、払出制御部３０ａから接続端子２８を介して外部装置に対して送信する。この外部装置は、例えば遊技場の景品カウンタにあるカウンタコンピュータや、遊技場の管理事務所にあるホールコンピュータ等であり、該外部装置においては、当該メダルサンド２０がニアエンプティである旨の報知が行われる。このニアエンプティ信号は、図示しないが、図９（ａ）に示すエンプティ信号と同様に、メダルが所定量よりも多い状態でＬＯＷである電圧が、メダルが所定量よりも少なくなるとＨＩＧＨになることにより示される信号である。なおニアエンプティ信号は、メダルホッパ３０ｂにメダルが補給され、ニアエンプティセンサ３０ｆが所定量よりも多いメダルを検出すると、再び電圧がＬＯＷになる。換言すれば、ニアエンプティ信号は、メダルホッパ３０ｂに貯留されているメダルが所定量よりも多い状態で一の極性（ここではＬＯＷ）を示し、メダルホッパ３０ｂに貯留されているメダルが所定量よりも少ない状態で前記一の極性とは逆極性（ここではＨＩＧＨ）を示す信号である。
【００７６】
ノズル有りパネル３１は供給通路有りパネルの一例であって、図２（ａ）及び図３（ａ）に示すように、メダルサンド２０の前面に装着可能で、ノズル３１ａが有るパネルである。このノズル３１ａは遊技媒体供給通路の一例であって、払出装置３０から払い出されたメダルを対応するパチスロ機１０Ａに対して供給するための通路であり、上方が開放された断面Ｕ字状を呈し、払出装置３０からパチスロ機１０Ａの下皿まで連通するものである。
【００７７】
変換アダプタ４０は制御切替手段の一例であって、制御部２１の制御を前記第１の制御（現金機用の運用）から前記第２の制御（ＣＲ機用の運用）に切り替えるためのものであり、図３（ｂ）及び図４（ｂ）に示すように、ＣＲ機であるパチスロ機１０Ｂに対応して設けられるメダルサンド２０に備えられ、接続端子２８に接続される。この変換アダプタ４０は、次に述べる制御切替信号を出力する発振回路を備えている。
【００７８】
この変換アダプタ４０は、接続端子２８に接続されたことに基づいて、払出装置３０が制御部２１に対して送信する信号とは異なる形態の制御切替信号を制御部２１に対して送信するものである。また変換アダプタ４０は、制御切替信号として、払出手段接続信号及びエンプティ信号の少なくともいずれか一方と形態の異なる信号を制御部２１に対して送信するものであり、ここでは図９（ｂ）に示すように、払出手段接続信号と形態の異なる制御切替信号，及びエンプティ信号と形態の異なる制御切替信号の両方を送信する。
【００７９】
具体的には、変換アダプタ４０は、前記払出手段接続信号と形態の異なる制御切替信号として、電圧がＨＩＧＨで一定の信号を、前記払出手段接続信号が入力される制御部２１の端子と同一の端子に対して送信する。
【００８０】
また変換アダプタ４０は、前記エンプティ信号と形態の異なる制御切替信号として、ＨＩＧＨの電圧を４０±１０ｍｓ出力した後にＬＯＷの電圧を４０±１０ｍｓ出力する信号を、前記エンプティ信号が入力される制御部２１の端子と同一の端子に対して送信する。換言すれば、エンプティ信号と形態の異なる制御切替信号は、一の極性（ここではＬＯＷ）と逆極性（ここではＨＩＧＨ）とを所定時間毎に繰り返すパルス信号である。これによれば払出装置３０が接続されているときには一の極性又は逆極性を継続して呈するエンプティ信号を、一の極性と逆極性とを所定時間毎に繰り返すパルス信号とすることで、制御切替信号とすることができる。なお４０ｍｓは基準長さであり、±１０ｍｓは許容される誤差である。
【００８１】
なお、前記計数信号が入力される制御部２１の端子は、空き端子にするとノイズが乗るので、該ノイズを防止するために、電圧がＨＩＧＨ（又はＬＯＷ）で一定の信号を該端子に送信する。
【００８２】
ノズル無しパネル４１は供給通路無しパネルの一例であって、図２（ｂ）及び図３（ｂ）に示すように、メダルサンド２０の前面に装着可能で、ノズル３１ａが無いパネルである。このノズル無しパネル４１の裏面の下端には、メダルサンド２０の内部方向に向いて突起４１ａが形成されており、該ノズル無しパネル４１がメダルサンド２０の前面に装着されると、該突起４１ａに対向して設けられるパネル検出スイッチ４２が押圧されるようになっている。
【００８３】
ここでパネル検出スイッチ４２は検出手段の一例であって、ノズル無しパネル４１が装着されていることを検出するものであり、前述の如く押圧されることによりノズル無しパネル４１が装着されていることを検出する。なおノズル有りパネル３１が装着されている場合には、該パネル検出スイッチ４２は押圧されない。
【００８４】
またノズル無しパネル４１は、前面が開口されており、該開口からメダルサンド２０の内部方向に至る中空箱状の収納スペース部４１ｂが形成されている。このノズル無しパネル４１が、接続端子２８に変換アダプタ４０が接続されている状態で、メダルサンド２０の前面に装着されると、当該メダルサンド２０の前面から内部に至り、遊技者の所有物（例えば飲料の缶や携帯電話等）を置くことが可能な収納スペースが、該収納スペース部４１ｂにより形成される。これによれば、払出装置３０に代えて該払出装置３０よりも小さな変換アダプタ４０を接続したことにより発生するスペースを、遊技者の所有物を置くことが可能な収納スペースとして有効に活用することができるので、遊技者の利便性が向上する。
【００８５】
通路ユニット１００は前記記録媒体処理機構の一部を構成するものであって、投入コイン保持部１２０，投入コイン排出通路１６０，及び収納排出通路１３０が一体に構成されたものである。具体的には、通路ユニット１００は、図５及び図６に示すように、縦長の箱型の形状を呈するユニット本体１００ａの内部に、制御部１０１，記録媒体Ｒ／Ｗ１０２，上部アンテナ１０３，下部アンテナ１０４，投入コイン誘導通路１１３，供給通路１１４，投入コイン保持部１２０，第１の投入コインストッパ１２１，第２の投入コインストッパ１２２，収納通路１３１と第２誘導通路１３３とを有する収納排出通路１３０，収納コイン保持部１４０，第１の収納コインストッパ１４１，第２の収納コインストッパ１４２，連絡通路１６１と第１誘導通路１６３とを有する投入コイン排出通路１６０，及びカード保持部１９１等を備えている。そして図６及び図７に示すように、投入コイン排出通路１６０の一部である連絡通路１６１に傾斜部１６２を設けて、該投入コイン排出通路１６０を収納排出通路１３０に対してビジタコイン５の厚み方向にずらすことにより、第１誘導通路１６３と第２誘導通路１３３とが重畳して（左右に並行して重なり合って別個に）コイン排出口１１２に臨むように形成されている。ここで各通路は、ビジタコイン５が起立した状態で、該ビジタコイン５の自重により転動又は落下する通路である。
【００８６】
制御部１０１は、前記制御部２１と通信可能に接続されており、該制御部２１の指令に基づいて、図５（ｂ）に示すようにして接続されている記録媒体Ｒ／Ｗ１０２，第１の投入コインストッパ１２１，第２の投入コインストッパ１２２，第１の収納コインストッパ１４１，及び第２の収納コインストッパ１４２の動作を制御するものである。ここでの制御部１０１には、当該通路ユニット１００がメダルサンド２０に備えられている旨が記憶されており、該記憶に基づいた制御を行う。具体的には、投入コイン保持部１２０でビジタコイン５を保持している状態で返却操作を受け付けると、通常は閉鎖されている第１の投入コインストッパ１２１を開放して当該ビジタコイン５を連絡通路１６１に落下させた後、該第１の投入コインストッパ１２１を閉鎖する制御を行う。また投入コイン保持部１２０で保持しているビジタコイン５の残額が零になると、通常は閉鎖されている第２の投入コインストッパ１２２を開放して当該ビジタコイン５を収納通路１３１に収納させた後、該第２の投入コインストッパ１２２を閉鎖する制御を行う。さらに収納コイン保持部１４０でビジタコイン５を保持している状態で返却操作を受け付けると、通常は閉鎖されている第１の収納コインストッパ１４１を開放して当該ビジタコイン５をコイン排出口１１２から排出して返却した後、該第１の収納コインストッパ１４１を閉鎖すると共に、通常は閉鎖されている第２の収納コインストッパ１４２を開放して当該ビジタコイン５を収納コイン保持部１４０に供給した後、該第２の収納コインストッパ１４２を閉鎖する制御を行う。
【００８７】
記録媒体Ｒ／Ｗ１０２は、記録媒体（会員カード４，ビジタコイン５）の記録情報を読み取ると共に記録媒体に対して情報を書き込むものである。この記録媒体Ｒ／Ｗ１０２は、前記ＩＣカードである会員カード４及び前記ＩＣコインであるビジタコイン５に対応したＩＣリーダ／ライタであり、投入コイン保持部１２０に対応し、ビジタコイン５の記録情報を読み取る第１読取部である上部アンテナ１０３と、収納コイン保持部１４０及びカード保持部１９１に対応し、ビジタコイン５及び会員カード４の両方の記録情報を読み取る第２読取部である下部アンテナ１０４とを備えている。これにより、コイン投入口１１１から投入されて投入コイン保持部１２０で保持しているビジタコイン５に対しては、上部アンテナ１０３を介して情報の読み取り及び書き込みを行う。また、収納通路１３１から排出されて収納コイン保持部１４０で保持しているビジタコイン５に対しては、下部アンテナ１０４を介して情報の読み取り及び書き込みを行う。さらに、カード挿入口１９０から挿入されてカード保持部１９１で保持している会員カード４に対しても、下部アンテナ１０４を介して情報の読み取り及び書き込みを行う。
【００８８】
コイン投入口１１１は、ビジタコイン５が投入される部位であり、ここでは図２に示すように、メダルサンド２０の前面に形成され、ビジタコイン５を起立させた状態で投入可能な縦長の孔である。このコイン投入口１１１には、制御部１０１の制御によって開閉する図示しないシャッタが設けられており、後述する記録媒体受付を待機する状態（例えば図１９のＳ１９３）以外では、該シャッタによりコイン投入口１１１が遮蔽されていて、ビジタコイン５が投入できないようになっている。
【００８９】
そして通路ユニット１００は、図６に示すように、該コイン投入口１１１に投入されたビジタコイン５を投入コイン保持部１２０に導くための投入コイン誘導通路１１３を備えており、ここでの投入コイン誘導通路１１３は、コイン投入口１１１から後方に向けて傾斜して配置された通路である。また通路ユニット１００は、投入コイン保持部１２０に連通してビジタコイン５を該投入コイン保持部１２０に供給するための供給通路１１４を備えており、ここでの供給通路１１４は、通路ユニット１００の上面から下方に向けて鉛直に形成された通路である。なおメダルサンド２０に備えられる通路ユニット１００では、該供給通路１１４は使用されない。
【００９０】
コイン排出口１１２は、コイン投入口１１１の下方に設けられ、ビジタコイン５が排出される部位であり、ここでは図５（ａ）及び図６に示すように、メダルサンド２０の前面に突出して形成され、投入コイン排出通路１６０の終端側に形成された第１誘導通路１６３と収納排出通路１３０の終端側に形成された第２誘導通路１３３とが重畳して臨み、両誘導通路から排出されたビジタコイン５を受け止める容器状の部位である。
【００９１】
カード挿入口１９０は、コイン排出口１１２の側方に設けられ、会員カード４が挿入される部位であり、ここでは図２及び図５（ａ）に示すように、メダルサンド２０の前面に形成され、会員カード４を起立させた状態で挿入可能な縦長の孔である。カード保持部１９１は、該カード挿入口１９０から挿入された会員カード４を保持する部位であり、図５（ａ）に示すように、カード挿入口１９０の後方に位置する。
【００９２】
ここで前記下部アンテナ１０４は、図５（ａ）に示すように、収納コイン保持部１４０とカード保持部１９１との間に配設されることにより、ビジタコイン５及び会員カード４の両方の記録情報を読み取るように構成されている。これによれば、カード保持部１９１に対応する読取部を下部アンテナ１０４とは別個に設ける場合と比べて、省スペース化を図ることができると共に、製造コストが削減される。
【００９３】
投入コイン保持部１２０は第１保持部の一例であって、ビジタコイン５の記録情報を読み取る第１読取部（上部アンテナ１０３）が対応して設けられ、コイン投入口１１１から投入されたビジタコイン５（以下「投入コイン」ともいう。）を保持する部位であり、ここでは前記投入コイン誘導通路１１３の終端部分が第１の投入コインストッパ１２１及び第２の投入コインストッパ１２２により区画された部位である。この投入コイン保持部１２０では、コイン投入口１１１から投入されて投入コイン誘導通路１１３を自重により転動してきたビジタコイン５が、閉鎖状態にある第１の投入コインストッパ１２１及び第２の投入コインストッパ１２２に堰き止められて保持される。
【００９４】
第１の投入コインストッパ１２１は、投入コイン保持部１２０と投入コイン排出通路１６０との間に形成されるストッパである。第２の投入コインストッパ１２２は、投入コイン保持部１２０と収納通路１３１との間に形成されるストッパである。
【００９５】
収納排出通路１３０は、図６及び図７に示すように、投入コイン保持部１２０に保持されるビジタコイン５のうち、回収したビジタコイン５（ここでは残額が無いビジタコイン５）を収納すると共に、該収納しているビジタコイン５を前記コイン排出口１１２に排出するための通路であって、収納通路１３１と第２誘導通路１３３とを有する。
【００９６】
収納通路１３１は、投入コイン保持部１２０に連設されビジタコイン５を収納する通路であり、ここでは投入コイン保持部１２０から後方に向けて傾斜し、途中で下方に向けて鉛直に屈曲し、さらに途中で後方に向けて半円弧状に屈曲して形成されており、終端には第１の収納コインストッパ１４１が設けられている。この収納通路１３１では、遊技場の営業開始前に予めコイン投入口１１１から投入されたビジタコイン５，及び遊技場の営業中に第２の投入コインストッパ１２２が開放状態となって投入コイン保持部１２０における保持が解除されたビジタコイン５が、閉鎖状態にある第１の収納コインストッパ１４１に堰き止められて、一列に並べて収納される。ここで「一列に並べて」とは、ビジタコイン５の面同士ではなく円周同士が接するように並べての意味である。ここでの収納通路１３１は、７枚のビジタコイン５を収納可能である。第１の収納コインストッパ１４１は、収納通路１３１と第２誘導通路１３３との間に形成されるストッパである。
【００９７】
ここで通路ユニット１００は、図６に示すように、収納通路１３１の途中から連設されビジタコイン５を該収納通路１３１から排出するための排出通路１３２を備えており、ここでの排出通路１３２は、収納通路１３１の半円弧状部分における下半分に形成された開口から下方に向けて鉛直に形成され、通路ユニット１００の下面に開口している通路である。なおメダルサンド２０に備えられる通路ユニット１００では、後述する第１カバー部材１５０が装着されることにより、収納通路１３１と排出通路１３２との分岐部における排出通路１３２側が排出通路遮蔽板１５３で遮蔽されるので、該排出通路１３２は使用されない。
【００９８】
第２誘導通路１３３は、収納コイン保持部１４０が形成されると共に、コイン排出口１１２に連通する通路であり、ここでは収納通路１３１の終端から前方に向けて傾斜してコイン排出口１１２に連通し、その終端近傍に第２の収納コインストッパ１４２が設けられて収納コイン保持部１４０が形成されている。
【００９９】
収納コイン保持部１４０は第２保持部の一例であって、ビジタコイン５の記録情報を読み取る第２読取部（下部アンテナ１０４）が対応して設けられ、収納通路１３１の終端から供給されたビジタコイン５（以下「収納コイン」ともいう。）を保持する部位であり、ここでは図６に示すように、第２誘導通路１３３の終端近傍が第２の収納コインストッパ１４２により区画された部位である。この収納コイン保持部１４０では、第１の収納コインストッパ１４１が開放状態となって収納通路１３１の終端から供給されたビジタコイン５が、閉鎖状態にある第２の収納コインストッパ１４２に堰き止められて常に保持されている。
【０１００】
ここで第２の収納コインストッパ１４２は、制御部１０１の制御によって開閉するシャッタであり、通常は閉鎖状態にあって、収納通路１３１の終端から供給されたビジタコイン５を保持している。そして第２の収納コインストッパ１４２は、投入コイン保持部１２０でビジタコイン５を保持しておらず、かつカード保持部１９１で会員カード４を保持していない状態で返却操作を受け付けると、制御部１０１の制御によって開放状態になり、前記保持していたビジタコイン５が第２誘導通路１３３を自重により転動してコイン排出口１１２に排出される。そして第２の収納コインストッパ１４２は、その後に所定のタイミングで制御部１０１の制御によって再び閉鎖状態になり、収納通路１３１の終端から供給されたビジタコイン５を再び保持する。
【０１０１】
投入記録媒体排出通路である投入コイン排出通路１６０は、図６及び図７に示すように、返却すべきビジタコイン５をコイン排出口１１２に排出するための通路であって、連絡通路１６１と第１誘導通路１６３とを有する。連絡通路１６１は、投入コイン保持部１２０に連設される通路であり、ここでは投入コイン保持部１２０から下方に向けて鉛直に形成されている。第１誘導通路１６３は、該連絡通路１６１に連設されてコイン排出口１１２に連通する通路であり、ここでは連絡通路１６１の下端から前方に向けて傾斜してコイン排出口１１２に連通するように形成されている。
【０１０２】
ここで投入コイン排出通路１６０の一部である連絡通路１６１の途中には、図７に示すように、正面視で左側に傾斜する傾斜部１６２が設けられていて、連絡通路１６１の下端が該連絡通路１６１の上端に対してビジタコイン５の厚み方向にずらされている。これにより、該連絡通路１６１の下端に連設されている第１誘導通路１６３が第２誘導通路１３３に対してビジタコイン５の厚み方向にずらされて、該第１誘導通路１６３と第２誘導通路１３３とが重畳してコイン排出口１１２に臨むように形成されている。
【０１０３】
ここで［１］制御部２１が遊技場の営業開始時に行う処理に関する機能について説明する。
【０１０４】
この制御部２１は、メダルを払い出す払出装置３０が接続されることで、会員カード４又はビジタコイン５の記録媒体ＩＤに対応付けて管理装置５０にて管理されている残額である管理残額（図１３（ａ）の残額管理ＤＢ）の範囲内で該払出装置３０からメダルを払い出すための第１の制御（現金機用の運用）を行うと共に、ＣＲ機であるパチスロ機１０Ｂが接続されることで、前記管理残額の範囲内で該遊技機から遊技媒体を払い出すための第２の制御（ＣＲ機用の運用）を行うものであり、制御切替手段である変換アダプタ４０から制御切替信号を受信したことを条件として第２の制御を行うものである。
【０１０５】
具体的には、制御部２１が第１の制御を行う場合には、貸与処理が行われる場合において、メダルを払い出すためのモータ駆動信号を、接続端子２８を介して払出装置３０の払出制御部３０ａに対して送信する処理を行う。また制御部２１が第２の制御を行う場合には、貸与処理が行われる場合において、メダルを払い出すための払出指示信号を、貸与通信部２１ａを介してパチスロ機１０Ｂの払出制御基板１２に対して送信する処理を行う。
【０１０６】
ここでの制御部２１は、図９に示す払出手段接続信号及びエンプティ信号に基づいて第１の制御と第２の制御との切替を行い、また検出手段であるパネル検出スイッチ４２によりノズル無しパネル４１が装着されていることを検出したことを条件として第２の制御を行う。さらに制御部２１は、図１０に示すエンプティ信号サンプリング処理を行う。
【０１０７】
ここで図１０を参照して、メダルサンド２０の制御部２１が実行するモード決定処理について説明する。このモード決定処理は、本体電源２０ｂがＯＮされたときに実行され、制御部２１が第１の制御（現金機用の運用）を行うか，又は第２の制御（ＣＲ機用の運用）を行うかを決定する処理であり、第１の制御を行う場合には、動作モードを現金機モードと決定し、第２の制御を行う場合には、動作モードをＣＲ機モードと決定する。ここで決定された動作モードは、制御部２１で記憶される。
【０１０８】
まず制御部２１は、Ｓ１１で、払出装置用電源２０ｃから供給される電力に基づいて、該払出装置用電源２０ｃがＯＮであるか否かを判定する。このＳ１１で払出装置用電源２０ｃがＯＮでない（ＮＯ）と判定された場合には、Ｓ１８で、制御部２１で記憶されている前回のモード決定処理で決定された動作モードを、今回の動作モードとして決定して、Ｓ１１に戻る。一方、Ｓ１１で払出装置用電源２０ｃがＯＮである（ＹＥＳ）と判定された場合には、Ｓ１２に進む。
【０１０９】
Ｓ１２では、払出手段接続信号がＨＩＧＨで有るか否かを判定する。このＳ１２で払出手段接続信号がＨＩＧＨでない（ＮＯ）、即ち払出手段接続信号がＬＯＷであると判定された場合には、図９（ａ）に示すように、払出装置３０の接続が有ると認識して、Ｓ１９で現金機モードと決定して、処理を終了する。一方、Ｓ１２で払出手段接続信号がＨＩＧＨである（ＹＥＳ）と判定された場合には、図９（ｂ）に示すように、払出装置３０の接続が無いと認識して、Ｓ１３に進む。
【０１１０】
Ｓ１３では、パネル検出スイッチ４２がＯＮであるか否かを判定する。このＳ１３でパネル検出スイッチ４２がＯＮでない（ＮＯ）と判定された場合には、払出装置３０の接続が無いにも拘わらずノズル有りパネル３１が装着されていると認識して、Ｓ２０でエラー処理（例えば多機能ランプの点灯等）を行って、処理を終了する。このように、ノズル有りパネル３１が装着されているときには運用形態が第２の制御（ＣＲ機用の運用）に切り替えられることがないので、遊技者が、ノズル３１ａが有ることにより運用形態が第１の制御（現金機用の運用）であると誤解することが無くなる。一方、Ｓ１３でパネル検出スイッチ４２がＯＮである（ＹＥＳ）と判定された場合には、Ｓ１４に進む。
【０１１１】
Ｓ１４，及びＳ２１〜Ｓ２４では、エンプティ信号サンプリング処理を行う。このエンプティ信号サンプリング処理は、払出装置３０又は変換アダプタ４０から送信されてくるエンプティ信号がＨＩＧＨであるか否かを、所定期間（例えば１００ｍｓ）に亘って所定回数（例えば２．５ｍｓ毎に４０回）のチェックを行い、エンプティ信号のＨＩＧＨを受信した回数の合計値を求める処理である。
【０１１２】
具体的には、Ｓ１４でチェック回数が４０回であるか否かを判定し、チェック回数が４０回でない（ＮＯ）と判定された場合には、Ｓ２１でチェック回数に１を加算し、Ｓ２２で当該チェックのタイミングにおいて受信したエンプティ信号がＨＩＧＨであるか否かを判定する。このＳ２２で、エンプティ信号がＨＩＧＨである（ＹＥＳ）と判定された場合には、Ｓ２３で合計値に１を加算してＳ１４に戻り、エンプティ信号がＨＩＧＨでない（ＮＯ）と判定された場合には、Ｓ２４で合計値から１を減算してＳ１４に戻る。そしてチェック回数が４０回になるまでＳ２１〜Ｓ２４の処理を繰り返し、Ｓ１４でチェック回数が４０回である（ＹＥＳ）と判定された場合には、Ｓ１５に進む。
【０１１３】
ここでエンプティ信号が変換アダプタ４０から送信されてくるパルス状の信号であれば、例えば前記所定期間の開始と同時にＨＩＧＨのエンプティ信号を受信すると、前記合計値は、＋１６［＝基準長さ４０ｍｓのＨＩＧＨ÷２．５ｍｓ］−１６［＝基準長さ４０ｍｓのＬＯＷ÷２．５ｍｓ］＋８［＝残りの長さ２０ｍｓのＨＩＧＨ÷２．５ｍｓ］で８になる。なお、該合計値は、エンプティ信号として、基準長さである４０ｍｓ＋誤差の最大値である１０ｍｓのＨＩＧＨを受信し、基準長さである４０ｍｓ−誤差の最大値である１０ｍｓのＬＯＷを受信し、さらに残りの長さ２０ｍｓのＨＩＧＨを受信したときに、＋２０［長さ５０ｍｓのＨＩＧＨ÷２．５ｍｓ］−１２［長さ３０ｍｓのＬＯＷ÷２．５ｍｓ］＋８［＝長さ２０ｍｓのＨＩＧＨ÷２．５ｍｓ］で、最大値である１６となる。また、該合計値は、エンプティ信号として、基準長さである４０ｍｓ＋誤差の最大値である１０ｍｓのＬＯＷを受信し、基準長さである４０ｍｓ−誤差の最大値である１０ｍｓのＨＩＧＨを受信し、さらに残りの長さ２０ｍｓのＬＯＷを受信したときに、−２０［長さ５０ｍｓのＬＯＷ÷２．５ｍｓ］＋１２［長さ３０ｍｓのＨＩＧＨ÷２．５ｍｓ］−８［＝長さ２０ｍｓのＬＯＷ÷２．５ｍｓ］で、最小値である−１６となる。
【０１１４】
Ｓ１５では、前記合計値が許容範囲内であるか否かを判定する。ここで許容範囲とは、前記合計値が変換アダプタ４０から送信されてくるパルス状のエンプティ信号をサンプリングしたものであると認識される範囲であり、ここでは前記合計値の最小値である−１６から前記合計値の最大値である＋１６の範囲とされる。このＳ１５で前記合計値が許容範囲内である（ＹＥＳ）と判定された場合には、前記合計値が変換アダプタ４０から送信されてくるパルス状のエンプティ信号をサンプリングしたものであると認識して、Ｓ１６でＣＲ機モードと決定して、Ｓ１１に戻る。一方、Ｓ１５で前記合計値が許容範囲内でない（ＮＯ）と判定された場合には、Ｓ１７で、制御部２１で記憶されている前回のモード決定処理で決定された動作モードを、今回の動作モードとして決定して、Ｓ１１に戻る。
【０１１５】
なお、このモード決定処理は、ＣＲ機モードが決定した後にも常時行われる。ただし、該ＣＲ機モードの動作中において、払出装置用電源２０ｃがＯＦＦになった場合には、前記Ｓ１１でＮＯと判定され、Ｓ１８でエラー処理が行われて、処理が終了する。また払出手段接続信号がＬＯＷになった場合には、前記Ｓ１２でＮＯと判定され、Ｓ１９でエラー処理が行われて、処理が終了する。さらにエンプティ信号サンプリング処理における合計値が許容範囲内でなかった場合には、Ｓ１５でＮＯと判定され、Ｓ１７でエラー処理が行われて、処理が終了する。
【０１１６】
以上に説明したメダルサンド２０によれば、払出装置３０に代えて変換アダプタ４０を接続端子２８に接続するだけで、払出装置３０が制御部２１に対して送信する信号とは形態の異なる制御切替信号が該変換アダプタ４０から制御部２１に対して送信されて、運用形態が第２の制御に切り替えられるので、第１の制御と第２の制御とを行うメダルサンド２０であっても、運用形態を手間無く確実に切り替えることができる。
【０１１７】
また、払出装置３０が出力する２種類の信号に基づいて運用形態の切替が行われ、該払出装置３０から出力される払出手段接続信号及びエンプティ信号の少なくともいずれか一方（ここでは両方）と形態の異なる制御切替信号を受信したことを条件として、運用形態が第２の制御に切り替えられるので、偶然に第１の制御から第２の制御に切り替わるおそれが低減される。即ち、運用形態の切替の基準となる信号が１つであると、ノイズ等の影響により誤認識のおそれがあるが、上述の如く、運用形態の切替の基準となる信号が２つであると、該誤認識のおそれが低減される。
【０１１８】
なお図１０に示すモード決定処理に代えて、図１１に示すモード決定処理が実行されるようにしても良い。この図１１では、前記Ｓ１１の判定でＹＥＳと判定されると、前記エンプティ信号サンプリング処理が行われた後に前記Ｓ１５の判定が行われる。このＳ１５でＹＥＳと判定されると、Ｓ１６でＣＲ機モードと決定されて、再びエンプティ信号サンプリング処理を行う。一方、Ｓ１５でＮＯと判定されると、Ｓ１９で現金機モードと決定されて、再びエンプティ信号サンプリング処理を行う。これによっても、払出装置３０に代えて変換アダプタ４０を接続端子２８に接続するだけで、払出装置３０が制御部２１に対して送信する信号とは形態の異なる制御切替信号（ここではパルス状のエンプティ信号）が該変換アダプタ４０から制御部２１に対して送信されて、運用形態が第２の制御に切り替えられるので、第１の制御と第２の制御とを行うメダルサンド２０であっても、運用形態を手間無く確実に切り替えることができる。なお、この図１１において、Ｓ１１及びＳ１８の処理を行わないようにしても良い。
【０１１９】
次に［２］制御部２１及び外部通信部２１ｂが遊技場の営業中に行う処理に関する機能について説明する。
【０１２０】
まず制御部２１は通信可否検知手段（遊技用装置通信可否検知手段）の一例であって、管理装置５０と通信できる通信可能状態（オンライン状態）であるか通信できない通信不可能状態（オフライン状態）であるかを検知するものである。具体的には、管理装置５０の後述する通信部５１から各メダルサンド２０に対して定期的（例えば１０秒ごと）に送信されてくる通信確認要求に基づいて、該通信確認要求の受信を定期的に検知している間はオンライン状態（即ち管理装置５０と通信できる通信可能状態）であると判定し、該通信確認要求の受信を一定期間（例えば１分間）検知しなくなるとオフライン状態（即ち管理装置５０と通信できない通信不可能状態）であると判定する。
【０１２１】
また制御部２１は管理残額取得手段の一例であって、記録媒体（会員カード４，ビジタコイン５）の管理残額を取得するものである。具体的には、前記通信可否検知手段によりオンライン状態を検知しているときに記録媒体を受け付けたことに基づいて、受け付けた記録媒体の記録媒体ＩＤを含む挿入通知を管理装置５０に対して送信し、該挿入通知に応じて管理装置５０から送信されてくる残額通知（図１４のＳ１０６，図１７のＳ２２４）又は予定残額通知（同Ｓ２４１）を受信して、該残額通知に含まれる管理残額又は該予定残額通知に含まれる合算額を、残額記憶手段としての制御部２１のＲＡＭで記憶することにより、記録媒体の管理残額を取得する。また制御部２１は残額更新手段の一例であって、第１の貸与処理を行う毎に、第１の貸与処理に用いられる貸与使用額と消費税額との合算額をＲＡＭの記憶残額から減算更新する。つまり、ＲＡＭの記憶残額を前記合算額分減算された残額に更新する。
【０１２２】
また制御部２１は管理残額有無管理手段の一例であって、前記通信可否検知手段によりオンライン状態を検知しているときに受け付けた記録媒体（会員カード４，ビジタコイン５）の管理残額が零でないか否かを、少なくとも当該記録媒体の受付中において管理するものである。具体的には、制御部２１のＲＡＭにおいて、管理残額を記憶すると共に、該記憶している記憶残額の更新を行うことにより、ビジタコイン５の管理残額が零であるか否かを管理する。
【０１２３】
また制御部２１のＲＡＭは端数額記憶手段の一例であって、後述する特定手段（制御部２１）により特定された端数額を前記記憶端数額として記憶するものである。なお制御部２１のＲＡＭは、該特定手段により特定された貸与対象額を記憶するものでもある。ここで記憶残額と記憶端数額とは、各々別領域に記憶される。
【０１２４】
さらに制御部２１のＲＡＭは、当該メダルサンド２０の処理状態を記憶する。具体的には、貨幣を受け付けたときには、処理状態が「貨幣受付」である旨を記憶し、貸与操作を受け付けたときには、処理状態が「貸与操作受付」である旨を記憶し、返却操作を受け付けたときには、処理状態が「返却操作受付」である旨を記憶し、記録媒体を受け付けたときには、処理状態が「記録媒体受付」である旨を記憶する。
【０１２５】
また外部通信部２１ｂは入金要求送信手段の一例であって、前記通信可否検知手段によりオンライン状態を検知しているときに貨幣を受け付けたことに基づいて、該受け付けた貨幣の金額である受付貨幣額と前記記録媒体（会員カード４，ビジタコイン５）の記録媒体ＩＤとを特定可能な入金要求を管理装置５０に対して送信するものであり、ここでは受付貨幣額と記録媒体ＩＤとを含む入金要求を送信する（図１４のＳ１０３）。
【０１２６】
具体的には、記録媒体を受け付けていない状態で貨幣を受け付けたときには、収納コイン保持部１４０で保持しているビジタコイン５のコインＩＤと受付貨幣額とを含む入金要求を送信し、会員カード４の挿入を受け付けている状態で貨幣を受け付けたときには、カード保持部１９１で保持している該会員カード４のカードＩＤと受付貨幣額とを含む入金要求を送信し、ビジタコイン５の投入を受け付けている状態で貨幣を受け付けたときには、投入コイン保持部１２０で保持している該ビジタコイン５のコインＩＤと受付貨幣額とを含む入金要求を送信する。即ち入金要求には、収納コイン保持部１４０で保持しているビジタコイン５のコインＩＤ，カード保持部１９１で保持している会員カード４のカードＩＤ，又は投入コイン保持部１２０で保持しているビジタコイン５のコインＩＤのいずれかが、記録媒体ＩＤとして含まれる。
【０１２７】
この入金要求を受信した管理装置５０は、該入金要求から特定される受付貨幣額（ここでは該入金要求に含まれる受付貨幣額）を該入金要求から特定される記録媒体ＩＤ（ここでは該入金要求に含まれる記録媒体ＩＤ）に対応付けて記憶する処理を行い（図１４のＳ１０５）、該記録媒体ＩＤに対応付けて管理している管理残額と前記受付貨幣額との合算額を特定可能な残額通知（ここでは管理残額と受付貨幣額との合算額を含む予定残額通知）をメダルサンド２０に対して送信する（同Ｓ１０６）。
【０１２８】
また外部通信部２１ｂは減算要求送信手段の一例であって、第１の貸与処理（使用額＋消費税額分の貸与処理）に使用される使用額及び該使用額に対応する消費税額を前記管理残額から減算するための第１の減算要求を管理装置５０に対して送信するものであり、ここでは記録媒体ＩＤと使用額＋消費税額とを含む減算要求を送信する（図１５のＳ１２４）。ここで第１の減算要求に含まれる使用額＋消費税額は、後述するように管理残額（即ち制御部２１のＲＡＭで記憶している記憶残額）と予め定められた基準貸与額である貸与設定金額（例えば税込単位額の５度数分である５２５円）との比較で決定され、記憶残額≧貸与設定金額であれば、該貸与設定金額が前記使用額＋消費税額であり、記憶残額＜貸与設定金額であれば、前記税込単位額の整数倍であって記憶残額を超えない最大額である貸与対象額が前記使用額＋消費税額である。即ち第１の減算要求は、第１の貸与処理に使用される基準貸与額（貸与設定金額）を管理残額から減算するための要求，又は第１の貸与処理に使用される貸与対象額を管理残額から減算するための要求である。
【０１２９】
また外部通信部２１ｂは受付通知送信手段の一例であって、前記通信可否検知手段によりオンライン状態を検知しているときに記録媒体（会員カード４，ビジタコイン５）を受け付けたことに基づいて、該受け付けた記録媒体に記録されている記録媒体ＩＤと通番とを含む記録媒体受付通知（ここでは挿入通知）を管理装置５０に対して送信するものである（図１６のＳ２０２）。ここで該受け付けた記録媒体にオフライン端数額，オフライン消費情報，又はオフライン精算情報が記録されている場合には、該オフライン端数額，オフライン消費情報，又はオフライン精算情報を含む挿入通知が送信される。つまり外部通信部２１ｂは入金残額加算更新要求送信手段の一例でもあって、該受け付けた記録媒体に記録されている記録媒体ＩＤとオフライン端数額（入金残額）とを含む挿入通知（入金残額加算更新要求）を管理装置５０に対して送信する。
【０１３０】
具体的には、会員カード４の挿入を受け付けたときには、カード保持部１９１で保持している該会員カード４のカードＩＤ，オフライン消費情報，オフライン精算情報，オフライン端数額，通番，及び装置ＩＤを含む挿入通知を送信し、ビジタコイン５の投入を受け付けたときには、投入コイン保持部１２０で保持している該ビジタコイン５のコインＩＤ，オフライン消費情報，オフライン精算情報，オフライン端数額，通番，及び装置ＩＤを含む挿入通知を送信する。即ち挿入通知には、カード保持部１９１で保持している会員カード４のカードＩＤ，又は投入コイン保持部１２０で保持しているビジタコイン５のコインＩＤのいずれかが、記録媒体ＩＤとして含まれる。
【０１３１】
この挿入通知を受信した管理装置５０は、後述する通番判定手段（制御部５２）による判定を行う（図１６のＳ２０３）。そして通番が一致すると判定され、挿入通知に含まれるオフライン端数額が零であり、かつ、オフライン消費情報及びオフライン精算情報が無いことを条件として、該挿入通知に含まれる記録媒体ＩＤに対応付けて管理している管理残額を含む残額通知をメダルサンド２０に対して送信する（図１７のＳ２２１）。
【０１３２】
一方、通番が一致すると判定され、かつ挿入通知に含まれるオフライン端数額が零でないことを条件として、該挿入通知に含まれる記録媒体ＩＤに対応付けて管理している管理残額に対して該挿入通知に含まれるオフライン端数額を加算更新するための端数額加算更新処理（ここでは該オフライン端数額を該記録媒体ＩＤに対応付けて記憶する処理）を行い（図１６のＳ２１２）、該オフライン端数額の消去を指示する端数額消去要求（ここでは該記録媒体ＩＤに対応付けて管理している管理残額と前記オフライン端数額との合算額を含む予定残額通知）をメダルサンド２０に対して送信する（図１７のＳ２４１）。
【０１３３】
また、通番が一致すると判定され、かつ挿入通知に含まれるオフライン消費情報が有ることを条件として、該挿入通知に含まれる記録媒体ＩＤに対応付けて管理している管理残額に対して該挿入通知に含まれるオフライン消費情報で特定されるオフライン消費額を減算更新するためのオフライン消費額減算更新処理（ここでは該オフライン消費額を該記録媒体ＩＤに対応付けて記憶する処理）を行い（図１６のＳ２１４〜Ｓ２１９）、該オフライン消費情報の消去を指示するオフライン消費情報消去要求（ここでは該記録媒体ＩＤに対応付けて管理している管理残額から前記オフライン消費額を減算した合算額を含む予定残額通知）をメダルサンド２０に対して送信する（図１７のＳ２４１）。
【０１３４】
また、通番が一致すると判定され、かつ挿入通知に含まれるオフライン精算情報が有ることを条件として、該挿入通知に含まれる記録媒体ＩＤに対応付けて管理している管理残額に対して該挿入通知に含まれるオフライン精算情報で特定されるオフライン精算額を減算更新するためのオフライン精算額減算更新処理（ここでは該オフライン精算額を該記録媒体ＩＤに対応付けて記憶する処理）を行い（図１６のＳ２３３，Ｓ２３６，Ｓ２３７）、該オフライン精算情報の消去を指示するオフライン精算情報消去要求（ここでは該記録媒体ＩＤに対応付けて管理している管理残額から前記オフライン精算額を減算した合算額を含む予定残額通知）をメダルサンド２０に対して送信する（図１７のＳ２４１）。
【０１３５】
また外部通信部２１ｂは復帰通知送信手段の一例であって、後述する通信可否検知手段（制御部２１）によりオフライン状態を検知している状態からオンライン状態への復帰を検知したことに基づいて、受付貨幣額からオフライン一発貸しに使用された使用額を減算した入金残額とオフライン消費情報とオフライン精算情報と記録媒体（会員カード４，ビジタコイン５）の記録媒体ＩＤとを含むオンライン復帰通知を管理装置５０に対して送信するものであり、ここではオンライン状態への復帰を検知（図２９のＳ６０１）した管理装置５０から開始要求が送信されてきて、該開始要求に応じた開始応答を管理装置５０に対して返信した後に（同Ｓ６０５）、記録媒体に記録されている記録媒体ＩＤ，前記入金残額であるオフライン端数額，オフライン消費情報，オフライン精算情報，及び通番を含むオンライン復帰通知を管理装置５０に対して送信する（同Ｓ６０６）。このオンライン復帰通知は、前記挿入通知と同等のものであり、該オンライン復帰通知を受信した管理装置５０は、挿入通知を受信した場合と同様の処理を行う。
【０１３６】
また外部通信部２１ｂは連携処理要求送信手段の一例であって、特定処理に対応する連携処理を要求する連携処理要求を管理装置５０に対して送信するものである。
【０１３７】
具体的には、予定残額通知（図１４のＳ１０６）を受信したメダルサンド２０は、後述する貸与可能処理手段により貸与可能処理（ここでは受付貨幣の取込）を特定処理として行い（同Ｓ１０８）、該特定処理に伴って後述する通番更新手段により記録媒体に記録されている通番を更新して（同Ｓ１０９）、該貸与可能処理を行った旨を示す貸与可能情報（ここでは貨幣取込通知）を連携処理要求として管理装置５０に対して送信する（同Ｓ１１０）。この貨幣取込通知を受信した管理装置５０は、当該記録媒体の記録媒体ＩＤに対応付けて記憶している受付貨幣額を当該記録媒体の管理残額に対して加算する受付貨幣額加算処理と、該受付貨幣額が加算済であることを特定可能な状態に更新する加算済更新処理（ここでは受付貨幣額の消去）とを連携処理として行い（同Ｓ１１３，Ｓ１１４）、該連携処理に伴って当該記録媒体の記録媒体ＩＤに対応付けられた通番を更新する（同Ｓ１１５）。
【０１３８】
また第１の貸与処理（使用額＋消費税額分の貸与処理）を特定処理として行ったメダルサンド２０は（図１５のＳ１２２）、該特定処理に伴って後述する通番更新手段により記録媒体に記録されている通番を更新して（同Ｓ１２３）、前記第１の減算要求を連携処理要求として管理装置５０に対して送信する（同Ｓ１２４）。この減算要求を受信した管理装置５０は、使用額＋消費税額を管理残額から減算する第１の減算処理を連携処理として行い（同Ｓ１２５）、該連携処理に伴って当該記録媒体の記録媒体ＩＤに対応付けられた通番を更新して（同Ｓ１２６）、該第１の減算処理が完了した旨を示す減算完了通知をメダルサンド２０に対して送信する（同Ｓ１２６）。メダルサンド２０は、該減算完了通知を受信したことを条件として、次の貸与処理が可能となる。
【０１３９】
また予定残額通知（図１７のＳ２４１）を受信したメダルサンド２０は、後述する端数額消去処理手段により端数額消去処理（入金残額消去処理）やオフライン消費情報を消去するオフライン消費情報消去処理やオフライン精算情報を消去するオフライン精算情報消去処理を特定処理として行い（同Ｓ２４４，Ｓ２４３，Ｓ２４３ａ）、該特定処理に伴って後述する通番更新手段により記録媒体に記録されている通番を更新して（同Ｓ２４５）、該端数額消去処理を行った旨を示す端数額消去通知（入金残額消去通知）を連携処理要求として管理装置５０に対して送信する（同Ｓ２４６）。この端数額消去通知を受信した管理装置５０は、当該記録媒体の記録媒体ＩＤに対応付けて記憶しているオフライン端数額（入金残額）を当該記録媒体の管理残額に対して加算するオフライン端数額加算処理（入金残額加算処理）と、該オフライン端数額が加算済であることを特定可能な状態に更新する加算済更新処理（ここではオフライン端数額の消去）とを連携処理として行い（同Ｓ２４８）、当該記録媒体の記録媒体ＩＤに対応付けて記憶しているオフライン消費額を当該記録媒体の管理残額から減算するオフライン消費額減算処理と、該オフライン消費額が減算済であることを特定可能な状態に更新するオフライン消費額減算済更新処理（ここではオフライン消費額の消去）とを連携処理として行い（同Ｓ２４７）、当該記録媒体の記録媒体ＩＤに対応付けて記憶しているオフライン精算額を当該記録媒体の管理残額から減算するオフライン精算額減算処理と、該オフライン精算額が減算済であることを特定可能な状態に更新するオフライン精算額減算済更新処理（ここではオフライン精算額の消去）とを連携処理として行い（同Ｓ２４７ａ）、これらの連携処理に伴って当該記録媒体の記録媒体ＩＤに対応付けられた通番を更新する（同Ｓ２２７）。
【０１４０】
なお残額通知（図１７のＳ２２１）を受信したメダルサンド２０は、後述する通番更新手段により記録媒体に記録されている通番を更新して（同Ｓ２２３）、残額受信通知を管理装置５０に対して送信する（同Ｓ２２４）。この残額受信通知を受信した管理装置５０は、当該記録媒体の記録媒体ＩＤに対応付けられた通番を更新する（同Ｓ２２７）。
【０１４１】
また外部通信部２１ｂは返却通知送信手段の一例であって、後述する通信可否検知手段（制御部２１）によりオンライン状態を検知しているときに返却操作（返却ボタン２７の操作）を受け付けたことに基づいて、記録媒体ＩＤを含む返却通知を管理装置５０に対して送信するものである（図１９のＳ１８４）。具体的には、記録媒体（会員カード４，ビジタコイン５）を受け付けていない状態で返却操作を受け付けたときには、収納コイン保持部１４０で保持しているビジタコイン５のコインＩＤを含む返却通知を送信し、会員カード４の挿入を受け付けている状態で返却操作を受け付けたときには、カード保持部１９１で保持している該会員カード４のカードＩＤを含む返却通知を送信し、ビジタコイン５の投入を受け付けている状態で返却操作を受け付けたときには、投入コイン保持部１２０で保持している該ビジタコイン５のコインＩＤを含む返却通知を送信する。即ち返却通知には、収納コイン保持部１４０で保持しているビジタコイン５のコインＩＤ，カード保持部１９１で保持している会員カード４のカードＩＤ，又は投入コイン保持部１２０で保持しているビジタコイン５のコインＩＤのいずれかが、記録媒体ＩＤとして含まれる。この返却通知を受信した管理装置５０は、返却許諾通知をメダルサンド２０に対して送信する（同Ｓ１８５）。
【０１４２】
なお外部通信部２１ｂから送信される情報（要求や通知）には前記装置ＩＤが含まれるので、管理装置５０では、該情報と共に受信した装置ＩＤに基づいて、該情報の送信元であるメダルサンド２０を特定可能である。
【０１４３】
また制御部２１は、第１に、管理装置５０とオンライン状態で貨幣を受け付けたときに入金処理を行う機能と、第２に、管理装置５０とオンライン状態で貸与操作を受け付けたときに使用額＋消費税額分の貸与処理を行う機能と、第３に、管理装置５０とオフライン状態で貨幣を受け付けたときにオフライン一発貸しを行う機能と、第４に、該オフライン一発貸しにおいて記録媒体に記録されているオフライン端数額が零になったときに管理残額が有る該記録媒体を返却する機能と、第５に、オフライン端数額が記録されている記録媒体を受け付けたときに該オフライン端数額を消去する機能と、第６に、オフライン状態からオンライン状態に復帰したときに記録媒体に記録されているオフライン端数額を消去する機能とを有する。以下、制御部２１の各機能について説明する。
【０１４４】
まず第１に、管理装置５０とオンライン状態で貨幣を受け付けたときに入金処理を行うために、制御部２１は、貸与可能処理手段，及び通番更新手段として機能する。即ちメダルサンド２０は、管理装置５０とオンライン状態で貨幣を受け付けると（図１４のＳ１０１）、前述の如く、記録媒体ＩＤと受付貨幣額とを含む入金要求を管理装置５０に対して送信し（同Ｓ１０３）、該入金要求に応じて管理装置５０から予定残額通知を受信する（同Ｓ１０６）。
【０１４５】
ここで貸与可能処理手段として機能する制御部２１は、予定残額通知の受信に応じて、該予定残額通知から特定される合算額の範囲内でメダルの貸与を可能とするための貸与可能処理を特定処理として行うものであり、ここでは該貸与可能処理として、受付貨幣を取り込む処理を行う（図１４のＳ１０８）。また通番更新手段として機能する制御部２１は、該特定処理である貸与可能処理に伴って、記録媒体（会員カード４，ビジタコイン５）の通番を更新する第１の通番更新処理を行う（同Ｓ１０９）。ここで第１の通番更新処理とは、収納コイン保持部１４０で保持しているビジタコイン５，投入コイン保持部１２０で保持しているビジタコイン５，又はカード保持部１９１で保持している会員カード４に記録されている通番に１を加算して更新する旨を、制御部１０１を介して記録媒体Ｒ／Ｗ１０２に対して指示する処理である。なお連携処理要求送信手段として機能する外部通信部２１ｂは、前述の如く、該特定処理である貸与可能処理に伴って、該貸与可能処理を行った旨を示す貸与可能情報（ここでは記録媒体ＩＤを含む貨幣取込通知）を前記連携処理要求として管理装置５０に対して送信する（同Ｓ１１０）。なお、特定処理手段は、通番更新手段及び連携処理要求送信手段を合わせたものである。
【０１４６】
また第２に、管理装置５０とオンライン状態で貸与操作を受け付けたときに使用額＋消費税額分の貸与処理を行うために、制御部２１は、貸与処理手段，通番更新手段，及び記録媒体排出処理手段として機能する。
【０１４７】
ここで貸与処理手段として機能する制御部２１は、遊技者の操作（貸与ボタン２６の操作）により、記録媒体（会員カード４，ビジタコイン５）の記録媒体ＩＤに対応付けて管理装置５０にて管理されている管理残額（即ち制御部２１のＲＡＭで記憶している記憶残額）の範囲内でメダルを貸与するための第１の貸与処理（使用額＋消費税額分の貸与処理）を行うものである（図１５のＳ１２２）。また通番更新手段として機能する制御部２１は、該特定処理である第１の貸与処理に伴って、記録媒体（会員カード４，ビジタコイン５）の通番を更新する第１の通番更新処理を行う（同Ｓ１２３）。なお連携処理要求送信手段として機能する外部通信部２１ｂは、前述の如く、該特定処理である第１の貸与処理に伴って、前記第１の減算要求を前記連携処理要求として管理装置５０に対して送信する（同Ｓ１２４）。
【０１４８】
この貸与処理手段として機能する制御部２１は、前記管理残額（即ち制御部２１のＲＡＭで記憶している記憶残額）と予め定められた基準貸与額（例えば税込単位額の５度数分である５２５円）とを比較して、該管理残額が基準貸与額以上であるときには、該基準貸与額分のメダルを貸与するための第１の貸与処理を行い、該管理残額が基準貸与額未満であるときには、該管理残額のうちの、前記税込単位額（ここでは１０５円）の整数倍に相当する貸与対象額分のメダルを貸与するための第１の貸与処理を行う。ここでの基準貸与額は、本例においては以下で示す貸与設定金額であり、例えば各メダルサンド２０毎に、管理装置５０から配信されて制御部２１に記憶されることで設定され、該設定額が後述する図１３（ａ）に示す管理装置５０の設定値ＤＢで管理されている。
【０１４９】
具体的には、記憶残額≧貸与設定金額であれば、該貸与設定金額を使用額＋消費税額として、該貸与設定金額分のメダルの払出を指示する処理を行い、記憶残額（例えば３００円）＜貸与設定金額であれば、税込単位額の整数倍であって記憶残額を超えない最大額である貸与対象額（ここでは２１０円）を使用額＋消費税額として、該貸与対象額分のメダルの払出を指示する処理を行う。なお記憶残額＜税込単位額である１０５円（即ち端数額）であれば、メダルの払出を指示する処理は行わない。ここで前記第１の制御（現金機用の運用）が行われる場合には、制御部２１による払出の指示に基づいて、現金機であるパチスロ機１０Ａに設けられた払出装置３０から、単位使用額である１００円（換言すれば税込単位額である１０５円）毎に５枚のメダルが払い出される。また前記第２の制御（ＣＲ機用の運用）が行われる場合には、制御部２１による払出の指示に基づいて、ＣＲ機であるパチスロ機１０Ａに設けられたメダル払出装置１３から、単位使用額である１００円（換言すれば税込単位額である１０５円）毎に５枚のメダルが払い出される。
【０１５０】
そして該使用額＋消費税額分の貸与処理が行われると、記憶残額≧貸与設定金額であれば、該貸与設定金額（ここでは５２５円）を使用額＋消費税額として含み、記憶残額（例えば３００円）＜貸与設定金額であれば、税込単位額の整数倍であって記憶残額を超えない最大額である貸与対象額（ここでは２１０円）を使用額＋消費税額として含む前記第１の減算要求が、管理装置５０に対して送信される（図１５のＳ１２４）。この第１の減算要求を受信した管理装置５０から減算完了通知が送信されてくることにより（同Ｓ１２８）、制御部２１のＲＡＭに記憶されている記憶残額から使用額＋消費税額が減算更新され（同Ｓ１２９）、該減算更新に応じて残額表示器２５における残額の表示が更新されて（図１４のＳ１１１）、再び貸与操作を受付可能となる（同Ｓ１１２）。
【０１５１】
また管理残額有り情報記録手段及び記録媒体排出処理手段として機能する制御部２１は、該第１の貸与処理の対象となった記録媒体のうちのビジタコイン５の管理残額（即ち制御部２１のＲＡＭで記憶している記憶残額）が零でないことを条件として、該管理残額が零でない旨を示す管理残額有り情報であるオンライン残額有りフラグを記録したビジタコイン５を排出する処理を行うものであり（図１９のＳ１９０，Ｓ１９１、Ｓ１９５，Ｓ１９６）、ここでは遊技者から排出操作（返却ボタン２７の操作）を受け付けたことに基づいて、ビジタコイン５にオンライン残額有りフラグを記録して排出する。具体的には、管理装置５０とオンライン状態において、会員カード４又はビジタコイン５を受け付けていない状態で、貨幣を受け付けて、貸与操作の受付に基づいて使用額＋消費税額分の貸与処理が行われた後に、遊技者から排出操作を受け付けた場合（貨幣受付後に一度も貸与操作を受け付けることなく排出操作を受け付けた場合も同様）には、制御部２１のＲＡＭで記憶している残額が零でないことを条件として、収納コイン保持部１４０で保持しているビジタコイン５を排出する（同Ｓ１９１）前に、該ビジタコイン５にオンライン残額有りフラグを記録し（同Ｓ１９０）、ビジタコイン５を受け付けている状態で、遊技者から排出操作を受け付けると、制御部２１のＲＡＭで記憶している記憶残額が零でないことを条件として、投入コイン保持部１２０で保持している該ビジタコイン５を排出する（同Ｓ１９６）前に、該ビジタコイン５にオンライン残額有りフラグを記録する（同Ｓ１９５）。
【０１５２】
また記録媒体排出処理手段として機能する制御部２１は、ビジタコイン５の受付後に前記通信可否検知手段によりオフライン状態を検知したときに、前記管理残額有無管理手段（制御部２１のＲＡＭ）でビジタコイン５の管理残額が零でない旨を管理していることを条件として、オンライン残額有りフラグを記録したビジタコイン５を排出する処理を行うものである（図２４のＳ５４５，Ｓ５５２）。ここでは遊技者から排出操作（返却ボタン２７の操作）を受け付けたことに基づいて、ビジタコイン５にオンライン残額有りフラグを記録して排出する。
【０１５３】
なお会員カード４は、管理残額の有無に拘わらず常に排出（返却）すべきものであるため、該会員カード４にはオンライン残額有りフラグは記録されない。
【０１５４】
また第３に、管理装置５０とオフライン状態で貨幣を受け付けたときにオフライン一発貸しを行うために、制御部２１は、入金残額使用可能処理手段，端数額使用可能処理手段，特定手段，合算額判定手段，貸与処理手段，及び記録媒体排出処理手段として機能する。
【０１５５】
ここで入金残額使用可能処理手段及び端数額使用可能処理手段として機能する制御部２１は、前記通信可否検知手段によりオフライン状態を検知しているときに記録媒体（会員カード４，ビジタコイン５）を受け付けたことに基づいて、該受け付けた記録媒体に記録されている後述する入金残額（ここではオフライン端数額）を遊技媒体の貸与に使用可能とするための入金残額使用可能処理（ここでは端数額使用可能処理）を行うものであり、ここでは次に述べる特定手段による処理が、当該端数額使用可能処理に相当する。なお前記通信可否検知手段によりオンライン状態を検知しているときにオフライン端数額が記録された記録媒体を受け付けたことに基づいて、該オフライン端数額を含む挿入通知を管理装置５０に対して送信する処理も、入金残額使用可能処理（端数額使用可能処理）に相当する。該挿入通知が管理装置５０に対して送信されることにより、該挿入通知に含まれるオフライン端数額が管理残額に対して加算されて、遊技媒体の貸与に使用可能となるからである。
【０１５６】
特定手段として機能する制御部２１は、前記通信可否検知手段によりオフライン状態を検知しているときに貨幣を受け付けたことに基づいて、ＲＡＭの記憶残額が受付貨幣額に対応する対応消費税額（例えば、受付貨幣額が１０００円であれば５０円）未満であることを条件として、当該受付貨幣額から、前記税込単位額の整数倍に相当する貸与対象額と、該貸与対象額未満の端数額とを特定する（図２２のＳ５２０）。具体的には、１０００円を受け付け、記憶残額が５０円未満である場合には、受付貨幣額である１０００円から、税込単位額である１０５円の９倍に相当する９４５円を貸与対象額として特定すると共に、５５円を端数額として特定する。一方、ＲＡＭの記憶残額が対応消費税額以上であることを条件として、記憶残額と受付貨幣額とから、貸与対象額を特定する。例えば、１０００円を受け付け、記憶残額が１００円であった場合には、ＲＡＭの記憶残額を５０円使用して貸与対象額として１０５０円を特定し、ＲＡＭの記憶残額を５０円とする。
【０１５７】
また特定手段として機能する制御部２１は、第２の貸与処理（オフライン一発貸し）を行った後に（端数額の特定を行った後に）貨幣を受け付けたことに基づいて、端数額が前記対応消費税額以上であることを条件として、前回の貨幣受付に基づいて特定した端数額（即ち制御部２１のＲＡＭで記憶している記憶端数額）と今回の受付貨幣額との合算額から、前記貸与対象額を特定すると共に、前記端数額を新たに特定する処理を行う（図２２のＳ５１３）。さらに特定手段として機能する制御部２１は、前記通信可否検知手段によりオフライン状態を検知しているときに記録媒体（会員カード４，ビジタコイン５）を受け付けたことに基づいて、端数額が前記対応消費税額以上であることを条件として、該受け付けた記録媒体に記録されているオフライン端数額（即ち制御部２１のＲＡＭで記憶している記憶端数額）と今回の受付貨幣額との合算額から、前記貸与対象額を特定すると共に、前記端数額を新たに特定する処理を前記端数額使用可能処理として行う（図２２のＳ５１３）。
【０１５８】
具体的には、記憶端数額が５５円である状態でさらに１０００円を受け付けた場合には、記憶端数額と受付貨幣額との合算額である１０５５円から、税込単位額である１０５円の１０倍に相当する１０５０円を貸与対象額として特定すると共に、５円を端数額として新たに特定する。即ち制御部２１のＲＡＭで記憶される記憶端数額には、貨幣受付に基づいて特定された端数額，及び記録媒体に記録されていたオフライン端数額が含まれる。
【０１５９】
さらに、特定手段として機能する制御部２１は、記憶残額及び端数額の両方が存在する状態で貨幣を受け付けたときに、記憶残額と記憶端数額との合算額が前記対応消費税額以上であることを条件として、記憶残額と記憶端数額と今回の受付貨幣額とから貸与対象額を特定する。例えば、１０００円を受け付け、記憶残額が３０円であり、記憶端数額が３０円であった場合には、記憶残額を２０円使用し、記憶端数額を３０円使用して貸与対象額として１０５０円を特定し、ＲＡＭの記憶残額を１０円とすると共に、記憶端数額を０円とする。なお、本実施形態においては、記憶残額よりも記憶端数額を優先して使用するため、上記のようになるが、記憶残額を優先して使用し、記憶残額を３０円使用し、記憶端数額を２０円使用して貸与対象額として１０５０円を特定し、ＲＡＭの記憶残額を０円とすると共に、記憶端数額を１０円としても良い。
【０１６０】
また合算額判定手段として機能する制御部２１は、前記通信可否検知手段によりオフライン状態を検知しているときに貨幣を受け付けたことに基づいて、前回の貨幣受付に基づいて特定した端数額又は前記受け付けた記録媒体（会員カード４，ビジタコイン５）に記録されているオフライン端数額（即ち制御部２１のＲＡＭで記憶している記憶端数額）が対応消費税額以上であるか否かを判定する（図２２のＳ５１２）ことによって、記憶端数額と今回の受付貨幣額との合算額が前記税込単位額以上であるか否かを判定し、記憶端数額と記憶残額との合算額が対応消費税額以上であるか否かを判定する（図２２のＳ５１５）ことによって、記憶端数額と記憶残額と今回の受付貨幣額との合算額が前記税込単位額以上であるか否かを判定するものである。
【０１６１】
ここで該合算額判定手段により税込単位額以上であると判定されたことを条件として、前記受け付けた貨幣が回収され、前記特定手段による特定が行われる一方、該合算額判定手段により税込単位額未満であると判定されたことを条件として、具体的には、受付貨幣額が税込単位額未満であることをさらなる条件として（図２２のＳ５１９でＮＯ）、前記受け付けた貨幣が返却され、前記特定手段による特定が行われない。例えば端数額、記憶残額、あるいは端数額と記憶残額との合算額が４円の状態で１００円を受け付けた場合には、該受け付けた１００円が返却され、端数額、記憶残額、あるいは端数額と記憶残額との合算額が５円の状態で１００円を受け付けた場合には、該受け付けた１００円が回収されて、貸与対象額１０５円（端数額０円）が特定される。
【０１６２】
また貸与処理手段として機能する制御部２１は、前記通信可否検知手段によりオフライン状態を検知しているときに貨幣を受け付けたことに基づいて、当該受付貨幣額の範囲内でメダルを貸与するための第２の貸与処理を行うものであり、ここでは前記特定手段により貸与対象額が特定されたことに基づいて、遊技者の操作によることなく、該特定された貸与対象額分の遊技媒体を貸与するための第２の貸与処理（オフライン一発貸し）を行う（図２２のＳ５２２）。なお特定手段により特定された端数額は、制御部２１のＲＡＭで記憶される（同Ｓ５１４，Ｓ５１７，Ｓ５２１）。
【０１６３】
また貸与処理手段として機能する制御部２１は、前記通信可否検知手段によりオフライン状態を検知しているときに記録媒体を受け付けたことに基づいて、該記録媒体に記録されているオフライン端数額（入金残額）を使用して遊技媒体を貸与する入金残額貸与処理を行う。具体的には、オフライン状態において、記録媒体を受け付け、さらに貨幣を受け付けたことに基づいて、記録媒体に記録されたオフライン端数額を使用して貸与処理を行う。
【０１６４】
また記録媒体排出処理手段として機能する制御部２１は、前記受付貨幣額から第２の貸与処理に使用された使用額を減算した入金残額が零でないことを条件として、該入金残額を記録した記録媒体（会員カード４，ビジタコイン５）を排出する処理を行うものであり、ここでは前記特定手段により特定された端数額（即ち制御部２１のＲＡＭで記憶している記憶端数額）をオフライン端数額として記録した記録媒体を排出する処理を行う。ここで記録媒体排出処理手段として機能する制御部２１は、遊技者から排出操作（返却ボタン２７の操作）を受け付けたことに基づいて、前記端数額記憶手段（制御部２１のＲＡＭ）で記憶している端数額をオフライン端数額として記録媒体に記録して排出する処理を行う（図２４のＳ５５０，Ｓ５５２）。
【０１６５】
また第４に、前記オフライン一発貸しにおいて記録媒体に記録されているオフライン端数額が零になったときに管理残額が有る該記録媒体を返却するために、制御部２１は、管理残額有り情報記録判定手段，及び記録媒体排出処理手段として機能する。
【０１６６】
ここで管理残額有り情報記録判定手段として機能する制御部２１は、ビジタコイン５に管理残額有り情報であるオンライン残額有りフラグが記録されているか否かを判定するものである（図２４のＳ５４７）。また記録媒体排出処理手段として機能する制御部２１は、該管理残額有り情報記録判定手段によりオンライン残額有りフラグが記録されている（即ちフラグが１）と判定されたことを条件として、オフライン端数額が零のビジタコイン５を排出する処理を行うものである（図２４のＳ５５２）。
【０１６７】
また第５に、オフライン端数額が記録されている記録媒体を受け付けたときに、該オフライン端数額を消去するために、制御部２１は、端数額消去処理手段，及び通番更新手段として機能する。即ちメダルサンド２０は、前記通信可否検知手段によりオンライン状態を検知しているときに記録媒体を受け付けると（図１６のＳ２０１）、前述の如く、記録媒体ＩＤとオフライン消費情報とオフライン端数額と通番と装置ＩＤを含む挿入通知を管理装置５０に対して送信し（同Ｓ２０２）、該挿入通知に応じて管理装置５０から端数額消去要求及び合算額特定情報である予定残額通知を受信する（図１７のＳ２４１）。
【０１６８】
ここで端数額消去処理手段（入金残額消去処理手段）として機能する制御部２１は、該端数額消去要求（入金残額加算完了通知）である予定残額通知の受信に基づいて、前記記録媒体（会員カード４，ビジタコイン５）のオフライン端数額（入金残額）を消去する端数額消去処理（入金残額消去処理）を特定処理として行うものである（図１７のＳ２４４）。また通番更新手段として機能する制御部２１は、該特定処理である端数額消去処理に伴って、記録媒体の通番を更新する第１の通番更新処理を行う（同Ｓ２４５）。また端数額消去要求及び合算額特定情報である予定残額通知の受信に基づいて、オフライン端数額を加算更新後の管理残額（即ち予定残額通知に含まれる合算額）の範囲内で前記第１の貸与処理が可能とされる。なお連携処理要求送信手段として機能する外部通信部２１ｂは、前述の如く、該特定処理である端数額消去処理に伴って、前記端数額消去通知を前記連携処理要求として管理装置５０に対して送信する（同Ｓ２４６）。
【０１６９】
さらに第６に、オフライン状態からオンライン状態に復帰したときに、記録媒体に記録されているオフライン端数額を消去するために、制御部２１は、端数額消去処理手段，及び通番更新手段として機能する。即ちメダルサンド２０は、オンライン状態への復帰を検知（図２９のＳ６０１）した管理装置５０から開始要求が送信されてきたときに（同Ｓ６０２）、記憶端数額をオフライン端数額として記録媒体に記録すると共に（同Ｓ６０３）、該記憶端数額を消去し（同Ｓ６０４）、前記開始要求に応じた開始応答を管理装置５０に対して返信した後に（同Ｓ６０５）、前述の如く、記録媒体ＩＤとオフライン端数額（入金残額）と通番とを含むオンライン復帰通知を管理装置５０に対して送信し（同Ｓ６０６）、該オンライン復帰通知に応じて管理装置５０から合算額特定情報である予定残額通知を受信する（図１７のＳ２４１）。
【０１７０】
ここで端数額消去処理手段として機能する制御部２１は、該合算額特定情報である予定残額通知の受信に基づいて、前記記録媒体（会員カード４，ビジタコイン５）のオフライン端数額（入金残額）を消去する端数額消去処理（入金残額消去処理）を特定処理として行うものである（図１７のＳ２４４）。また通番更新手段として機能する制御部２１は、該特定処理である端数額消去処理に伴って、記録媒体の通番を更新する第１の通番更新処理を行う（同Ｓ２４５）。また合算額特定情報である予定残額通知の受信に基づいて、オフライン端数額を加算更新後の管理残額（即ち予定残額通知に含まれる合算額）の範囲内で前記第１の貸与処理が可能とされる。なお連携処理要求送信手段として機能する外部通信部２１ｂは、前述の如く、該特定処理である端数額消去処理に伴って、前記端数額消去通知（入金残額消去通知）を前記連携処理要求として管理装置５０に対して送信する（同Ｓ２４６）。
【０１７１】
なお制御部２１は、記録媒体の通番が上限値（例えば２５５）に達しているときに、該記録媒体の通番を初期値に更新するものであり、収納コイン保持部１４０のビジタコイン５，若しくはカード保持部１９１で保持されている会員カード４又は投入コイン保持部１２０で保持されているビジタコイン５に記録されている通番を更新するにあたり、当該通番が上限値に達しているか否かを判定して、達していると判定したときには、該通番を初期値（例えば０）に更新する。これにより、通番の記憶領域を極力小さくして、通番が上限値に達した後でも記録媒体を継続して使用することができ、記録媒体のコストを低減させることができる。また制御部２１で実行されるプログラムにおいて定義されている通番の記憶領域（例えば記憶領域が８ビットであれば０〜２５５）内で通番を繰り返し更新することで、通番が上限値に達したことによるプログラムの停止やエラー発生を防止している。
【０１７２】
さらに、本実施形態のメダルサンド２０は、オフライン状態の発生を検知したときに、既に記録媒体（会員カード４又はビジタコイン５）を受け付けており、対応する管理残額を管理装置５０から取得して制御部２１のＲＡＭに記憶済みであり、かつ当該記憶残額が０でないことを条件として、当該記憶残額を使用して貸与処理を行う。そして、メダルサンド２０の制御部２１は、消費情報特定手段，消費情報記録手段，記録媒体排出手段の一例であって、オフライン状態において、記憶残額を使用して貸与処理を行った後に、記録媒体を返却するときには、前記記憶残額から貸与処理に使用された額であるオフライン消費額を特定可能なオフライン消費情報を特定して、該特定したオフライン消費情報を記録媒体に記録して、当該記録媒体を返却（排出）する。
【０１７３】
具体的には、メダルサンド２０は、記憶残額を使用して貸与処理を行う毎に該記憶残額から貸与処理に使用された額をオフライン消費額として加算することにより集計する。また、メダルサンド２０は、管理装置５０から配信される当該メダルサンド２０に固有の基準値（オフライン消費額に関する基準値）を記憶しており、当該基準値から前記集計したオフライン消費額を減算更新した値をオフライン消費情報として特定し、記録媒体に記録する。
【０１７４】
そして、かかるオフライン消費情報が記録された記録媒体が、オンライン状態のメダルサンド２０において受け付けられると、消費情報送信手段（オフライン消費情報送信手段）の一例である外部通信部２１ｂを介して、該記録媒体の記録媒体ＩＤとオフライン消費情報とを含む挿入通知が管理装置５０に送信され、管理残額の補正が行われる。
【０１７５】
また、後述する精算装置６０においてオフライン精算情報が記録された記録媒体が、オンライン状態のメダルサンド２０において受け付けられると、オフライン精算情報送信手段の一例である外部通信部２１ｂを介して、該記録媒体の記録媒体ＩＤとオフライン精算情報とを含む挿入通知が管理装置５０に送信され、管理残額の補正が行われる。
【０１７６】
また、本実施例のメダルサンド２０の制御部２１及び記録媒体Ｒ／Ｗ１０２は、管理残額特定情報記録手段、取引装置記録媒体排出手段の一例であって、（オンライン状態、オフライン状態を問わず）記録媒体を返却（排出）するときに、当該記録媒体の管理残額（即ち制御部２１のＲＡＭに記憶された記憶残額）を特定可能な管理残額特定情報を記録媒体に記録して返却（排出）する。具体的には、演算方式を特定可能な演算方式フラグと当該演算方式の演算により管理残額を算出するための元データ（基準データ，乗算データ，除算データ，加算データ）を記録する。ここで、この管理残額特定情報の特定手法について、具体例に基づいて説明する。
【０１７７】
具体的には、記憶残額をａ、基準データをｘ、加算データをｙ、乗算データをｚ、除算データをｗとして、所定の数式ａ＝ｙ＋ｘ×ｚ÷ｗにより記憶残額を算出するのであるが、その際に本実施形態のメダルサンド２０は、加算を優先した場合の加算優先演算方式と、乗除算を優先した場合の乗除算優先方式とを選択する。つまり、加算優先演算方式の数式は、ａ＝（ｙ＋ｘ）×ｚ÷ｗであり、乗除算優先演算方式の数式は、ａ＝ｙ＋（ｘ×ｚ÷ｗ）である。
【０１７８】
ここで、乗算データ，除算データ，及び加算データについては、管理装置５０からメダルサンド２０に対して配信され、記憶されている。この場合、各メダルサンド２０ごとに異なる乗算データ，除算データ，及び加算データを配信しても良いし、同一の各データを配信するようにしても良い。そして、メダルサンド２０は、この予め記憶している乗算データ，除算データ，及び加算データと、制御部２１のＲＡＭに記憶している記憶残額（管理残額）とに基づいて、基準データを算出し、該算出した基準データと、前記記憶している乗算データ，除算データ，及び加算データとを、元データとして記録媒体に記録する。
【０１７９】
ここで乗算データｚ＝１００，除算データｗ＝２，加算データｙ＝９０がメダルサンド２０に予め設定されているとする。そして、演算方式が加算優先演算方式であり、ａ＝５０００円であれば、５０００＝（９０＋ｘ）×１００÷２より、基準データｘ＝１０と算出される。
【０１８０】
また、乗算データｚ＝９０，除算データｗ＝１，加算データｙ＝５００がメダルサンド２０に予め設定されているとする。そして、演算方式が乗除算優先演算方式であり、ａ＝５０００円であれば、５０００＝５００＋（ｘ×９０÷１）より、基準データｘ＝５０と算出される。
【０１８１】
そして、図１３（ｃ）の（例１）及び（例２）に示すように、記録媒体に、基準データ，乗算データ，除算データ，加算データからなる元データと、演算方式フラグとが記録される。演算方式フラグは、例えば、加算優先演算方式であれば「０」、乗除算優先方式であれば「１」として記録される。このように、記録媒体に残額を直接記録するのではなくて、残額を算出するための演算方式や元データを記録するので、記録媒体から残額を読み取ったり改ざんしたりする不正行為を防止することができる。
【０１８２】
次に管理装置５０について説明する。管理装置５０は、会員カード４又はビジタコイン５を個々に識別可能な記録媒体ＩＤに対応付けて通番及びメダルの貸与に使用される残額を管理するものである。この管理装置５０は、遊技場内の所定箇所（例えば管理事務所等）に設けられるものであり、図１に示すように接続される通信部５１，制御部５２，ディスプレイ５３，入力装置５４，ハードディスク５５，及び場外通信部５６等を備えている。
【０１８３】
記憶手段であるハードディスク５５には、図１３（ａ）に示す残額管理ＤＢ，設定値ＤＢを記憶する領域が設けられている。この残額管理ＤＢでは、記録媒体（会員カード４，ビジタコイン５）の記録媒体ＩＤに対応付けて残額が記憶されており、制御部５２の制御により該残額が更新されて管理される。また残額管理ＤＢでは、記録媒体ＩＤに対応付けて、後述する第２の通番更新処理により更新される通番が管理される。
【０１８４】
また残額管理ＤＢは遊技用装置特定情報記憶手段の一例であって、各記録媒体ＩＤに対応付けて、該記録媒体ＩＤの記録媒体を少なくとも前回受け付けていたメダルサンド２０であって、管理装置５０と通信できるオンライン状態で該記録媒体を受け付けた後に管理装置５０と通信できないオフライン状態になった当該メダルサンド２０を特定可能な装置ＩＤを記憶するものである。ここでは当該記録媒体ＩＤの記録媒体を前回オンライン状態で受け付けていたメダルサンド２０の装置ＩＤが記憶されている。
【０１８５】
この装置ＩＤの記憶方法について説明する。まず管理装置５０とオンライン状態にあるメダルサンド２０が、貨幣を受け付けると、受付貨幣額を含む入金要求が管理装置５０に対して送信される（図１４のＳ１０３）。このとき送信される情報には、記録媒体ＩＤと当該メダルサンド２０の装置ＩＤも含まれるので、該情報を受信した管理装置５０では、残額管理ＤＢにおいて、受信した記録媒体ＩＤに対応付けて、受信した装置ＩＤを記憶する。
【０１８６】
また管理装置５０とオンライン状態にあるメダルサンド２０が、記録媒体を受け付けると、挿入通知が管理装置５０に対して送信される（図１６のＳ２０２）。このとき送信される情報にも、記録媒体ＩＤと当該メダルサンド２０の装置ＩＤが含まれるので、該情報を受信した管理装置５０では、残額管理ＤＢにおいて、予定残額通知又は残額通知の送信時に、受信した記録媒体ＩＤに対応付けて、受信した装置ＩＤを記憶する（図１７のＳ２２０，Ｓ２４０）。ここで予定残額通知又は残額通知の送信時に装置ＩＤを記憶をするのは、以下の理由による。即ち後述する通番不一致時処理において、貸与設定金額を減算するにあたり（図１８のＳ２７２）、前回記録媒体を受け付けていたメダルサンド２０の装置ＩＤを特定する処理を要するが（同Ｓ２６９）、挿入通知を受信した際に、該挿入通知に含まれる装置ＩＤを記憶するようにすると、前回記録媒体を受け付けていたメダルサンド２０の装置ＩＤに、今回受信した装置ＩＤが上書きされてしまい、前回記録媒体を受け付けていたメダルサンド２０の装置ＩＤが特定不能となってしまう問題があるので、そのような事態を回避すべく、挿入通知に含まれる装置ＩＤを記憶するタイミングを、予定残額通知又は残額通知の送信時（換言すれば図１８に示す通番不一致時処理の終了後）としているのである。
【０１８７】
ここで管理装置５０は、返却操作に伴う返却通知（図１９のＳ１８４）を受信したときにも、該返却通知に含まれる記録媒体ＩＤに対応付けて管理されている装置ＩＤを消去せずに記憶したままにしておく。そのため、残額管理ＤＢには、当該記録媒体ＩＤの記録媒体を前回オンライン状態で受け付けていたメダルサンド２０の装置ＩＤが記憶される。即ち、該記録媒体ＩＤの記録媒体を少なくとも前回受け付けていたメダルサンド２０であって、オンライン状態で該記録媒体を受け付けた後にオフライン状態になったメダルサンド２０の装置ＩＤも管理される。なお、残額管理ＤＢに装置ＩＤを記憶する際に、既に装置ＩＤが記憶済みである場合には、該記憶済みの装置ＩＤを消去して、新たに装置ＩＤを記憶する、いわゆる上書き処理を行う。
【０１８８】
ここでオフライン状態にあるメダルサンド２０が記録媒体を受け付けて、その後、該記録媒体を受け付けている状態でオンライン状態に復帰した場合にも、オンライン状態で記録媒体を受け付けたときと同様に、前記挿入通知に相当するオンライン復帰通知が管理装置５０に対して送信され（図２９のＳ６０６）、記録媒体ＩＤと装置ＩＤが対応付けられて残額管理ＤＢに記憶される。
【０１８９】
また本実施形態では、管理装置５０とオンライン状態にある精算装置６０が、記録媒体を受け付けたときに、精算要求が管理装置５０に対して送信される（図３１のＳ７０２）。このとき送信される情報には、受け付けた記録媒体の記録媒体ＩＤと当該精算装置６０の装置ＩＤが含まれるので、該情報を受信した管理装置５０では、残額管理ＤＢにおいて、前述したのと同様の理由により、後述する精算許諾情報の送信時に、受信した記録媒体ＩＤに対応付けて、受信した装置ＩＤを記憶する（図３２のＳ２２０，Ｓ２４０）。
【０１９０】
また残額管理ＤＢでは、前記記録媒体ＩＤに対応付けて、当該記録媒体に関する処理状態であるステータスが記憶されている。このステータスの記憶方法について説明する。まず管理装置５０は、メダルサンド２０から入金要求を受信すると（図１４のＳ１０３）、該入金要求に含まれる記録媒体ＩＤに対応するステータスとして入金処理中と記憶し（同Ｓ１０４）、メダルサンド２０から貨幣取込通知を受信したことを条件として（同Ｓ１１０）、該貨幣取込通知に含まれる記録媒体ＩＤに対応するステータスを入金処理済に更新する（同Ｓ１１６）。ここで入金処理中とは、受付貨幣額が未加算の状態で記憶されている旨を示すステータスであり、入金処理済とは、受付貨幣額について後述する加算済更新処理が行われている旨を示すステータスである。
【０１９１】
また管理装置５０は、メダルサンド２０から減算要求を受信すると（図１５のＳ１２４）、該減算要求に含まれる記録媒体ＩＤに対応するステータスとして減算処理済と記憶する（同Ｓ１２７）。
【０１９２】
また管理装置５０は、メダルサンド２０から挿入通知，オンライン復帰通知，又は供給通知を受信すると（図１６のＳ２０２，図２９のＳ６０６，図１９のＳ１９３）、該挿入通知，オンライン復帰通知，又は供給通知に含まれる記録媒体ＩＤに対応するステータスとして挿入処理中と記憶し（図１６のＳ２０９，図１８のＳ２７４）、メダルサンド２０から残額受信通知，端数額消去通知，又は消費情報消去通知を受信したことを条件として（図１７のＳ２２４，Ｓ２４６、図２０のＳ２４６ｂ、図３０のＳ２４６）、該残額受信通知，端数額消去通知，又は消費情報消去通知に含まれる記録媒体ＩＤに対応するステータスを挿入処理済に更新する（図１７のＳ２２８、図２０のＳ２２９、図３０のＳ２２８）。
【０１９３】
さらに管理装置５０は、精算装置６０から精算要求を受信すると（図３１のＳ７０２）、前記挿入通知を受信した場合と同様に、該精算要求に含まれる記録媒体ＩＤに対応するステータスとして挿入処理中と記憶し（図１６のＳ２０９，図１８のＳ２７３）、精算装置６０から精算許諾情報受信通知又は端数額消去通知を受信したことを条件として（図３２のＳ２２４ａ，Ｓ２４６ａ）、該精算許諾情報受信通知又は端数額消去通知に含まれる記録媒体ＩＤに対応するステータスを挿入処理済に更新する（同Ｓ２２８）。ここでステータスとして挿入処理済のステータスを管理しており、使用装置ＩＤとして精算装置６０の装置ＩＤを管理していることが、精算要求に含まれる記録媒体ＩＤに対応付けて該精算要求を受信した旨を示す精算要求受信情報を管理していることに相当する。また挿入処理済のステータスを精算処理済のステータスに更新することが、該記録媒体ＩＤに対応付けて管理している精算要求受信情報を消去する精算要求消去処理に相当する。
【０１９４】
さらに残額管理ＤＢでは、前記記録媒体ＩＤに対応付けて、前記入金要求に含まれる受付貨幣額と、前記挿入通知，オンライン復帰通知，又は供給通知から特定されるオフライン端数額，オフライン消費額，及びオフライン精算額が記憶されている。即ち管理装置５０は、前記入金要求の受信に応じて、該入金要求から特定される受付貨幣額（ここでは該入金要求に含まれる受付貨幣額）を該入金要求から特定される記録媒体ＩＤ（ここでは該入金要求に含まれる記録媒体ＩＤ）に対応付けて記憶する処理を行う。そして通信部５１は、該記録媒体ＩＤに対応付けて管理している管理残額と該受付貨幣額との合算額を特定可能な残額通知をメダルサンド２０に対して送信し、ここでは該合算額を含む予定残額通知をメダルサンド２０に対して送信する（図１４のＳ１０６）。
【０１９５】
また管理装置５０は、前記挿入通知の受信に応じて、該挿入通知から特定されるオフライン端数額，オフライン消費額，及びオフライン精算額を該挿入通知から特定される記録媒体ＩＤ（ここでは該挿入通知に含まれる記録媒体ＩＤ）に対応付けて記憶する処理を行う。そして通信部５１は、該記録媒体ＩＤに対応付けて管理している管理残額と該オフライン端数額とを加算した額からオフライン消費額とオフライン精算額とを減算した合算額を特定可能な残額通知をメダルサンド２０に対して送信し、ここでは該合算額を含む予定残額通知をメダルサンド２０に対して送信する（図１７のＳ２４１）。
【０１９６】
さらに管理装置５０は、前記オンライン復帰通知の受信に応じて、該オンライン復帰通知から特定されるオフライン端数額，オフライン消費額，及びオフライン精算額を該オンライン復帰通知に含まれる記録媒体ＩＤに対応付けて記憶する処理を行う。そして通信部５１は、該記録媒体ＩＤに対応付けて管理している管理残額と該オフライン端数額とを加算した額からオフライン消費額とオフライン精算額とを減算した合算額を特定可能な合算額特定情報をメダルサンド２０に対して送信し、ここでは該合算額を含む予定残額通知をメダルサンド２０に対して送信する（図１７のＳ２４１）。
【０１９７】
前記設定値ＤＢは、図１３（ａ）に示すように、基準貸与額を管理するものであり、ここでは各メダルサンド２０を個々に識別可能な装置ＩＤに対応付けて、当該メダルサンド２０に対して設定されている基準貸与額である貸与設定金額が各メダルサンド２０毎に管理されている。本実施形態における基準貸与額は消費税額を含む額であり、税込基準額の整数倍、例えば１０度数分の税込基準額である１０５０円や、５度数分の税込基準額である５２５円とされる。
【０１９８】
また、前記設定値ＤＢは、図１３（ａ）に示すように、オフライン消費情報に関する基準値を管理するものであり、ここでは各メダルサンド２０を個々に識別可能な装置ＩＤに対応付けて、当該メダルサンド２０に対して設定されている基準値であるオフライン時基準金額が各メダルサンド２０毎に管理されている。本実施形態においては、オフライン時基準金額からオフライン消費額を減算することによって、オフライン消費情報が算出される。なおオフライン時基準金額は、遊技場の営業開始前に、センタ管理装置８０から管理装置５０に配信されて、図１３（ａ）に示す設定値ＤＢに記憶されると共に、該管理装置５０から各メダルサンド２０に、各メダルサンド２０の装置ＩＤに対応するオフライン時基準金額が配信されて、各メダルサンド２０の制御部２１のＲＡＭに記憶される。
【０１９９】
ディスプレイ５３は、各種の情報を表示するための表示デバイスであり、入力装置５４は、各種の入力を受け付けるための入力デバイスである。制御部５２は、ＣＰＵ，ＲＡＭ，ＲＯＭ等を備えており、ハードディスク５５に記憶されている処理プログラムがＲＡＭを作業領域としてＣＰＵで実行されることにより、管理装置５０に備えられる各構成要素の動作を制御して各種の処理を行うものである。
【０２００】
ここで制御部５２は通信可否検知手段（管理装置通信可否検知手段）の一例であって、メダルサンド２０，及び精算装置６０と通信できる通信可能状態（オンライン状態）であるか通信できない通信不可能状態（オフライン状態）であるかを検知するものである。具体的には、通信部５１から各メダルサンド２０，及び精算装置６０に対して定期的（例えば１０秒毎）に通信確認要求を送信し、該通信確認要求に応じてメダルサンド２０，及び精算装置６０から通信部５１に対して返信されてくる通信確認通知に基づいて、該通信確認通知の返信を定期的に検知している間はオンライン状態（即ちメダルサンド２０，及び精算装置６０と通信できる通信可能状態）であると判定し、該通信確認通知の返信を一定期間（例えば１分間）検知しなくなるとオフライン状態（即ちメダルサンド２０，及び精算装置６０と通信できない通信不可能状態）であると判定する。そして該オフライン状態が発生した旨をハードディスク５５で記憶する。
【０２０１】
また制御部５２は減算処理手段の一例であって、前記第１の減算要求の受信に基づいて（図１５のＳ１２４）、前記使用額及び該使用額に対応する消費税額を前記管理残額から減算する第１の減算処理を行う（同Ｓ１２５）。
【０２０２】
また制御部５２は受付通知処理手段（入金残額加算更新処理手段，入金残額加算完了通知返信手段）の一例であって、メダルサンド２０の受付通知送信手段から送信されてきた記録媒体受付通知（ここでは挿入通知）に含まれる記録媒体ＩＤに対応付けて管理している管理残額に対して該記録媒体受付通知に含まれるオフライン端数額(入金残額)を加算更新するための端数額加算更新処理（入金残額加算更新処理）を行うと共に、前記記録媒体（会員カード４，ビジタコイン５）に記録されているオフライン端数額の消去を指示する端数額消去要求（換言すれば、入金残額加算更新処理が完了した旨を示す入金残額加算完了通知）を通信部５１によりメダルサンド２０に対して送信するものである。ここで端数額加算更新処理は、挿入通知に含まれるオフライン端数額を該挿入通知に含まれる記録媒体ＩＤに対応付けて記憶する処理である（図１６のＳ２１２，図１８のＳ２７７）。また端数額消去要求は、該管理残額とオフライン端数額との合算額を特定可能な合算額特定情報であり、ここでは該合算額を含む予定残額通知である（図１７のＳ２４１）。
【０２０３】
また受付通知処理手段として機能する制御部５２は、精算装置６０から送信されてきた精算要求に含まれる記録媒体ＩＤに対応付けて管理している管理残額に対して該精算要求に含まれるオフライン端数額を加算更新するための端数額加算更新処理を行うと共に、前記記録媒体（会員カード４，ビジタコイン５）に記録されているオフライン端数額の消去を指示する端数額消去要求を通信部５１により精算装置６０に対して送信するものである。ここで端数額加算更新処理は、精算要求に含まれるオフライン端数額を該精算要求に含まれる記録媒体ＩＤに対応付けて記憶する処理である（図１６のＳ２１２，図１８のＳ２７７）。また端数額消去要求は、精算要求に含まれる記録媒体ＩＤに対応付けて管理している管理残額とオフライン端数額との合算額を含む精算許諾情報である（図３２のＳ２４１ａ）。
【０２０４】
また制御部５２は復帰通知処理手段の一例であって、メダルサンド２０の復帰通知送信手段から送信されてきたオンライン復帰通知に含まれる記録媒体ＩＤに対応付けて管理している管理残額に対して該オンライン復帰通知に含まれるオフライン端数額（入金残額）を加算更新するための端数額加算更新処理（入金残額加算更新処理）を行うと共に、前記記録媒体（会員カード４，ビジタコイン５）に記録されているオフライン端数額の消去を指示する端数額消去要求を通信部５１によりメダルサンド２０に対して送信するものである。ここで端数額加算更新処理は、オンライン復帰通知に含まれるオフライン端数額を該オンライン復帰通知に含まれる記録媒体ＩＤに対応付けて記憶する処理である（図１６のＳ２１２，図１８のＳ２７７）。また端数額消去要求は、該管理残額とオフライン端数額との合算額を特定可能な合算額特定情報であり、ここでは該合算額を含む予定残額通知である（図３０のＳ２４１）。
【０２０５】
また制御部５２は連携処理手段の一例であって、前記連携処理要求の受信に応じて前記連携処理を行い、該連携処理に伴って前記記録媒体（会員カード４，ビジタコイン５）の記録媒体ＩＤに対応付けられた通番を更新する第２の通番更新処理を行うものである。ここで第２の通番更新処理とは、残額管理ＤＢにおいて該記録媒体ＩＤに対応付けて管理されている通番に１を加算して更新する処理である。
【０２０６】
この連携処理手段として機能する制御部５２は、メダルサンド２０から送信されてくる連携処理要求である貸与可能情報（ここでは貨幣取込通知）の受信に応じて（図１４のＳ１１０）、当該記録媒体の記録媒体ＩＤに対応付けて記憶している受付貨幣額を当該記録媒体の管理残額に対して加算する受付貨幣額加算処理と、該受付貨幣額が加算済であることを特定可能な状態に更新する加算済更新処理とを連携処理として行うと共に（同Ｓ１１３，Ｓ１１４）、前記第２の通番更新処理を行う（同Ｓ１１５）。ここでの加算済更新処理は、該受付貨幣額を消去する処理である。
【０２０７】
また連携処理手段として機能する制御部５２は、メダルサンド２０から送信されてくる連携処理要求である第１の減算要求の受信に応じて（図１５のＳ１２４）、前記基準貸与額を管理残額から減算する前記第１の減算処理を連携処理として行うと共に（同Ｓ１２５）、前記第２の通番更新処理を行う（同Ｓ１２６）。ここでの第１の減算処理は、消費税が徴収されることから、基準貸与額及び該基準貸与額に対応する消費税額を管理残額から減算する処理であり、具体的には、減算要求に含まれる使用額＋消費税額を管理残額から減算する処理である。即ち、管理残額が当該メダルサンド２０の貸与設定金額以上であれば、減算される［使用額＋消費税額］は貸与設定金額であり、管理残額が当該メダルサンド２０の貸与設定金額未満であれば、減算される［使用額＋消費税額］は税込単位額の整数倍であって管理残額を超えない最大額である。そして通信部５１により、該減算処理を行った旨を示す減算完了通知がメダルサンド２０に対して送信される（同Ｓ１２８）。
【０２０８】
また制御部５２は、メダルサンド２０から送信されてくる残額受信通知（図１７のＳ２２４），又は精算装置６０から送信されてくる精算許諾情報受信通知（図３２のＳ２２４ａ）の受信に応じて、前記第２の通番更新処理を行う（図１７又は図３２のＳ２２７）。
【０２０９】
また連携処理手段として機能する制御部５２は、端数額消去通知（図１７のＳ２４６又は図３２のＳ２４６ａ）の受信に応じて、当該記録媒体の記録媒体ＩＤに対応付けて記憶している入金残額（ここではオフライン端数額）を当該記録媒体の管理残額に対して加算する入金残額加算処理（オフライン端数額加算処理）と、該オフライン端数額が加算済であることを特定可能な状態に更新する加算済更新処理とを連携処理として行うと共に（図１７又は図３２のＳ２４８）、前記第２の通番更新処理を行う（同Ｓ２２７）。ここでの加算済更新処理は、オフライン端数額を消去する処理である。
【０２１０】
また制御部５２は、後述する精算実行通知である精算完了通知（図３３のＳ７８３）の受信に応じて、前記記録媒体（会員カード４，ビジタコイン５）の記録媒体ＩＤに対応付けられた通番を更新する第４の通番更新処理を行うと共に（同Ｓ７８５）、該記録媒体ＩＤに対応付けて管理している管理残額を零に更新する管理残額零更新処理（同Ｓ７８４）と、該記録媒体ＩＤに対応付けて管理している精算要求受信情報を消去する精算要求消去処理（同Ｓ７８６）とを行う。ここでの第４の通番更新処理は、残額管理ＤＢにおいて該記録媒体ＩＤに対応付けて管理されている通番に１を加算して更新する処理である。また管理残額零更新処理は、管理残額を消去する処理である。さらに精算要求消去処理は、ステータスを挿入処理済から精算処理済に更新する処理である。そして通信部５１により、これらの処理を行った旨を示す残額消去完了通知が精算装置６０に対して送信される（同Ｓ７８７）。
【０２１１】
また制御部５２は、前記記録媒体ＩＤに対応付けて管理している通番が上限値（例えば２５５）に達しているときに、該記録媒体ＩＤに対応付けて管理している通番を初期値に更新するものであり、ここでは受信した情報に含まれる記録媒体ＩＤに対応付けられた通番を更新するにあたり、当該通番が上限値に達しているか否かを判定して、達していると判定したときには、該通番を初期値（例えば０）に更新する。これにより、通番の記憶領域を極力小さくして、通番が上限値に達した後でも記録媒体を継続して使用することができ、記録媒体のコストを低減させることができる。また制御部５２で実行されるプログラムにおいて定義されている通番の記憶領域（例えば記憶領域が８ビットであれば０〜２５５）内で通番を繰り返し更新することで、通番が上限値に達したことによるプログラムの停止やエラー発生を防止している。
【０２１２】
また制御部５２は通番判定手段の一例であって、メダルサンド２０から記録媒体の記録媒体ＩＤと通番とを受信し、該受信した通番が該受信した記録媒体ＩＤに対応付けられた通番と一致するか否かを判定するものであり、具体的には、メダルサンド２０の受付通知送信手段から送信されてきた記録媒体受付通知（ここでは挿入通知），精算装置６０から送信されてきた精算要求，メダルサンド２０の復帰通知送信手段から送信されてきたオンライン復帰通知，又はメダルサンド２０から送信されてきた供給通知の受信に応じて、該挿入通知，精算要求，オンライン復帰通知，又は供給通知に含まれる通番が、該挿入通知，精算要求，又はオンライン復帰通知に含まれる記録媒体ＩＤに対応付けられた通番と一致するか否かを判定する（図１６又は図３１のＳ２０３）。そして通番不一致時処理手段として機能する制御部５２は、該通番判定手段により通番が一致しないと判定されたことを条件として、予め定められた通番不一致時処理を行う。また、通番一致時処理手段として機能する制御部５２は、該通番判定手段により通番が一致すると判定されたことを条件として、予め定められた通番一致時処理を行う。
【０２１３】
具体的には、通番判定手段により通番が一致しないと判定され、かつ前記受付貨幣額が未加算の状態で記憶されていること（即ち入金処理中であること）を条件として、通番不一致時処理として、前記受付貨幣額加算処理と前記加算済更新処理を行う（図１８のＳ２６２）。即ち通番が一致せず、かつ受付貨幣額が未加算の状態で記憶されている場合とは、メダルサンド２０が予定残額通知（図１４のＳ１０６）を受信してから管理装置５０が貨幣取込通知（同Ｓ１１０）を受信する前にオフライン状態が発生した場合であり、この場合にはメダルサンド２０において受付貨幣の取込が行われているため、管理装置５０において受付貨幣額を管理残額に対して加算して該受付貨幣額を消去する処理を行うものである。
【０２１４】
一方、通番判定手段により通番が一致すると判定され、かつ前記受付貨幣額が未加算の状態で記憶されていること（即ち入金処理中であること）を条件として、通番一致時処理として、前記受付貨幣額加算処理を行うことなく、前記加算済更新処理を行う（図１６のＳ２０５）。即ち通番が一致し、かつ受付貨幣額が未加算の状態で記憶されている場合とは、管理装置５０が入金要求（図１４のＳ１０３）を受信してからメダルサンド２０が予定残額通知（同Ｓ１１０）を受信する前にオフライン状態が発生した場合であり、この場合にはメダルサンド２０において受付貨幣の返却が行われているため、管理装置５０においても受付貨幣額を管理残額に対して加算せず、該受付貨幣額を消去する処理を行うものである。
【０２１５】
また通番が一致すると判定され、かつ挿入通知，又はオンライン復帰通知に含まれる入金残額（ここではオフライン端数額）が零であるかあるいは入金残額が含まれないことを条件として、挿入通知，又はオンライン復帰通知に含まれる記録媒体ＩＤに対応付けて管理している管理残額を含む残額通知をメダルサンド２０に対して送信する（図１７のＳ２２１）。一方、通番が一致すると判定され、かつ挿入通知，又はオンライン復帰通知に含まれる入金残額（ここではオフライン端数額）が零でないことを条件として、該オフライン端数額を記憶し、挿入通知，又はオンライン復帰通知に含まれる記録媒体ＩＤに対応付けて管理している管理残額と該オフライン端数額との合算額を含む予定残額通知をメダルサンド２０に対して送信する（同Ｓ２４１）。
【０２１６】
また通番が一致すると判定され、かつ精算要求に含まれる入金残額（ここではオフライン端数額）が零であるかあるいは入金残額が含まれないことを条件として、精算要求に含まれる記録媒体ＩＤに対応付けて管理している管理残額を含む精算許諾情報を精算装置６０に対して送信する（図３２のＳ２２１ａ）。一方、通番が一致すると判定され、かつ精算要求に含まれる入金残額（ここではオフライン端数額）が零でないことを条件として、該オフライン端数額を記憶し、精算要求に含まれる記録媒体ＩＤに対応付けて管理している管理残額と該オフライン端数額との合算額を含む精算許諾情報を精算装置６０に対して送信する（同Ｓ２４１ａ）。
【０２１７】
そして通番判定手段により通番が一致しないと判定され、かつ前記入金残額（ここではオフライン端数額）が未加算の状態で記憶されていること（即ち挿入処理中であること）を条件として、通番不一致時処理として、前記入金残額加算処理（ここでは端数額加算処理）と前記加算済更新処理を行う（図１８のＳ２６５）。即ち通番が一致せず、かつオフライン端数額が未加算の状態で記憶されている場合とは、メダルサンド２０が予定残額通知（図１７のＳ２４１）を受信してから管理装置５０が端数額消去通知（同Ｓ２４６）を受信する前，又は精算装置６０が精算許諾情報（図３２のＳ２４１ａ）を受信してから管理装置５０が精算完了通知（同Ｓ２４６ａ）を受信する前にオフライン状態が発生した場合であり、この場合には記録媒体に記録されているオフライン端数額の消去が行われているため、管理装置５０においてオフライン端数額を管理残額に対して加算して該オフライン端数額を消去する処理を行うものである。
【０２１８】
一方、通番判定手段により通番が一致すると判定され、かつ前記入金残額（ここではオフライン端数額）が未加算の状態で記憶されていること（即ち挿入処理中であること）を条件として、通番一致時処理として、前記入金残額加算処理（ここでは端数額加算処理）を行うことなく、前記加算済更新処理を行う（図１６のＳ２０８）。即ち通番が一致し、かつオフライン端数額が未加算の状態で記憶されている場合とは、管理装置５０が挿入通知（図１６のＳ２０２）を受信してからメダルサンド２０が予定残額通知（図１７のＳ２４１）を受信する前，又は管理装置５０が精算要求（図３１のＳ７０２）を受信してから精算装置６０が精算許諾情報（図３２のＳ２４１ａ）を受信する前にオフライン状態が発生した場合であり、この場合には記録媒体に記録されているオフライン端数額の消去が行われていないため、管理装置５０においてもオフライン端数額を管理残額に対して加算せず、該オフライン端数額を消去する処理を行うものである。
【０２１９】
なお通番判定手段により通番が一致しないと判定され、かつ前記記録媒体（会員カード４，ビジタコイン５）の記録媒体ＩＤに対応付けて精算要求受信情報を管理していること（即ちステータスが入金処理中又は挿入処理中でなく、使用装置ＩＤが精算装置６０の装置ＩＤであること）を条件として、通番不一致時処理として、前記管理残額零更新処理と、前記精算要求消去処理とを行う（図１８のＳ２６７）。即ち通番が一致せず、ステータスが入金処理中又は挿入処理中でなく、使用装置ＩＤが精算装置６０の装置ＩＤである場合とは、管理装置５０が精算完了通知（図３３の同Ｓ７８３）を受信する前にオフライン状態が発生した場合であり、この場合には精算装置６０において貨幣の払い出しが行われているため、管理装置５０において管理残額を消去しステータスを精算処理済に更新する処理を行うものである。
【０２２０】
また通番判定手段により通番が一致しないと判定され、かつ受付貨幣額について加算済更新処理が行われていること（即ちステータスが入金処理中又は挿入処理中でなく、使用装置ＩＤがメダルサンド２０の装置ＩＤであること）を条件として、通番不一致時処理として、前記第１の減算処理を行う。即ち通番が一致せず、ステータスが入金処理中又は挿入処理中でなく、使用装置ＩＤがメダルサンド２０の装置ＩＤである場合とは、管理装置５０が減算要求（図１５のＳ１２４）を受信する前にオフライン状態が発生した場合であり、この場合にはメダルサンド２０において使用額＋消費税額分の貸与処理が行われているため、管理装置５０において第１の減算処理を行うものである。
【０２２１】
具体的には、管理残額≧貸与設定金額であれば、貸与設定金額を、挿入通知又は精算要求に含まれる記録媒体ＩＤに対応付けて管理されている管理残額から減算する処理を行い（図１８のＳ２７２）、管理残額＜貸与設定金額であれば、税込単位額の整数倍であって管理残額を超えない最大額（例えば管理残額が４７５円であれば、税込単位額の４倍である４２０円）を、挿入通知又は精算要求に含まれる記録媒体ＩＤに対応付けて管理されている管理残額から減算する処理を行う（図１８のＳ２７３）。
【０２２２】
ここで本実施形態において、図１８のＳ２７２で減算されるべき貸与設定金額は、各メダルサンド２０毎に設定されており、必ずしも一定額とは限らない。そこで該貸与設定金額を特定して、残額を正確に補正すべく、本発明は以下の機能を備えている。
【０２２３】
まず制御部５２は遊技用装置特定手段の一例であって、前記通番判定手段により通番が一致しないと判定され、かつ前記受付貨幣額について加算済更新処理が行われている（即ち該受付貨幣額が消去されている＝ステータスが入金処理中又は挿入処理中でなく、使用装置ＩＤがメダルサンド２０の装置ＩＤである）ときに、前記記録媒体の記録媒体ＩＤに対応付けて前記遊技用装置識別情報記憶手段（残額管理ＤＢ）で記憶している情報から当該記録媒体ＩＤの記録媒体が前回受け付けられていた遊技用装置を特定するものであり、ここでは前記挿入通知又は精算要求に含まれる記録媒体ＩＤに対応付けて管理されている装置ＩＤを、当該記録媒体を前回オンライン状態で受け付けていた遊技用装置の装置ＩＤとして特定する（図１８のＳ２６９）。
【０２２４】
また制御部５２は基準貸与額判定手段の一例であって、前記通番判定手段により通番が一致しないと判定され、かつ前記受付貨幣額について加算済更新処理が行われている（即ち該受付貨幣額が消去されている＝ステータスが入金処理中又は挿入処理中でなく、使用装置ＩＤがメダルサンド２０の装置ＩＤである）ときに、前記記録媒体の記録媒体ＩＤに対応付けて管理している管理残額が前記基準貸与額未満であるか否かを判定するものであり、ここでは前記挿入通知又は精算要求に含まれる記録媒体ＩＤに対応付けて管理されている残額が、前記遊技用装置特定手段により特定された装置ＩＤに対応付けて図１３（ａ）の設定値ＤＢで管理されている貸与設定金額以上であるか否かを判定している（図１８のＳ２７１）。そして制御部５２は、上述したように、貸与設定金額以上であると判定されたときには、挿入通知又は精算要求に含まれる記録媒体ＩＤに対応付けて管理されている残額から、貸与設定金額を減算する一方（同Ｓ２７２）、貸与設定金額未満であると判定されたときには、挿入通知又は精算要求に含まれる記録媒体ＩＤに対応付けて管理されている管理残額から税込単位額の整数倍（但し管理残額を超えない最大額）である貸与対象額を減算する（同Ｓ２７３）。
【０２２５】
つまり使用額＋消費税額分の貸与処理が行われて、メダルサンド２０から送信された減算要求を管理装置５０が受信する前にオフライン状態となったメダルサンド２０から排出された記録媒体であるため、前記使用額が管理残額から減算されていない状態となっている。従って、使用額＋消費税額（前記貸与設定金額，又は税込単位額の倍数であって管理残額を超えない最大額）を特定して、該特定した使用額＋消費税額を減算する補正を行っている。
【０２２６】
通信部５１は、前述の如くメダルサンド２０の外部通信部２１ｂと通信可能に接続されており、管理装置５０とメダルサンド２０との間における通信を司るものである。また通信部５１は、精算装置６０の後述する通信部６１と通信可能に接続されており、管理装置５０と精算装置６０との間における通信を司るものである。
【０２２７】
この通信部５１は、通信可否検知手段（制御部５２）によりオフライン状態を検知している状態からオンライン状態への復帰を検知したときに、当該メダルサンド２０に対して、動作の開始を要求する開始要求を送信する（図２９のＳ６０２）。また通信部５１は、該開始要求に応じてメダルサンド２０から送信されてくる開始応答を受信する（同Ｓ６０５）。
【０２２８】
また通信部５１は精算許諾情報送信手段の一例であって、後述する精算要求送信手段（精算装置６０の通信部６１）から送信されてきた精算要求の受信に応じて、該精算要求に含まれる記録媒体ＩＤに対応付けて管理されている管理残額を含む精算許諾情報を精算装置６０に対して送信するものであり、ここでは該管理残額又は該管理残額と前記記録媒体に記録されているオフライン端数額との合算額を特定可能な合算額精算許諾情報を精算装置６０に対して送信するものである。即ち、精算要求にオフライン端数額が含まれない場合には、管理残額を含む精算許諾情報を精算装置６０に対して送信する（図３２のＳ２２１ａ）。一方、精算要求にオフライン端数額が含まれる場合には、管理残額とオフライン端数額との合算額である予定残額を含む精算許諾情報を精算装置６０に対して送信する（同Ｓ２４１ａ）。また通信部５１は、該精算許諾情報に応じて精算装置６０から送信されてくる精算許諾情報受信通知（同Ｓ２２４ａ），又は端数額消去通知（同Ｓ２４６ａ）を受信する。
【０２２９】
場外通信部５６は、図１に示すように、インターネットを介して、センタ管理装置８０の後述する通信部８１と通信可能に接続されており、管理装置５０とセンタ管理装置８０との間における通信を司るものである。
【０２３０】
次に精算装置６０について説明する。精算装置６０は、記録媒体（会員カード４，ビジタコイン５）を受け付けて、該受け付けた記録媒体の記録媒体ＩＤに対応付けて前記管理装置にて管理されている管理残額，及び／又は該受け付けた記録媒体に記録されているオフライン端数額に相当する貨幣を払い出す精算処理を行うものである。この精算装置６０は、遊技場内の所定箇所（例えば遊技島の端部や景品交換カウンタの近傍等）に設けられ、図１２（ａ）に示すように、キオスク端末型の形状を呈するものであり、その前面にディスプレイ６３，紙幣払出口６４ａ，硬貨払出口６５ａ，前記コイン投入口１１１，前記コイン排出口１１２，及び前記カード挿入口１９０等を備え、図１に示すように、その内部に通信部６１，制御部６２，紙幣払出機６４，硬貨払出機６５，コイン回収部６６，及び前記通路ユニット１００等を備えており、これらの各構成要素は図１に示すように接続されている。なお、この精算装置６０は、装置ＩＤによって個々に識別可能となっており、該装置ＩＤは制御部６２のＲＯＭに記憶されている。
【０２３１】
通信部６１は、管理装置５０の通信部５１と通信可能に接続されており、精算装置６０と管理装置５０との間における通信を司るものである。この通信部６１から情報が送信されるときには、制御部６２のＲＯＭに記憶されている装置ＩＤが該情報と共に送信される。この通信部６１は精算要求送信手段の一例であって、記録媒体（会員カード４，ビジタコイン５）を受け付けたことに基づいて、該受け付けた記録媒体に記録されている記録媒体ＩＤを少なくとも含む精算要求を管理装置５０に対して送信するものであり、ここでは前記挿入通知と同様に、記録媒体ＩＤ，オフライン消費情報，オフライン精算情報，オフライン端数額，通番，及び当該精算装置の装置ＩＤを含む精算要求を管理装置５０に対して送信する（図３１のＳ７０２）。
【０２３２】
また通信部６１は精算実行通知送信手段の一例であって、前記精算処理が行われる旨を示す精算実行通知を管理装置５０に対して送信するものであり、ここでは精算実行通知として、精算完了通知を送信する（図３３のＳ７８３）。なお「精算処理が行われる旨を示す」とは、精算処理の前後を問わず、精算処理に伴う送信処理であるという意であり、本例ではＳ７８１の貨幣の払い出し（即ち精算処理）の後に、精算完了に伴う精算完了通知を送信している。また通信部６１は、該精算完了通知に応じて管理装置５０から送信されてくる残額消去完了通知（同Ｓ７８７）を受信する。
【０２３３】
制御部６２は、ＣＰＵ，ＲＡＭ，ＲＯＭ等を備えており、ＲＯＭに記憶されている処理プログラムがＲＡＭを作業領域としてＣＰＵで実行されることにより、精算装置６０に備えられる各構成要素の動作を制御して各種の処理を行うものである。この制御部６２の機能については後述する。
【０２３４】
制御部６２のＥＥＰＲＯＭには、図１３（ｂ）に示す精算ＤＢを記憶する領域が設けられている。この精算ＤＢでは、精算装置６０がオフライン状態において精算が行われるごとに、精算された管理残額（即ち記録媒体の管理残額特定情報から特定された管理残額）及びオフライン端数額が、それぞれ、精算管理残額及び精算オフライン端数額として、記録媒体（会員カード４，ビジタコイン５）の記録媒体ＩＤに対応付けて記憶される。また制御部６２のＥＥＰＲＯＭには、精算装置６０でオフライン精算処理が可能な時間としてセンタ管理装置８０から管理装置５０を経由して配信された精算可能時間が記憶される。
【０２３５】
タッチパネル式のディスプレイ６３は、図１２（ｂ）に示すように、各種の情報を表示するための表示デバイスであると共に、各種の入力を受け付けるための入力デバイスである。このディスプレイ６３では、会員カード４又はビジタコイン５を受付可能なときに、Ｄ１に示すように、会員カード４又はビジタコイン５の挿入を促す旨が表示される。ここで会員カード４又はビジタコイン５が挿入されると、オンライン状態においては、前記精算要求に応じた精算許諾情報が管理装置５０から送信されてきたことに基づいて、またオフライン状態においては、記録媒体に記録されている管理残額特定情報（元データである基準データ，乗算データ，除算データ，及び加算データと、演算方式フラグ）から管理残額が特定されたことに基づいて、Ｄ２に示すように、該精算許諾情報に含まれる管理残額若しくは合算額，又は特定された管理残額が残額として表示されると共に、精算操作を受け付ける「精算」ボタン，及び精算処理をキャンセルする「キャンセル」ボタンが表示される。このＤ２で「精算」ボタンが操作されると、残額に相当する貨幣が払い出され、Ｄ３に示すように、該残額を返却する旨，及び会員カード４の抜き取りを指示する旨又はビジタコイン５を回収する旨が表示される。またＤ２で「キャンセル」ボタンが操作されると、Ｄ４に示すように、会員カード４又はビジタコイン５が返却され、その旨が表示される。なおＤ１で受け付けた会員カード４又はビジタコイン５に異常があるときには、Ｄ５に示すように、その旨が表示される。
【０２３６】
紙幣払出機６４及び硬貨払出機６５は、貨幣を払い出すものであり、具体的には、紙幣払出機６４の背後に設けられる紙幣収納部６４ｂから、所定の種類及び所定数の紙幣２を取り出して、紙幣払出口６４ａから払い出すと共に、硬貨払出機６５の上部に設けられる硬貨収納部６５ｂから、所定の種類及び所定数の硬貨３を取り出して、硬貨払出口６５ａから払い出す。この精算装置６０では、１円単位で貨幣の払い出しが可能である。コイン回収部６６は、次に述べる通路ユニット１００の排出通路１３２から排出されたビジタコイン５を回収する部位であり、該排出通路１３２の下方に設けられている。
【０２３７】
精算装置６０に備えられる通路ユニット１００は、メダルサンド２０に備えられる通路ユニット１００と比較して、第１カバー部材１５０に代えて第２カバー部材（図示外）が装着され、第２誘導通路１３３が使用されずに排出通路１３２が使用される点と、制御部１０１による各ストッパの制御のみが異なり、その他の点は同様であるため、以下においては、該異なる点についてのみ説明し、同様の点については説明を省略する。
【０２３８】
まず精算装置６０に備えられる通路ユニット１００では、第１カバー部材１５０に代えて第２カバー部材が装着される。即ち通路ユニット１００の収納通路１３１には、排出通路１３２を遮蔽する第１カバー部材１５０及び排出通路１３２を開放する第２カバー部材のいずれをも装着可能である。この第２カバー部材は、前記収納溝被覆部１５１と、前記第２誘導溝１３３ａの部分を被覆する第２誘導溝被覆部１５２と、収納溝１３１ａと排出溝１３２ａとの分岐部における収納溝１３１ａ側を遮蔽する収納通路遮蔽板（図示外）と、排出溝１３２ａを被覆する排出溝被覆部（図示外）と、からなる。なお第２カバー部材は、前記第１カバー部材１５０の如き排出通路遮蔽板１５３を備えていないので、該第２カバー部材が装着されても排出通路１３２は遮蔽されずに開放される。
【０２３９】
即ち精算装置６０に備えられる通路ユニット１００では、第２カバー部材が装着されることにより、収納通路１３１と排出通路１３２との分岐部における収納通路１３１側が収納通路遮蔽板で遮蔽されるので、該収納通路１３１に連設されている第２誘導通路１３３は使用されない。一方、排出溝１３２ａと第２カバー部材との間で排出通路１３２が構成されて使用される。即ち収納通路１３１には、排出通路１３２を遮蔽する第１カバー部材１５０及び排出通路１３２を開放する第２カバー部材のいずれをも装着可能とされ、第１カバー部材１５０を装着することによりビジタコイン５を収納コイン保持部１４０に供給し、第２カバー部材を装着することによりビジタコイン５を排出通路１３２に供給する。これによれば、第２カバー部材を装着することにより、投入されたビジタコイン５を排出通路１３２を通じて回収可能となるため、例えば多量のビジタコイン５を回収する必要のある精算装置６０にも当該通路ユニット１００を使用可能となるため、製造コストが削減される。
【０２４０】
制御部１０１には、当該通路ユニット１００が精算装置６０に備えられている旨が記憶されており、該記憶に基づいた制御を行う。具体的には、投入コイン保持部１２０でビジタコイン５を保持している状態で返却操作を受け付けると、通常は閉鎖されている第１の投入コインストッパ１２１を開放して当該ビジタコイン５を連絡通路１６１に落下させた後、該第１の投入コインストッパ１２１を閉鎖する制御を行う。また投入コイン保持部１２０で保持しているビジタコイン５についての精算処理が終了すると、通常は閉鎖されている第２の投入コインストッパ１２２を開放して当該ビジタコイン５を収納通路１３１に供給した後、該第２の投入コインストッパ１２２を閉鎖する制御を行う。ここで収納通路１３１に供給されたビジタコイン５は、排出通路１３２を通ってコイン回収部６６に回収される。なお収納通路遮蔽板の前方に位置する収納通路１３１は使用されないので、該収納通路１３１に設けられている第１の収納コインストッパ１４１の制御は行われず、また第２誘導通路１３３は使用されないので、該第２誘導通路１３３に設けられている第２の収納コインストッパ１４２の制御は行われない。
【０２４１】
図１に戻り、制御部６２は通信可否検知手段（精算装置通信可否検知手段）の一例であって、管理装置５０と通信できる通信可能状態（オンライン状態）であるか通信できない通信不可能状態（オフライン状態）であるかを検知するものである。具体的には、管理装置５０の通信部５１から精算装置６０に対して定期的（例えば１０秒ごと）に送信されてくる通信確認要求に基づいて、該通信確認要求の受信を定期的に検知している間はオンライン状態（即ち管理装置５０と通信できる通信可能状態）であると判定し、該通信確認要求の受信を一定期間（例えば１分間）検知しなくなるとオフライン状態（即ち管理装置５０と通信できない通信不可能状態）であると判定する。
【０２４２】
また制御部６２は精算手段（精算処理手段）の一例であって、オンライン状態が検知されているときには、受け付けた記録媒体の記録媒体ＩＤに対応付けて管理装置５０にて管理されている管理残額に基づいて、精算を行うオンライン精算処理を行い、オフライン状態が検知されているときには、受け付けた記録媒体に記録されている管理残額特定情報から管理残額を特定し、特定した管理残額の精算を行うオフライン精算処理を行う。ここで精算処理（オンライン精算処理，オフライン精算処理）とは、貨幣の払い出しを紙幣払出機６４及び／又は硬貨払出機６５に対して指示する処理である。そして該指示に応じた貨幣が、紙幣払出機６４及び／又は硬貨払出機６５から払い出される。
【０２４３】
そしてオンライン精算処理においては、オフライン端数額が記録されていない記録媒体（会員カード４，ビジタコイン５）を受け付けたときには、該受け付けた記録媒体の管理残額に相当する貨幣を払い出す精算処理を行い、オフライン端数額が記録されている記録媒体（会員カード４，ビジタコイン５）を受け付けたときには、前記管理残額に加えて、当該オフライン端数額に相当する貨幣を払い出す精算処理を行う。
【０２４４】
具体的には、精算処理手段として機能する制御部６２は、精算操作の受付に応じて（図３３のＳ７８０）、管理装置５０から送信されてきた精算許諾情報（図３２のＳ２２１ａ，Ｓ２４１ａ）に含まれる管理残額に相当する貨幣を払い出す精算処理を行うものであり（図３３のＳ７８１）、ここでは前記精算許諾情報送信手段から送信されてきた合算額精算許諾情報から特定される前記管理残額と前記オフライン端数額との合算額に相当する貨幣を払い出す精算処理を行う。即ち管理装置５０から送信されてきた精算許諾情報に管理残額のみが含まれる場合には、該管理残額に相当する貨幣の払出を指示する処理を行い、管理残額とオフライン端数額の合算額が含まれる場合には、該合算額に相当する貨幣の払出を指示する処理を行い、オフライン端数額のみが含まれる場合には、該オフライン端数額に相当する貨幣の払出を指示する処理を行う。そして該指示に応じた貨幣が、紙幣払出機６４及び／又は硬貨払出機６５から払い出される。
【０２４５】
またオフライン精算処理においては、受け付けた記録媒体に記録されている管理残額特定情報から管理残額を特定し、該特定した管理残額に相当する貨幣を払い出す精算処理を行う。具体的には、記録媒体に記録されている演算方式フラグから演算方式を特定し、該特定した演算方式により、記録媒体に記録されている基準データ，乗算データ，除算データ，及び加算データを演算することにより、管理残額を算出して特定して、精算処理を行う。またオフライン精算処理においては、オフライン端数額が記録されている記録媒体を受け付けたときには、前記特定した管理残額に加えて、当該オフライン端数額に相当する貨幣を払い出す精算処理を行う。
【０２４６】
また制御部６２は特定処理手段の一例であって、管理装置５０と連携して行う各種処理のうちの予め定められた特定処理に伴って、前記記録媒体の通番を更新する第１の通番更新処理（第３の通番更新処理）を行うと共に、該特定処理に対応する連携処理を要求する連携処理要求を管理装置５０に送信する。ここで第１の通番更新処理とは、受け付けている記録媒体（会員カード４，ビジタコイン５）に記録されている通番に１を加算して更新する旨を、制御部１０１を介して記録媒体Ｒ／Ｗ１０２に対して指示する処理である。
【０２４７】
具体的には、オンライン状態において記録媒体を受け付けたことに基づいて、精算要求を管理装置５０に送信し（図３１のＳ７０２）、管理装置５０から精算許諾情報を受信した（図３２のＳ２４１ａ）ことに基づいて、記録媒体に記録されたオフライン消費情報，オフライン精算情報，及びオフライン端数額を消去する処理を特定処理として行うと共に（図３２のＳ２４３，Ｓ２４３ａ，Ｓ２４４）、第１の通番更新処理を行い（図３２のＳ２４５）、連携処理要求として端数額消去通知を管理装置５０に送信する（図３２のＳ２４６ａ）。かかる端数額消去通知を受信した管理装置５０においては、記憶オフライン消費額や記憶オフライン精算額を管理残額から減算して消去すると共に、記憶オフライン端数額を管理残額に加算して消去する処理が連携処理として行われると共に（図３２のＳ２４７，Ｓ２４７ａ，Ｓ２４８）、第２の通番更新処理（第４の通番更新処理）が行われる（図３２のＳ２２７）。
【０２４８】
また、オンライン状態において遊技者から精算操作を受け付けたことに基づいて（図３３のＳ７８０）、貨幣を払出す処理を特定処理として行うと共に（図３３のＳ７８１）、第１の通番更新処理を行い（図３３のＳ７８２）、連携処理要求として精算完了通知を管理装置５０に送信する（図３３のＳ７８３）。かかる精算完了通知を受信した管理装置５０においては、管理残額を消去（０に更新）する処理を連携処理として行うと共に（図３３のＳ７８４）、第２の通番更新処理を行う（図３３のＳ７８５）。
【０２４９】
また制御部６２は端数額判定手段の一例であって、当該精算装置６０で受け付けた会員カード４又はビジタコイン５に記録されているオフライン端数額が予め定められた所定の金額未満であるか否かを判定するものであり、ここでは該オフライン端数額が税込単位額未満であるか否かを判定する（図３１のＳａ７０１）。そして精算装置６０は、該端数額判定手段によりオフライン端数額が所定の金額（ここでは税込単位額）未満であると判定されたことを条件として、該オフライン端数額に相当する貨幣を払い出す。具体的には、オフライン端数額が税込単位額未満であると判定されたことを条件として、精算要求が管理装置５０に対して送信され、該精算要求に応じて管理装置５０から送信されてきた精算許諾情報を受信し、精算操作を受け付けたことに基づいて、精算処理手段として機能する制御部６２が、前述の如く、合算額又はオフライン端数額に相当する貨幣の払出を紙幣払出機６４及び／又は硬貨払出機６５に対して指示する処理を行う。
【０２５０】
さらに制御部６２のＲＡＭは、当該精算装置６０の処理状態を記憶する。具体的には、記録媒体を受け付けたときには、処理状態が「記録媒体受付」である旨を記憶し、精算操作を受け付けたときには、処理状態が「精算操作受付」である旨を記憶し、返却操作を受け付けたときには、処理状態が「返却操作受付」である旨を記憶する。
【０２５１】
次にセンタ管理装置８０について説明する。センタ管理装置８０は、遊技場外（ここではカード会社）に設けられるものであり、図１に示すように接続される通信部８１，制御部８２，及びハードディスク８３等を備えている。このセンタ管理装置８０は、前述の如く、オフライン時基準金額，及び精算可能時間を、管理装置５０に対して送信するものである。
【０２５２】
［２．遊技用システム１の作用］
次に、図１４〜図３６を参照して、遊技用システム１の作用について説明する。なお各図中においては、会員カード４を「カード」，ビジタコイン５を「コイン」，管理装置５０で管理されている残額を「管理残額」，メダルサンド２０の制御部２１のＲＡＭで記憶されている残額を「記憶残額」，及び制御部２１のＲＡＭで記憶されている端数額を「記憶端数額」と表記する。また、以下においては、メダルサンド２０の収納コイン保持部１４０のビジタコイン５に記録されている通番，若しくは、カード保持部１９１で保持されている会員カード４又は投入コイン保持部１２０で保持されているビジタコイン５に記録されている通番を「記録通番」とも呼ぶ。そして、管理装置５０で記録媒体ＩＤに対応付けて管理している通番を「管理通番」とも呼ぶ。
【０２５３】
まず図１４は、管理装置５０とオンライン状態であるメダルサンド２０において貨幣を受け付けた場合の処理の一例を表す図である。メダルサンド２０は、貨幣受付を待機している状態で、貨幣を受け付けると（Ｓ１０１）、記録媒体ＩＤと受付貨幣額とを含む入金要求を管理装置５０に対して送信する（Ｓ１０３）。
【０２５４】
Ｓ１０３の入金要求を受信した管理装置５０は、前記残額管理ＤＢにおいて、該入金要求に含まれる記録媒体ＩＤに対応するステータスとして入金処理中と記憶し（Ｓ１０４）、該入金要求に含まれる受付貨幣額を該記録媒体ＩＤに対応付けて記憶して（Ｓ１０５）、該記録媒体ＩＤに対応付けて管理している管理残額と前記受付貨幣額との合算額を含む予定残額通知をメダルサンド２０に対して送信する（Ｓ１０６）。
【０２５５】
Ｓ１０６の予定残額通知を受信したメダルサンド２０は、該予定残額通知に含まれる合算額を残額として制御部２１のＲＡＭで記憶し（Ｓ１０７）、前記Ｓ１０１で受け付けた受付貨幣を取り込み（Ｓ１０８）、記録媒体（即ち会員カード４又はビジタコイン５を受け付けていない場合には収納コイン保持部１４０で保持しているビジタコイン５，会員カード４を受け付けている場合にはカード保持部１９１で保持している会員カード４，ビジタコイン５を受け付けている場合には投入コイン保持部１２０で保持しているビジタコイン５）の通番に１を加算して更新し（Ｓ１０９）、前記記録媒体ＩＤを含む貨幣取込通知を管理装置５０に対して送信し（Ｓ１１０）、記憶残額を残額表示器２５に表示して（Ｓ１１１）、貸与操作，貨幣受付，又は返却操作を待機する状態となる（Ｓ１１２）。
【０２５６】
Ｓ１１０の貨幣取込通知を受信した管理装置５０は、前記残額管理ＤＢにおいて、該貨幣取込通知に含まれる記録媒体ＩＤに対応付けて記憶している受付貨幣額を当該記録媒体の管理残額に対して加算し（Ｓ１１３）、該受付貨幣額を消去し（Ｓ１１４）、該記録媒体ＩＤに対応付けられた通番に１を加算して更新し（Ｓ１１５）、該記録媒体ＩＤに対応するステータスを入金処理済に更新する（Ｓ１１６）。
【０２５７】
次に図１５は、管理装置５０とオンライン状態であるメダルサンド２０において貸与操作を受け付けた場合の処理の一例を表す図である。メダルサンド２０は、貸与操作を待機している状態で、貸与ボタン２６が押下されて貸与操作を受け付けると（Ｓ１２１）、使用額＋消費税額分の貸与処理を開始し（Ｓ１２２）、記録媒体（即ち会員カード４又はビジタコイン５を受け付けていない場合には収納コイン保持部１４０で保持しているビジタコイン５，会員カード４を受け付けている場合にはカード保持部１９１で保持している会員カード４，ビジタコイン５を受け付けている場合には投入コイン保持部１２０で保持しているビジタコイン５）の通番に１を加算して更新し（Ｓ１２３）、前記記録媒体ＩＤと使用額＋消費税額とを含む減算要求を管理装置５０に対して送信する（Ｓ１２４）。
【０２５８】
Ｓ１２４の減算要求を受信した管理装置５０は、前記残額管理ＤＢにおいて、該減算要求に含まれる使用額＋消費税額を該減算要求に含まれる記録媒体ＩＤに対応付けて管理している管理残額から減算し（Ｓ１２５）、該記録媒体ＩＤに対応付けられた通番に１を加算して更新し（Ｓ１２６）、該記録媒体ＩＤに対応するステータスとして減算処理済と記憶し（Ｓ１２７）、減算完了通知をメダルサンド２０に対して送信する（Ｓ１２８）。
【０２５９】
Ｓ１２８の減算完了通知を受信したメダルサンド２０は、使用額＋消費税額を記憶残額から減算し（Ｓ１２９）、前記Ｓ１２２で開始された使用額＋消費税額分の貸与処理の終了を待機する（Ｓ１３０）。このＳ１３０で所定時間を経過しても該貸与処理が終了しない場合には、多機能ランプ２４を点灯させる等により、その旨を遊技場の店員に報知する。一方、Ｓ１３０で該貸与処理が終了した（ＹＥＳ）と判定された場合には、記憶残額が零であるか否かを判定する（Ｓ１３１）。このＳ１３１で記憶残額が零でない（ＮＯ）と判定された場合には、前記Ｓ１１１に戻り、記憶残額≧税込単位額であれば、Ｓ１１２の状態となり、記憶残額＜税込単位額であれば、貨幣受付，又は返却操作を待機する状態となる。
【０２６０】
一方、Ｓ１３１で記憶残額が零である（ＹＥＳ）と判定された場合には、記録媒体（会員カード４又はビジタコイン５）を受付中であるか否かを判定する（Ｓ１３２）。このＳ１３２で記録媒体を受付中でない（ＮＯ）と判定された場合には、貨幣受付，又は記録媒体受付を待機する状態となる（Ｓ１３３）。一方、Ｓ１３２で記録媒体を受付中である（ＹＥＳ）と判定された場合には、ビジタコイン５を受付中であるか否かを判定する（Ｓ１３４）。このＳ１３４でビジタコイン５を受付中である（ＹＥＳ）と判定された場合には、投入コイン保持部１２０で保持しているビジタコイン５に記録されているオンライン残額有りフラグを消去し（Ｓ１３５）、第２の投入コインストッパ１２２を開放状態とすることにより、該投入コイン保持部１２０で保持しているビジタコイン５を収納通路１３１に収納して（Ｓ１３６）、貨幣受付，又は記録媒体受付を待機する状態となる（Ｓ１３３）。一方、Ｓ１３４でビジタコイン５を受付中でない（ＮＯ），即ち会員カード４を受付中であると判定された場合には、貨幣受付，又は返却操作を待機する状態となる（Ｓ１３７）。つまり、メダルサンド２０の制御部２１は、記録媒体回収手段の一例であって、オンライン状態が検知されているときに、管理残額が零の記録媒体を回収する。具体的には、制御部２１のＲＡＭで記憶している記憶残額が零となったときに、ビジタコイン５を受け付けていることに基づいて、当該ビジタコイン５を収納通路１３１に回収して収納する。
【０２６１】
次に図１６は、管理装置５０とオンライン状態であるメダルサンド２０において記録媒体を受け付けた場合の処理の一例を表す図である。メダルサンド２０は、記録媒体受付を待機している状態で、記録媒体（会員カード４又はビジタコイン５）を受け付けると（Ｓ２０１）、該受け付けた記録媒体の記録情報を読み取り、該読み取った記録媒体ＩＤ，オフライン消費情報，オフライン端数額，オフライン精算情報，通番，及び当該メダルサンド２０の装置ＩＤを含む挿入通知を管理装置５０に対して送信する（Ｓ２０２）。
【０２６２】
Ｓ２０２の挿入通知を受信した管理装置５０は、該挿入通知に含まれる通番が該挿入通知に含まれる記録媒体ＩＤと対応付けられた通番と一致するか否かを判定する（Ｓ２０３）。このＳ２０３で通番が一致しない（ＮＯ）と判定された場合には、後述するＳ２６０以下の通番不一致時処理に進む。一方、Ｓ２０３で通番が一致する（ＹＥＳ）と判定された場合には、前記挿入通知に含まれる記録媒体ＩＤに対応するステータスが入金処理中であるか否かを判定する（Ｓ２０４）。このＳ２０４で入金処理中である（ＹＥＳ）と判定された場合には、前記残額管理ＤＢにおいて、前記記録媒体ＩＤに対応付けて記憶されている受付貨幣額を該記録媒体ＩＤに対応付けて管理されている管理残額に対して加算することなく消去し（Ｓ２０５）、Ｓ２０９に進む。
【０２６３】
即ち通番が一致しており、ステータスが入金処理中である（受付貨幣額が未加算の状態で記憶されている）場合とは、管理装置５０が入金要求（図１４のＳ１０３）を受信してからメダルサンド２０が予定残額通知（同Ｓ１０６）を受信する前にオフライン状態が発生した場合であり、この場合にはメダルサンド２０において受付貨幣の返却が行われているにも拘わらず、受付貨幣額が未加算状態のままとなり、該未加算状態で放置されると、該受付貨幣額が管理残額に加算されてしまった場合に遊技場が損害を被ることになるため、管理装置５０において、受付貨幣額を管理残額に対して加算することなく、該受付貨幣額を消去する処理を行うものである。
【０２６４】
このように、通番が一致すると判定され、かつ受付貨幣額が未加算の状態で記憶されていることを条件として、受付貨幣額加算処理が行われることなく、加算済更新処理が行われるので、管理装置５０が入金要求を受信してからメダルサンド２０が残額通知（予定残額通知）を受信する前にオフライン状態となった場合にも、正確な残額を確定することができる。また当該記録媒体をオンライン状態にある別のメダルサンド２０に挿入することで、当該記録媒体の管理残額を使用して遊技を行うことが可能であり、遊技者に極力迷惑をかけないようにすることができる。
【０２６５】
前記Ｓ２０４で入金処理中でない（ＮＯ）と判定された場合には、前記記録媒体ＩＤに対応するステータスが挿入処理中であるか否かを判定する（Ｓ２０６）。このＳ２０６で挿入処理中である（ＹＥＳ）と判定された場合には、前記残額管理ＤＢにおいて、前記記録媒体ＩＤに対応付けて記憶されているオフライン消費額を該記録媒体ＩＤに対応付けて管理されている管理残額から減算することなく消去し（Ｓ２０７）、前記記録媒体ＩＤに対応付けて記憶されているオフライン端数額を該記録媒体ＩＤに対応付けて管理されている管理残額に対して加算することなく消去して（Ｓ２０８）、前記記録媒体ＩＤに対応付けて記憶されているオフライン精算額を該記録媒体ＩＤに対応付けて管理されている管理残額に対して減算することなく消去して（Ｓ２０８ａ）、Ｓ２０９に進む。
【０２６６】
即ち通番が一致しており、ステータスが挿入処理中であり、かつオフライン消費額若しくはオフライン精算額が未減算の状態又はオフライン端数額が未加算の状態で記憶されている場合とは、管理装置５０が挿入通知、オンライン復帰通知又は供給通知（図１６のＳ２０２，図２９のＳ６０６，図１９のＳ１９３）を受信してからメダルサンド２０が予定残額通知（図１７のＳ２４１）を受信する前，又は管理装置５０が精算要求（図３１のＳ７０２）を受信してから精算装置６０が精算許諾情報（図３２のＳ２４１ａ）を受信する前にオフライン状態が発生した場合であり、この場合には管理装置５０で記憶されているオフライン消費額，オフライン精算額，及び／又はオフライン端数額が消去されずに残存状態のままとなり、該残存状態のオフライン消費額若しくはオフライン精算額が管理残額から減算及び／又はオフライン端数額が管理残額に加算されると、遊技者（オフライン消費額又はオフライン精算額が記憶されている場合）又は遊技場（オフライン端数額が記憶されている場合）が損害を被ることになるため、管理装置５０においてオフライン消費額若しくはオフライン精算額を管理残額から減算及び／又はオフライン端数額を管理残額に対して加算せずに該オフライン消費額，オフライン精算額，及び／又はオフライン端数額を消去する処理を行うものである。
【０２６７】
このように、通番が一致すると判定され、かつ入金残額（オフライン端数額）が未加算の状態で記憶されていることを条件として、入金残額加算処理が行われることなく、加算済更新処理が行われ、オフライン消費額及びオフライン精算額の減算を行わず消去が行われるので、管理装置５０が記録媒体受付通知（挿入通知）を受信してからメダルサンド２０が残額通知（予定残額通知）を受信する前，又は管理装置５０が精算要求を受信してから精算装置６０が精算許諾情報を受信する前にオフライン状態となった場合にも、正確な残額を確定することができる。また当該記録媒体をオンライン状態にある別のメダルサンド２０に挿入することで、当該記録媒体の管理残額を使用して遊技を行うことが可能であり、遊技者に極力迷惑をかけないようにすることができる。
【０２６８】
前記Ｓ２０６で挿入処理中でない（ＮＯ）と判定された場合，又はＳ２０５若しくはＳ２０８の処理が行われた場合には、管理装置５０は、前記残額管理ＤＢにおいて、前記記録媒体ＩＤに対応するステータスとして挿入処理中と記憶し（Ｓ２０９）、前記挿入通知に含まれるオフライン端数額が零であるか否かを判定する（Ｓ２１０）。このＳ２１０でオフライン端数額が零である（ＹＥＳ）と判定された場合には、前記挿入通知に含まれるオフライン消費情報が無いか否かを判定する（Ｓ２１１）。このＳ２１１でオフライン消費情報が無い（ＹＥＳ）と判定された場合には、前記挿入通知に含まれるオフライン精算情報が無いか否かを判定する（Ｓ２３１）。このＳ２３１でオフライン精算情報が無い（ＹＥＳ）と判定された場合には、Ｓ２２０に進む。
【０２６９】
即ち通番が一致しており、記録媒体のオフライン消費額及びオフライン精算額が無くオフライン端数額が零である場合とは、第１にオフライン状態が発生していない場合，第２にオフライン消費額，オフライン精算額，及びオフライン端数額が記録されていない記録媒体を受け付けたメダルサンド２０からの挿入通知を管理装置５０が受信してからメダルサンド２０が残額通知（図１７のＳ２２１）を受信する前にオフライン状態が発生した場合，又は第３にオフライン消費額，オフライン精算額，及びオフライン端数額が記録されていない記録媒体を受け付けた精算装置６０からの精算要求を管理装置５０が受信してから精算装置６０が精算許諾情報（図３２のＳ２２１ａ）を受信する前にオフライン状態が発生した場合のいずれかであり、いずれの場合にも消去すべきオフライン消費額，オフライン精算額，及びオフライン端数額が記録媒体に記録されていないので、後述するＳ２２０に進む。
【０２７０】
一方、前記Ｓ２１０でオフライン端数額が零でない（ＮＯ）と判定された場合には、前記残額管理ＤＢにおいて、前記記録媒体ＩＤと対応付けて該オフライン端数額を記憶して（Ｓ２１２）、前記挿入通知に含まれるオフライン消費情報が無いか否かを判定する（Ｓ２１３）。このＳ２１３でオフライン消費情報が無い（ＹＥＳ）と判定された場合には、前記挿入通知に含まれるオフライン精算情報が無いか否かを判定する（Ｓ２３４）。このＳ２３４でオフライン精算情報が無い（ＹＥＳ）と判定された場合には、Ｓ２４０に進む。
【０２７１】
即ちオフライン端数額が零でない場合とは、オフライン状態のメダルサンド２０でオフライン一発貸しが行われてオフライン端数額が記録された場合であり、この場合には消去すべきオフライン端数額が記録媒体に記録されているので、後述するＳ２４０に進む。
【０２７２】
前記Ｓ２１３でオフライン消費情報が有る（ＮＯ）と判定された場合，又は前記Ｓ２１１でオフライン消費情報が有る（ＮＯ）と判定された場合には、挿入通知に含まれる記録媒体ＩＤに対応して図１３（ａ）の残額管理ＤＢに記憶されている使用装置ＩＤを特定し（Ｓ２１４）、特定した装置ＩＤに対応して図１３（ａ）の設定値ＤＢに記憶されているオフライン時基準金額を特定し（Ｓ２１５）、特定したオフライン時基準金額から前記挿入通知に含まれるオフライン消費情報を減算してオフライン消費額を算出し（Ｓ２１７）、前記残額管理ＤＢにおいて、算出したオフライン消費額を前記記録媒体ＩＤに対応付けて記憶し（Ｓ２１９）、前記挿入通知に含まれるオフライン精算情報が無いか否かを判定する（Ｓ２３２）。このＳ２３２でオフライン精算情報が無い（ＹＥＳ）と判定された場合には、Ｓ２４０に進む。
【０２７３】
ここで、残額管理ＤＢに記憶されている使用装置ＩＤは、前記記録媒体を前回受け付けていたメダルサンド２０（又は精算装置６０）の装置ＩＤである。従って、記録媒体を前回受け付けていたメダルサンド２０がオフライン状態となり、当該記録媒体にオフライン消費情報を記録して排出している場合、当該メダルサンド２０の装置ＩＤが記憶されていることになる。つまり、Ｓ２１４において、（オフライン消費情報を含む）挿入通知に含まれる記録媒体ＩＤの記録媒体を排出したメダルサンド２０の装置ＩＤを特定している。
【０２７４】
前記Ｓ２３２でオフライン精算情報が有る（ＮＯ）と判定された場合には、管理残額からＳ２１９で記憶されたオフライン消費額を減算してオフライン精算額を算出する（Ｓ２３３）。前記Ｓ２３４でオフライン精算情報が有る（ＮＯ）と判定された場合，又は前記Ｓ２３１でオフライン精算情報が有る（ＮＯ）と判定された場合には、管理残額をオフライン精算額とする（Ｓ２３６）。そして、前記残額管理ＤＢにおいて、算出したオフライン精算額を前記記録媒体ＩＤに対応付けて記憶し（Ｓ２３７）、Ｓ２４０に進む。ここで本実施形態においては、オフライン精算情報としてオフライン精算処理が行われたか否かを示すフラグが送信されてくるが、本実施形態の精算装置６０は、管理残額（記録媒体の管理残額特定情報から特定される管理残額）の一部精算は行わず、管理残額の全額を精算するので、Ｓ２３３やＳ２３６の演算によりオフライン精算額を特定可能となる。
【０２７５】
次に図１７は、図１６に続く図である。管理装置５０は、前記Ｓ２１０でオフライン端数額が零である（ＹＥＳ）と判定され、前記Ｓ２１１でオフライン消費情報が無し（ＹＥＳ）と判定され、前記Ｓ２３１でオフライン精算情報が無し（ＹＥＳ）と判定された場合には、該記録媒体ＩＤに対応付けて前記挿入通知に含まれる装置ＩＤを記憶し（Ｓ２２０）、該記録媒体ＩＤに対応付けて管理されている管理残額を含む残額通知をメダルサンド２０に対して送信する（Ｓ２２１）。
【０２７６】
Ｓ２２１の残額通知を受信したメダルサンド２０は、該残額通知に含まれる管理残額を制御部２１のＲＡＭで記憶し（Ｓ２２２）、記録媒体（即ち会員カード４を受け付けている場合にはカード保持部１９１で保持している会員カード４，ビジタコイン５を受け付けている場合には投入コイン保持部１２０で保持しているビジタコイン５）の通番に１を加算して更新し（Ｓ２２３）、前記記録媒体ＩＤを含む残額受信通知を管理装置５０に対して送信し（Ｓ２２４）、記憶残額を残額表示器２５に表示して（Ｓ２２５）、貸与操作，貨幣受付，又は返却操作を待機する状態となる（Ｓ２２６）。Ｓ２２４の残額受信通知を受信した管理装置５０は、前記残額管理ＤＢにおいて、該残額受信通知に含まれる記録媒体ＩＤに対応付けられた通番に１を加算して更新し（Ｓ２２７）、該記録媒体ＩＤに対応するステータスを挿入処理済に更新する（Ｓ２２８）。
【０２７７】
また管理装置５０は、前記Ｓ２１０でオフライン端数額が零でない（ＮＯ）と判定された場合、即ちオフライン端数額が記録媒体に記録されているとき、又は、前記Ｓ２１１でオフライン消費情報が無い（ＹＥＳ）と判定され、前記Ｓ２３１でオフライン精算情報が有る（ＮＯ）と判定された場合には、前記記録媒体ＩＤに対応付けて前記挿入通知に含まれる装置ＩＤを記憶し（Ｓ２４０）、該記録媒体ＩＤに対応付けて管理されている管理残額と前記オフライン端数額とを加算した額からオフライン消費額とオフライン精算額とを減算した合算額を含む予定残額通知をメダルサンド２０に対して送信する（Ｓ２４１）。なお、オフライン精算額がある場合には、本実施形態においては、一部精算ではなく全額精算であるので、オフライン精算時には管理残額からオフライン消費額を減算した額が精算される結果、管理残額からオフライン消費額及びオフライン精算額を減算した額が０となるので、Ｓ２４１の合算額はオフライン端数額のみの額となる。
【０２７８】
Ｓ２４１の予定残額通知を受信したメダルサンド２０は、該予定残額通知に含まれる合算額を残額として制御部２１のＲＡＭで記憶し（Ｓ２４２）、記録媒体（即ち会員カード４を受け付けている場合にはカード保持部１９１で保持している会員カード４，ビジタコイン５を受け付けている場合には投入コイン保持部１２０で保持しているビジタコイン５）に記録されているオフライン消費情報を消去すると共に（Ｓ２４３）、該記録媒体に記録されているオフライン精算情報を消去し（Ｓ２４３ａ）、該記録媒体に記録されているオフライン端数額を消去し（Ｓ２４４）、該記録媒体の通番に１を加算して更新し（Ｓ２４５）、前記記録媒体ＩＤを含む端数額消去通知を管理装置５０に対して送信して（Ｓ２４６）、前記Ｓ２２５に進む。
【０２７９】
Ｓ２４６の端数額消去通知を受信した管理装置５０は、前記残額管理ＤＢにおいて、前記記録媒体ＩＤに対応付けて記憶されているオフライン消費額を該記録媒体ＩＤに対応付けて管理されている管理残額から減算し、該オフライン消費額を消去して（Ｓ２４７）、前記記録媒体ＩＤに対応付けて記憶されているオフライン精算額を該記録媒体ＩＤに対応付けて管理されている管理残額から減算し、該オフライン精算額を消去して（Ｓ２４７ａ）、Ｓ２４８に進む。
【０２８０】
Ｓ２４７ａの処理を行った管理装置５０は、前記残額管理ＤＢにおいて、前記記録媒体ＩＤに対応付けて記憶されているオフライン端数額を該記録媒体ＩＤに対応付けて管理されている管理残額に対して加算し、該オフライン端数額を消去して（Ｓ２４８）、前記Ｓ２２７に進む。これにより、オンライン状態にあるメダルサンド２０において、オフライン状態にあった他のメダルサンド２０から排出された記録媒体が受け付けられると、該記録媒体に記録されている記録媒体ＩＤとオフライン端数額とを含む挿入通知が管理装置５０に対して送信され、該オフライン端数額と管理残額との合算額を特定可能な予定残額通知が管理装置５０から送信されてきて、該合算額が貸与処理に使用可能となるので、入金残額を精算しなくても良く、遊技者の利便性が向上する。
【０２８１】
また、オンライン状態にあるメダルサンド２０において、オフライン状態にあった他のメダルサンド２０で記憶残額を使用した貸与処理が行われて排出された記録媒体が受け付けられると、記録媒体ＩＤとオフライン消費情報とを含む挿入通知が管理装置５０に対して送信され、管理装置５０において、当該記録媒体を排出したメダルサンド２０に対応するオフライン時基準金額とオフライン消費情報とに基づいて、オフライン消費額が特定され、管理残額からオフライン消費額を減算した残額がメダルサンド２０に通知されることで、オフライン消費額分が減算補正された管理残額で貸与処理を可能とすると共に、管理装置５０で管理されている管理残額も当該減算補正された値に更新される。
【０２８２】
また、オンライン状態にあるメダルサンド２０において、オフライン精算処理に供された記録媒体が受け付けられると、記録媒体ＩＤとオフライン精算情報とを含む挿入通知が管理装置５０に対して送信され、管理装置５０において、オフライン精算情報からオフライン精算額が特定され、管理残額からオフライン精算額を減算した残額がメダルサンド２０に通知されると共に、管理装置５０で管理されている管理残額もオフライン精算額分減算補正された値に更新される。
【０２８３】
次に図１８は、図１６に続く図であり、通番不一致時処理の一例を表す図である。管理装置５０は、前記Ｓ２０３で通番が一致しない（ＮＯ）と判定された場合には、前記残額管理ＤＢにおいて、前記挿入通知に含まれる記録媒体ＩＤに対応付けられた通番に１を加算して更新する（Ｓ２６０）。即ち、記録通番＝管理通番とする。そして該挿入通知に含まれる記録媒体ＩＤに対応するステータスが入金処理中であるか否かを判定する（Ｓ２６１）。このＳ２６１で入金処理中である（ＹＥＳ）と判定された場合には、前記残額管理ＤＢにおいて、前記記録媒体ＩＤに対応付けて記憶されている受付貨幣額を該記録媒体ＩＤに対応付けて管理されている管理残額に対して加算し、該受付貨幣額を消去して（Ｓ２６２）、Ｓ２７４に進む。
【０２８４】
即ち通番が一致せず、ステータスが入金処理中である（受付貨幣額が未加算の状態で記憶されている）場合とは、メダルサンド２０が予定残額通知（図１４のＳ１０６）を受信してから管理装置５０が貨幣取込通知（同Ｓ１１０）を受信する前にオフライン状態が発生した場合であり、この場合にはメダルサンド２０において受付貨幣の取込が行われているにも拘わらず、受付貨幣額が未加算状態のままとなり、該未加算状態で放置されると遊技者が損害を被ることになるため、管理装置５０において、受付貨幣額を管理残額に対して加算して、該受付貨幣額を消去する処理を行うものである。
【０２８５】
このように、通番が一致しないと判定され、かつ受付貨幣額が未加算の状態で記憶されていることを条件として、受付貨幣額加算処理と加算済更新処理とが行われるので、メダルサンド２０が残額通知（予定残額通知）を受信してから管理装置５０が通番更新通知（貨幣取込通知）を受信する前にオフライン状態となった場合にも、正確な残額を確定することができる。また当該記録媒体をオンライン状態にある別のメダルサンド２０に挿入することで、当該記録媒体の管理残額を使用して遊技を行うことが可能であり、遊技者に極力迷惑をかけないようにすることができる。
【０２８６】
ここで本発明のように、記録媒体に通番を記録している場合に生じる効果について、例を挙げて説明する。本例のように、入金要求を受信した管理装置５０で、受付貨幣額を一旦記憶して、予定残額通知をメダルサンド２０に対して返信し、該予定残額通知を受信したメダルサンド２０で、受付貨幣の取込を行った後に、貨幣取込通知を管理装置５０に対して送信し、該貨幣取込通知を受信した管理装置５０で、受付貨幣額を管理残額に加算するように構成すると共に、メダルサンド２０が予定残額通知を受信する前にオフライン状態が発生した場合には受付貨幣を返却するように構成した場合、予定残額通知の送信後にオフライン状態が発生すると、後述する従来技術（特開２０００−１４８６８３号公報）を使用しても、当該オフライン状態が発生したメダルサンド２０がオンライン状態に復帰するまでは、メダルサンド２０が予定残額通知を受信したか否か，即ち受付貨幣の取込が行われたか否かを、管理装置５０側では特定不可能である。
【０２８７】
そのため、当該オフライン状態のメダルサンド２０から排出された記録媒体が他のオンライン状態のメダルサンド２０で受け付けられ、挿入通知が送信されてきたときに、受付貨幣の取込が行われたか否かを、管理装置５０側において特定できない。このときに、一律に受付貨幣額を管理残額に加算すると、メダルサンド２０が予定残額通知を受信しておらず、受付貨幣が返却されていた場合には、遊技場が損害を被る。一方、一律に入金予定額を消去すると、メダルサンド２０が予定残額通知を受信しており、受付貨幣の取込が行われていた場合に、遊技者が損害を被る。また前記オフライン状態のメダルサンド２０がオンライン状態に復帰するまで一律に記録媒体の残額の使用を許可しない（例えば記録媒体の返却禁止，又は返却は可能であるがオフライン状態のメダルサンド２０から排出された事を特定可能な情報（例えばオフライン時排出フラグ）を記録して、他のメダルサンド２０や精算装置６０で使用不可能とする処理を行う）ようにすると、遊技者に迷惑がかかる。
【０２８８】
そこで本発明のように、記録媒体に通番を記録すると共に、管理装置５０で記録媒体ＩＤに対応付けられた通番を管理するようにしておき、メダルサンド２０で受付貨幣の取込を行ったときに記録通番を更新し、管理装置５０で受付貨幣額の加算・消去を行ったときに管理通番を更新することで、通番が一致するときには、受付貨幣の取込が行われていないことを特定して、受付貨幣額を加算することなく消去し、通番が一致しないときには、受付貨幣の取込が行われていることを特定して、受付貨幣額を加算して消去することで、残額を確定することができる。そのため、遊技者又は遊技場が損害を被ることがなく、またオフライン状態となったメダルサンド２０がオンライン状態に復帰するのを待つことなく、他のメダルサンド２０での使用や精算装置６０での精算を行うことができ、遊技者に迷惑がかからない。
【０２８９】
前記Ｓ２６１で入金処理中でない（ＮＯ）と判定された場合には、前記記録媒体ＩＤに対応するステータスが挿入処理中であるか否かを判定する（Ｓ２６３）。このＳ２６３で挿入処理中である（ＹＥＳ）と判定された場合には、前記残額管理ＤＢにおいて、前記記録媒体ＩＤに対応付けて記憶されているオフライン消費額を該記録媒体ＩＤに対応付けて管理されている管理残額から減算し、該オフライン消費額を消去すると共に（Ｓ２６４）、前記記録媒体ＩＤに対応付けて記憶されているオフライン精算額を該記録媒体ＩＤに対応付けて管理されている管理残額から減算し、該オフライン精算額を消去して（Ｓ２６４ａ）、前記記録媒体ＩＤに対応付けて記憶されているオフライン端数額を該記録媒体ＩＤに対応付けて管理されている管理残額に対して加算し、該オフライン端数額を消去して（Ｓ２６５）、Ｓ２７４に進む。
【０２９０】
即ち通番が一致せず、ステータスが挿入処理中であり、オフライン消費額若しくはオフライン精算額が未減算の状態及び／又はオフライン端数額が未加算の状態で記憶されている場合とは、メダルサンド２０が予定残額通知（図１７のＳ２４１）を受信してから管理装置５０が端数額消去通知（同Ｓ２４６）を受信する前，又は精算装置６０が精算許諾情報（図３２のＳ２４１ａ）を受信してから管理装置５０が端数額消去通知（同Ｓ２４６ａ）を受信する前にオフライン状態が発生した場合であり、この場合には記録媒体に記録されているオフライン消費額、オフライン精算額及びオフライン端数額の消去が行われているにも拘わらず、オフライン消費額若しくはオフライン精算額が未減算状態及びオフライン端数額が未加算状態のままとなり、該未減算状態で放置されると遊技場が損害を被ることになり、該未加算状態で放置されると遊技者が損害を被ることになるため、管理装置５０において、管理残額からオフライン消費額及びオフライン精算額を減算し、オフライン端数額を管理残額に対して加算して、これらを消去する処理を行うものである。
【０２９１】
このように、通番が一致しないと判定され、かつオフライン消費額又はオフライン精算額が未減算であることを条件として、管理残額からオフライン消費額又はオフライン精算額を減算し、オフライン消費額又はオフライン精算額を消去する処理が行われ、また、入金残額（オフライン端数額）が未加算の状態で記憶されていることを条件として、入金残額加算処理と加算済更新処理とが行われるので、メダルサンド２０が残額通知（予定残額通知）を受信してから管理装置５０が通番更新通知（端数額消去通知）を受信する前にオフライン状態となった場合にも、正確な残額を確定することができる。また当該記録媒体をオンライン状態にある別のメダルサンド２０に挿入することで、当該記録媒体の管理残額を使用して遊技を行うことが可能であり、遊技者に極力迷惑をかけないようにすることができる。
【０２９２】
前記Ｓ２６３で挿入処理中でない（ＮＯ）と判定された場合には、前記記録媒体ＩＤに対応付けて残額管理ＤＢに記憶されている使用装置ＩＤが、メダルサンド２０の装置ＩＤであるか否かを判定する（Ｓ２６６）。このＳ２６６でメダルサンド２０の装置ＩＤでない（ＮＯ）と判定された場合、即ち精算装置６０の装置ＩＤであると判定された場合には、前記残額管理ＤＢにおいて、前記記録媒体ＩＤに対応付けて記憶されている管理残額を消去してステータスを精算処理済に更新し（Ｓ２６７）、Ｓ２７４に進む。
【０２９３】
即ち通番が一致せず、ステータスが入金処理中及び挿入処理中でなく、使用装置ＩＤが精算装置６０の装置ＩＤである場合とは、精算装置６０が精算許諾情報（図３２のＳ２２１ａ又はＳ２４１ａ）を受信してから、精算操作を受け付け（図３３のＳ７８０）、管理装置５０が精算完了通知（同Ｓ７８３）を受信する前にオフライン状態が発生した場合であり、この場合には精算装置６０において許諾額分の貨幣の払い出しが行われているにも拘わらず、管理残額が消去されずに残存状態のままとなり、該残存状態の管理残額に基づいて貨幣の払い出しが行われると遊技場が損害を被ることになるため、管理装置５０において管理残額を消去する処理を行うものである。
【０２９４】
このように、通番が一致しないと判定され、かつ精算要求受信情報が管理されている（即ちステータスが入金処理中及び挿入処理中でなく、使用装置ＩＤが精算装置６０の装置ＩＤである）ことを条件として、管理残額零更新処理と精算要求消去処理とが行われるので、精算装置６０が精算許諾情報を受信してから、精算操作を受け付け、管理装置５０が精算完了通知を受信する前にオフライン状態となった場合、即ち遊技者に貨幣が払い出されているにも拘わらず管理残額が零に更新されていない状況となっても、その後、記録媒体の通番の受信によって管理残額を零に更新することができ、遊技場の損害を防止することができる。
【０２９５】
前記Ｓ２６６でメダルサンド２０の装置ＩＤである（ＹＥＳ）と判定された場合には、図１３（ａ）に示す残額管理ＤＢを参照して、前記挿入通知に含まれる記録媒体ＩＤに対応付けて記憶されている使用装置ＩＤを、当該記録媒体がオンライン状態で最後に使用されたメダルサンド２０の装置ＩＤとして特定し（Ｓ２６９）、さらに図１３（ａ）に示す設定値ＤＢを参照して、該特定した装置ＩＤに対応する貸与設定金額を特定し（Ｓ２７０）、前記挿入通知に含まれる記録媒体ＩＤに対応付けて管理されている管理残額が該特定した貸与設定金額以上であるか否かを判定する（Ｓ２７１）。
【０２９６】
このＳ２７１で管理残額が貸与設定金額以上である（ＹＥＳ）と判定された場合には、前記残額管理ＤＢにおいて、該貸与設定金額を管理残額から減算し（Ｓ２７２）、Ｓ２７４に進む。一方、Ｓ２７１で管理残額が貸与設定金額未満である（ＮＯ）と判定された場合には、税込単位額の整数倍であって、管理残額を超えない最大額（例えば管理残額が４７５円であれば、税込単位額の４倍である４２０円）を、管理残額から減算し（Ｓ２７３）、Ｓ２７４に進む。
【０２９７】
即ち通番が一致せず、ステータスが入金処理中及び挿入処理中でなく、使用装置ＩＤがメダルサンド２０の装置ＩＤである場合とは、管理装置５０が減算要求（図１５のＳ１２４）を受信する前にオフライン状態が発生した場合であり、この場合にはメダルサンド２０において使用額＋消費税額分の貸与処理が行われているにも拘わらず、管理装置５０において管理残額から使用額＋消費税額の減算処理が行われていない状態となり、該状態で放置されると遊技場が損害を被ることになるため、当該記録媒体がオンライン状態で最後に使用されていたメダルサンド２０を特定すると共に、その貸与設定金額を特定し、管理残額が貸与設定金額以上であれば、該貸与設定金額，管理残額が貸与設定金額未満であれば、税込単位額の整数倍であって管理残額を超えない最大額を、使用額＋消費税額として特定し、管理装置５０において減算処理を行うものである。
【０２９８】
このように、メダルサンド２０で第１の貸与処理（使用額＋消費税額分の貸与処理）が行われたにも拘わらず、オフライン状態の発生により管理装置５０で管理残額の減算処理が行われなかった場合に、当該記録媒体が他のオンライン状態のメダルサンド２０において受け付けられることで、管理装置５０において、該記録媒体に記録されている通番と該記録媒体の記録媒体ＩＤに対応付けて管理装置５０で管理されている通番とが一致しないと判定され、かつ受付貨幣額について加算済更新処理が行われていることを条件として、減算処理が行われなかったことが特定され、該減算処理が行われて残額が確定するので、オフライン状態が発生したメダルサンド２０がオンライン状態に復帰するのを待つことなく、管理残額を他のメダルサンド２０において使用することが可能となり、遊技者に迷惑がかかることがなく、また遊技場が損をすることもない。また減算処理が行われない事態を回避して、遊技場の損害を防止することができる。
【０２９９】
ここで各メダルサンド２０について異なる貸与設定金額が設定される場合にも、挿入通知に含まれる記録媒体ＩＤの記録媒体が前回受け付けられていたメダルサンド２０を特定して、対応する貸与設定金額を、管理残額から減算するので、正確な残額を確定することができる。また管理残額が貸与設定金額未満である場合にも、税込単位額の整数倍であって、管理残額を超えない最大額を、管理残額から減算するので、正確な残額を確定することができる。
【０３００】
以上に説明した遊技用システム１によれば、メダルサンド２０での特定処理に伴って更新される通番が記録媒体に記録されるので、オフライン状態が発生したメダルサンド２０がオンライン状態に復帰するのを待つことなく、該メダルサンド２０から排出された記録媒体が他のオンライン状態のメダルサンド２０において受け付けられることで、該記録媒体に記録されている通番と該記録媒体の記録媒体ＩＤに対応付けて管理装置５０で管理されている通番から、オフライン状態の発生によりメダルサンド２０で特定処理が行われたにも拘わらず該特定処理に対応する連携処理が管理装置５０で行われていないことを特定して、対処することができる。
【０３０１】
ここで本発明のように、記録媒体に通番を記録している場合に生じる効果について、例を挙げて説明する。本例のように、メダルサンド２０で使用額＋消費税額分の貸与処理が行われたときに、使用額＋消費税額を含む減算要求を管理装置５０に対して送信し、該減算要求を受信した管理装置５０で、該減算要求に含まれる使用額＋消費税額を管理残額から減算するように構成した場合、管理装置５０が減算要求を受信する前にオフライン状態が発生すると、後述する従来の技術（特開２０００−１４８６８３）を使用しても、当該オフライン状態が発生したメダルサンド２０がオンライン状態に復帰するまでは、管理装置５０側で使用額＋消費税額の減算が行われたか否かを特定できない。
【０３０２】
そのため、当該オフライン状態のメダルサンド２０から排出された記録媒体が他のオンライン状態のメダルサンド２０に受け付けられ、挿入通知が送信されてきたときに、使用額＋消費税額の減算が行われたか否かを、管理装置５０側において特定できない。このときに、一律に記録媒体の管理残額を使用可能とすると、使用額＋消費税額が管理残額から減算されていない場合には、オンライン状態のメダルサンド２０で該減算前の管理残額が使用され、管理残額が使い切られてしまったときに、前記オフライン状態となったメダルサンド２０がオンライン状態に復帰しても使用額＋消費税額の減算処理が行えないので、遊技場が損害を被る。一方、使用額＋消費税額分の貸与処理が行われたメダルサンド２０がオフライン状態となった場合に、前記オフライン状態のメダルサンド２０がオンライン状態に復帰するまで一律に記録媒体の残額の使用を許可しない（例えば記録媒体の返却禁止，又は返却は可能であるがオフライン状態のメダルサンド２０から排出された事を特定可能な情報（例えばオフライン時排出フラグ）を記録して、他のメダルサンド２０や精算装置６０で使用不可能とする処理を行う）ようにすると、遊技者に迷惑がかかる。
【０３０３】
そこで本発明のように、記録媒体に通番を記録すると共に、管理装置５０で記録媒体ＩＤに対応付けられた通番を管理するようにしておき、メダルサンド２０で貸与処理を行ったときに記録通番を更新し、管理装置５０で使用額＋消費税額の減算を行ったときに管理通番を更新することで、通番が一致しないときには、減算が行われていないことを特定して、使用額＋消費税額を管理残額から減算し、通番が一致するときには、減算が完了していることを特定して、管理残額をそのままにしておくことで、残額を確定することができる。そのため、遊技者又は遊技場が損害を被ることがなく、またオフライン状態となったメダルサンド２０がオンライン状態に復帰するのを待つことなく、他のメダルサンド２０での使用や精算装置６０での精算を行うことができ、遊技者に迷惑がかからない。
【０３０４】
前記Ｓ２６２の処理後，前記Ｓ２６５の処理後，前記Ｓ２６７の処理後，前記Ｓ２７２の処理後，及び前記Ｓ２７３の処理後は、前記残額管理ＤＢにおいて、前記記録媒体ＩＤに対応するステータスとして挿入処理中と記憶し（Ｓ２７４）、前記挿入通知に含まれるオフライン端数額が零であるか否かを判定する（Ｓ２７５）。このＳ２７５でオフライン端数額が零である（ＹＥＳ）と判定された場合には、前記挿入通知に含まれるオフライン消費情報が無いか否かを判定する（Ｓ２７６）。このＳ２７６でオフライン消費情報が無い（ＹＥＳ）と判定された場合には、前記挿入通知に含まれるオフライン精算情報が無いか否かを判定する（Ｓ２９１）。このＳ２９１でオフライン精算情報が無い（ＹＥＳ）と判定された場合には、前記Ｓ２２０に進む。
【０３０５】
即ち通番が一致せず、記録媒体のオフライン消費情報及びオフライン精算情報が無くオフライン端数額が零である場合とは、第１に入金処理中においてメダルサンド２０が予定残額通知（図１４のＳ１０６）を受信してから管理装置５０が貨幣取込通知（同Ｓ１１０）を受信する前にオフライン状態が発生した場合，第２に使用額＋消費税額分の貸与処理が行われて管理装置５０が減算要求（図１５のＳ１２４）を受信する前にオフライン状態が発生した場合，第３に挿入処理中においてメダルサンド２０が残額通知（図１７のＳ２２１）又は予定残額通知（同Ｓ２４１）を受信してから管理装置５０が残額受信通知（同Ｓ２２４）又は端数額消去通知（同Ｓ２４６）を受信する前にオフライン状態が発生した場合，第４に挿入処理中において精算装置６０が精算許諾情報（図３２のＳ２２１ａ又はＳ２４１ａ）を受信してから管理装置５０が精算許諾情報受信通知（同Ｓ２２４ａ）又は端数額消去通知（同Ｓ２４６ａ）を受信する前にオフライン状態が発生した場合，第５に精算処理が行われて管理装置５０が精算完了通知（図３３のＳ７８３）を受信する前にオフライン状態が発生した場合のいずれかであり、いずれの場合にも、消去すべきオフライン消費情報，オフライン精算情報，及びオフライン端数額が記録媒体に記録されていないので、前記Ｓ２２０に進む。
【０３０６】
一方、前記Ｓ２７５でオフライン端数額が零でない（ＮＯ）と判定された場合には、前記残額管理ＤＢにおいて、前記記録媒体ＩＤと対応付けて該オフライン端数額を記憶して（Ｓ２７７）、前記挿入通知に含まれるオフライン消費情報が無いか否かを判定する（Ｓ２７８）。このＳ２７８でオフライン消費情報が無い（ＹＥＳ）と判定された場合には、前記挿入通知に含まれるオフライン精算情報が無いか否かを判定する（Ｓ２９４）。このＳ２９４でオフライン精算情報が無い（ＹＥＳ）と判定された場合には、Ｓ２４０に進む。
【０３０７】
即ちオンライン状態にあるメダルサンド２０で使用額＋消費税額分の貸与処理が行われ、管理装置５０が減算要求（図１５のＳ１２４）を受信する前にオフライン状態が発生し、該オフライン状態にあるメダルサンド２０でオフライン一発貸しが行われると、通番が一致せず、オフライン端数額が記録された記録媒体が排出される。次にオンライン状態にある別のメダルサンド２０で該記録媒体を受け付けると、Ｓ２０３でＮＯと判定されてＳ２６０の処理が行われ（ここで通番が一致し）、Ｓ２６１でＮＯ，Ｓ２６３でＮＯ，Ｓ２６６でＹＥＳと判定され、Ｓ２６９〜Ｓ２７２又はＳ２６９〜Ｓ２７３の処理が行われると共に、Ｓ２７４，Ｓ２７５，Ｓ２７７の処理が行われ、オフライン端数額が記憶され、ステータスとして挿入処理中と記憶された状態になるが、メダルサンド２０が予定残額通知（図１７のＳ２４１）を受信する前にオフライン状態が発生すると、通番が一致し、オフライン端数額が記録された記録媒体が排出される。さらにオンライン状態にある別のメダルサンド２０が該記録媒体を受け付けると、Ｓ２０３でＹＥＳ，Ｓ２０４でＮＯ，Ｓ２０６でＹＥＳと判定されて、Ｓ２０８で前記記憶されているオフライン端数額が消去され、Ｓ２１２で前記挿入通知に含まれるオフライン端数額が改めて記憶される。
【０３０８】
前記Ｓ２７８でオフライン消費情報が有る（ＮＯ）と判定された場合，又は前記Ｓ２７６でオフライン消費情報が有る（ＮＯ）と判定された場合には、挿入通知に含まれる記録媒体ＩＤに対応して図１３（ａ）の残額管理ＤＢに記憶されている使用装置ＩＤを特定し（Ｓ２７９）、特定した装置ＩＤに対応して図１３（ａ）の設定値ＤＢに記憶されているオフライン時基準金額を特定し（Ｓ２８０）、特定したオフライン時基準金額から前記挿入通知に含まれるオフライン消費情報を減算してオフライン消費額を算出し（Ｓ２８２）、前記残額管理ＤＢにおいて、算出したオフライン消費額を前記記録媒体ＩＤに対応付けて記憶し（Ｓ２８４）、前記挿入通知に含まれるオフライン精算情報が無いか否かを判定する（Ｓ２９２）。このＳ２９２でオフライン精算情報が無い（ＹＥＳ）と判定された場合には、Ｓ２４０に進む。一方、Ｓ２９２でオフライン精算情報が有る（ＮＯ）と判定された場合には、管理残額からオフライン消費額を減算してオフライン精算額を算出して（Ｓ２９３）、Ｓ２９７に進む。
【０３０９】
前記Ｓ２９１又はＳ２９４でオフライン精算情報が有る（ＮＯ）と判定された場合には、管理残額をオフライン精算額として（Ｓ２９６）、Ｓ２９７に進む。Ｓ２９７では、前記残額管理ＤＢにおいて、算出したオフライン精算額を前記記録媒体ＩＤに対応付けて記憶し、Ｓ２４０に進む。Ｓ２２０及びＳ２４０以降の処理については、図１７で説明した通番一致時の処理と同様の処理を行う。
【０３１０】
なお、挿入通知に関連する図１６〜図１８の説明（供給通知に関連する図１９及び図１３、オンライン復帰通知に関連する図２９及び図３０、精算要求に関連する図３１及び図３２についても同様）においては、挿入通知にオフライン端数額，オフライン消費情報，及びオフライン精算情報が含まれる旨が説明されたが、これはオフライン端数額，オフライン消費情報，及びオフライン精算情報のうち、メダルサンド２０にて受け付けられた記録媒体に記録されているものが含まれるという意味であり、常に３つ全ての情報が含まれることを意味するものではない。また同様に、管理装置５０側におけるＳ２０７、Ｓ２０８、Ｓ２０８ａ、Ｓ２４７、Ｓ２４７ａ、Ｓ２４８、Ｓ２６４、Ｓ２６４ａ及びＳ２６５についても、必ず全ての処理が行われる訳ではなく、オフライン端数額，オフライン消費額，及びオフライン精算額のうち、管理装置５０の残額管理ＤＢに記憶されているものがあれば、その記憶されている情報に対して処理が行われるという意味である。また同様に、メダルサンド２０側におけるＳ２４３、Ｓ２４３ａ及びＳ２４４についても、必ず全ての処理が行われる訳ではなく、オフライン端数額，オフライン消費情報，及びオフライン精算情報のうち、記録媒体に記録されているものについて、消去処理が行われるという意味である。
【０３１１】
次に図１９は、管理装置５０とオンライン状態にあるメダルサンド２０において返却操作を受け付けた場合の処理の一例を表す図である。メダルサンド２０は、返却操作を待機している状態で、返却ボタン２７が押下されて返却操作を受け付けると（Ｓ１８１）、記録媒体（会員カード４又はビジタコイン５）を受付中であるか否かを判定する（Ｓ１８２）。
【０３１２】
このＳ１８２で記録媒体を受付中である（ＹＥＳ）と判定された場合には、カード保持部１９１で保持している会員カード４の記録媒体ＩＤ，又は投入コイン保持部１２０で保持しているビジタコイン５の記録媒体ＩＤを含む返却通知を管理装置５０に対して送信する（Ｓ１８４）。Ｓ１８４の返却通知を受信した管理装置５０は、返却許諾通知をメダルサンド２０に対して送信する（Ｓ１８５）。
【０３１３】
Ｓ１８５の返却許諾通知を受信したメダルサンド２０は、ビジタコイン５を受付中であるか否かを判定する（Ｓ１９４）。このＳ１９４でビジタコイン５を受付中である（ＹＥＳ）と判定された場合には、演算方式を決定して（Ｓ１９４ａ）、決定した演算方式で記憶残額（即ち管理残額）が演算されるような元データを前述した方法で算出し（Ｓ１９４ｂ）、投入コイン保持部１２０で保持しているビジタコイン５に、基準データ，乗算データ，除算データ，及び加算データからなる元データと、演算方式フラグとを記録し（Ｓ１９４ｃ）、投入コイン保持部１２０で保持しているビジタコイン５にオンライン残額有りフラグを記録し（Ｓ１９５）、制御部２１のＲＡＭで記憶している記憶残額を消去し（Ｓ１９５ａ）、第１の投入コインストッパ１２１を開放状態とすることにより、投入コイン保持部１２０で保持しているビジタコイン５を投入コイン排出通路１６０を介してコイン排出口１１２に排出して返却して（Ｓ１９６）、貨幣受付，又は記録媒体受付を待機する状態となる。
【０３１４】
一方、Ｓ１９４でビジタコイン５を受付中でない（ＮＯ），即ち会員カード４を受付中であると判定された場合には、演算方式を決定して（Ｓ１９７ａ）、決定した演算方式で記憶残額が演算されるような元データを前述した方法で算出し（Ｓ１９７ｂ）、カード保持部１９１で保持している会員カード４に、基準データ，乗算データ，除算データ，加算データからなる元データと、演算方式フラグとを記録し（Ｓ１９７ｃ）、制御部２１のＲＡＭで記憶している記憶残額を消去し（Ｓ１９７ｄ）、該会員カード４を返却して（Ｓ１９７）、貨幣受付，又は記録媒体受付を待機する状態となる。
【０３１５】
前記Ｓ１８２で記録媒体を受付中でない（ＮＯ）と判定された場合には、記憶残額が零であるか否かを判定する（Ｓ１８３）。このＳ１８３で記憶残額が零である（ＹＥＳ）と判定された場合には、返却操作が無効とされ、貨幣受付，又は記録媒体受付を待機する状態となる。一方、Ｓ１８３で記憶残額が零でない（ＮＯ）と判定された場合には、収納コイン保持部１４０で保持しているビジタコイン５の記録媒体ＩＤを含む返却通知を管理装置５０に対して送信する（Ｓ１８４）。Ｓ１８４の返却通知を受信した管理装置５０は、返却許諾通知をメダルサンド２０に対して送信する（Ｓ１８５）。
【０３１６】
Ｓ１８５の返却許諾通知を受信したメダルサンド２０は、演算方式を決定する（Ｓ１８７）。演算方式は、例えば、記録媒体の排出（返却）ごとに、前述した加算優先演算方式又は乗除算優先演算方式を交互に選択することによって決定する。このようにして決定した演算方式で、記憶残額、つまりは管理残額が演算されるような元データを前述した方法で算出し（Ｓ１８８）。収納コイン保持部１４０で保持しているビジタコイン５に、基準データ，乗算データ，除算データ，加算データからなる元データと、演算方式フラグとを記録し（Ｓ１８９）、制御部２１のＲＡＭで記憶している記憶残額を消去し（Ｓ１８９ａ）、前記ビジタコイン５にオンライン残額有りフラグを記録し（Ｓ１９０）、第２の収納コインストッパ１４２を開放状態とすることにより、収納コイン保持部１４０で保持しているビジタコイン５をコイン排出口１１２から排出し（Ｓ１９１）、第２の収納コインストッパ１４２を閉鎖状態とし、第１の収納コインストッパ１４１を開放状態とすることにより、収納通路１３１で保持している最下位のビジタコイン５を該収納通路１３１から排出して収納コイン保持部１４０に供給する（Ｓ１９２）。
【０３１７】
そして、収納コイン保持部１４０に供給したビジタコイン５の記録情報を読み取り（Ｓ１９２ｃ）、記録情報にオフライン消費情報が無いか否かを判定する（Ｓ１９２ａ）。このＳ１９２ａでオフライン消費情報が無い（ＹＥＳ）と判定された場合には、記録情報にオフライン精算情報が無いか否かを判定する（Ｓ１９２ｂ）。前記Ｓ１９２ａでオフライン消費情報が有る（ＮＯ）と判定された場合，又は前記Ｓ１９２ｂでオフライン精算情報が有る（ＮＯ）と判定された場合には、該ビジタコイン５の記録媒体ＩＤ，オフライン消費情報，オフライン精算情報，通番，及び当該メダルサンド２０の装置ＩＤを含む供給通知を管理装置５０に対して送信する（Ｓ１９３）。
【０３１８】
以上のように、メダルサンド２０は、精算装置６０にて回収された後当該メダルサンドに補充され収納通路１３１に収納されたビジタコイン５（記録媒体）や当該メダルサンドにおいて受け付けられ、管理残額（記憶残額）が零となり収納通路１３１に回収されて収納されたビジタコイン５を発行する発行手段を構成するものである。具体的には、記録媒体を受け付けることなく入金が行われた場合に、収納コイン保持部１４０のビジタコイン５のコインＩＤに対応付けて入金額が残額として管理装置で記憶され、当該管理残額（記憶残額）が零となる前に返却操作がなされることにより、当該ビジタコイン５が発行（排出）されるものである。
【０３１９】
またメダルサンド２０は、ビジタコイン５の発行（排出）に応じて、次のビジタコイン５（収納通路１３１で保持している最下位のビジタコイン５）を収納コイン保持部１４０に供給して、記録情報の読み出しを行い、読み出したビジタコインＩＤとオフライン消費情報とオフライン精算情報と通番と装置ＩＤとを含む供給通知を、オフライン消費情報送信手段及びオフライン精算情報送信手段を構成する外部通信部２１ｂを介して、管理装置５０に送信する。その際、メダルサンド２０は、ビジタコイン５にオフライン消費情報が記録されているか否かをオフライン消費情報判定手段を構成する制御部２１により判定し、オフライン消費情報が記録されていると判定されたことを条件として、供給通知を送信する。より具体的には、オフライン精算情報が記録されているか否かも判定し、オフライン消費情報及びオフライン精算情報の少なくとも一方が記録されていると判定されたことを条件に、供給通知を送信する。
【０３２０】
Ｓ１９３の供給通知を受信した管理装置５０は、当該供給通知を挿入通知と同様に扱い、図１６〜図１８で説明したＳ２０３以下と同様の処理を実施する。ただし、図１７に示したＳ２４０以下の処理は、図２０に示すＳ２４０以下の処理に置き換わるものとする。以下、図２０について説明する。
【０３２１】
Ｓ２４０では、供給通知に含まれる記録媒体ＩＤに対応付けて該供給通知に含まれる装置ＩＤ、即ちメダルサンド２０の装置ＩＤを記憶し、該記録媒体ＩＤに対応付けて管理されている管理残額からオフライン消費額とオフライン精算額とを減算した額（この場合、必ず零となる）を含む供給残額通知をメダルサンド２０に対して送信する（Ｓ２４１ｂ）。
【０３２２】
Ｓ２４１ｂの供給残額通知を受信したメダルサンド２０は、収納コイン保持部１４０に供給したビジタコイン５に記録されているオフライン消費情報を消去すると共に（Ｓ２４３）、該ビジタコイン５に記録されているオフライン精算情報を消去し（Ｓ２４３ａ）、該ビジタコイン５の通番に１を加算して更新して（Ｓ２４５）、該ビジタコイン５の記録媒体ＩＤを含む消費情報消去通知を管理装置５０に対して送信する（Ｓ２４６ｂ）。
【０３２３】
このように、メダルサンド２０は、オフライン消費情報あるいはオフライン精算情報を含む供給通知の送信を条件として、具体的には、供給通知に応じて管理装置から送信されてくる供給残額通知の受信に基づいて、オフライン消費情報消去手段及びオフライン精算情報消去手段を構成する制御部２１により、ビジタコイン５に記録されたオフライン消費情報及びオフライン精算情報を消去する。そして、その後入金及び返却操作がなされることにより、オフライン消費情報やオフライン精算情報の消去されたビジタコイン５は発行（排出）されることとなる。
【０３２４】
Ｓ２４６ｂの消費情報消去通知を受信した管理装置５０は、前記残額管理ＤＢにおいて、前記記録媒体ＩＤに対応付けて記憶されているオフライン消費額を該記録媒体ＩＤに対応付けて管理されている管理残額から減算し、該オフライン消費額を消去して（Ｓ２４７）、前記記録媒体ＩＤに対応付けて記憶されているオフライン精算額を該記録媒体ＩＤに対応付けて管理されている管理残額から減算し、該オフライン精算額を消去する（Ｓ２４７ａ）。そして、前記記録媒体ＩＤに対応付けられた通番に１を加算して更新し（Ｓ２２７ａ）、該記録媒体ＩＤに対応するステータスを挿入処理済に更新する（Ｓ２２９）。
【０３２５】
このように、管理装置５０は、メダルサンド２０から受信した供給通知に含まれる記録媒体ＩＤに対応する管理残額を、供給通知に含まれるオフライン消費情報から特定されるオフライン消費額分減算された額、あるいはオフライン精算情報から特定されるオフライン精算額分減算された額に更新する処理を行うが、供給通知に応じて行う本処理においては、いずれの場合にも管理残額は零に更新されることとなる。
【０３２６】
次に図２１は、メダルサンド２０においてオフライン状態の発生を検知した場合の処理の一例を表す図である。メダルサンド２０は、前記通信可否検知手段によりオフライン状態の発生を検知すると（Ｓ３００）、該オフライン状態の発生を検知したのが前記Ｓ１０１の貨幣受付後であるか否か，具体的には制御部２１のＲＡＭで記憶している処理状態が「貨幣受付」であるか否かを判定する（Ｓ３０１）。
【０３２７】
このＳ３０１で貨幣受付後である（ＹＥＳ）と判定された場合には、前記Ｓ１０６の予定残額通知を受信済であるか否かを判定する（Ｓ３０３）。
【０３２８】
このＳ３０３で予定残額通知を受信済でない（ＮＯ）と判定された場合には、Ｓ３０６で、前記Ｓ１０１で受け付けた貨幣を返却し、Ｓ３０７で、記録媒体（会員カード４又はビジタコイン５）を受付中であるか否かを判定し、記録媒体を受付中であれば（ＹＥＳ）、Ｓ３９３に進み、記録媒体を受付中でなければ（ＮＯ）、Ｓ３０８に進む。Ｓ３０８では、記憶残額が零であるか否かを判定し、記憶残額が零でなければ（ＮＯ）、Ｓ３９３に進み、記憶残額が零であれば（ＹＥＳ）、Ｓ３８３に進む。Ｓ３８３では、多機能ランプ２４によりオフライン状態を検知した旨を報知して、Ｓ３８４で、オフライン状態において貨幣受付，又は記録媒体受付を待機する状態となる。
【０３２９】
Ｓ３９３では、記憶残額が税込単位額以上であるか否かを判定する。このＳ３９３で記憶残額が税込単位額以上である（ＹＥＳ）と判定された場合には、Ｓ３７３で、多機能ランプ２４によりオフライン状態を検知した旨を報知し、Ｓ３７４で、記憶残額と記憶端数額とを加算した額を残額表示器２５に表示して、Ｓ３７５で、オフライン状態において貸与操作，貨幣受付，又は返却操作を待機する状態となる。一方、Ｓ３９３で記憶残額が税込単位額未満である（ＮＯ）と判定された場合には、Ｓ３９４で、多機能ランプ２４によりオフライン状態を検知した旨を報知し、Ｓ３９５で、記憶残額と記憶端数額とを加算した額を残額表示器２５に表示して、Ｓ３９６で、オフライン状態において貨幣受付，又は返却操作を待機する状態となる。
【０３３０】
なお、前記予定残額通知を受信済でない場合には、管理装置５０が入金要求を受信する前にオフライン状態が発生した場合と、該入金要求を受信した後にオフライン状態が発生した場合とが含まれる。ここで後者の、入金要求を受信した後にオフライン状態が発生した場合には、通番が一致し、管理装置５０において受付貨幣額が未加算の状態で記憶されており（即ち入金処理中であり）、メダルサンド２０において受付貨幣の取込が行われていない状態となる。従って、オンライン状態にあるメダルサンド２０で当該記録媒体が受け付けられると、Ｓ２０３でＹＥＳ，Ｓ２０４でＹＥＳと判定されて、Ｓ２０５以下の処理が行われる。
【０３３１】
前記Ｓ３０３で予定残額通知を受信済である（ＹＥＳ）と判定された場合には、Ｓ３０４で、前記Ｓ１０７〜Ｓ１０９の各処理を実行済であるか否かを判定し、いずれかの処理を実行済でなければ（ＮＯ）、Ｓ３０５で、該未実行の処理を実行して、Ｓ３７３に進み、すべての処理を実行済であれば（ＹＥＳ）、Ｓ３７３に進む。
【０３３２】
この予定残額通知を受信済である場合には、管理装置５０が貨幣取込通知（図１４のＳ１１０）を受信する前にオフライン状態が発生した場合と、該貨幣取込通知を受信した後にオフライン状態が発生した場合とが含まれる。ここで前者の、貨幣取込通知を受信する前にオフライン状態が発生した場合には、通番が一致せず、管理装置５０において受付貨幣額が未加算の状態で記憶されており（即ち入金処理中であり）、メダルサンド２０において受付貨幣の取込が行われている状態となる。従って、オンライン状態にあるメダルサンド２０で当該記録媒体が受け付けられると、Ｓ２０３でＮＯ，Ｓ２６１でＹＥＳと判定されて、Ｓ２６２以下の処理が行われる。
【０３３３】
前記Ｓ３０１で貨幣受付後でない（ＮＯ）と判定された場合には、前記オフライン状態の発生を検知したのが前記Ｓ１２１の貸与操作受付後であるか否か、具体的には制御部２１のＲＡＭで記憶している処理状態が「貸与操作受付」であるか否かを判定する（Ｓ３２１）。このＳ３２１で貸与操作受付後である（ＹＥＳ）と判定された場合には、前記Ｓ１２８の減算完了通知を受信済であるか否かを判定する（Ｓ３２２）。
【０３３４】
このＳ３２２で減算完了通知を受信済である（ＹＥＳ）と判定された場合には、Ｓ３２５で、前記Ｓ１２９の記憶残額減算済であるか否かを判定し、記憶残額減算済でなければ（ＮＯ）、Ｓ３２６で、前記Ｓ１２９の処理を実行して、Ｓ３２７に進み、記憶残額減算済であれば（ＹＥＳ）、Ｓ３２７に進む。Ｓ３２７では、記憶残額が零であるか否かを判定し、記憶残額が零でなければ（ＮＯ）、前記Ｓ３９３に進み、記憶残額が零であれば（ＹＥＳ）、Ｓ３２８に進む。Ｓ３２８では、記録媒体（会員カード４又はビジタコイン５）を受付中であるか否かを判定し、記録媒体を受付中でなければ（ＮＯ）、前記Ｓ３８３に進み、記録媒体を受付中であれば（ＹＥＳ）、Ｓ３２９に進む。Ｓ３２９では、ビジタコイン５を受付中であるか否かを判定し、ビジタコイン５を受付中でなければ（ＮＯ）、前記Ｓ３９４に進み、ビジタコイン５を受付中であれば（ＹＥＳ）、Ｓ３３０で、投入コイン保持部１２０で保持しているビジタコイン５に記録されているオンライン残額有りフラグを消去し、Ｓ３３１で、第２の投入コインストッパ１２２を開放状態とすることにより、該投入コイン保持部１２０で保持しているビジタコイン５を収納通路１３１に収納して、前記Ｓ３８３に進む。
【０３３５】
前記Ｓ３２２で減算完了通知を受信済でない（ＮＯ）と判定された場合には、Ｓ３２３で、前記Ｓ１２２〜Ｓ１２３の各処理を実行済であるか否かを判定し、いずれかの処理を実行済でなければ（ＮＯ）、Ｓ３２４で、該未実行の処理を実行し、Ｓ３２６ａで、前記Ｓ１２９の処理を実行して、前記Ｓ３２７に進み、すべての処理を実行済であれば（ＹＥＳ）、Ｓ３２６ａで、前記Ｓ１２９の処理を実行して、前記Ｓ３２７に進む。
【０３３６】
この減算完了通知を受信済でない場合には、管理装置５０が減算要求を受信する前にオフライン状態が発生した場合と、該減算要求を受信した後にオフライン状態が発生した場合とが含まれる。ここで前者の、減算要求を受信する前にオフライン状態が発生した場合には、通番が一致せず、入金処理中，又は挿入処理中のいずれでもなく、メダルサンド２０の装置ＩＤが記憶されている状態となる。従って、オンライン状態にあるメダルサンド２０で当該記録媒体が受け付けられると、Ｓ２０３でＮＯ，Ｓ２６１でＮＯ，Ｓ２６３でＮＯ，Ｓ２６６でＹＥＳと判定されて、Ｓ２６９以下の処理が行われる。また後者の、減算要求を受信した後にオフライン状態が発生した場合には、通番が一致し、減算処理済の状態となる。従って、オンライン状態にあるメダルサンド２０で当該記録媒体が受け付けられると、Ｓ２０３でＹＥＳ，Ｓ２０４でＮＯ，Ｓ２０６でＮＯ，Ｓ２１０でＹＥＳと判定されて、Ｓ２２０以下の処理が行われる。
【０３３７】
前記Ｓ３２１で貸与操作受付後でない（ＮＯ）と判定された場合には、前記オフライン状態の発生を検知したのが前記Ｓ２０１の記録媒体受付後，又はＳ１９２の記録媒体供給後であるか否か、具体的には制御部２１のＲＡＭで記憶している処理状態が「記録媒体受付」，又は「記録媒体供給」であるか否かを判定する（Ｓ３４１）。このＳ３４１で記録媒体受付又は供給後である（ＹＥＳ）と判定された場合には、前記Ｓ２２１の残額通知，Ｓ２４１の予定残額通知，又はＳ２４１ｂの供給残額通知を受信済であるか否かを判定する（Ｓ３４２）。
【０３３８】
このＳ３４２で残額通知，予定残額通知，又は供給残額通知を受信済でない（ＮＯ）と判定された場合には、前記Ｓ３８３に進む。
【０３３９】
この予定残額通知を受信済でない場合には、管理装置５０が挿入通知を受信する前にオフライン状態が発生した場合と、該挿入通知を受信した後にオフライン状態が発生した場合とが含まれる。ここで後者の、挿入通知を受信した後にオフライン状態が発生した場合には、通番が一致し、管理装置５０においてオフライン端数額が未加算の状態で記憶されており（即ち挿入処理中であり）、記録媒体にオフライン端数額が記録されている状態になる。従って、オンライン状態にあるメダルサンド２０で当該記録媒体が受け付けられると、Ｓ２０３でＹＥＳ，Ｓ２０４でＮＯ，Ｓ２０６でＹＥＳと判定されて、Ｓ２０８以下の処理が行われる。
【０３４０】
前記Ｓ３４２で残額通知を受信済である（ＹＥＳ）と判定された場合には、Ｓ３４３で、前記図１７のＳ２２２〜Ｓ２２３の各処理を実行済であるか否かを判定し、いずれかの処理を実行済でなければ（ＮＯ）、Ｓ３４３で、該未実行の処理を実行して、前記Ｓ３９３に進み、すべての処理を実行済であれば（ＹＥＳ）、前記Ｓ３９３に進む。またＳ３４２で予定残額通知を受信済である（ＹＥＳ）と判定された場合には、Ｓ３４３で、前記図１７のＳ２４２〜Ｓ２４５の各処理を実行済であるか否かを判定し、いずれかの処理を実行済でなければ（ＮＯ）、Ｓ３４４で、該未実行の処理を実行して、前記Ｓ３９３に進み、すべての処理を実行済であれば（ＹＥＳ）、前記Ｓ３９３に進む。またＳ３４２で供給残額通知を受信済である（ＹＥＳ）と判定された場合には、Ｓ３４３で、前記図２０のＳ２４３〜Ｓ２４５の各処理を実行済であるか否かを判定し、いずれかの処理を実行済でなければ（ＮＯ）、Ｓ３４４で、該未実行の処理を実行して、前記Ｓ３９３に進み、すべての処理を実行済であれば（ＹＥＳ）、前記Ｓ３９３に進む。
【０３４１】
この予定残額通知を受信済である場合には、管理装置５０が端数額消去通知を受信する前にオフライン状態が発生した場合と、該端数額消去通知を受信した後にオフライン状態が発生した場合とが含まれる。ここで前者の、端数額消去通知を受信する前にオフライン状態が発生した場合には、通番が一致せず、管理装置５０においてオフライン端数額が未加算の状態で記憶されており（即ち挿入処理中であり）、記録媒体のオフライン端数額が消去されている状態になる。従って、オンライン状態にあるメダルサンド２０で当該記録媒体が受け付けられると、Ｓ２０３でＮＯ，Ｓ２６１でＮＯ，Ｓ２６３でＹＥＳと判定されて、Ｓ２６４以下の処理が行われる。
【０３４２】
前記Ｓ３４１で記録媒体受付後でない（ＮＯ）と判定された場合には、前記Ｓ３８３に進む。
【０３４３】
次に図２２は、管理装置５０とオフライン状態であるメダルサンド２０において記録媒体を受け付けた場合，及び貨幣を受け付けた場合の処理の一例を表す図である。メダルサンド２０は、オフライン状態において記録媒体受付を待機している状態で、記録媒体（会員カード４又はビジタコイン５）を受け付けると（Ｓ５０１）、該受け付けた記録媒体の記録情報を読み取り、該読み取った記録情報にオフライン端数額が含まれるか否かを判定する（Ｓ５０２）。このＳ５０２でオフライン端数額が含まれる（ＹＥＳ）、即ちオフライン端数額が記録されていると判定された場合には、該オフライン端数額を制御部２１のＲＡＭで記憶し（Ｓ５０３）、記憶残額と記憶端数額とを加算した額（この場合には記憶残額が無いので記憶端数額）を残額表示器２５に表示して（Ｓ５０４）、オフライン状態において貸与操作，貨幣受付，又は返却操作を待機する状態となる（Ｓ５０５）。一方、Ｓ５０２でオフライン端数額が含まれない（ＮＯ）、即ちオフライン端数額が記録されていないと判定された場合にも、前記Ｓ５０５に進む。
【０３４４】
またメダルサンド２０は、オフライン状態において貨幣受付を待機している状態で、貨幣を受け付けると（Ｓ５１０）、受付貨幣額がオフライン一発貸しで使用可能な１０００円以下であるか否かを判定する（Ｓ５１１）。このＳ５１１で受付貨幣額が１０００円を超えている（ＮＯ）と判定された場合には、受付貨幣を返却して（Ｓ５１１ａ）、記憶残額と記憶端数額とを加算した額を表示した後（Ｓ５０４）、貨幣受付を待機する状態になると共に、記録媒体を受け付けていない場合には記録媒体受付を待機する状態，記録媒体を受け付けている場合には返却操作を待機する状態となる（Ｓ５０５）。一方、Ｓ５１１で受付貨幣額が１０００円以下である（ＹＥＳ）と判定された場合には、記憶端数額が対応消費税額以上であるか否かを判定する（Ｓ５１２）。ここで記憶端数額とは、前記Ｓ５０１で受け付けた記録媒体に記録されていた端数額，又は前回の貨幣の受付に基づいて後述するＳ５１３若しくはＳ５２０で特定された端数額であり、対応消費税額とは、受付貨幣額に対応する消費税額である。
【０３４５】
このＳ５１２で記憶端数額が対応消費税額未満である（ＮＯ）と判定された場合には、記憶端数額と記憶残額とを加算した額が対応消費税額以上であるか否かを判定する（Ｓ５１５）。このＳ５１５で記憶端数額と記憶残額とを加算した額が対応消費税額未満である（ＮＯ）と判定された場合には、受付貨幣額が税込単位額（ここでは１０５円）以上であるか否かを判定する（Ｓ５１３）。このＳ５１３で受付貨幣額が税込単位額未満である（ＮＯ）と判定された場合には、Ｓ５１１ａに進み、受付貨幣を返却して（Ｓ５１１ａ）、記憶残額と記憶端数額とを加算した額を表示した後（Ｓ５０４）、貨幣受付を待機する状態になると共に、記録媒体を受け付けていない場合には記録媒体受付を待機する状態，記録媒体を受け付けている場合には返却操作を待機する状態となる（Ｓ５０５）。
【０３４６】
一方、Ｓ５１２で記憶端数額が対応消費税額以上である（ＹＥＳ）と判定された場合には、受付貨幣額（ここでは１０００円）と記憶端数額（例えば５５円）とを加算した額（１０５５円）から貸与対象額（１０５０円）と新たな端数額（５円）とを特定し（Ｓ５１３）、記憶端数額を該特定した端数額に更新して（Ｓ５１４）、Ｓ５２２に進む。また、Ｓ５１５で記憶端数額と記憶残額とを加算した額が対応消費税額以上である（ＹＥＳ）と判定された場合には、受付貨幣額（ここでは１０００円）と記憶端数額（例えば４５円）と記憶残額（例えば５円）とを加算した額（１０５０円）から貸与対象額（１０５０円）と新たな記憶残額（０円）とを特定し（Ｓ５１６）、記憶残額を該特定した記憶残額に更新して記憶端数額を０に更新して（Ｓ５１７）、オフライン消費額に記憶残額の使用額分（ここでは４５円）を加算して（Ｓ５１８）、Ｓ５２２に進む。また、Ｓ５１３で受付貨幣額が税込単位額以上である（ＹＥＳ）と判定された場合には、前述した第１の特定処理により、受付貨幣額（ここでは１０００円）から貸与対象額（９４５円）と端数額（５５円）を特定し（Ｓ５２０）、記憶端数額に該特定した端数額を加算更新して（Ｓ５２１）、Ｓ５２２に進む。
【０３４７】
ここで、Ｓ５１５でＹＥＳと判定される場合としては、記憶端数額が０の場合と（対応消費税額未満でかつ）０でない場合とがあり、記憶端数額が０の場合には、記憶残額のみが使用されるため、Ｓ５１７では対応消費税額を記憶残額から減算更新する処理のみが行われる。一方、記憶端数額が０でない場合には、上述したように、本実施形態においては記憶端数額が記憶残額よりも優先して使用されるため、Ｓ５１７では記憶端数額は必ず０に更新され、対応消費税額と記憶端数額の差額が記憶残額から減算更新される。そして、Ｓ５１７で記憶残額から減算更新された額と同額がオフライン消費額に加算更新される。
【０３４８】
Ｓ５２２では、遊技者の操作によることなく、該特定した貸与対象額分の貸与処理であるオフライン一発貸しを行って、記憶残額及び記憶端数額が共に０となったか否かを判定する（Ｓ５２３）。このＳ５２３で記憶残額及び記憶端数額の少なくともいずれかが０でない（ＮＯ）と判定された場合には、Ｓ５０４に進む。一方、Ｓ５２３で記憶残額及び記憶端数額が共に０となった（ＹＥＳ）と判定された場合には、ビジタコイン５を受付中であるか否かを判定する（Ｓ５２４）。このＳ５２４でビジタコイン５を受付中でない（ＮＯ）と判定された場合には、Ｓ５０４に進む。一方、Ｓ５２４でビジタコイン５を受付中である（ＹＥＳ）と判定された場合には、オンライン残額有りフラグがビジタコイン５に記録されているか否かを判定する（Ｓ５２４ａ）。このＳ５２４ａでオンライン残額有りフラグが記録されている（ＹＥＳ）と判定された場合には、Ｓ５０４に進む。一方、Ｓ５２４ａでオンライン残額有りフラグが記録されていない（ＮＯ）と判定された場合には、オフライン消費額が０であるか否かを判定する（Ｓ５２５）。
【０３４９】
ここで、オフライン状態において貨幣を受け付けたことに基づく貸与処理の結果、記憶残額及び記憶端数額が０となり（Ｓ５２３でＹＥＳ）、かつビジタコイン５を投入コイン保持部１２０に受付中（Ｓ５２４でＹＥＳ）である場合としては、オンライン状態でビジタコイン５を受け付けた後にオフライン状態が発生し、制御部２１のＲＡＭに記憶された当該ビジタコイン５の管理残額（記憶残額）が貸与処理に使用され、Ｓ５１７で減算更新された結果、０になった場合（第１の場合）と、オフライン発生後にビジタコイン５を受け付け、当該ビジタコイン５の端数額（記憶端数額）が貸与処理に使用され、Ｓ５１４又はＳ５１７で減算更新された結果、０になった場合（第２の場合）とがある。
【０３５０】
第１の場合には、記憶残額、即ち受付中のビジタコイン５の管理残額が０になっているため、図示は省略されているが当該ビジタコイン５のオンライン残額有りフラグが消去されるため、Ｓ５２４ａでオンライン残額有りフラグが記録されていない（ＮＯ）と判定され、さらにオフライン消費額も０ではないため（Ｓ５２５でＮＯ）、オフライン消費情報が記録された後、ビジタコイン５が収納通路１３１に回収されて収納される（Ｓ５２９）。
【０３５１】
第２の場合には、受け付けたビジタコイン５にオンライン残額有りフラグ及びオフライン端数額の一方もしくは両方が記録されている場合があり、オフライン端数額のみが記録されたビジタコイン５を受け付けていた場合には、当該オフライン端数額が貸与処理の結果、０になると、Ｓ５２４ａでオンライン残額有りフラグが記録されていない（ＮＯ）と判定され、ビジタコイン５が収納通路１３１に回収されて収納される（Ｓ５２９）。一方、オンライン残額有りフラグのみ、又はオンライン残額有りフラグ及びオフライン端数額の両方が記録されたビジタコイン５を受け付けていた場合には、当該ビジタコイン５は管理残額を有するため、Ｓ５２４ａでオンライン残額有りフラグが記録されている（ＹＥＳ）と判定され、収納通路１３１に回収されることなく、その後の返却操作に応じて返却される。
【０３５２】
前記Ｓ５２５でオフライン消費額が０でない（ＮＯ）と判定された場合には、オフライン時基準金額からオフライン消費額を減算してオフライン消費情報を算出し（Ｓ５２６）、投入コイン保持部１２０で保持しているビジタコイン５に、算出したオフライン消費情報を記録し（Ｓ５２７）、制御部２１のＲＡＭで記憶しているオフライン消費額を消去して（Ｓ５２８）、Ｓ５２９に進む。一方、前記Ｓ５２５でオフライン消費額が０である（ＹＥＳ）と判定された場合にも、Ｓ５２９に進む。Ｓ５２９では、第２の投入コインストッパ１２２を開放状態とすることにより、投入コイン保持部１２０で保持しているビジタコイン５を収納通路１３１に収納して、前記Ｓ５０４に進む。つまり、メダルサンド２０は、ＲＡＭに記憶された記憶残額が０であることを条件として、具体的には記憶残額及び記憶端数額がともに０であることを条件として、消費情報記録手段を構成する制御部２１及び記録媒体Ｂ／Ｗ１０２によりオフライン消費情報が記録されたビジタコイン５を、記録媒体回収手段を構成する制御部２１により、収納通路１３１に回収して収納する。
【０３５３】
このように、メダルサンド２０において、オフライン一発貸しによって発生する端数額が記憶され、後述するＳ５４１で遊技者から排出操作を受け付けると、該記憶されている端数額をオフライン端数額として記録した記録媒体が排出されるので、一発貸しを行う毎に端数額を記録媒体に記録する場合に比べて、記録媒体の寿命を延ばすことができる。
【０３５４】
またオフライン一発貸し後さらに貨幣が受け付けられると、Ｓ５１３で端数額と受付貨幣額との合算額から貸与対象額と端数額が特定され、後述するＳ５４１で遊技者から返却操作を受け付けると、端数額がオフライン端数額として記録された記録媒体が排出されることにより、オフライン一発貸しを行う毎に記録媒体を排出する場合に比べて記録媒体の節約になると共に、遊技者にとっても端数額の記録された記録媒体を複数扱う必要がなくなって利便性が向上する。
【０３５５】
次に図２３は、管理装置５０とオフライン状態であるメダルサンド２０において貸与操作を受け付けた場合の処理の一例を表す図である。メダルサンド２０は、オフライン状態において貸与操作を待機している状態で、貸与操作を受け付けると（Ｓ５３１）、記憶残額が税込単位額以上であるか否かを判定する（Ｓ５３２）。このＳ５３２で記憶残額が税込単位額以上でない（ＮＯ）と判定された場合には、Ｓ５０４に進む。。
【０３５６】
一方、Ｓ５３２で記憶残額が税込単位額以上である（ＹＥＳ）と判定された場合には、使用額＋消費税額分の貸与処理を開始する（Ｓ５３３）。なお、使用額＋消費税額とは、記憶残額が貸与設定金額以上であれば、予め定められた基準貸与額である貸与設定金額（例えば税込単位額の１０度数分である１０５０円）であり、記憶残額が貸与設定金額未満であれば、税込単位額の整数倍であって記憶残額を超えない最大値である貸与対象額である。
【０３５７】
次に、使用額＋消費税額を記憶残額から減算し（Ｓ５３４）、制御部２１のＲＡＭで記憶しているオフライン消費額を使用額＋消費税額分加算し（Ｓ５３５）、前記Ｓ５３３で開始された使用額＋消費税額分の貸与処理の終了を待機する（Ｓ５３６）。このＳ５３６で該貸与処理が終了した（ＹＥＳ）と判定された場合には、記憶残額が０であるか否かを判定する（Ｓ５９１）。このＳ５９１で記憶残額が０でない（ＮＯ）と判定された場合には、Ｓ５０４に進む。一方、Ｓ５９１で記憶残額が０である（ＹＥＳ）と判定された場合には、ビジタコイン５を受付中であるか否かを判定する（Ｓ５９２）。このＳ５９２でビジタコイン５を受付中でない（ＮＯ）と判定された場合、Ｓ５０４に進む。
【０３５８】
一方、Ｓ５９２でビジタコイン５を受付中である（ＹＥＳ）と判定された場合、オフライン時基準金額からオフライン消費額を減算してオフライン消費情報を算出し（Ｓ５９３）、投入コイン保持部１２０で保持しているビジタコイン５に、算出したオフライン消費情報を記録し（Ｓ５９４）、制御部２１のＲＡＭで記憶しているオフライン消費額を消去し（Ｓ５９５）、第２の投入コインストッパ１２２を開放状態とすることにより、投入コイン保持部１２０で保持しているビジタコイン５を収納通路１３１に収納して（Ｓ５９６）、前記Ｓ５０４に進む。ここで、本実施形態においては、記憶残額よりも記憶端数額が優先して使用されるため、オフライン状態において貸与操作に応じて記憶残額を使用した貸与処理が行われた後に記憶残額が０となった場合には、記憶端数額は必ず０であり、またオフライン消費額も０ではないため、図２２におけるＳ５２３やＳ５２５の判定ではなく、Ｓ５９１において記憶残額が０であるか否かの判定のみを行っている。
【０３５９】
次に図２４，図２５，及び図２６は、図２２に続く図である。メダルサンド２０は、オフライン状態において返却操作を待機している状態で、返却ボタン２７が押下されて返却操作を受け付けると（Ｓ５４１）、記録媒体（会員カード４又はビジタコイン５）を受付中であるか否かを判定する（Ｓ５４２）。このＳ５４２で記録媒体を受け付けていない（ＮＯ）と判定された場合には、記憶残額が零であるか否かを判定する（Ｓ５４３）。このＳ５４３で記憶残額が零でない（ＮＯ）と判定された場合には、演算方式を決定し（Ｓ９４１）、決定した演算方式で記憶残額が演算されるような元データを前述した方法で算出する（Ｓ９４２）。そして、収納コイン保持部１４０で保持しているビジタコイン５に、算出した基準データ、乗算データ，除算データ，加算データからなる元データと、演算方式フラグとを記録し（Ｓ９４３）、制御部２１のＲＡＭで記憶している記憶残額を消去し（Ｓ５４４）、収納コイン保持部１４０で保持しているビジタコイン５にオンライン残額有りフラグを記録して（Ｓ５４５）、Ｓ９４５に進む。一方、Ｓ５４３で記憶残額が零である（ＹＥＳ）と判定された場合にも、Ｓ９４５に進む。この場合の記憶残額は、管理残額からオフライン消費額を減算した額となる。
【０３６０】
Ｓ９４５では、制御部２１のＲＡＭに記憶されているオフライン消費額が零であるか否かを判定する。このＳ９４５でオフライン消費額が零である（ＹＥＳ）と判定された場合には、Ｓ５４６に進む。一方、Ｓ９４５でオフライン消費額が零でない（ＮＯ）と判定された場合には、オフライン時基準金額からオフライン消費額を減算してオフライン消費情報を算出し（Ｓ９４６）、収納コイン保持部１４０で保持しているビジタコイン５に、算出したオフライン消費情報を記録し（Ｓ９４７）、制御部２１のＲＡＭで記憶しているオフライン消費額を消去し（Ｓ９４８）、Ｓ５４６に進む。
【０３６１】
Ｓ５４６では、記憶端数額が零であるか否かを判定する。このＳ５４６で記憶端数額が零である（ＹＥＳ）と判定された場合には、前記ビジタコイン５にオンライン残額有りフラグが記録されているか否かを判定する（Ｓ５４７）。このＳ５４７でオンライン残額有りフラグが記録されている（ＹＥＳ）と判定された場合には、Ｓ５５２に進む。一方、Ｓ５４７でオンライン残額有りフラグが記録されていない（ＮＯ）と判定された場合には、返却操作が無効とされ（Ｓ５４９）、オフライン状態において貨幣受付，又は記録媒体受付を待機する状態となる（Ｓ５５４）。
【０３６２】
なお、記憶残額及び記憶端数額がともに零の場合（Ｓ５４３及びＳ５４６がともにＹＥＳ）には、Ｓ９４７においてオフライン消費情報が記録されていても、Ｓ５４９で返却操作が無効とされ、ビジタコイン５は返却されない。この場合、当該メダルサンド２０がオンライン状態に復帰したときに、ビジタコイン５の記録媒体ＩＤとオフライン消費情報とを含む挿入通知が管理装置５０に送信され、管理残額の補正が行われる。また、オフライン状態において、貨幣を受付けた結果、端数額が発生し、当該端数額が記録されて前記ビジタコイン５が排出され、該ビジタコイン５がオンライン状態のメダルサンド２０で受付けられることにより、記録媒体ＩＤとオフライン消費額とオフライン端数額とを含む挿入通知が管理装置５０に送信され、管理残額の補正が行われる。
【０３６３】
前記Ｓ５４６で記憶端数額が零でない（ＮＯ）と判定された場合には、収納コイン保持部１４０で保持しているビジタコイン５に該記憶端数額をオフライン端数額として記録し（Ｓ５５０）、制御部２１のＲＡＭで記憶している該記憶端数額を消去して（Ｓ５５１）、Ｓ５５２に進む。
【０３６４】
Ｓ５５２では、第２の収納コインストッパ１４２を開放状態とすることにより、収納コイン保持部１４０で保持しているビジタコイン５を排出して返却する。即ちビジタコイン５は、記憶端数額がある場合，及びオンライン残額有りフラグが記録されている場合において返却される。このように、オフライン状態にあるメダルサンド２０で、貨幣が受け付けられてオフライン一発貸しが行われた結果として端数額が発生し、該端数額を使用した貸与処理が行われた結果として当該端数額が零になった場合において、オンライン残額有りフラグが該ビジタコイン５に記録されていることを条件として、当該ビジタコイン５が排出されるので、管理残額があるビジタコイン５を遊技者に確実に返却できる一方で、管理残額が無く本来返却する必要のないビジタコイン５の無駄な返却を防止できる。そして第２の収納コインストッパ１４２を閉鎖状態とし、第１の収納コインストッパ１４１を開放状態とすることにより、収納通路１３１で保持している最下位のビジタコイン５を該収納通路１３１から排出して収納コイン保持部１４０に供給し（Ｓ５５３）、オフライン状態において貨幣受付，又は記録媒体受付を待機する状態となる（Ｓ５５４）。
【０３６５】
前記Ｓ５４２で記録媒体を受付中である（ＹＥＳ）と判定された場合には、ビジタコイン５を受付中であるか否かが判定される（Ｓ５６０）。このＳ５６０でビジタコイン５を受付中である（ＹＥＳ）と判定された場合には、図２５に進んで、記憶残額が零であるか否かを判定する（Ｓ５６１）。このＳ５６１で記憶残額が零でない（ＮＯ）と判定された場合には、演算方式を決定し（Ｓ９５１）、決定した演算方式で記憶残額が演算されるような元データを前述した方法で算出する（Ｓ９５２）。そして、投入コイン保持部１２０で保持しているビジタコイン５に、算出した基準データ，乗算データ，除算データ，加算データからなる元データと、演算方式フラグとを記録し（Ｓ９５３）、制御部２１のＲＡＭで記憶している記憶残額を消去し（Ｓ５６２）、投入コイン保持部１２０で保持しているビジタコイン５にオンライン残額有りフラグを記録して（Ｓ５６３）、Ｓ９５５に進む。一方、Ｓ５６１で記憶残額が零である（ＹＥＳ）と判定された場合にも、Ｓ９５５に進む。
【０３６６】
Ｓ９５５では、オフライン消費額が零であるか否かを判定する。このＳ９５５でオフライン消費額が零である（ＹＥＳ）と判定された場合には、Ｓ５６４に進む。一方、Ｓ９５５でオフライン消費額が零でない（ＮＯ）と判定された場合には、オフライン時基準金額からオフライン消費額を減算してオフライン消費情報を算出し（Ｓ９５６）、投入コイン保持部１２０で保持しているビジタコイン５に、算出したオフライン消費情報を記録し（Ｓ９５７）、制御部２１のＲＡＭで記憶しているオフライン消費額を消去し（Ｓ９５８）、Ｓ５６４に進む。
【０３６７】
Ｓ５６４では、記憶端数額が零であるか否かを判定する。このＳ５６４で記憶端数額が零である（ＹＥＳ）と判定された場合には、前記ビジタコイン５に記録されているオフライン端数額を消去して（Ｓ５６５）、Ｓ５７１に進む。一方、Ｓ５６４で記憶端数額が零でない（ＮＯ）と判定された場合には、投入コイン保持部１２０で保持しているビジタコイン５に該記憶端数額をオフライン端数額として記録し（Ｓ５６９）、制御部２１のＲＡＭで記憶している該記憶端数額を消去して（Ｓ５７０）、Ｓ５７１に進む。
【０３６８】
Ｓ５７１では、第１の投入コインストッパ１２１を開放状態とすることにより、投入コイン保持部１２０で保持しているビジタコイン５を排出して返却し、Ｓ５５４に進む。即ちビジタコイン５は、記憶端数額がある場合，オンライン残額有りフラグが記録されている場合，及びオフライン消費情報が記録されている場合において返却される。
【０３６９】
ここで、投入コイン保持部１２０で保持されているビジタコイン５は、オフライン状態において貨幣を受け付けて貸与処理を行った結果、記憶残額及び記憶端数額がともに０となり（図２２のＳ５２３でＹＥＳ）、オンライン残有りフラグが記録されていない場合や、オフライン状態において貸与操作に応じて貸与処理を行った結果、記憶残額が０となった場合（この場合、記憶残額＝管理残額＝０なのでオンライン残有りフラグは記録されていない）に、収納通路１３１に回収される。従って、返却操作を受け付けた時点で投入コイン保持部１２０にビジタコイン５が保持されていれば、記憶残額や記憶端数額が０であっても、必ずオンライン残有りフラグが記録されているので、図２５においてはオンライン残有りフラグが記録されているか否かの判定は行われることなく、必ずビジタコイン５が排出される。
【０３７０】
このように、オフライン状態にあるメダルサンド２０で、貨幣が受け付けられてオフライン一発貸しが行われた結果として端数額が発生し、該端数額を使用した貸与処理が行われた結果として当該端数額が零になった場合において、オンライン残額有りフラグが該ビジタコイン５に記録されていることを条件として、当該ビジタコイン５が排出されるので、管理残額があるビジタコイン５を遊技者に確実に返却できる一方で、管理残額が無く本来返却する必要のないビジタコイン５の無駄な返却を防止できる。
【０３７１】
以上のように、メダルサンド２０は、返却操作を受け付けたときに、記憶残額が０でない場合（図２４のＳ５４２でＮＯ、図２５のＳ５６１でＮＯ）には、収納コイン保持部１４０又は投入コイン保持部１２０で保持されている、オフライン消費情報が記録されたビジタコイン５を、記録媒体排出手段を構成する制御部２１により排出する。
【０３７２】
前記Ｓ５６０でビジタコイン５を受付中でない（ＮＯ），即ち会員カード４を受付中であると判定された場合には、図２６に進んで、記憶残額が０であるか否かを判定する（Ｓ９６０）。このＳ９６０で記憶残額が０である（ＹＥＳ）と判定された場合には、Ｓ９６５に進む。一方、Ｓ９６０で記憶残額が０でない（ＮＯ）と判定された場合には、演算方式を決定し（Ｓ９６１）、決定した演算方式で記憶残額が演算されるような元データを前述した方法で算出する（Ｓ９６２）。そして、カード保持部１９１で保持している会員カード４に、算出した基準データ，乗算データ，除算データ，加算データからなる元データと、演算方式フラグとを記録し（Ｓ９６３）、制御部２１のＲＡＭで記憶している記憶残額を消去して（Ｓ５８１）、Ｓ９６５に進む。
【０３７３】
Ｓ９６５では、オフライン消費額が零であるか否かを判定する。このＳ９６５でオフライン消費額が零である（ＹＥＳ）と判定された場合には、Ｓ５８２に進む。一方、Ｓ９６５でオフライン消費額が零でない（ＮＯ）と判定された場合には、オフライン時基準金額からオフライン消費額を減算してオフライン消費情報を算出し（Ｓ９６６）、カード保持部１９１で保持している会員カード４に、算出したオフライン消費情報を記録し（Ｓ９６７）、制御部２１のＲＡＭで記憶しているオフライン消費額を消去して（Ｓ９６８）、Ｓ５８２に進む。
【０３７４】
Ｓ５８２では、記憶端数額が零であるか否かを判定する。このＳ５８２で記憶端数額が零である（ＹＥＳ）と判定された場合には、カード保持部１９１で保持している会員カード４に記録されているオフライン端数額を消去して（Ｓ５８３）、該会員カード４を返却する（Ｓ５８６）。一方、Ｓ５８２で記憶端数額が零でない（ＮＯ）と判定された場合には、該会員カード４に該記憶端数額をオフライン端数額として記録し（Ｓ５８４）、制御部２１のＲＡＭで記憶している該記憶端数額を消去して（Ｓ５８５）、該会員カード４を返却し（Ｓ５８６）、Ｓ５５４に進む。即ち会員カード４は、返却操作を受け付けると、常に返却される。
【０３７５】
以上に説明した遊技用システム１によれば、貸与処理に使用された使用額に対応する消費税額を徴収する場合に、オフライン状態のメダルサンド２０が貨幣を受け付けたときに、受付貨幣額から、予め定められた単位使用額と該単位使用額に対応する間接税額との合算額である税込単位額の整数倍に相当する貸与対象額を特定し、該特定した貸与対象額分の遊技媒体を貸与するための貨幣貸与処理（いわゆるオフライン一発貸し）を行うようにしても、該貨幣貸与処理によって発生する端数額が記録媒体に記録されて排出される（Ｓ５５０，Ｓ５５２、Ｓ５８４，Ｓ５８６）。そして前記図１６に示すように、該記録媒体がオンライン状態のメダルサンド２０において受け付けられることで、管理装置５０において該記録媒体の端数額が管理残額に加算されて遊技媒体の貸与に使用可能となることにより、該端数額を処理するための釣銭払出機能や追加入金機能をメダルサンド２０に設ける必要がないので、メダルサンド２０のコストが上昇することがない。また、オフライン端数額を精算することなく遊技に使用することができるので、遊技者の利便性が向上する。
【０３７６】
次に図２７は、予定残額通知の受信前にオフライン状態となったメダルサンド２０において貨幣を受け付けた場合の処理の一例を表す図である。メダルサンド２０は、オフライン端数額（ここでは５５円）が記録されている記録媒体を受け付けると（Ｓ２０１）、前述の如く、前記Ｓ２０２以下の処理を行い、管理装置５０は、当該記録媒体の記録媒体ＩＤと対応付けて該オフライン端数額を記憶して（Ｓ２１２，又はＳ２７７）、該記録媒体ＩＤに対応付けて管理されている管理残額と前記オフライン端数額との合算額を含む予定残額通知をメダルサンド２０に対して送信する（Ｓ２４１）。
【０３７７】
この予定残額通知をメダルサンド２０が受信する前にオフライン状態が発生すると、通番が一致し、記録媒体にオフライン端数額が記録されており、管理装置５０においてオフライン端数額が未加算の状態で記憶されている（即ち挿入処理中である）状態になる。
【０３７８】
この状態でメダルサンド２０が貨幣（ここでは１０００円）を受け付けると、記憶端数額（５５円）＋受付貨幣額（１０００円）から貸与対象額（１０５０円）と端数額（５円）を特定し、遊技者の操作によることなく、該特定した貸与対象額分の貸与処理であるオフライン一発貸しを行い、制御部２１のＲＡＭで記憶している記憶端数額を該特定した端数額に更新する。即ち記録媒体に記録されているオフライン端数額から５０円が消費されて、該オフライン端数額が５円になり、管理装置５０で記憶されているオフライン端数額である５５円と異なることになる。
【０３７９】
この場合には、オンライン状態にあるメダルサンド２０において当該記録媒体が受け付けられると、Ｓ２０３でＹＥＳ，Ｓ２０４でＮＯ，Ｓ２０６でＹＥＳと判定され、Ｓ２０８で前記記憶されているオフライン端数額（５５円）が消去され、Ｓ２１２で前記挿入通知に含まれるオフライン端数額（５円）が記憶される。そして該記憶されたオフライン端数額（５円）は、Ｓ２４８で管理残額に対して加算される。従って、オフライン状態となった後に引き続き遊技を続けた場合であっても、オンライン状態のメダルサンド２０に当該記録媒体を挿入することで、残額が確定される。
【０３８０】
このように、メダルサンド２０が予定残額通知を受信する前にオフライン状態となった場合であっても、その後、オフライン状態となったメダルサンド２０で継続して遊技を行うことが可能であり、さらに、オンライン状態のメダルサンド２０に当該記録媒体を挿入して遊技を行うことが可能であるため、遊技者に極力迷惑をかけないようにすることができる。
【０３８１】
次に図２８は、端数額消去通知の送信後にオフライン状態となったメダルサンド２０において貨幣を受け付けた場合の処理の一例を表す図である。メダルサンド２０は、オフライン端数額（ここでは５５円）が記録されている記録媒体を受け付けると（Ｓ２０１）、前述の如く、前記Ｓ２０２以下の処理を行い、管理装置５０は、当該記録媒体の記録媒体ＩＤと対応付けて該オフライン端数額を記憶して（Ｓ２１２，又はＳ２７７）、該記録媒体ＩＤに対応付けて管理されている管理残額と前記オフライン端数額との合算額を含む予定残額通知をメダルサンド２０に対して送信する（Ｓ２４１）。
【０３８２】
この予定残額通知を受信したメダルサンド２０は、前記記録媒体に記録されているオフライン端数額を消去し（Ｓ２４４）、該記録媒体の通番に１を加算して更新し（Ｓ２４５）、端数額消去通知を管理装置５０に対して送信する（Ｓ２４６）。この端数額消去通知をメダルサンド２０が送信し管理装置５０が受信する前にオフライン状態が発生すると、通番が一致せず、管理装置５０においてオフライン端数額が未加算の状態で記憶されており（即ち挿入処理中であり）、記録媒体のオフライン端数額が消去されている状態になる。
【０３８３】
この状態でメダルサンド２０が貨幣（ここでは５００円）を受け付けると、受付貨幣額（５００円）から貸与対象額（４２０円）と端数額（８０円）を特定し、遊技者の操作によることなく、該特定した貸与対象額分の貸与処理であるオフライン一発貸しを行い、該特定した端数額を制御部２１のＲＡＭで記憶する。ここで記憶されたオフライン端数額は、管理装置５０で記憶されているオフライン端数額が管理残額に対して加算された後に、さらに加算されるべきものである。
【０３８４】
この場合には、オンライン状態にあるメダルサンド２０において当該記録媒体が受け付けられると、Ｓ２０３でＮＯ，Ｓ２６１でＮＯ，Ｓ２６３でＹＥＳと判定され、Ｓ２６５で前記記憶されているオフライン端数額（５５円）が管理残額に対して加算されて消去され、Ｓ２７７で前記挿入通知に含まれるオフライン端数額（８０円）が記憶される。そして該記憶されたオフライン端数額（８０円）は、Ｓ２４８で管理残額に対して加算される。従って、オフライン状態となった後に引き続き遊技を続けた場合であっても、オンライン状態のメダルサンド２０に当該記録媒体を挿入することで、残額が確定される。
【０３８５】
このように、メダルサンド２０が端数額消去通知を送信した後、管理装置５０が該端数額消去通知を受信する前にオフライン状態となった場合であっても、その後、オフライン状態となったメダルサンド２０で継続して遊技を行うことが可能であり、さらに、オンライン状態のメダルサンド２０に当該記録媒体を挿入して遊技を行うことが可能であるため、遊技者に極力迷惑をかけないようにすることができる。
【０３８６】
ここで、本発明のように、記録媒体に通番を記録している場合に生じる効果について、例を挙げて説明する。本例のように、オフライン端数額を含む挿入通知を受信した管理装置５０で、オフライン端数額を一旦記憶して、予定残額通知をメダルサンド２０に対して返信し、該予定残額通知を受信したメダルサンド２０で、記録媒体に記録されているオフライン端数額を消去した後に、端数額消去通知を管理装置５０に対して送信し、該端数額消去通知を受信した管理装置５０で、オフライン端数額を管理残額に加算するように構成した場合、予定残額通知の送信後にオフライン状態が発生すると、後述する従来技術（特開２０００−１４８６８３）を使用しても、当該オフライン状態が発生したメダルサンド２０がオンライン状態に復帰するまでは、メダルサンド２０が予定残額通知を受信したか否か，即ち記録媒体に記録されているオフライン端数額の消去が行われたか否かを、管理装置５０側では特定不可能である。
【０３８７】
そのため、当該オフライン状態のメダルサンド２０から排出された記録媒体が他のオンライン状態のメダルサンド２０に受け付けられ、該記録媒体に記録されているオフライン端数額を含む挿入通知が送信されたときに、当該オフライン端数額が、前回の予定残額通知に応じて一旦消去された後にオフライン一発貸しにより新たに発生したものか、一旦消去されることなく残存しているもの（あるいは残存した端数額の一部がオフライン状態のメダルサンド２０で使用された後の値）かを、管理装置５０側において特定できない。つまり、記憶しているオフライン端数額に加えて今回のオフライン端数額を管理残額に加算すべきか、記憶しているオフライン端数額を消去して今回のオフライン端数額のみを管理残額に加算すべきかを特定することができない。このときに、一律にオフライン端数額を消去したり管理残額に加算したりすると、遊技者あるいは遊技場が損をしてしまうし、また、前記オフライン状態のメダルサンド２０がオンライン状態に復帰するまで一律に記録媒体の残額の使用を許可しない（例えば記録媒体の返却禁止，又は返却は可能であるがオフライン状態のメダルサンド２０から排出された事を特定可能な情報（例えばオフライン時排出フラグ）を記録して、他のメダルサンド２０や精算装置６０で使用不可能とする処理を行う）ようにすると、遊技者に迷惑がかかる。
【０３８８】
そこで本発明のように、記録媒体に通番を記録すると共に、管理装置５０で記録媒体ＩＤに対応付けられた通番を管理するようにしておき、メダルサンド２０でオフライン端数額の消去を行ったときに記録通番を更新し、管理装置５０でオフライン端数額の加算・消去を行ったときに管理通番を更新することで、通番が一致しないときには、図２８に示したように、記録媒体に記録されているオフライン端数額の消去が行われたことを特定して、記憶しているオフライン端数額を管理残額に加算し、通番が一致するときには、図２７に示したように、記録媒体に記録されているオフライン端数額の消去が行われていないことを特定して、記憶しているオフライン端数額を消去することで、残額を確定することができる。そのため、遊技者又は遊技場が損害を被ることがなく、またオフライン状態となったメダルサンド２０がオンライン状態に復帰するのを待つことなく、他のメダルサンド２０での使用や精算装置６０での精算を行うことができ、遊技者に迷惑がかからない。
【０３８９】
例えば図２７に示したように、メダルサンド２０が予定残額通知を受信する前にオフライン状態となった後に、オフライン一発貸しが行われて、オフライン端数額が消費されたときにも、通番が一致していることから、記録媒体に記録されているオフライン端数額が消去されていない旨を特定して、記憶しているオフライン端数額を消去し、消費後のオフライン端数額を新たに記憶するので、メダルサンド２０が予定残額通知を受信する前にオフライン状態となり、オフライン一発貸しが行われても、オンライン状態のメダルサンド２０に当該記録媒体を挿入することで、残額が確定される。
【０３９０】
さらに図２８に示したように、メダルサンド２０が予定残額通知を受信した後にオフライン状態となった後に、オフライン一発貸しが行われて、オフライン端数額が生じたときにも、通番が不一致であることから、記録媒体に記録されているオフライン端数額が消去されている旨を特定して、記憶しているオフライン端数額を管理残額に加算し、新たなオフライン端数額を記憶するので、メダルサンド２０が予定残額通知を受信した後にオフライン状態となり、オフライン一発貸しが行われても、オンライン状態のメダルサンド２０に当該記録媒体を挿入することで、残額が確定される。なお、以上のような効果は、オフライン端数額だけでなく、挿入通知に含まれるオフライン消費情報に基づくオフライン消費額の減算補正及び挿入通知に含まれるオフライン精算情報に基づくオフライン精算額の減算補正についても同様である。
【０３９１】
次に図２９は、メダルサンド２０とのオンライン状態への復帰を検知した場合の処理の一例を表す図である。管理装置５０は、前記通信可否検知手段によりオンライン状態への復帰を検知すると（Ｓ６０１）、開始要求をメダルサンド２０に対して送信する（Ｓ６０２）。該開始要求を受信したメダルサンド２０は、記憶端数額をオフライン端数額として記録媒体（即ち会員カード４又はビジタコイン５を受け付けていない場合には収納コイン保持部１４０で保持しているビジタコイン５，会員カード４を受け付けている場合にはカード保持部１９１で保持している会員カード４，ビジタコイン５を受け付けている場合には投入コイン保持部１２０で保持しているビジタコイン５）に記録すると共に（Ｓ６０３）、該記憶端数額を消去し（Ｓ６０４）、オフライン時基準金額からオフライン消費額を減算してオフライン消費情報を算出し（Ｓ６１１）、算出したオフライン消費情報を前記記録媒体に記録し（Ｓ６１２）、制御部２１のＲＡＭで記憶しているオフライン消費額を消去し、開始応答を管理装置５０に対して返信する（Ｓ６０５）。そして該記録媒体の記録媒体ＩＤ，オフライン消費情報，オフライン端数額，オフライン精算情報，通番，及び装置ＩＤを含むオンライン復帰通知を管理装置５０に対して送信する（Ｓ６０６）。このオンライン復帰通知は、前記挿入通知と同等のものであるため、該オンライン復帰通知を受信した管理装置５０は、図１６〜図１８で説明したＳ２０３以下で前記挿入通知を受信した場合と同様の処理を行う。ただし、図１７に示したＳ２４０以下の処理は、図３０に示すＳ２４０以下の処理に置き換わるものとする。また、当該オンライン復帰通知を挿入通知と同様に扱い、図１６〜図１８の説明において、挿入通知をオンライン復帰通知と読み替えるものとする。以下、図３０について説明する。
【０３９２】
Ｓ２４０では、オンライン復帰通知に含まれる記録媒体ＩＤに対応付けて該オンライン復帰通知に含まれる装置ＩＤ、即ちメダルサンド２０の装置ＩＤを記憶し、該記録媒体ＩＤに対応付けて管理されている管理残額とオフライン端数額とを加算した額からオフライン消費額とオフライン精算額とを減算した合算額を含む予定残額通知をメダルサンド２０に対して送信する（Ｓ２４１）。
【０３９３】
Ｓ２４１の予定残額通知を受信したメダルサンド２０は、該予定残額通知に含まれる合算額を残額として制御部２１のＲＡＭで記憶し（Ｓ２４２）、記録媒体（即ち会員カード４を受け付けている場合にはカード保持部１９１で保持している会員カード４，ビジタコイン５を受け付けている場合には投入コイン保持部１２０で保持しているビジタコイン５、会員カード４もビジタコイン５も受け付けていない場合には収納コイン保持部１４０で保持しているビジタコイン５）に記録されているオフライン消費情報を消去すると共に（Ｓ２４３）、該記録媒体に記録されているオフライン精算情報を消去し（Ｓ２４３ａ）、該記録媒体に記録されているオフライン端数額を消去し（Ｓ２４４）、該記録媒体の通番に１を加算して更新し（Ｓ２４５）、前記記録媒体ＩＤを含む端数額消去通知を管理装置５０に対して送信して（Ｓ２４６）、Ｓ２４９に進む。
【０３９４】
Ｓ２４６の端数額消去通知を受信した管理装置５０は、前記残額管理ＤＢにおいて、前記記録媒体ＩＤに対応付けて記憶されているオフライン消費額を該記録媒体ＩＤに対応付けて管理されている管理残額から減算し、該オフライン消費額を消去して（Ｓ２４７）、前記記録媒体ＩＤに対応付けて記憶されているオフライン精算額を該記録媒体ＩＤに対応付けて管理されている管理残額から減算し、該オフライン精算額を消去し（Ｓ２４７ａ）、前記記録媒体ＩＤに対応付けて記憶されているオフライン端数額を該記録媒体ＩＤに対応付けて管理されている管理残額に対して加算し、該オフライン端数額を消去して（Ｓ２４８）、前記残額管理ＤＢにおいて、該端数額消去通知に含まれる記録媒体ＩＤに対応付けられた通番に１を加算して更新し（Ｓ２２７）、該記録媒体ＩＤに対応するステータスを挿入処理済に更新する（Ｓ２２８）。
【０３９５】
これにより、オフライン状態であったメダルサンド２０がオンライン状態になると、受け付けられている記録媒体に記録されている記録媒体ＩＤとオフライン状態中のオフライン端数額、オフライン消費情報及びオフライン精算情報（収納コイン保持部１４０のビジタコイン５の場合）とを含む挿入通知が管理装置５０に対して送信され、該オフライン端数額と管理残額との合算額を特定可能な予定残額通知が管理装置５０から送信されてきて、該合算額が貸与処理に使用可能となるので、入金残額を精算しなくても良く、遊技者の利便性が向上する。
【０３９６】
前記Ｓ２４６で端数額消去通知を送信したメダルサンド２０は、貸与処理中であるか否かを判定する（Ｓ２４９）。このＳ２４９で貸与処理中である（ＹＥＳ）と判定された場合には、貸与処理の終了を待機し（Ｓ２４９ａ）、該貸与処理が終了した（ＹＥＳ）と判定された場合には、Ｓ２２５に進む。一方、Ｓ２４９で貸与処理中でない（ＮＯ）と判定された場合にも、Ｓ２２５に進む。Ｓ２２５では、記憶残額を残額表示器２５に表示して、貸与操作，貨幣受付，又は返却操作を待機する状態となる（Ｓ２２６）。つまり、オンライン復帰時に貸与処理中であっても、オンライン復帰通知の送信等の処理は行い、貸与処理終了後に、記憶残額を表示し、貸与操作などを受付可能な状態とされる。
【０３９７】
これによれば、管理装置５０と通信できないオフライン状態でメダルサンド２０が貨幣を受け付けてオフライン一発貸し又は記憶残額で貸与処理を行った後にオンライン状態に復帰すると、遊技者の操作によらずに、オフライン端数額とオフライン消費情報とオフライン精算情報と記録媒体ＩＤとを含むオンライン復帰通知が管理装置５０に対して送信され、該オフライン端数額と管理残額とを加算した額からオフライン消費額とオフライン精算額とを減算した合算額を特定可能な予定残額通知（図１７のＳ２４１）が管理装置５０から送信されてきて、該合算額が貸与処理に使用可能となるので（同Ｓ２２６）、遊技者に手間をかけることなく、管理残額が使用可能となる。しかも、オフライン貸与処理中にも供給通知等を行うので、オフライン貸与終了後にすぐ管理残額を使用可能となり、遊
技者を待たせることがない。
【０３９８】
また管理装置５０におけるオンライン復帰通知の受信に基づいて、該オンライン復帰通知に含まれるオフライン端数額、オフライン消費額及びオフライン精算額が記憶され（図１６のＳ２１２，Ｓ２１９，Ｓ２３７、図１８のＳ２７７，Ｓ２８４，Ｓ２９７）、メダルサンド２０における予定残額通知の受信に基づいて（図３０のＳ２４１）、記録媒体に記録されている通番が更新されると共に（同Ｓ２４５）、管理装置５０における端数額消去通知の受信に基づいて（同Ｓ２４６）、記録媒体ＩＤに対応付けられた通番が更新され（同Ｓ２２７）、オンライン復帰通知に含まれる記録媒体の通番と前記記録媒体ＩＤに対応付けられた通番とが一致していなければ、管理残額に対してオフライン端数額が加算され（図１８のＳ２６５）、管理残額からオフライン消費額が減算され（図１８のＳ２６４）、管理残額からオフライン精算額が減算される（同Ｓ２６４ａ）のでオンライン状態への復帰に伴う処理の途中にオフライン状態が再び発生した場合にも、正確な残額を確定することができる。
【０３９９】
次に図３１は、オンライン状態において精算装置６０において記録媒体を受け付けた場合の処理の一例を表す図である。精算装置６０は、記録媒体（会員カード４又はビジタコイン５）を受け付けると（Ｓ７０１）、該受け付けた記録媒体の記録情報を読み取り、該読み取った記録情報に含まれるオフライン端数額が税込単位額未満であるか否かを判定する（Ｓａ７０１）。
【０４００】
このＳａ７０１でオフライン端数額が税込単位額未満でない（ＮＯ）と判定された場合には、エラー処理として、図１２（ｂ）のＤ５に示す画面をディスプレイ６３に表示する。このように、記録媒体に記録されているオフライン端数額が予め定められた所定の金額（ここでは税込単位額）未満であることを条件としてオフライン端数額の精算が行われることにより、記録情報が改ざんされた記録媒体により不正に精算が行われたとしても前記所定の金額未満の貨幣しか払い出されないので、不正による被害を最小限に抑えることができる。
【０４０１】
一方、Ｓａ７０１でオフライン端数額が税込単位額未満である（ＹＥＳ）と判定された場合には、前記読み取った記録媒体ＩＤ，オフライン消費情報，オフライン端数額，オフライン精算情報，通番，及び当該精算装置６０の装置ＩＤを含む精算要求を管理装置５０に対して送信する（Ｓ７０２）。
【０４０２】
Ｓ７０２の精算要求を受信した管理装置５０は、当該精算要求を挿入通知と同様に扱い、図１６〜図１８で説明したＳ２０３以下と同様の処理を実施する。ただし、図１７に示したＳ２２０以下の処理，及びＳ２４０以下の処理は、図３２に示すＳ２２０以下の処理，及びＳ２４０以下の処理に、それぞれ置き換わるものとする。また図１６〜図１８の説明において、メダルサンド２０を精算装置６０，挿入通知を精算要求と、それぞれ読み替えるものとする。以下、図３２について説明する。
【０４０３】
Ｓ２２０では、精算要求に含まれる記録媒体ＩＤに対応付けて該精算要求に含まれる装置ＩＤ、即ち精算装置６０の装置ＩＤを記憶し、該記録媒体ＩＤに対応付けて管理されている管理残額を含む精算許諾情報を精算装置６０に対して送信する（Ｓ２２１ａ）。
【０４０４】
Ｓ２２１ａの精算許諾情報を受信した精算装置６０は、図１２（ｂ）のＤ２に示す画面をディスプレイ６３に表示して、精算，又は返却操作を待機する状態となる（Ｓ２２２ａ）。そして、受け付けている記録媒体の通番に１を加算して更新し（Ｓ２２３）、該記録媒体の記録媒体ＩＤを含む精算許諾情報受信通知を管理装置５０に対して送信する（Ｓ２２４ａ）。
【０４０５】
Ｓ２２４ａの精算許諾情報受信通知を受信した管理装置５０は、前記残額管理ＤＢにおいて、該精算許諾情報受信通知に含まれる記録媒体ＩＤに対応付けられた通番に１を加算して更新し（Ｓ２２７）、該記録媒体ＩＤに対応するステータスを挿入処理済に更新する（Ｓ２２８）。
【０４０６】
またＳ２４０では、精算要求に含まれる記録媒体ＩＤに対応付けて該精算要求に含まれる装置ＩＤ、即ち精算装置６０の装置ＩＤを記憶し、該記録媒体ＩＤに対応付けて管理されている管理残額と前記オフライン端数額とを加算した額からオフライン消費額とオフライン精算額とを減算した合算額を含む精算許諾情報を精算装置６０に対して送信する（Ｓ２４１ａ）。
【０４０７】
Ｓ２４１ａの精算許諾情報を受信した精算装置６０は、図１２（ｂ）のＤ２に示す画面をディスプレイ６３に表示して、精算，又は返却操作を待機する状態となる（Ｓ２４２ａ）。そして受け付けている記録媒体に記録されているオフライン消費情報を消去すると共に（Ｓ２４３）、該記録媒体に記録されているオフライン精算情報を消去し（Ｓ２４３ａ）、該記録媒体に記録されているオフライン端数額を消去し（Ｓ２４４）、該記録媒体の通番に１を加算して更新し（Ｓ２４５）、該記録媒体の記録媒体ＩＤを含む端数額消去通知を管理装置５０に対して送信する（Ｓ２４６ａ）。
【０４０８】
Ｓ２４６ａの端数額消去通知を受信した管理装置５０は、前記残額管理ＤＢにおいて、前記記録媒体ＩＤに対応付けて記憶されているオフライン消費額を該記録媒体ＩＤに対応付けて管理されている管理残額から減算して、該オフライン消費額を消去し（Ｓ２４７）、前記記録媒体ＩＤに対応付けて記憶されているオフライン精算額を該記録媒体ＩＤに対応付けて管理されている管理残額から減算して、該オフライン精算額を消去し（Ｓ２４７ａ）、前記記録媒体ＩＤに対応付けて記憶されているオフライン端数額を該記録媒体ＩＤに対応付けて管理されている管理残額に対して加算して、該オフライン端数額を消去し（Ｓ２４８）、前記Ｓ２２７に進む。
【０４０９】
これにより、オフライン状態にあったメダルサンド２０で発生したオフライン端数額，オフライン消費情報，及びオフライン精算情報が記録された記録媒体を、オンライン状態にある精算装置６０に挿入することで、該オフライン端数額が管理残額に加算され、管理残額から該オフライン消費情報に基づくオフライン消費額及び該オフライン精算情報に基づくオフライン精算額が減算され、該オフライン端数額と管理残額とを加算した額からオフライン消費額及びオフライン精算額を減算した合算値を１回で精算できるようになるので、遊技者の利便性が向上する。
【０４１０】
次に図３３は、精算操作又は返却操作の待機状態（図３２のＳ２２２ａ又はＳ２４２ａであり、図１２（ｂ）のＤ５が表示されている状態）にある精算装置６０において精算操作（「精算」ボタンの操作）又は返却操作（「キャンセル」ボタンの操作）を受け付けた場合の処理の一例を表す図である。
【０４１１】
精算装置６０が精算操作を受け付けると（Ｓ７８０）、受信した精算許諾情報に含まれる金額（管理残額又は合算額）である許諾額分の貨幣を払い出し（Ｓ７８１）、記録媒体の通番に１を加算して更新し（Ｓ７８２）、受け付けている記録媒体の記録媒体ＩＤを含む精算完了通知を管理装置５０に対して送信する（Ｓ７８３）。
【０４１２】
Ｓ７８３の精算完了通知を受信した管理装置５０は、前記残額管理ＤＢにおいて、該精算完了通知に含まれる記録媒体ＩＤに対応付けて管理されている管理残額を消去し（Ｓ７８４）、該記録媒体ＩＤに対応付けられた通番に１を加算して更新し（Ｓ７８５）、該記録媒体ＩＤに対応するステータスを精算処理済に更新し（Ｓ７８６）、残額消去完了通知を精算装置６０に対して送信する（Ｓ７８７）。
【０４１３】
Ｓ７８７の残額消去完了通知を受信した精算装置６０は、ビジタコイン５を受付中であるか否かを判定する（Ｓ７８９）。このＳ７８９でビジタコイン５を受付中でない（ＮＯ）、即ち会員カード４を受付中であると判定された場合には、カード保持部１９１で保持している該会員カード４を返却して、記録媒体の受付を待機する（Ｓ７９２）。一方、Ｓ７８９でビジタコイン５を受付中である（ＹＥＳ）と判定された場合には、投入コイン保持部１２０で保持しているビジタコイン５に記録されているオンライン残額有りフラグを消去し（Ｓ７９０）、第２の投入コインストッパ１２２を開放状態とすることにより、該ビジタコイン５を収納通路１３１及び排出通路１３２を介してコイン回収部６６に回収して（Ｓ７９１）、記録媒体の受付を待機する（Ｓ７９２）。
【０４１４】
なお精算装置６０が返却操作を受け付けると（Ｓ７９５）、会員カード４を受け付けている場合には、カード保持部１９１で保持している該会員カード４を返却して（Ｓ７９６）、記録媒体の受付を待機し（Ｓ７９２）、ビジタコイン５を受け付けている場合には、第１の投入コインストッパ１２１を開放状態とすることにより、投入コイン保持部１２０で保持している該ビジタコイン５を投入コイン排出通路１６０を介してコイン排出口１１２に排出して返却し（Ｓ７９６）、記録媒体の受付を待機する（Ｓ７９２）。
【０４１５】
次に図３４は、精算装置６０においてオフライン状態の発生を検知した場合の処理の一例を表す図である。精算装置６０は、前記通信可否検知手段によりオフライン状態の発生を検知すると（Ｓ８００）、前記オフライン状態の発生を検知したのが前記Ｓ７０１の記録媒体受付後であるか否か，具体的には制御部６２のＲＡＭで記憶している処理状態が「記録媒体受付」であるか否かを判定する（Ｓ８４１）。このＳ８４１で記録媒体受付後である（ＹＥＳ）と判定された場合には、前記Ｓ２２１ａ又はＳ２４１ａの精算許諾情報を受信済であるか否かを判定する（Ｓ８４２）。
【０４１６】
このＳ８４２でＳ２２１ａの精算許諾情報を受信済でない（ＮＯ）と判定された場合には、受け付けている記録媒体を返却し（Ｓ８７１）、多機能ランプ２４を赤色で点滅させる等によりオフライン検知を遊技場の店員に報知し（Ｓ８７２）、店員によるオフライン移行操作を待機する（Ｓ８７３）。つまり精算装置６０の制御部６２は、オフライン状態における精算処理を許容するためのオフライン移行操作（オフライン精算許容操作）を係員から受け付ける許容操作受付手段として機能する。このＳ８７３でオフライン移行操作が行われた（ＹＥＳ）と判定された場合には、記録媒体の受付を待機する状態となる（Ｓ８７４）。
【０４１７】
なお、オフライン移行操作は、例えば、精算装置６０の前面扉を鍵で開放し、その扉の裏側にある操作パネルで暗証番号を入力する操作であり、入力された暗証番号を照合して一致した場合に、オフライン状態で精算ができる（オフライン精算処理を許容する）オフラインモードに移行する。
【０４１８】
一方、Ｓ８４２でＳ２４１ａの精算許諾情報を受信済である（ＹＥＳ）と判定された場合には、Ｓ８４３で、前記Ｓ２４２ａ〜Ｓ２４５の各処理を実行済であるか否かを判定し、いずれかの処理を実行済でなければ（ＮＯ）、Ｓ８４４で、該未実行の処理を実行して、Ｓ８７１に進み、すべての処理を実行済であれば（ＹＥＳ）、Ｓ８７１に進む。
【０４１９】
なおＳ２４１ａの精算許諾情報を受信済である場合には、管理装置５０が端数額消去通知を受信する前にオフライン状態が発生した場合と、該端数額消去通知を受信した後にオフライン状態が発生した場合とが含まれる。ここで前者の、端数額消去通知を受信する前にオフライン状態が発生した場合には、通番が一致せず、管理装置５０においてオフライン端数額が未加算でオフライン消費額及びオフライン精算額が未減算の状態で記憶されており（即ち挿入処理中であり）、記録媒体のオフライン端数額，オフライン消費情報，及びオフライン精算情報が消去されている状態になる。従って、オンライン状態にあるメダルサンド２０又は精算装置６０で当該記録媒体が受け付けられると、Ｓ２０３でＮＯ，Ｓ２６１でＮＯ，Ｓ２６３でＹＥＳと判定されて、Ｓ２６４以下の処理が行われる。
【０４２０】
前記Ｓ８４１で記録媒体受付後でない（ＮＯ）と判定された場合には、前記オフライン状態の発生を検知したのが前記Ｓ７８０の精算操作受付後であるか否か，具体的には制御部６２のＲＡＭで記憶している処理状態が「精算操作受付」であるか否かを判定する（Ｓ８５１）。このＳ８５１で精算操作受付後である（ＹＥＳ）と判定された場合には、前記Ｓ７８７の残額消去完了通知を受信済であるか否かを判定する（Ｓ８５２）。
【０４２１】
このＳ８５２で残額消去完了通知を受信済である（ＹＥＳ）と判定された場合には、Ｓ８５６で、前記Ｓ７８９〜Ｓ７９１の各処理を実行済であるか否かを判定し、いずれかの処理を実行済でなければ（ＮＯ）、Ｓ８５７で、該未実行の処理を実行して、前記Ｓ８７２に進み、すべての処理を実行済であれば（ＹＥＳ）、前記Ｓ８７２に進む。
【０４２２】
一方、Ｓ８５２で残額消去完了通知を受信済でない（ＮＯ）と判定された場合には、Ｓ８５３で、前記Ｓ７８１〜Ｓ７８２の各処理を実行済であるか否かを判定し、いずれかの処理を実行済でなければ（ＮＯ）、Ｓ８５４で、該未実行の処理を実行して、前記Ｓ８７１に進み、すべての処理を実行済であれば（ＹＥＳ）、前記Ｓ８７１に進む。
【０４２３】
この残額消去完了通知を受信済でない場合には、管理装置５０が精算完了通知を受信する前にオフライン状態が発生した場合と、該精算完了通知を受信した後にオフライン状態が発生した場合とが含まれる。ここで前者の、精算完了通知を受信する前にオフライン状態が発生した場合には、通番が一致せず、入金処理中，又は挿入処理中のいずれでもなく、精算装置６０の装置ＩＤが記憶されている状態となる。従って、オンライン状態にあるメダルサンド２０又は精算装置６０で当該記録媒体が受け付けられると、Ｓ２０３でＮＯ，Ｓ２６１でＮＯ，Ｓ２６３でＮＯ，Ｓ２６６でＮＯと判定されて、Ｓ２６７以下の処理が行われる。また後者の、残額消去完了通知を受信した後にオフライン状態が発生した場合には、通番が一致し、精算処理済の状態となる。従って、オンライン状態にあるメダルサンド２０又は精算装置６０で当該記録媒体が受け付けられると、Ｓ２０３でＹＥＳ，Ｓ２０４でＮＯ，Ｓ２０６でＮＯ，Ｓ２１０でＹＥＳと判定されて、Ｓ２２０以下の処理が行われる。
【０４２４】
前記Ｓ８５１で精算操作受付後でない（ＮＯ）と判定された場合には、前記オフライン状態の発生を検知したのが前記Ｓ７９５の返却操作受付後であるか否か，具体的には制御部６２のＲＡＭで記憶している処理状態が「返却操作受付」であるか否かを判定する（Ｓ８６１）。このＳ８６１で返却操作受付後である（ＹＥＳ）と判定された場合には、前記Ｓ８７１に進み、返却操作受付後でない（ＮＯ）と判定された場合には、前記Ｓ８７２に進む。
【０４２５】
次に図３５は、管理装置５０とオフライン状態である精算装置６０において記録媒体を受け付けた場合，精算操作を受け付けた場合，及び返却操作を受け付けた場合の処理の一例を表す図である。精算装置６０は、オフライン状態において記録媒体受付を待機している状態で、記録媒体（会員カード４又はビジタコイン５）を受け付けると（Ｓ９０１）、該受け付けた記録媒体の記録情報を読み取り、該読み取った記録媒体ＩＤが、図１３（ｂ）の精算ＤＢに記録されているか否か、即ち受け付けた記録媒体がオフライン精算済の記録媒体であるか否かを判定する（Ｓ９０２）。このＳ９０２でオフライン精算済の記録媒体である（ＹＥＳ）と判定された場合には、エラー処理を行う。
【０４２６】
一方、Ｓ９０２でオフライン精算済の記録媒体でない（ＮＯ）と判定された場合には、オフライン端数額が税込単位額未満であるか否かを判定する（Ｓ９０３）。このＳ９０３でオフライン端数額が税込単位額未満でない（ＮＯ）と判定された場合には、エラー処理を行う。
【０４２７】
一方、Ｓ９０３でオフライン端数額が税込単位額未満である（ＹＥＳ）と判定された場合には、現在の時刻が精算可能時間帯に含まれるか否かを判定する（Ｓ９０４）。なお精算可能時間は、センタ管理装置８０において設定されて（例えば遊技場の営業時間が含まれる９：００〜２４：００という時間帯に設定される）、管理装置５０を経由して精算装置６０に配信され、精算装置６０の制御部６２は、配信された精算可能時間帯の設定の入力を受け付けて、精算可能時間帯をＲＡＭに記憶する。つまり、精算装置６０の制御部６２及び通信部６１は、オフラインにおける精算処理を許容する時間帯である精算可能時間（オフライン精算許容時間帯）の設定入力を受け付ける精算許容時間帯受付手段として機能する。このＳ９０４で現在の時刻が精算可能時間帯に含まれない（ＮＯ）と判定された場合には、エラー処理を行う。
【０４２８】
一方、Ｓ９０４で現在の時刻が精算可能時間帯に含まれる（ＹＥＳ）と判定された場合には、受け付けられた記録媒体（会員カード４，ビジタコイン５）に記録された演算方式フラグから演算方式を特定し（Ｓ９０５）、特定した演算方式に従って、前記記録媒体に記録された基準データ，乗算データ，除算データ，加算データから管理残額を算出する（Ｓ９０６）。
【０４２９】
具体的には、基準データ，乗算データ，除算データ，加算データとしてそれぞれ、ｘ，ｙ，ｚ，ｗ、演算方式フラグとして「０」が記録されていれば、演算方式は加算優先演算方式であるので、管理残額ａは、ａ＝（ｙ＋ｘ）×ｚ÷ｗで算出され、演算方式フラグとして「１」が記録されていれば、演算方式は乗除算優先演算方式であるので、管理残額ａは、ａ＝ｙ＋（ｘ×ｚ÷ｗ）で算出される。
【０４３０】
例えば、ｘ＝１０，ｙ＝９０，ｚ＝１００，ｗ＝２が記録されていて、演算方式が加算優先演算方式であれば、管理残額ａ＝（９０＋１０）×１００÷２＝５０００円と算出される。また、ｘ＝５０，ｙ＝５００，ｚ＝９０，ｗ＝１が記録されていて、演算方式が乗除算優先演算方式であれば、管理残額ａ＝５００＋（５０×９０÷１）＝５０００円と算出される。
【０４３１】
そして、算出された管理残額に、前記記録媒体に記録されたオフライン端数額を加算した額を表示し（Ｓ９０７）、精算操作，又は返却操作を待機する状態となる（Ｓ９０８）。
【０４３２】
また精算装置６０は、オフライン状態において精算操作受付を待機している状態で、精算操作を受け付けると（Ｓ９１１）、算出された管理残額に、前記記録媒体に記録されたオフライン端数額を加算した額の貨幣を払い出し（Ｓ９１４）、オフライン状態において精算が終了した記録媒体であるオフライン精算済記録媒体として、記録媒体ＩＤと、精算した管理残額と、精算したオフライン端数額とを対応付けて、図１３（ｂ）に示す精算ＤＢに記憶し（Ｓ９１５）、オフライン端数額を消去する（Ｓ９１６）。そして、前記記録媒体にオフライン精算情報を記録する（Ｓ９１６ａ）。具体的には、オフライン精算情報は、オフライン精算が行われたか否かを示すフラグであり、オフライン精算が行われた場合は「１」とされ、行われていない場合は「０」とされる。このオフライン精算情報が記録された記録媒体がオンライン状態のメダルサンド２０において受け付けられると、該記録媒体の記録媒体ＩＤとオフライン精算情報とを含む挿入通知が管理装置５０に送信され、管理残額の補正が行われる。
【０４３３】
次に、ビジタコイン５を受付中であるか否かを判定する（Ｓ９０７）。このＳ９０７でビジタコイン５を受付中でない（ＮＯ）、即ち会員カード４を受付中であると判定された場合には、カード保持部１９１で保持している該会員カード４を返却して（Ｓ９１７ａ）、記録媒体の受付を待機する（Ｓ９１９）。一方、Ｓ９０７でビジタコイン５を受付中である（ＹＥＳ）と判定された場合には、投入コイン保持部１２０で保持しているビジタコイン５を回収して（Ｓ９１８）、記録媒体の受付を待機する（Ｓ９１９）。
【０４３４】
なお精算装置６０が返却操作を受け付けると（Ｓ９２１）、会員カード４を受け付けている場合には、カード保持部１９１で保持している該会員カード４を返却して（Ｓ９２２）、記録媒体の受付を待機し（Ｓ９１９）、ビジタコイン５を受け付けている場合には、投入コイン保持部１２０で保持している該ビジタコイン５を排出して返却して（Ｓ９２２）、記録媒体の受付を待機する（Ｓ９１９）。
【０４３５】
以上のように、本実施形態の精算装置６０は、オフライン精算処理を許容するためのオフライン許容操作として、オフライン移行操作（図３４のＳ８７３）を係員から受け付けたことを条件として、オフライン精算処理を行う。また、オフライン精算処理に供された記録媒体の記録媒体ＩＤを精算済記録媒体ＩＤとして精算済情報記憶手段を構成する精算ＤＢに記憶し、受け付けた記録媒体の記録媒体ＩＤが前記精算済み記録媒体ＩＤと一致するか否かを記録媒体判定手段を構成する制御部６２により判定し、一致しないと判定したことを条件として、オフライン精算処理を行う。さらに、オフライン精算処理を許容する精算可能時間帯の設定入力を精算許容時間帯受付手段を構成する通信部６１により受け付け、現在の時刻が精算可能時間帯に属することを条件として、オフライン精算処理を行う。
【０４３６】
精算装置６０は、オフライン精算処理で精算されたオフライン精算額（具体的には、オフラインで精算された額のうち、オフライン端数額を除く管理残額特定情報から特定された管理残額）を特定可能なオフライン精算情報として、オフライン精算処理を行った旨を示すフラグを、オフライン精算情報記録手段を構成する制御部６２及び記録媒体Ｒ／Ｗ１０２により、オフライン精算処理に供された会員カード４又はビジタコイン５に記録する。
【０４３７】
ここで、本実施形態においては、オフライン精算処理において、受け付けた記録媒体の管理残額特定情報から特定される管理残額の全額を精算するようにされているため、オフライン精算情報として上記フラグを記録している。つまり、管理装置５０は、メダルサンド２０からの挿入通知，供給通知，オンライン復帰通知や、精算装置６０からの精算要求を受信したときに、図１６に示すＳ２３３やＳ２３６、図１８に示すＳ２９３やＳ２９６において、残額管理ＤＢで管理している残額とオフライン消費情報から特定されるオフライン消費額に基づいてオフライン精算額を特定することができる。具体的には前記各通知や要求にオフライン精算情報とオフライン消費情報が含まれていれば、管理残額−オフライン消費額でオフライン精算額が特定され、オフライン精算情報のみが含まれていれば、管理残額がオフライン精算額として特定される。なお、オフライン精算処理に供された端数額については、管理装置で管理されることなく記録媒体に記録され、そのままオフライン精算処理に供されるので、オフライン精算額に影響を与えることなく無関係に処理される。
【０４３８】
また、本実施形態においては、オフライン消費情報の記録された記録媒体のオフライン精算処理を行った場合に、記録媒体のオフライン消費情報を消去することなく、記録媒体の回収や排出を行っているが、これに限らず、オフライン消費情報を消去するようにしても良い。この場合には、記録媒体にオフライン精算情報が記録されている場合には、オフライン消費情報は記録されていないこととなるので、管理装置５０において挿入通知，供給通知，オンライン復帰通知や精算要求を受信したときには、管理残額＝オフライン精算額として特定することとなる。つまり、オフライン状態のメダルサンド２０において貸与処理に使用された管理残額（記憶残額）とオフライン精算処理に供された管理残額がともにオフライン精算処理に供されたものとして扱われ、管理残額から減算更新される（結果、管理残額は０になる）。
【０４３９】
さらに、オフライン精算情報としては、オフライン精算処理に供されたオフライン精算額自体を記録するようにしても良く、この場合、管理装置５０は、挿入通知，供給通知，オンライン復帰通知や精算要求に含まれるオフライン精算情報自体をオフライン精算額として特定する。また、オフライン消費情報の場合と同様に、基準値からオフライン精算額を減算した額をオフライン精算情報として、管理装置において基準値からオフライン精算情報を減算してオフライン精算額を特定するようにしても良い。特に、精算装置６０において、管理残額特定情報から特定された管理残額の一部を精算させるような場合には、このようにオフライン精算額に基づいたオフライン精算情報を記録する必要がある。また、この場合にも、オフライン消費情報に対応するオフライン消費額を含めてオフライン精算額とし、記録媒体のオフライン消費情報を消去するようにしても良い。
【０４４０】
また、精算装置６０は、オフライン精算情報が記録された会員カード４を、精算装置記録媒体排出手段を構成する制御部６２により、排出すると共に、オフライン精算情報が記録されたビジタコイン５を、記録媒体回収手段を構成する制御部６２により、回収して収納する。
【０４４１】
次に図３６は、精算装置６０とのオンライン状態への復帰を検知した場合の処理の一例を表す図である。管理装置５０は、精算装置６０とのオンライン状態への復帰を検知すると（Ｓ９３１）、開始要求を精算装置６０に対して送信する（Ｓ９３２）。該開始要求を受信した精算装置６０は、開始応答を管理装置５０に対して返信する（Ｓ９３３）。そして、図１３（ｂ）の精算ＤＢに記憶しているオフライン中に精算した記録媒体の記録媒体ＩＤ，精算管理残額，及び精算オフライン端数額を含むオフライン中精算通知を管理装置５０に対して送信する（Ｓ９３４）。
【０４４２】
オフライン中精算通知を受信した管理装置５０は、オフライン中精算通知に含まれる精算管理残額と、該精算管理残額と対応してオフライン中精算通知に含まれる記録媒体ＩＤと対応して残額管理ＤＢに記憶されている管理残額とが等しいか否かを判定する（Ｓ９３６）。精算管理残額と管理残額とが等しくない（ＮＯ）と判定された場合、不一致の旨と該記録媒体ＩＤとをセンタ管理装置８０に送信し（Ｓ９３７）、不一致の記録媒体ＩＤを使用できない記録媒体ＩＤとして使用不可登録する（Ｓ９３７ａ）。
【０４４３】
つまり、管理装置５０は、精算管理残額と管理残額とが一致しない旨をセンタ管理装置８０に送信することにより報知する。なお、センタ管理装置８０に送信することなく、又は送信することに加えて、管理装置５０の表示画面等において、両者が一致しない旨を表示して報知を行っても良い。
【０４４４】
また、精算装置６０は、オフライン中精算通知を送信した後、記録媒体（会員カード４，ビジタコイン５）を受付中であるか否かを判定する（Ｓ９３８）。このＳ９３８で記録媒体を受付中である（ＹＥＳ）と判定された場合には、記録媒体ＩＤ，オフライン消費情報，オフライン端数額，オフライン精算情報，及び通番を含むオンライン復帰通知を管理装置５０に対して送信する（Ｓ９３９）。このオンライン復帰通知は、前記精算要求と同様のものであるため、該オンライン復帰通知を受信した管理装置５０は、Ｓ２０３以下で前記精算要求を受信した場合と同様の処理を行う。
【０４４５】
次に、前述した実施形態により得られる主な効果を説明する。
（１−１）  図１で説明したように、遊技用システム１は、管理装置５０とメダルサンド２０とを含む。図１３（ａ）の残額管理ＤＢ、図１４のＳ１１３、図１５のＳ１２５、図１７のＳ２４７，Ｓ２４７ａ，Ｓ２４８、図１８のＳ２６２，Ｓ２６４，Ｓ２６４ａ，Ｓ２６５，Ｓ２７３、図２０のＳ２４７，Ｓ２４７ａ、図３０のＳ２４７，Ｓ２４７ａ，Ｓ２４８、図３２のＳ２４７，Ｓ２４７ａ，Ｓ２４８、及び、図３３のＳ７８４で説明したように、管理装置５０によって、記録媒体（会員カード４，ビジタコイン５）の記録媒体ＩＤに対応付けて貸与処理に使用される残額が管理装置５０のハードディスク５５の残額管理ＤＢにて管理される。
【０４４６】
図１で説明したように、メダルサンド２０は、パチスロ機１０に対応して設けられる。図１５のＳ１２１〜Ｓ１３０で説明したように、メダルサンド２０の制御部２１によって、受け付けた記録媒体の記録媒体ＩＤに対応付けて管理装置５０にて管理されている管理残額を用いて貸与処理が行われる。
【０４４７】
図１４のＳ１０１や図２２のＳ５１０で説明したように、紙幣識別機２２、硬貨識別機２３及び制御部２１によって、貨幣が受け付けられて該貨幣の金額が識別される。図１６のＳ２０１，Ｓ２０２、及び、図１７のＳ２２１，Ｓ２４１で説明したように、メダルサンド２０の制御部２１及び外部通信部２１ｂによって、受け付けた記録媒体の記録媒体ＩＤに対応する管理残額が管理装置５０から取得される。図１７のＳ２２２，Ｓ２４２で説明したように、メダルサンド２０の制御部２１によって、取得された管理残額が記憶残額として記憶される。
【０４４８】
図１５のＳ１２１〜Ｓ１２４，Ｓ１２９で説明したように、メダルサンド２０の制御部２１及び外部通信部２１ｂによって、記憶された記憶残額が、貸与処理に用いられる使用額＋消費税額分減算された記憶残額に更新される。図２１のＳ３００で説明したように、メダルサンド２０の制御部２１によって、管理装置５０と通信できるオンライン状態であるか、通信できないオフライン状態であるかが検知される。
【０４４９】
図２３のＳ５３２〜Ｓ５３４で説明したように、メダルサンド２０の制御部２１によって、オフライン状態が検知されたときに、記憶残額が０でないこと（Ｓ５３２でＹＥＳであること）を条件として、記憶残額を使用して貸与処理が行われる。
【０４５０】
図２２のＳ５１０，Ｓ５１５，Ｓ５１６，Ｓ５２０，Ｓ５２２で説明したように、メダルサンド２０の制御部２１によって、オフライン状態が検知され、かつ貨幣が受け付けられたときに、記憶残額が、受け付けられ識別された受付貨幣額に対応する対応消費税額未満であることを条件として、受付貨幣額から、税込単位額の整数倍の貸与対象額と、税込単位額未満の端数額とが特定され、特定された貸与対象額の範囲内で貸与処理が行われる一方、記憶残額が対応消費税額以上あることを条件として、記憶残額と受付貨幣額とから、貸与対象額が特定され、特定された貸与対象額の範囲内で貸与処理が行われる。
【０４５１】
このため、オフライン状態が発生しても、管理残額がメダルサンド２０に記憶残額として記憶済であれば、記憶残額が貸与処理に使用される。その結果、遊技者の利便性を向上させると共に、遊技場の売上低下を防止することができる。また、貸与処理に使用できない端数額が生じる機会を減少させることができるので、遊技者の利便性をさらに向上させることができる。
【０４５２】
（１−２）  図２２のＳ５１０，Ｓ５１２，Ｓ５１３で説明したように、メダルサンド２０の制御部２１によって、端数額の特定が行われた後に、貨幣が受け付けられたときに、端数額が対応消費税額以上であることを条件として、端数額と受付貨幣額とから、貸与対象額が特定される。
【０４５３】
このため、端数額が生じる都度、記録媒体に記録して返却する場合と比較して、端数額が貸与対象額の一部として用いられて貸与処理が行われるので、遊技者の利便性をさらに向上させることができる。
【０４５４】
（１−３）  図２２のＳ５１０，Ｓ５１５，Ｓ５１６で説明したように、メダルサンド２０の制御部２１によって、端数額の特定が行われた後に、貨幣が受け付けられたときに、端数額と記憶残額との合算額が対応消費税額以上であることを条件として、記憶残額と端数額と受付貨幣額とから、貸与対象額が特定される。
【０４５５】
このため、貸与処理に使用できない端数額が生じる機会がさらに減少するので、遊技者の利便性をさらに向上させることができる。
【０４５６】
（１−４）  図２３のＳ５３５、図２４のＳ９４６、図２５のＳ９５６、及び、図２６のＳ９６６で説明したように、メダルサンド２０の制御部２１によって、オフライン状態において記憶残額から貸与処理に使用された額であるオフライン消費額を特定可能なオフライン消費情報が特定される。図２４のＳ９４７、図２５のＳ９５７、及び、図２６のＳ９６７で説明したように、メダルサンド２０の制御部２１によって、特定されたオフライン消費情報が記録媒体（会員カード４，ビジタコイン５）に記録される。図２４のＳ５５２、図２５のＳ５７１、及び、図２６のＳ５８６で説明したように、メダルサンド２０の制御部２１によって、オフライン消費情報が記録された記録媒体が排出される。
【０４５７】
図１６のＳ２０２、及び、図２９のＳ６０６で説明したように、メダルサンド２０の制御部２１によって、オンライン状態が検知されているときにオフライン消費情報が記録された記録媒体が受け付けられたことに基づいて、記録媒体の記録媒体ＩＤとオフライン消費情報とが管理装置５０に送信される。
【０４５８】
図１６のＳ２０２，Ｓ２１４〜Ｓ２１９、及び、図１７のＳ２４７で説明したように、管理装置５０の制御部５２及び通信部５１によって、受信した記録媒体ＩＤに対応付けて管理している管理残額が、受信したオフライン消費情報から特定されるオフライン消費額分減算された管理残額に更新される。
【０４５９】
このため、記録媒体がオンライン状態のメダルサンド２０に受け付けられることで、オフライン状態で貸与処理に使用されたオフライン消費額を管理残額から減算し更新することができる。
【０４６０】
（１−５）  図１６のＳ２１５、及び、図１３（ａ）で説明したように、管理装置５０は、オフライン消費額に関する基準値であるオフライン時基準金額を設定値ＤＢに記憶する。また、メダルサンド２０は、管理装置５０から送信された該メダルサンド２０の装置ＩＤに対応するオフライン時基準金額を記憶する。
【０４６１】
図２４のＳ９４６，Ｓ９４７、図２５のＳ９５６，Ｓ９５７、及び、図２６のＳ９６６，Ｓ９６７で説明したように、メダルサンド２０の制御部２１によって、オフライン時基準金額からオフライン消費額を減算したオフライン消費情報が記録媒体に記録される。
【０４６２】
図１６のＳ２１４〜Ｓ２１９、及び、図１７のＳ２４７で説明したように、管理装置５０の制御部５２によって、メダルサンド２０から受信したオフライン消費情報をオフライン時基準金額から減算した減算値に基づいて、オフライン消費額が特定され、管理残額が更新される。
【０４６３】
このため、オフライン消費額を直接、記録媒体に記録するのではなくて，オフライン時基準金額を用いて算出したオフライン消費情報が記録媒体に記録されるので、オフライン時基準金額を用いて算出したオフライン消費情報を０に書替えたとしても、オフライン消費額を０とすることができない。その結果、オフライン状態において記憶残額を使用しているにも拘わらず、オフライン消費額が０となるようにオフライン消費情報を書替えるような不正を行い難くすることができる。
【０４６４】
（１−６）  図１３（ａ）の設定値ＤＢで示すように、オフライン時基準金額は、メダルサンド２０ごとに異なる値とされる。図１６のＳ２１５、及び、図１３（ａ）で説明したように、管理装置５０は、メダルサンド２０の装置ＩＤに対応付けてオフライン時基準金額を設定値ＤＢに記憶する。
【０４６５】
図１６のＳ２１４〜Ｓ２１９で説明したように、管理装置５０の制御部５２によって、受信した記録媒体ＩＤの記録媒体を排出したメダルサンド２０の装置ＩＤに対応付けて記憶されたオフライン時基準金額に基づいてオフライン消費額が特定される。
【０４６６】
このため、オフライン消費額を直接、記録媒体に記録するのではなくて，オフライン時基準金額を用いて算出したオフライン消費情報が記録媒体に記録されるので、オフライン時基準金額を用いて算出したオフライン消費情報を０に書替えたとしても、オフライン消費額を０とすることができない。また、オフライン時基準金額は、メダルサンド２０ごとに異なるので、容易に知ることができない。その結果、オフライン状態において記憶残額を使用しているにも拘わらず、オフライン消費額が０となるようにオフライン消費情報を書替えるような不正をさらに行い難くすることができる。
【０４６７】
（２−１）  図１で説明したように、遊技用システム１は、（１−１）で説明した構成に加えて、記録媒体であるビジタコイン５を発行する発行手段としてメダルサンド２０を備える。図２５のＳ５７１で説明したように、メダルサンド２０の制御部２１によって、記憶残額が０でないことを条件として、オフライン消費情報が記録された記録媒体であるビジタコイン５が排出される。図２２のＳ５２３，Ｓ５２９及び図２３のＳ５９１，Ｓ５９６で説明したように、メダルサンド２０の制御部２１によって、記憶残額が０であることを条件として、オフライン消費情報が記録された記録媒体であるビジタコイン５が回収される。
【０４６８】
図１９のＳ１９３で説明したように、メダルサンド２０の制御部２１によって、回収された記録媒体であるビジタコイン５に記録された記録媒体ＩＤ及びオフライン消費情報が管理装置５０に送信される。図２０のＳ２４３で説明したように、メダルサンド２０の制御部２１によって、オフライン消費情報の送信を条件として、記録媒体であるビジタコイン５に記録されたオフライン消費情報が消去される。図１９のＳ１９１及び図２４のＳ５５２で説明したように、メダルサンド２０の制御部２１によって、オフライン消費情報が消去された記録媒体であるビジタコイン５が発行される。図１７，図２０，図３０，図３２のＳ２４７で説明したように、管理装置５０の制御部５２によって、メダルサンド２０から受信した記録媒体ＩＤに対応付けて管理している管理残額が、オフライン消費情報から特定されるオフライン消費額分減算された額に更新される。
【０４６９】
このため、オフライン状態が発生しても、管理残額がメダルサンド２０に記憶残額として記憶済であれば、当該記憶残額がメダルの貸与に使用される。その結果、遊技者の利便性を向上させると共に、遊技場の売上低下を防止することができる。また、記録媒体がオンライン状態のメダルサンド２０に受け付けられることで、オフライン状態でメダルの貸与に使用された額を管理残額から減算更新し、管理残額を補正することができる。さらに、記憶残額が０になったときに、店員や遊技者の手間を要することなく、当該記録媒体の次回発行までに管理残額を確実に補正することができる。
【０４７０】
このように、ビジタコイン５にオフライン消費情報を記録して管理残額を補正するのではなく、メダルサンド２０でオフライン状態中の消費ログ（例えば、記録媒体ＩＤ及びオフライン消費額）を記憶しておき、当該メダルサンド２０がオンライン状態に復帰したときに消費ログを管理装置に送信して管理残額を補正するようにすると、該メダルサンド２０の故障等により消費ログを管理装置に送信できなくなると、該メダルサンド２０に収納されているビジタコイン５の扱いに不都合が生じてしまう。例えば、消費ログが送信されないままビジタコイン５がメダルサンド２０から発行されて遊技者の手に渡ってしまうと、本来補正されるべき管理残額が補正されていない状態になっているので、遊技場が損害を被ってしまう。
【０４７１】
これに対して、本発明によれば、メダルサンド２０がオンライン状態に復帰することなく故障等した場合であっても、該メダルサンド２０に収納されているビジタコイン５が、遊技者の手に渡る前（他のオンライン状態のメダルサンドにビジタコイン５が収納され発行されるような場合）、あるいは、遊技者の手に渡った後（遊技者が当該ビジタコイン５をオンライン状態のメダルサンド２０に投入したような場合）に、ビジタコイン５に記録されているオフライン消費情報に基づいて管理残額が補正するようにするので、上述したような不都合が生じないようにすることができる。
【０４７２】
（２−２）  図１５のＳ１３１，Ｓ１３２，Ｓ１３４，Ｓ１３６で説明したように、メダルサンド２０の制御部２１によって、オンライン状態が検知されているときに、管理残額が０の記録媒体が回収される。図１９のＳ１９２ａで説明したように、メダルサンド２０の制御部２１によって、回収された記録媒体にオフライン消費情報が記録されているか否かが判定される。図１９のＳ１９３で説明したように、メダルサンド２０の制御部２１によって、オフライン消費情報が記録されていると判定されたことを条件として、記録媒体ＩＤ及びオフライン消費情報が管理装置５０に送信される。
【０４７３】
このため、メダルサンド２０と管理装置５０との間における無駄な通信処理を防止することができる。
【０４７４】
（２−３）  図１９のＳ１９２で説明したように、メダルサンド２０の通路ユニット１００及び制御部２１によって、記録媒体であるビジタコイン５の発行に応じて、ビジタコイン５の記録情報を読出す通路ユニット１００の収納コイン保持部１４０の下部アンテナ１０４に次のビジタコイン５が供給される。図１９のＳ１９３で説明したように、メダルサンド２０の制御部２１によって、次のビジタコイン５が下部アンテナ１０４に供給されたときに、供給されたビジタコイン５に記録された記録媒体ＩＤ及びオフライン消費情報が読出され管理装置５０に送信される。
【０４７５】
このため、ビジタコイン５の発行時にオフライン消費情報を送信し管理残額を更新する場合と比較して、迅速にビジタコイン５を発行することができる。
【０４７６】
（３−１）  図１で説明したように、遊技用システム１は、管理装置５０とメダルサンド２０と精算装置６０とを含む。管理装置５０及びメダルサンド２０については、（１−１）で記載したとおりである。図３３のＳ７８０〜Ｓ７８７で説明したように、精算装置の制御部６２によって、記録媒体の記録媒体ＩＤに対応する管理残額の精算が行われる。
【０４７７】
図２４のＳ９４１〜Ｓ９４３、図２５のＳ９５１〜Ｓ９５３、及び、図２６のＳ９６１〜Ｓ９６３で説明したように、メダルサンド２０の制御部２１によって、受け付けられた記録媒体の記録媒体ＩＤに対応する管理残額を特定可能な元データ及び演算方式フラグが記録媒体に記録される。図２４のＳ５５２、図２５のＳ５７１、及び、図２６のＳ５８６で説明したように、メダルサンド２０の制御部２１によって、元データ及び演算方式フラグが記録された記録媒体が排出される。
【０４７８】
図３４のＳ８００で説明したように、精算装置６０の制御部６２によって、管理装置５０と通信できるオンライン状態であるか通信できないオフライン状態であるかが検知される。図３２のＳ２２１ａ，Ｓ２４１ａ、及び、図３３のＳ７８１で説明したように、精算装置６０の制御部６２によって、オンライン状態が検知されているときは、受け付けられた記録媒体の記録媒体ＩＤに対応付けて管理装置５０にて管理されている管理残額に基づいて、精算が行われる。図３５のＳ９０５，Ｓ９０６，Ｓ９１４で説明したように、精算装置６０の制御部６２によって、オフライン状態が検知されているときは、受け付けられた記録媒体に記録されている元データ及び演算方式フラグから管理残額が特定され、特定した管理残額の精算が行われる。
【０４７９】
図３５のＳ９１６ａで説明したように、精算装置６０の制御部６２によって、Ｓ９１４で精算されたオフライン精算額を特定可能なオフライン精算情報が、受け付けられている記録媒体に記録される。図３５のＳ９１７ａで説明したように、精算装置６０の制御部６２によって、オフライン精算情報が記録された記録媒体である会員カード４が排出される。
【０４８０】
図１６のＳ２０２で説明したように、メダルサンド２０の制御部２１によって、受け付けられた記録媒体に記録された記録媒体ＩＤ及びオフライン精算情報が管理装置５０に送信される。図１７のＳ２４７ａで説明したように、管理装置５０の制御部５２によって、メダルサンド２０から受信した記録媒体ＩＤに対応付けて管理している管理残額が、メダルサンド２０から受信したオフライン精算情報で特定されるオフライン精算額分減算された額に更新される。
【０４８１】
このため、オフライン状態においても、管理残額を精算することができるため、遊技者の利便性を向上させることができる。さらに、例えば会員カード４のように精算後に記録媒体を排出する必要がある場合にも、当該排出された会員カード４がオンライン状態にあるメダルサンド２０で受け付けられることにより、管理残額がオフライン精算額分減算された額に更新されるので、精算装置６０がオンライン状態に復帰するのを待つことなく当該会員カード４を使用可能とすることができる。
【０４８２】
（３−２）  図１で説明したように、遊技用システム１は、（３−１）で説明した構成に加えて、記録媒体であるビジタコイン５を発行する発行手段としてメダルサンド２０を備える。図３５のＳ９１８で説明したように、精算装置６０の通路ユニット１００及び制御部６２によって、オフライン精算情報が記録された記録媒体であるビジタコイン５が回収される。
【０４８３】
図１９のＳ１９３で説明したように、メダルサンド２０の制御部２１によって、精算装置６０で回収された記録媒体であるビジタコイン５に記録された記録媒体ＩＤ及びオフライン精算情報が管理装置５０に送信される。図２０のＳ２４３ａで説明したように、メダルサンド２０の制御部２１によって、オフライン精算情報の送信を条件として、記録媒体に記録されたオフライン精算情報が消去される。図１９のＳ１９１や図２４のＳ５５２で説明したように、メダルサンド２０の制御部２１によって、オフライン精算情報が消去された記録媒体であるビジタコイン５が発行される。図１７のＳ２４７ａで説明したように、管理装置５０の制御部５２によって、メダルサンド２０から受信した記録媒体ＩＤに対応付けて管理している管理残額が、メダルサンド２０から受信したオフライン精算情報で特定されるオフライン精算額分減算された額に更新される。
【０４８４】
このため、オフライン状態においても、管理残額を精算することができるため、遊技者の利便性を向上させることができる。さらに、例えばビジタコイン５のように精算後に記録媒体が回収される場合にも、当該回収されたビジタコイン５が発行される前に、管理残額がオフライン精算額分減算された額に更新されるので、精算装置６０がオンライン状態に復帰するのを待つことなく当該ビジタコイン５を使用可能とすることができる。
【０４８５】
（３−３）  図３４のＳ８７３で説明したように、精算装置６０の制御部６２によって、オフライン状態における精算を許容するためのオフライン移行操作が遊技場の店員から受け付けられ、オフライン状態が検知されているときは、オフライン移行操作が受け付けられたことを条件として、オフライン状態における精算が行われる。
【０４８６】
このため、遊技場の店員が状況を確認した上でオフライン状態における精算を許容することができるので、故意にオフライン状態を発生させて不正な記録媒体による精算が行われるおそれを低減させることができる。
【０４８７】
（３−４）  図１３（ａ）の精算ＤＢで説明したように、精算装置６０の制御部６２によって、オフライン状態における精算に供された精算済の記録媒体の記録媒体ＩＤが記憶される。図３５のＳ９０２で説明したように、精算装置６０の制御部６２によって、オフライン状態が検知されているときに、受け付けた記録媒体の記録媒体ＩＤが、精算済の記録媒体の識別情報ＩＤと一致するか否かが判定される。図３５のＳ９０２で説明したように、精算装置６０の制御部６２によって、一致しないと判定されたことを条件としてオフライン状態における精算が行われる。
【０４８８】
このため、受け付けられた記録媒体がオフライン状態において精算済の記録媒体でない場合は、オフライン状態における精算を行うようにすることができる。その結果、不正のおそれのある記録媒体によるオフライン状態における精算を防止することができる。つまり、ビジタコイン５は精算後精算装置６０によって回収されるにも拘わらず、精算後に再度、精算装置６０によって受け付けられた場合には、不正の疑いがあり、会員カード４は精算後精算装置６０から返却されるが、通常は遊技終了時に精算されるにも拘わらず、精算後に再び残額がある場合には、不正の疑いがあるので、このような不正の疑いがあるビジタコイン５又は会員カード４による精算を防止することができる。
【０４８９】
（３−５）  図３５のＳ９０４で説明したように、精算装置６０の制御部６２によって、オフライン状態における精算を許容する時間帯である精算可能時間の設定入力が受け付けられる。図３５のＳ９０４で説明したように、精算装置６０の制御部６２によって、現在の時刻が精算可能時間に含まれることを条件としてオフライン状態における精算が行われる。
【０４９０】
このため、オフライン状態における精算が行われる時間帯を本来精算が行われるべき時間帯（例えば、営業時間中）に限定することができる。その結果、不正の行われる可能性を低減させることができる。
【０４９１】
（３−６）  図３５のＳ９１５で説明したように、精算装置６０の制御部６２によって、オフライン状態における精算に供された記録媒体の記録媒体ＩＤと精算された管理残額とが対応付けられて記憶される。図３６のＳ９３４で説明したように、精算装置６０の制御部６２及び通信部６１によって、オフライン状態が検知されている状態からオンライン状態への復帰が検知されたことに基づいて、記憶されている記録媒体ＩＤと精算管理残額とが管理装置５０に送信される。
【０４９２】
図３６のＳ９３６で説明したように、管理装置５０の制御部５２によって、受信された記録媒体ＩＤに対応して管理装置５０にて管理されている管理残額と、精算装置６０から受信された精算管理残額とが一致するか否かが判定される。図３６のＳ９３７で説明したように、管理装置５０の制御部５２によって、一致しないと判定されたことを条件として、管理残額と精算管理残額とが一致しない旨が報知される。
【０４９３】
このため、オフライン状態における精算において不正が行われた場合に、オンライン状態への復帰後迅速にその事実を把握して対処することができる。
【０４９４】
（３−７）  図２４のＳ９４１〜Ｓ９４３、図２５のＳ９５１〜Ｓ９５３、及び、図２６のＳ９６１〜Ｓ９６３で説明したように、メダルサンド２０の制御部２１によって、演算方式を特定可能な演算方式フラグと当該演算方式による演算により管理残額を算出するための元データとが、管理残額を特定するための情報として記録媒体に記録される。図３５のＳ９０５，Ｓ９０６で説明したように、精算装置６０の制御部６２によって、受け付けられた記録媒体に記録されている演算方式フラグから演算方式が特定され、特定された該演算方式により、受け付けられた記録媒体に記録されている元データが演算されて、管理残額が特定される。
【０４９５】
このため、管理残額がそのまま記録媒体に記録される場合と比較して、記録媒体を改ざんするような不正を行い難くすることができる。
【０４９６】
［３．変形例］
最後に、本発明の変形例について説明する。
【０４９７】
（１−１）  上記の実施形態では、メダルサンド２０において、オフライン状態において記憶残額から貸与に用いられたオフライン消費額と、管理装置５０からメダルサンド２０ごとに送信されたオフライン時基準金額とに基づいて、オフライン消費情報が算出されて記録媒体（会員カード４，ビジタコイン５）に記録されて、その記録媒体がオンライン状態のメダルサンド２０で受け付けられて、その記録媒体に記録された記録媒体ＩＤとオフライン消費情報とが管理装置５０に送信され、管理装置５０において、受信された記録媒体ＩＤと対応付けて記憶された装置ＩＤが特定され、その装置ＩＤと対応付けて記憶されたオフライン時基準金額が特定され、特定されたオフライン時基準金額と受信されたオフライン消費情報とに基づいてオフライン消費額が特定され、前記記録媒体ＩＤに対応する管理残額からオフライン消費額が減算補正されるようにした。
【０４９８】
以下において、オフライン状態のメダルサンド２０で記憶残額を使用した貸与処理が行われたときに、当該オフライン状態における貸与金額であるオフライン消費額を管理残額から減算して、管理残額を補正するための手法を図３７〜図４０を用いて説明する。なお、以下の説明においては、貸与処理や記録媒体挿入時処理における記録媒体の通番や管理装置の通番を更新する処理や通番判定に関する処理等は省略し、オフライン消費額を管理残額から減算補正するための構成のみを詳細に説明する。また、実施形態の記録媒体挿入時処理（供給処理、オンライン復帰処理）においては、挿入通知（供給通知、オンライン復帰通知、精算要求）ではなく、残額受信通知や端数額消去通知を管理装置５０が受信したことに基づいて、オフライン消費額の管理残額からの減算が行われるが、以下においては、説明を簡単にするために、管理装置５０が挿入通知を受信したことに基づいて、オフライン消費額の管理残額からの減算を行う場合を例に採り説明する。なお、図３８から図４０に示す変形例において、通番更新処理や通番判定処理等の実施形態で行っていた処理を併せて行っても良いし、挿入通知ではなく残額受信通知や端数額消去通知の受信に基づいて、オフライン消費額の管理残額からの減算を行うようにしても良いことはもちろんである。まず、図３７を用いて実施形態で採用した手法を説明する。
【０４９９】
図３７は、メダルサンド２０において管理装置５０とのオフライン状態が発生したときに貸与に使用されたオフライン使用額を管理装置５０で特定するための第１の方法を示す図である。まず、管理装置５０には、図１３（ａ）に示した設定値ＤＢに、各メダルサンド２０の装置ＩＤと対応付けてオフライン時基準金額が記憶される。このオフライン時基準金額は、決まった時間（例えば、遊技場の営業開始前）に、各メダルサンド２０に送信される。ここでは、装置ＩＤ「Ｕ０００１」のメダルサンド２０であるので、オフライン時基準金額「１５０００」円が送信される。送信されたオフライン時基準金額は、メダルサンド２０に記憶される。
【０５００】
そして、図１６で説明したように、メダルサンド２０で、記録媒体ＩＤが「Ｖ０００４」のビジタコイン５が受け付けられる（Ｓ２０１）。そして、ビジタコイン５の記録媒体ＩＤ「Ｖ０００４」やビジタコイン５が受け付けられたメダルサンド２０の装置ＩＤ「Ｕ０００１」などを含む挿入通知が管理装置５０に送信される（Ｓ２０２）。管理装置５０において、受信された挿入通知に含まれる装置ＩＤ「Ｕ０００１」が図１３（ａ）で示した残額管理ＤＢに記憶され（Ｓ２２０）、受信された挿入通知に含まれる記録媒体ＩＤ「Ｖ０００４」に対応付けて記憶されている管理残額「２５７５」円を含む残額通知が、挿入通知を送信してきたメダルサンド２０に送信される（Ｓ２２１）。メダルサンド２０において、残額通知に含まれる管理残額「２５７５」円が記憶残額として記録媒体ＩＤ「Ｖ０００４」と対応付けて記憶される（Ｓ２２２）。
【０５０１】
また、図１５で説明したように、メダルサンド２０において、貸与操作が受け付けられ（Ｓ１２１）、貸与処理が行われる（Ｓ１２２）ことによって、記憶残額が減算され（Ｓ１２９）、管理装置５０において、管理残額が減算される（Ｓ１２５）。例えば、１回貸与が行われることによって、貸与設定金額が１０５０円であるので、２５７５円から１０５０×１＝１０５０円減算され、管理残額及び記憶残額が１５２５円となる。
【０５０２】
この時点で、メダルサンド２０と管理装置５０とのオフライン状態が発生することとする。図２３で説明したように、メダルサンド２０において、オフライン状態が発生してから、貸与操作が受け付けられ（Ｓ５３１）、記憶残額は、１５２５円から１０５０×１＝１０５０円減算され、４７５円となる（Ｓ５３４）。また、記録媒体ＩＤ「Ｖ０００４」と対応付けて、オフライン状態が発生してからの貸与が行われた金額であるオフライン消費額が１０５０円と記憶される（Ｓ５３５）。なお、オフライン状態であるので、管理装置５０で記憶されている管理残額は減算されず、１５２５円のままとなる。次に、貸与操作が受け付けられ（Ｓ５３１）、記憶残額が貸与設定金額未満であるので税込単位額の整数倍であって記憶残額を超えない最大額である（１０５×４＝）４２０円が記憶残額から減算されて５５円となる。また、オフライン消費額が（１０５０＋４２０＝）１４７０円と記憶される（Ｓ５３５）。
【０５０３】
ここで、１０００円の貨幣の入金が受け付けられ（Ｓ５１０）、記憶端数額は０円であり受付貨幣額の１０００円の対応消費税額である５０円未満（Ｓ５１２でＮＯ）であり、記憶端数額＋記憶残額は（０＋５５＝）５５円であり対応消費税額である５０円以上（Ｓ５１５でＹＥＳ）であるので、受付貨幣額＋記憶端数額＋記憶残額である（１０００＋０＋５５＝）１０５５円から貸与対象額１０５０円と新たな記憶残額５円とが特定され（Ｓ５１６）、記憶残額が５円に更新され（Ｓ５１７）、オフライン消費額が加算され（１４７０＋（５５−５）＝）１５２０円となり（Ｓ５１８）、貸与対象額１０５０円分の貸与処理が行われる（Ｓ５２２）。なお、記憶端数額は変更されない。
【０５０４】
次に、１０００円の貨幣の入金が受け付けられ（Ｓ５１０）、記憶端数額は０円であり対応消費税額の５０円未満（Ｓ５１２でＮＯ）であり、記憶端数額＋記憶残額は（０＋５＝）５円であり対応消費税額の５０円未満（Ｓ５１５でＮＯ）であり、受付貨幣額１０００円は税込単位額１０５円以上（Ｓ５１９でＹＥＳ）であるので、受付貨幣額１０００円から貸与対象額９４５円と端数額５５円とが特定され（Ｓ５２０）、記憶端数額が５５円に更新され（Ｓ５２１）、貸与対象額９４５円分の貸与処理が行われる（Ｓ５２２）。なお、記憶残額及びオフライン消費額は変更されない。
【０５０５】
次に、１０００円の貨幣の入金が受け付けられ（Ｓ５１０）、記憶端数額は５５円であり対応消費税額の５０円以上（Ｓ５１２でＹＥＳ）であるので、受付貨幣額＋記憶端数額である（１０００＋５５＝）１０５５円から貸与対象額１０５０円と新たな端数額５円とが特定され（Ｓ５１３）、記憶端数額が５円に更新され（Ｓ５１４）、貸与対象額１０５０円分の貸与処理が行われる（Ｓ５２２）。なお、記憶残額及びオフライン消費額は変更されない。
【０５０６】
そして、記憶残額が５円、オフライン消費額が１５２０円、オフライン端数額が４５円になったときに、図２４で説明したように、メダルサンド２０において、オフライン状態のままで返却操作が受け付けられ（Ｓ５４１）、図２５で説明したように、記憶されているオフライン時基準金額「１５０００」円とオフライン消費額「１５２０」円とからオフライン消費情報「１３４８０」が算出され（Ｓ９５６）、オフライン消費情報「１３４８０」が記録媒体ＩＤ「Ｖ０００４」と共にビジタコイン５に記録されて（Ｓ９５７）、該ビジタコイン５が排出される（Ｓ５７１）。
【０５０７】
なお、記憶残額が５円、オフライン消費額が１５２０円、オフライン端数額が４５円になったときに、上述したように返却操作が受け付けられるのではなく、１０００円の貨幣の入金が受け付けられると（Ｓ５１０）、記憶端数額は４５円であり対応消費税額の５０円未満（Ｓ５１２でＮＯ）であり、記憶端数額＋記憶残額は（４５＋５＝）５０円であり対応消費税額５０円以上（Ｓ５１５でＹＥＳ）であるので、受付貨幣額＋記憶端数額＋記憶残額である（１０００＋４５＋５＝）１０５０円から貸与対象額１０５０円と新たな記憶残額０円とが特定され（Ｓ５１６）、記憶残額が０円に更新され、記憶端数額が０円に更新され（Ｓ５１７）、オフライン消費額が加算され（１５２０＋（５−０）＝）１５２５円となり（Ｓ５１８）、貸与対象額１０５０円分の貸与処理が行われる（Ｓ５２２）。そして、記憶残額及び記憶端数額がともに０であり（Ｓ５２３でＹＥＳ）、ビジタコイン５を受付中であり（Ｓ５２４でＹＥＳ）、オンライン残額有りフラグの記録が無く（Ｓ５２４ａでＮＯ）、オフライン消費額が１５２５円であり０でない（Ｓ５２５でＮＯ）ので、オフライン消費情報（１５０００−１５２５＝）１３４７５を算出し（Ｓ５２６）、算出されたオフライン消費情報がビジタコイン５に記録されて（Ｓ５２７）、メダルサンド２０に収納される（Ｓ５２９）。
【０５０８】
次いで、図１６で説明したように、管理装置５０とオンライン状態のメダルサンド２０において、ビジタコイン５が受け付けられ（Ｓ２０１）、ビジタコイン５に記録されていた記録媒体ＩＤ「Ｖ０００４」とオフライン消費情報「１３４８０」とオフライン端数額「４５」円とを含む挿入通知が管理装置５０に送信される（Ｓ２０２）。管理装置５０において、受信されたオフライン端数額「４５」円が記憶され（Ｓ２１２）、受信された挿入通知に含まれる記録媒体ＩＤ「Ｖ０００４」に対応付けて図１３（ａ）の残額管理ＤＢに記憶されている装置ＩＤ「Ｕ０００１」が特定され（Ｓ２１４）、特定された装置ＩＤ「Ｕ０００１」に対応付けて図１３（ａ）の設定値ＤＢに記憶されているオフライン時基準金額「１５０００」円が特定され（Ｓ２１５）、特定されたオフライン時基準金額「１５０００」円と受信したオフライン消費情報「１３４８０」とからオフライン消費額「１５２０」円が算出され（Ｓ２１７）、記憶される（Ｓ２１９）。
【０５０９】
最後に、図１７で説明したように、記憶されたオフライン消費額「１５２０」円が管理残額「１５２５」円から減算されて管理残額が「５」円とされ、記憶されたオフライン消費額「１５２０」円が消去され（Ｓ２４７）、記憶されたオフライン端数額「４５」円が管理残額「５」円に加算されて管理残額が「５０」円とされ、記憶されたオフライン端数額「４５」円が消去される（Ｓ２４８）。
【０５１０】
（１−２）  しかし、これに限定されず、メダルサンド２０において、オフライン状態における記憶残額を使用して貸与の行われた回数であるオフライン消費回数と、管理装置５０からメダルサンド２０ごとに送信されたオフライン時基準回数とに基づいて、オフライン消費情報が算出されて記録媒体（会員カード４，ビジタコイン５）に記録されて、その記録媒体がオンライン状態のメダルサンド２０で受け付けられて、その記録媒体に記録された記録媒体ＩＤとオフライン消費情報とが管理装置５０に送信され、管理装置５０において、受信した記録媒体ＩＤと対応付けて記憶された装置ＩＤが特定され、その装置ＩＤと対応付けて記憶されたオフライン時基準回数と貸与設定金額とが特定され、特定されたオフライン時基準回数と貸与設定金額と受信されたオフライン消費情報とに基づいてオフライン消費額が特定されるようにしても良い。
【０５１１】
この場合について、図を用いて説明する。なお、この場合は、オフライン状態において貨幣を受け付けた場合は記憶残額の使用が不可であることとする。また、オフライン状態においては、貸与設定金額分の貸与処理を行い、記憶残額が貸与設定金額未満である場合には貸与処理は行わないこととする。図３８は、メダルサンド２０において管理装置５０とのオフライン状態が発生したときに貸与に使用されたオフライン使用額を管理装置５０で特定するための第２の方法を示す図である。図３７と比較して主に異なる点は、オフライン時基準金額に替えて、オフライン時基準回数を用い、オフライン消費額に替えて、オフライン消費回数を用いることである。
【０５１２】
具体的には、管理装置５０には、前述したオフライン時基準金額に替えて、貸与設定金額とオフライン時基準回数とが各メダルサンド２０の装置ＩＤと対応付けて記憶される。また、メダルサンド２０には、前述したオフライン時基準金額に替えて、各ユニットに対応するオフライン時基準回数（装置ＩＤが「Ｕ０００１」のメダルサンド２０の場合は「３０」回）が管理装置５０から送信され記憶される。そして、第２の方法においては、オフライン状態で記憶残額を使用して貸与処理が行われたときに、前述した図２３のＳ５３５に替えて、即ちオフライン消費額に替えて、オフライン消費回数が累積記憶される。つまり、オフライン状態が発生し、その後２回貸与処理が行われると、メダルサンド２０で記憶されるオフライン消費回数が２回に累積される。
【０５１３】
そして、メダルサンド２０において、図２４のＳ５４１で示すように、オフライン状態のままで返却操作が受け付けられ、前述した図２５のＳ９５６に替えて、記憶されているオフライン時基準回数「３０」回とオフライン消費回数「２」回とからオフライン消費情報「２８」が算出され、Ｓ９５７に替えて、オフライン消費情報「２」が記録媒体ＩＤ「Ｖ０００４」と共にビジタコイン５に記録されて、図２５のＳ５７１で示すように、ビジタコイン５が排出される。
【０５１４】
次いで、図１６のＳ２０１で示したように、管理装置５０とオンライン状態のメダルサンド２０において、ビジタコイン５が受け付けられ、前述した図１６のＳ２０２に替えて、ビジタコイン５に記録されていた記録媒体ＩＤ「Ｖ０００４」とオフライン消費情報「２８」とを含む挿入通知が管理装置５０に送信される。管理装置５０において、図１６のＳ２１４で示したように、受信された挿入通知に含まれる記録媒体ＩＤ「Ｖ０００４」に対応付けて残額管理ＤＢに記憶されている装置ＩＤ「Ｕ０００１」が特定される。また、Ｓ２１５に替えて、特定された装置ＩＤ「Ｕ０００１」に対応付けて記憶されているオフライン時基準回数「３０」回及び貸与設定金額「１０５０」円が特定される。また、Ｓ２１７に替えて、特定されたオフライン時基準回数「３０」円と受信したオフライン消費情報「２８」とからオフライン消費回数「２」が算出され、オフライン消費回数「２」回に貸与設定金額「１０５０」円を掛けることによって、オフライン消費額「２１００」円が算出される。そして、図１６のＳ２１９で示すように、算出されたオフライン消費額「２１００」円が記憶される。
【０５１５】
最後に、管理装置５０において、図１７のＳ２４７で示したように、記憶されたオフライン消費額「２１００」円が管理残額「７９００」円から減算されて管理残額が「５８００」円とされ、記憶されたオフライン消費額「２１００」円が消去される。
【０５１６】
（１−３）  また、管理装置５０において、メダルサンド２０とのオフライン状態が発生した時刻がそのメダルサンド２０の装置ＩＤと対応付けて記憶され、メダルサンド２０において、オフライン状態において貸与に用いられたオフライン消費額と、時間帯ごとに異なる（各時刻に応じて異なる）オフライン時基準金額とに基づいて、オフライン消費情報が算出されて記録媒体（会員カード４，ビジタコイン５）に記録されて、その記録媒体がオンライン状態のメダルサンド２０で受け付けられて、その記録媒体に記録された記録媒体ＩＤとオフライン消費情報とが管理装置５０に送信され、管理装置５０において、受信した記録媒体ＩＤと対応付けて記憶された装置ＩＤが特定され、その装置ＩＤと対応付けて記憶されたオフライン発生時刻からオフライン時基準金額が特定され、特定されたオフライン時基準金額と受信されたオフライン消費情報とに基づいてオフライン消費額が特定されるようにしても良い。
【０５１７】
この場合について、図を用いて説明する。図３９は、メダルサンド２０において管理装置５０とのオフライン状態が発生したときに貸与に使用されたオフライン使用額を管理装置５０で特定するための第３の方法を示す図である。図３７と比較して異なる点は、装置ＩＤに対応するオフライン時基準金額に替えて、オフラインが発生する時間帯に対応するオフライン時基準金額を用いることである。
【０５１８】
具体的には、管理装置５０には、前述したようにオフライン時基準金額をメダルサンド２０の装置ＩＤと対応付けて記憶することに替えて、オフライン基準金額をオフライン状態が発生する時間帯と対応付けて記憶する。また、メダルサンド２０には、前述したオフライン時基準金額に替えて、管理装置５０から送信された時間帯ごとのオフライン時基準金額が記憶される。
【０５１９】
そして、メダルサンド２０において、図２４のＳ５４１で示すように、オフライン状態のままで返却操作が受け付けられ、前述した図２５のＳ９５６に替えて、オフライン状態が発生した時間「１１：２２」が含まれる時間帯「１１〜１２」に対応するオフライン時基準金額「１６５００」円とオフライン消費額「１５２０」円とからオフライン消費情報「１４９８０」が算出され、Ｓ９５７で示すように、オフライン消費情報「１４９８０」円が記録媒体ＩＤ「Ｖ０００４」と共にビジタコイン５に記録されて、図２５のＳ５７１で示すように、ビジタコイン５が排出される。また、管理装置５０において、オフライン状態が発生した時間「１１：２２」がオフライン状態となったメダルサンド２０の装置ＩＤと対応付けて記憶される。
【０５２０】
次いで、図１６のＳ２０１で示したように、管理装置５０とオンライン状態のメダルサンド２０において、ビジタコイン５が受け付けられ、前述した図１６のＳ２０２で示すように、ビジタコイン５に記録されていた記録媒体ＩＤ「Ｖ０００４」とオフライン消費情報「１４９８０」とオフライン端数額「４５」とを含む挿入通知が管理装置５０に送信される。管理装置５０において、図１６のＳ２１２で示したように、受信されたオフライン端数額「４５」円が記憶され、図１６のＳ２１４で示したように、受信された挿入通知に含まれる記録媒体ＩＤ「Ｖ０００４」に対応付けて残額管理ＤＢに記憶されている装置ＩＤ「Ｕ０００１」が特定される。また、Ｓ２１５に替えて、特定された装置ＩＤ「Ｕ０００１」に対応付けて記憶されているオフライン状態が発生した時間「１１：２２」が特定され、オフライン状態が発生した時間を含む時間帯に対応付けて記憶されているオフライン時基準金額「１６５００」円が特定される。また、Ｓ２１７で示すように、特定されたオフライン時基準金額「１６５００」円と受信したオフライン消費情報「１４９８０」とからオフライン消費額「１５２０」円が算出される。そして、図１６のＳ２１９で示すように、算出されたオフライン消費額「１５２０」円が記憶される。
【０５２１】
最後に、管理装置５０において、図１７のＳ２４７で示したように、記憶されたオフライン消費額「１５２０」円が管理残額「１５２５」円から減算されて管理残額が「５」円とされ、記憶されたオフライン消費額「１５２０」円が消去され、Ｓ２４８で示したように、記憶されたオフライン端数額「４５」円が管理残額「５」円に加算されて管理残額が「５０」円とされ、記憶されたオフライン端数額「４５」円が消去される。
【０５２２】
つまり、前述した「実施形態により得られる主な効果」の（１−５）において、管理装置５０及びメダルサンド２０は、各時刻に応じて異なるオフライン時基準金額を記憶し、管理している管理残額に対応する記録媒体ＩＤに対応付けて、該記録媒体ＩＤの記録媒体が受け付けられているメダルサンド２０の装置ＩＤを記憶する。メダルサンド２０は、オフライン状態であると検知された時刻に応じたオフライン時基準金額に基づいたオフライン消費情報を記録媒体に記録する。
【０５２３】
管理装置５０は、メダルサンド２０とのオフライン状態を検知し、オフライン状態であることが検知された時刻とオフライン状態のメダルサンド２０の装置ＩＤとを対応させて記憶し、メダルサンド２０から受信した記録媒体ＩＤに対応して記憶されている装置ＩＤと対応して記憶された時刻を特定し、特定した時刻に応じたオフライン時基準金額に基づいてオフライン消費額を特定する。
【０５２４】
これにより、オフライン消費額を直接、記録媒体に記録するのではなくて，オフライン時基準金額を用いて算出したオフライン消費情報が記録媒体に記録されるので、オフライン時基準金額を用いて算出したオフライン消費情報を０に書替えたとしても、オフライン消費額を０とすることができない。また、オフライン時基準金額は、オフライン状態が検知された時刻に応じて異なるので、容易に知ることができない。その結果、オフライン状態において記憶残額を使用しているにも拘わらず、オフライン消費額が０となるようにオフライン消費情報を書替えるような不正をさらに行い難くすることができる。なお、オフライン消費額及びオフライン時基準金額に替えてオフライン消費回数及びオフライン時基準回数を用いるようにしても良い。
【０５２５】
（１−４）  また、管理装置５０において、メダルサンド２０とのオフライン状態が発生した時刻がそのメダルサンド２０の装置ＩＤと対応付けて記憶され、メダルサンド２０において、オフライン状態において貸与に用いられたオフライン消費額と、管理装置５０から時間帯ごとに送信されたオフライン時基準金額とに基づいて、オフライン消費情報が算出されてオフライン状態が発生した時刻と共に記録媒体（会員カード４，ビジタコイン５）に記録されて、その記録媒体がオンライン状態のメダルサンド２０で受け付けられて、その記録媒体に記録された記録媒体ＩＤとオフライン消費情報とオフライン発生時刻とが管理装置５０に送信され、管理装置５０において、受信したオフライン発生時刻からオフライン時基準金額が特定され、特定されたオフライン時基準金額と受信されたオフライン消費情報とに基づいてオフライン消費額が特定されるようにしても良い。
【０５２６】
この場合について、図を用いて説明する。図４０は、メダルサンド２０において管理装置５０とのオフライン状態が発生したときに貸与に使用されたオフライン使用額を管理装置５０で特定するための第４の方法を示す図である。図３７と比較して異なる点は、装置ＩＤに対応するオフライン時基準金額に替えて、オフラインが発生する時間帯に対応するオフライン時基準金額を用いることである。
【０５２７】
具体的には、管理装置５０には、前述したようにオフライン時基準金額をメダルサンド２０の装置ＩＤと対応付けて記憶することに替えて、オフライン基準金額をオフライン状態が発生する時間帯と対応付けて記憶する。また、メダルサンド２０には、前述したオフライン時基準金額に替えて、時間帯ごとのオフライン時基準金額が管理装置５０から送信され記憶される。
【０５２８】
そして、メダルサンド２０において、図２４のＳ５４１で示すように、オフライン状態のままで返却操作が受け付けられ、前述した図２５のＳ９５６に替えて、オフライン状態が発生した時間「１１：２２」が含まれる時間帯「１１〜１２」に対応するオフライン時基準金額「１６５００」円とオフライン消費額「１５２０」円とからオフライン消費情報「１４９８０」円が算出され、Ｓ９５７に替えて、オフライン消費情報「１４９８０」円及びオフライン状態が発生した時間を示す情報「１１：２２」が記録媒体ＩＤ「Ｖ０００４」と共にビジタコイン５に記録されて、図２５のＳ５７１で示すように、ビジタコイン５が排出される。
【０５２９】
次いで、図１６のＳ２０１で示したように、管理装置５０とオンライン状態のメダルサンド２０において、ビジタコイン５が受け付けられ、前述した図１６のＳ２０２に替えて、ビジタコイン５に記録されていた記録媒体ＩＤ「Ｖ０００４」とオフライン消費情報「１４９８０」とオフライン端数額「４５」とオフライン状態が発生した時間を示す情報「１１：２２」とを含む挿入通知が管理装置５０に送信される。管理装置５０において、Ｓ２１４、Ｓ２１５に替えて、受信したオフライン状態が発生した時間を示す情報で示される時間「１１：２２」を含む時間帯に対応付けて記憶されているオフライン時基準金額「１６５００」円が特定される。また、Ｓ２１７で示すように、特定されたオフライン時基準金額「１６５００」円と受信したオフライン消費情報「１４９８０」とからオフライン消費額「１５２０」円が算出される。そして、図１６のＳ２１９で示すように、算出されたオフライン消費額「１５２０」円が記憶される。
【０５３０】
最後に、管理装置５０において、図１７のＳ２４７で示したように、記憶されたオフライン消費額「１５２０」円が管理残額「１５２５」円から減算されて管理残額が「５」円とされ、記憶されたオフライン消費額「１５２０」円が消去され、Ｓ２４８で示したように、記憶されたオフライン端数額「４５」円が管理残額「５」円に加算されて管理残額が「５０」円とされ、記憶されたオフライン端数額「４５」円が消去される。
【０５３１】
なお、記録媒体に記録する時間を示す情報は、オフライン状態が発生した時間やその時間を示す情報に限定されず、オフライン状態が発生した時間帯であっても良いし、その時間帯を示す番号であっても良い。また、オフライン状態が発生した時刻に限定されず、オフライン状態が発生した時刻から記録媒体が排出されるまでの任意の時刻であっても良い。例えば、記録媒体の排出時刻を記録媒体に記録するようにしても良い。
【０５３２】
つまり、前述した「実施形態により得られる主な効果」の（１−５）において、次のようにしても良い。管理装置５０及びメダルサンド２０は、各時刻に応じて異なるオフライン時基準金額を記憶する。メダルサンド２０は、時刻を特定可能な時刻特定情報と、当該時刻に応じたオフライン時基準金額に基づいたオフライン消費情報とを記録媒体に記録する。
【０５３３】
メダルサンド２０は、受け付けた記録媒体に記録された時刻特定情報を管理装置５０にさらに送信する。管理装置５０は、受信した時刻特定情報から特定される時刻に応じたオフライン時基準金額に基づいてオフライン消費額を特定する。
【０５３４】
これにより、オフライン消費額を直接、記録媒体に記録するのではなくて，オフライン時基準金額を用いて算出したオフライン消費情報が記録媒体に記録されるので、オフライン時基準金額を用いて算出したオフライン消費情報を０に書替えたとしても、オフライン消費額を０とすることができない。また、オフライン時基準金額は、時刻に応じて異なるので、容易に知ることができない。その結果、オフライン状態において記憶残額を使用しているにも拘わらず、オフライン消費額が０になるようにオフライン消費情報を書替えるような不正をさらに行い難くすることができる。なお、オフライン消費額及びオフライン時基準金額に替えてオフライン消費回数及びオフライン時基準回数を用いるようにしても良い。
【０５３５】
（２）  上記の実施形態では、Ｓ１２９で説明したように、貸与処理の使用額＋消費税額を記憶残額から減算するようにした。しかし、これに限定されず、Ｓ１２８で、管理装置５０から減算完了通知と共に管理残額を受信するようにして、貸与処理後の記憶残額を、管理装置５０から取得した管理残額と同じ額に更新するようにしても良い。
【０５３６】
（３）  上記の実施形態では、Ｓ７０１、Ｓ２２１ａ及びＳ２４１ａ、Ｓ７８１で説明したように、精算装置６０は、カード又はコインを受け付けたときに、管理装置５０から管理残額を取得して、管理残額を精算するようにした。しかし、これに限定されず、カード又はコインに記憶残額を記録するようにして、精算装置６０は、カード又はコインを受け付けたときに、カード又はコインに記録された残額を読出して、その残額を管理装置５０に送信して、管理装置５０によって照合されて一致すれば、読出した残額を精算するようにしても良い。
【０５３７】
（４）  上記の実施形態では、会員カード４及びビジタコイン５には、記録媒体ＩＤが記録され、残額は記録されていなかったが、記録媒体ＩＤに加えて残額も記録するようにしても良い。
【０５３８】
（５）  上記の実施形態では、貸与額に対して消費税を徴収するようにされていたが、消費税を徴収しないようにしても良い。つまり、貸与処理に用いられる貸与使用額とは、消費税の徴収が行われる場合には、貸与額＋消費税額であり、消費税額の徴収が行われない場合には、貸与額自体となる。
【０５３９】
（６）  上記の実施形態では、メダルサンド２０は、オフライン状態において貨幣を受け付けたときに、遊技者の操作によることなく貸与対象額を特定し、貸与対象額分の貸与処理を行うこととされていたが、オフライン状態で受け付けた貨幣額を一旦記憶し、遊技者からの貸与操作に基づいて貸与設定金額分の貸与処理を行うようにしても良い。この場合には、受付貨幣額のうち貸与処理に使用されていない残額を入金残額（実施例における端数額に相当）として記録媒体に記録するようにすれば良い。
【０５４０】
（７）  上記の実施形態では、取引装置として、遊技場に設置され、受け付けた記録媒体の記録媒体ＩＤに対応付けて管理装置で管理されている残額（管理残額）を使用して遊技媒体（メダル）を貸与する処理を行うメダルサンド２０を説明したが、これに限定されず、管理残額を使用して取引処理を行う装置であれば良い。例えば、遊技場に限らず、各店舗に設置され、受け付けた記録媒体の管理残額を使用して物品を払出す処理を行う自動販売機や、商品の購入代金を入力し、当該入力された購入代金を管理残額から減算することで決済する処理を行うＰＯＳ端末であっても良い。
【０５４１】
（８）  図３８の変形例においては、オフライン消費情報として、オフライン時基準回数からオフライン消費回数を減算した値を用いたが、オフライン消費回数自体をオフライン消費情報としても良く、この場合には、管理装置５０は、受信した挿入通知（供給通知、オンライン復帰通知、精算要求）に含まれるオフライン消費情報に貸与設定金額を乗算することでオフライン消費額を特定し、該オフライン消費額を管理残額から減算補正する。
【０５４２】
また、メダルサンド２０において、オフライン状態で記憶残額を使用した貸与処理が行われる毎に、当該貸与処理に使用されたオフライン消費額を集計し、当該集計したオフライン消費額自体をオフライン消費情報としても良く、この場合には、管理装置５０は、受信した挿入通知（供給通知、オンライン復帰通知、精算要求）に含まれるオフライン消費情報をオフライン消費額と特定し、該オフライン消費額を管理残額から減算補正する。
【０５４３】
（９）  上記の実施形態では、管理残額を特定可能な管理残額特定情報として、演算方式と、元データである基準データ，乗算データ，除算データ，及び加算データとを記録しているが、演算方式は１種類に固定し、演算方式を記録しなくても良いし、基準データ，乗算データ，除算データ，及び加算データ全てではなく、いずれか１つ又は複数であっても良い。また上記の実施形態では、乗算データ，除算データ，及び加算データはメダルサンド２０に予め設定されており、これら各データと管理残額（記憶残額）とに基づいて基準データを算出するようにしていたが、基準データとして、例えば記録媒体ＩＤの特定の桁の数値（例えば下２桁）を使用し、該基準データと管理残額とに基づいて、乗算データ，除算データ，及び加算データを元データとして算出し記録するようにしても良い。
【０５４４】
また、管理残額特定情報としては、管理残額自体、即ち記憶残額自体を記録するようにしても良い。また、記録媒体に総入金額を記録する領域と総消費金額を記録する領域とを設け、当該記録媒体について入金処理が行われる毎に、当該入金額を総入金領域に加算し、貸与処理が行われる毎に貸与使用金額を総消費領域に加算し、精算処理が行われる毎に精算額を総消費領域に加算する。例えば、オンライン状態においては、図１４のＳ１０７で残額がＲＡＭに記憶されるときに入金額（受付貨幣額）を記録媒体の総入金領域に加算し、図１５のＳ１２９で貸与使用金額である使用額＋消費税額が記憶残額から減算されるときに貸与使用金額を記録媒体の総消費領域に加算し、図３３のＳ７８１で貨幣が払出されるときに精算額を記録媒体の総消費領域に加算する。また、オフライン状態においては、図２２のＳ５１３，Ｓ５１６，Ｓ５２０で貸与対象額が特定されたときに、入金額（受付貨幣額）を記録媒体の総入金領域に加算し、図２２のＳ５２２で貸与処理が行われるときに貸与使用金額である貸与対象額を記録媒体の総消費領域に加算し、図２３のＳ５３４で貸与使用金額である使用額＋消費税額が記憶残額から減算されるときに貸与使用金額を記録媒体の総消費領域に加算し、図３５のＳ９１４で管理残額＋オフライン端数額分の貨幣が払出されるときに管理残額＋オフライン端数額を記録媒体の総消費領域に加算する。つまり、管理残額特定情報として、当該記録媒体についての総入金額と総消費額とを記録し、総入金額から総消費額を減算することで管理残額が特定できるようにしても良い。
【０５４５】
なお、総入金額を加算するタイミングは上述したタイミングに限定されるものではなく、入金が確定した以降であればどのようなタイミングであっても良い。具体的には、オンライン状態においては、図１４のＳ１０６で管理装置５０から予定残額通知を受信して以降に加算を行えば良いし、オフライン状態においては、図２２のＳ５１３，Ｓ５１６又はＳ５２０において貸与対象額が特定されて以降に加算を行えば良い。
【０５４６】
また、総消費金額を加算するタイミングについても同様に、上述したタイミングに限定されるものではなく、貸与処理の実施や精算処理の実施が確定した以降であればどのようなタイミングであっても良い。具体的には、オンライン状態での貸与処理においては、図１５のＳ１２１で貸与操作を受け付け、Ｓ１２２で使用額が特定されて以降に加算を行えば良いし、オフライン状態での貸与処理においては、図２２のＳ５１３，Ｓ５１６又はＳ５２０において貸与対象額が特定されて以降、あるいは図２３のＳ５３３で使用額が特定されて以降に加算を行えば良い。また、オンライン状態での精算処理においては、図３３のＳ７８０において精算操作を受け付けて以降に加算を行えば良いし、オフライン状態での精算処理においては、図３５のＳ９１１において精算操作を受け付けて以降に加算を行えば良い。
【０５４７】
この場合、総入金額及び総消費額は、記録媒体が遊技場に納入されて以降のものを集計して記録するようにしても良いし、精算装置６０における精算毎にリセットし、精算以降のものを集計して記録するようにしても良いし、メダルサンド２０における貸与処理により記憶残額が０になる毎にリセットし、記憶残額が０になって以降のものを集計して記録するようにしても良い。
【０５４８】
（１０）  上記の実施形態では、オフライン消費情報や管理残額特定情報を、記録媒体を排出するタイミングで算出して記録しているが、これに限らず、貸与処理や入金処理の都度、オフライン消費額や管理残額特定情報を算出して、記録媒体に記録するようにしても良い。
【０５４９】
（１１）  上記の実施形態では、記録媒体の挿入処理時に、管理装置５０において記録媒体ＩＤに対応付けて装置ＩＤを記憶しておくことで、オフライン消費情報を記録して当該記録媒体を排出したメダルサンド２０の装置ＩＤを特定するようにしたが、これに限らず、オフライン消費情報を記録して返却するときに、当該返却を行うメダルサンド２０の装置ＩＤを記録媒体に記録しておき、該記録媒体に記録された装置ＩＤを挿入通知に含めて管理装置５０に送信することで、管理装置５０が当該記録媒体を排出したメダルサンドの装置ＩＤを特定するようにしても良い。また、この場合には、図３９に示した手法においても、当該装置ＩＤから直接オフライン発生時刻を特定すれば良い。
【０５５０】
（１２）  上記の実施形態では、精算装置６０がオフライン状態からオンライン状態に復帰したときに、図１３（ｂ）に示す精算ＤＢの内容をオフライン中精算通知として管理装置５０に送信するようにしたが、精算装置６０がオンライン復帰することなく閉店し、電源ＯＦＦ後に修理を行い、次営業日の営業開始時に電源ＯＮしたときにオンライン状態となったときには、その時点で精算ＤＢの内容を管理装置５０に送信するようにすれば良い。
【０５５１】
（１３）  上記の実施形態では、精算装置６０において貨幣で精算を行うようにした。しかし、これに限定されず、電子マネーを記憶して用いることが可能な携帯電話やカードに対して電子マネーを加算することで精算を行うようにしても良い。
【０５５２】
（１４）  上記の実施形態では、通番不一致時処理が、記憶している受付貨幣額の加算や消去，記憶しているオフライン端数額の加算や消去，及び使用額＋消費税額の減算等、管理残額を対象とした処理である例について説明したが、これに限らず、該通番不一致時処理は、管理装置５０において、挿入通知の送信元であるメダルサンド２０や精算要求の送信元である精算装置６０を特定可能に表示（報知）する処理であっても良い。これによれば、例えば遊技場の店員が、該報知されたメダルサンド２０や精算装置６０からカードあるいはコインを一旦回収し、当該カード等の残額を特定して遊技者に保証を行うといった対処が可能となる。また通番不一致時処理は、管理装置５０から、挿入通知の送信元であるメダルサンド２０や精算要求の送信元である精算装置６０に対して報知指示を送信する処理であっても良い。これによれば、メダルサンド２０や精算装置６０において報知が行われるので、上記と同様の対処が可能となる。このように、通番不一致時処理とは、管理残額を対象とした処理には限られない。
【０５５３】
（１５）  上記の実施形態では、基準貸与額（貸与設定金額）が、管理装置５０から各メダルサンド２０に配信されることで設定され、該設定額が設定値ＤＢで管理される例について説明したが、これに限らず、基準貸与額が各メダルサンド２０で設定されるようにしても良く、例えば、各メダルサンド２０が備える貸与設定金額設定ボタンの操作によって当該メダルサンド２０の貸与設定金額が設定されることで、該設定額が管理装置５０に対して送信され、設定値ＤＢで当該メダルサンド２０の装置ＩＤに対応付けて管理されるようにしても良い。
【０５５４】
（１６）  上記の実施形態では、図１４に示すように、管理装置５０において、入金要求の受信に応じて、まずステータスの記憶（Ｓ１０４）が行われ、次に受付貨幣額の記憶（Ｓ１０５）が行われ、最後に予定残額通知の送信（Ｓ１０６）が行われる例について説明したが、これら３つの処理が行われる順序は限定されない。またメダルサンド２０において、予定残額通知の受信に応じて、まず特定処理である受付貨幣の取込（Ｓ１０８）が行われ、次に第１の通番更新処理（Ｓ１０９）が行われ、最後に連携処理要求である貨幣取込通知の送信（Ｓ１１０）が行われる例について説明したが、これら３つの処理が行われる順序も限定されない。さらに管理装置５０において、連携処理要求である貨幣取込通知の受信に応じて、まず受付貨幣額の加算（Ｓ１１３）が行われ、次に該受付貨幣額の消去（Ｓ１１４）が行われ、次に第２の通番更新処理（Ｓ１１５）が行われ、最後にステータスの更新（Ｓ１０６）が行われる例について説明したが、これら４つの処理が行われる順序は限定されない。
【０５５５】
（１７）  上記の実施形態では、図１５に示すように、メダルサンド２０において、貸与操作を受け付けると、まず使用額＋消費税額分の貸与処理が開始され（Ｓ１２２）、次に第１の通番更新処理（Ｓ１２３）が行われ、最後に減算要求の送信（Ｓ１２４）が行われる例について説明したが、これら３つの処理が行われる順序は限定されない。また管理装置５０において、減算要求の受信に応じて、まず使用額＋消費税額の減算（Ｓ１２５）が行われ、次に第２の通番更新処理（Ｓ１２６）が行われ、次にステータスの記憶（Ｓ１２７）が行われ、最後に減算完了通知の送信（Ｓ１２８）が行われる例について説明したが、これら４つの処理が行われる順序は限定されない。
【０５５６】
（１８）  上記の実施形態では、図１７に示すように、メダルサンド２０において、予定残額通知の受信に応じて、まずオフライン消費情報の消去（Ｓ２４３）、オフライン精算情報の消去（Ｓ２４３ａ）、及び、端数額の消去（Ｓ２４４）が行われ、次に第１の通番更新処理（Ｓ２４５）が行われ、最後に端数額消去通知の送信（Ｓ２４６）が行われる例について説明したが、これら５つの処理が行われる順序も限定されない。また管理装置５０において、端数額消去通知の受信に応じて、まずオフライン消費額の減算・消去（Ｓ２４７）、オフライン精算額の減算・消去（Ｓ２４７ａ）、及び、端数額の加算・消去（Ｓ２４８）が行われ、次に第２の通番更新処理（Ｓ２２７）が行われ、最後にステータスの更新（Ｓ２２８）が行われる例について説明したが、これら５つの処理が行われる順序も限定されない。
【０５５７】
（１９）  上記の実施形態では、図３２に示すように、精算装置６０において、精算許諾情報の受信に応じて、まずオフライン消費情報の消去（Ｓ２４３）、オフライン精算情報の消去（Ｓ２４３ａ）、端数額の消去（Ｓ２４４）が行われ、次に第１の通番更新処理（Ｓ２４５）が行われ、最後に端数額消去通知の送信（Ｓ２４６ａ）が行われる例について説明したが、これら５つの処理が行われる順序も限定されない。また管理装置５０において、端数額消去通知の受信に応じて、まずオフライン消費額の減算・消去（Ｓ２４７）、オフライン精算額の減算・消去（Ｓ２４７ａ）、及び、端数額の加算・消去（Ｓ２４８）が行われ、次に第２の通番更新処理（Ｓ２２７）が行われ、最後にステータスの更新（Ｓ２２８）が行われる例について説明したが、これら５つの処理が行われる順序も限定されない。
【０５５８】
（２０）  上記の実施形態では、図３３に示すように、精算装置６０において、精算操作を受け付けると、まず許諾額分の貨幣の払い出しが行われ（Ｓ７８１）、次に第３の通番更新処理（Ｓ７８２）が行われ、最後に精算完了通知の送信（Ｓ７８３）が行われる例について説明したが、これら３つの処理が行われる順序は限定されない。また管理装置５０において、精算完了通知の受信に応じて、まず管理残額の消去（Ｓ７８４）が行われ、次に第４の通番更新処理（Ｓ７８５）が行われ、次にステータスの更新（Ｓ７８６）が行われ、最後に残額消去完了通知の送信（Ｓ７８７）が行われる例について説明したが、これら４つの処理が行われる順序は限定されない。
【０５５９】
（２１）  上記の実施形態では、図２４，図２５，及び図２６に示すように、記録媒体が排出されるときにオフライン端数額が記録される例について説明したが、これに限らず、前記特定手段により端数額が特定される毎に、該端数額をオフライン端数額として記録媒体に記録し、記録媒体が排出されるときには、該オフライン端数額が記録されている記録媒体をそのまま排出するようにしても良い。即ち、記録媒体にオフライン端数額を記録するタイミングは、特に限定されない。
【０５６０】
（２２）  上記の実施形態では、図１７及び図３２に示すように、端数額消去要求である予定残額通知（Ｓ２４１），精算許諾情報（Ｓ２４１ａ）を受信したときに、端数額消去処理（Ｓ２４４）が行われる例について説明したが、これに限らず、例えば記録媒体を受け付けたときに端数額消去処理を行うと共に該消去した端数額を記憶しておき、端数額消去要求を受信した旨を記憶しておき、記録媒体が排出されるときに該端数額消去要求を受信した旨を記憶しているか否かを判定し、記憶していると判定された場合には、端数額が消去されている記録媒体をそのまま排出し、記憶していないと判定された場合には、前記記憶していた端数額を記録媒体に記録してから排出するようにしても良い。即ち、端数額消去要求の受信に基づいて、記録媒体が排出されるまでの間に、端数額消去処理が行われれば良い。
【０５６１】
（２３）  上記の実施形態では、メダルサンド２０において、記録媒体の通番が上限値（ここでは２５５）に達しているか否かを判定し、管理装置５０においても、管理している通番が上限値（ここでは２５５）に達しているか否かを判定する例について説明したが、これに限らず、メダルサンド２０のみが、通番が上限値に達しているか否かを判定するようにしても良い。例えばメダルサンド２０において、記録媒体の通番が上限値に達していると判定したときに、当該記録媒体の通番を初期値に更新し、当該記録媒体の記録媒体ＩＤ及び通番を初期値に更新する旨を含む情報を管理装置５０に対して送信し、該管理装置５０において受信した記録媒体ＩＤに対応付けられた通番を初期値に更新するようにしても良い。
【０５６２】
（２４）  上記の実施形態では、管理装置５０は、返却操作に伴う返却通知（例えば図１９のＳ１８４）を受信したときにも、残額管理ＤＢで記録媒体ＩＤに対応付けて管理されている装置ＩＤを消去せずに、記憶したままにしておく例について説明したが、これに限らず、返却通知を受信したときに、受信した記録媒体ＩＤに対応付けられた装置ＩＤを消去するようにしても良い。この場合には、メダルサンド２０又は精算装置６０から管理装置５０に対して入金要求，挿入通知，又は精算要求が送信され、該情報を受信した管理装置５０が装置ＩＤを記憶した後、オフライン状態となって、記録媒体が返却されても、返却通知を管理装置５０が受信することがないので、装置ＩＤは消去されない。従って、オフライン状態となった場合に、当該記録媒体ＩＤの記録媒体が前回オンライン状態で受け付けられていたメダルサンド２０を特定することが可能である。
【０５６３】
（２５）  上記の実施形態では、基準貸与額が１０５０円である例について説明したが、これに限らず、基準貸与額は任意に変更することが可能である。
【０５６４】
（２６）  上記の実施形態では、貸与処理に応じて通番が１ずつ加算更新される例について説明したが、これに限らず、通番は２ずつ更新されても良く、その更新幅は任意である。即ち更新幅は遊技用装置と管理装置との間で予め定められた共通の更新幅であれば良く、例えばマイナスの値であっても良い。この場合には、メダルサンド２０で通番が更新され、管理装置５０で通番が更新されていないときに、［記録媒体に記録されている通番（即ち管理装置５０が受信する通番）＜管理装置５０で管理されている通番］となる。さらに通番は、整数に限らず、アルファベットや５０音などの、順序を特定可能なキャラクタ等であっても良い。なお「通番の一致」とは、必ずしも値が一致することに限られず、記録媒体の通番（記録通番）と管理装置５０の通番（管理通番）とが所定の関係にあることと特定される場合も含まれる。例えば、記録通番と管理通番が２つずれるという関係であれば、（記録通番）＝（管理通番＋２）の場合には通番が一致することに該当する。
【０５６５】
（２７）  上記の実施形態では、管理残額を使用可能な期間及び精算可能な期間について、特に言及していないが、これらの期間を無期限としても良く、また、これらの期間の一方又は両方を有限としても良い。
【０５６６】
（２８）  上記の実施形態では、消費税率が５％である例について説明したが、これに限らず、該消費税率は設定変更可能である。また上記の実施形態では、消費税率がカード会社で設定される例について説明したが、遊技場において、管理装置５０で設定されて各メダルサンド２０に配信されて記憶されるようにしても良く、また各メダルサンド２０で設定されて記憶されるようにしても良い。
【０５６７】
（２９）  上記の実施形態では、図１に示すように、メダルサンド２０と管理装置５０とが直接的に通信可能に接続されている例について説明したが、これに限らず、両者の間に台端末や中継コンピュータを介在させ、両者が間接的に通信可能に接続されるようにしても良い。また両者は有線で通信可能とされるものには限られず、無線で通信可能とされるものであっても良い。
【０５６８】
（３２）  上記の実施形態では、図２（ｂ）に示すように、紙幣識別機２２にて受付可能な紙幣２の種類が１０００円紙幣，２０００円紙幣，５０００円紙幣，及び１００００円紙幣の４種類である例について説明したが、これに限らず、受付可能な紙幣２の種類は、該４種類のうちの任意の１種類又は２種類以上でも良い。同様に、上記の実施形態では、硬貨識別機２３にて受付可能な硬貨３の種類が１００円硬貨，及び５００円硬貨の２種類である例について説明したが、これに限らず、受付可能な硬貨３の種類は、該２種類のうちの任意の１種類でも良い。なお貨幣として紙幣２及び硬貨３の双方を受け付けるものには限られず、紙幣２又は硬貨３のいずれか一方のみを受け付けるものでも良い。
【０５６９】
（３３）  上記の実施形態では、図２（ｂ）に示すように、貨幣受付手段（紙幣識別機２２，硬貨識別機２３）により受け付けられて回収された貨幣（紙幣２，硬貨３）がメダルサンド２０の外部に排出されて、紙幣搬送機構，硬貨搬送機構により搬送される例について説明したが、これに限らず、該受け付けられて回収された貨幣は、メダルサンド２０の内部に貯留されるようにしても良い。
【０５７０】
（３４）  上記の実施形態では、図２（ｂ）に示すように、貨幣受付手段（紙幣識別機２２，硬貨識別機２３）において、有体物である貨幣（紙幣２，硬貨３）を受け付ける例について説明したが、これに限らず、無体物である貨幣（例えば電子マネー等の貨幣金額に相当する金額データや、クレジットカードから特定される与信金額や、デビットカードから特定される預金金額等）を接触又は非接触で受け付けるようにしても良く、この場合には、貨幣の回収は決済処理の実行に相当し、貨幣の返却は決済処理の中止に相当する。
【０５７１】
（３５）  上記の実施形態では、図２（ａ）（ｂ）に示すように、コイン排出口１１２が遊技用装置（メダルサンド２０）の前面に突出して形成される例について説明したが、これに限らず、該コイン排出口は、遊技用装置の前面から陥没して形成されるようにしても良い。
【０５７２】
（３６）  上記の実施形態では、例えば図１４のＳ１０３に示すように、メダルサンド２０から送信される入金要求に受付貨幣額と記録媒体ＩＤとが含まれる例について説明したが、これに限らず、メダルサンド２０から送信される挿入通知に記録媒体ＩＤと装置ＩＤとを含めて送信し、該挿入通知を受信した管理装置５０において、該挿入通知に含まれる記録媒体ＩＤに対応付けて該挿入通知に含まれる装置ＩＤを管理するようにした場合には、前記入金要求に受付貨幣額と装置ＩＤとを含めて送信し、該入金要求を受信した管理装置５０において、該入金要求に含まれる装置ＩＤに対応付けて管理されている記録媒体ＩＤを特定し、前記入金要求に含まれる受付貨幣額を該特定された記録媒体ＩＤに対応付けて管理するようにしても良い。即ち入金要求は、受付貨幣額と記録媒体ＩＤとを特定可能な情報であれば良く、この場合には装置ＩＤが前記記録媒体ＩＤを特定可能な情報である。また入金可能な貨幣の金種が１種類である場合には、入金要求には受付貨幣額を含めなくても良い。
【０５７３】
（３７）  上記の実施形態では、図１４のＳ１０６に示すように、管理残額と受付貨幣額との合算額を特定可能な残額通知として、該合算額である予定残額を含む予定残額通知が管理装置５０からメダルサンド２０に対して送信される例について説明したが、これに限らず、メダルサンド２０は、管理残額を記憶残額として把握していると共に、受付貨幣額を把握しているので、前記合算額を含まない残額確認通知を前記残額通知として管理装置５０からメダルサンド２０に対して送信し、該メダルサンド２０において該残額確認通知を受信したことに基づいて、前記把握している管理残額と受付貨幣額との合算額を算出し、該算出した合算額を制御部２１のＲＡＭで記憶するようにしても良い。また管理残額又は受付貨幣額のいずれか一方のみを含む残額確認通知を前記残額通知として管理装置５０からメダルサンド２０に対して送信し、該メダルサンド２０において該残額確認通知を受信したことに基づいて、該残額確認通知に含まれる管理残額又は受付貨幣額と、前記把握している受付貨幣額又は管理残額との合算額を算出し、該算出した合算額を制御部２１のＲＡＭで記憶するようにしても良い。
【０５７４】
（３８）  上記の実施形態では、図１７のＳ２４１に示すように、管理残額に端数額（オフライン端数額）を加算したものからオフライン消費額及びオフライン精算額を減算した合算額を特定可能な残額通知として、該合算額である予定残額を含む予定残額通知が管理装置５０からメダルサンド２０に対して送信される例について説明したが、これに限らず、メダルサンド２０は、記録媒体に記録されているオフライン端数額、オフライン消費額及びオフライン精算額を把握しているので、管理残額のみを含む残額通知を管理装置５０からメダルサンド２０に対して送信し、該メダルサンド２０において残額通知を受信したことに基づいて、該受信した残額通知に含まれる管理残額に前記把握しているオフライン端数額を加算したものからオフライン消費額及びオフライン精算額を減算した合算額を算出し、該算出した合算額を制御部２１のＲＡＭで記憶するようにしても良い。
【０５７５】
（３９）  上記の実施形態では、図３２のＳ２４１ａに示すように、管理残額に端数額（オフライン端数額）を加算したものからオフライン消費額及びオフライン精算額を減算した合算額を特定可能な合算額精算許諾情報として、該合算額である予定残額を含む精算許諾情報が管理装置５０から精算装置６０に対して送信される例について説明したが、これに限らず、精算装置６０は、記録媒体に記録されているオフライン端数額、オフライン消費額及びオフライン精算額を把握しているので、管理残額のみを含む精算許諾情報を管理装置５０から精算装置６０に対して送信し、該精算装置６０において精算許諾情報を受信したことに基づいて、該受信した精算許諾情報に含まれる管理残額に前記把握しているオフライン端数額を加算したものからオフライン消費額及びオフライン精算額を減算した合算額を算出し、該算出した合算額に相当する貨幣の払い出しを可能とするようにしても良い。
【０５７６】
（４０）  上記の実施形態では、図１７のＳ２４１に示すように、端数額消去要求と合算額特定情報とを兼ねる予定残額通知が送信される例について説明したが、これに限らず、該端数額消去要求と合算額特定情報とが別個に送信されるようにしても良い。
【０５７７】
（４１）  上記の実施形態では、図１３（ａ）に示すように、管理装置５０において、記録媒体ＩＤと対応付けて単に残額が記憶・管理されている例について説明したが、これに限らず、例えば入金金額，使用金額，精算金額等も併せて記憶・管理するようにしても良い。
【０５７８】
（４２）  上記の実施形態では、図１３（ａ）に示すように、記録媒体ＩＤが、会員カード４のカードＩＤ（Ｍで始まる４桁の番号）とビジタコイン５のコインＩＤ（Ｖで始まる４桁の番号）とで区別されている例について説明したが、これに限らず、会員カード４とビジタコイン５とで区別のないＩＤであっても良い。
【０５７９】
（４３）  上記の実施形態では、例えば図１４に示すように、Ｓ１０３の入金要求に記録媒体ＩＤが含まれ、残額が入金時から該記録媒体ＩＤと対応付けて管理される例について説明したが、これに限らず、Ｓ１０３の入金要求に装置ＩＤを含むようにして、残額を入金時には該装置ＩＤと対応付けて管理しておき、Ｓ１８４の返却通知に装置ＩＤと記録媒体ＩＤを含むようにして、該装置ＩＤに対応する残額を返却時から該記録媒体ＩＤと対応付けて管理するようにしても良い。この場合には、受付貨幣額から第１の貸与処理に使用された使用額及び該使用額に対応する消費税額を減算した金額を、記録媒体の記録媒体ＩＤと対応付けて管理装置５０で管理するための処理（即ち記録媒体Ｒ／Ｗ１０２から読み取った記録媒体ＩＤから特定可能にするための残額特定処理）として、管理装置５０とオンライン状態で貨幣を受け付けたときに、装置ＩＤと受付貨幣額とを含む前記入金要求を管理装置５０に対して送信する処理と、前記使用額＋消費税額分の貸与処理が行われたときに、装置ＩＤと使用額＋消費税額とを含む前記減算要求を管理装置５０に対して送信する処理と、排出操作（返却ボタン２７の操作）を受け付けたときに、装置ＩＤと記録媒体ＩＤとを含む前記返却通知を管理装置５０に対して送信する処理とを行う。
【０５８０】
（４４）  上記の実施形態では、メダルサンド２０において、管理装置５０とオンライン状態で貨幣が受け付けられたときに、該管理装置５０に対して入金要求が送信されて入金処理が行われる例について説明したが、これに限らず、メダルサンド２０において、管理装置５０とオンライン状態で貨幣が受け付けられても、該管理装置５０に対して入金要求を送信せずに、受付貨幣額を残額として制御部２１のＲＡＭで記憶して貸与処理に使用させ、記録媒体（会員カード４，ビジタコイン５）が排出されるときに、管理装置５０に対して記録媒体ＩＤと残額とが送信されて、管理装置５０において該記録媒体ＩＤに対応付けて該残額が管理されるようにしても良い。この場合には、前記残額特定手段は、受付貨幣額から第１の貸与処理に使用された使用額及び該使用額に対応する消費税額を減算した金額（即ち制御部２１のＲＡＭで記憶している前記貸与処理に使用されなかった残額）を、記録媒体の記録媒体ＩＤと対応付けて管理装置５０で管理するための処理（即ち記録媒体Ｒ／Ｗ１０２から読み取った記録媒体ＩＤから特定可能にするための残額特定処理）として、排出操作（返却ボタン２７の操作）を受け付けたときに、記録媒体ＩＤと制御部２１のＲＡＭで記憶している前記貸与処理に使用されなかった残額とを含む通知を管理装置５０に対して送信する処理を行う。
【０５８１】
（４５）  上記の実施形態では、会員カード４が非接触式のＩＣカードであり、ビジタコイン５が非接触式のＩＣコインである例について説明したが、これに限らず、各記録媒体は、接触式の集積回路，磁気，二次元コード（例えばバーコード），三次元コード，又は光干渉（例えばホログラム）等により情報を記録するものでも良い。また会員カード４の形状はカード型には限られず、コイン型であっても良い。さらにビジタコイン５の形状もコイン型には限られず、カード型であっても良い。
【０５８２】
（４６）  上記の実施形態では、会員用の記録媒体として会員カード４が使用される例について説明したが、これに限らず、例えば記録媒体ＩＤを記録したＩＣチップが搭載された携帯電話端末が該会員用の記録媒体として使用されるようにしても良く、この場合には、メダルサンド２０や精算装置６０において、該携帯電話端末を近接させることにより受け付ける記録媒体受付手段が設けられる。なお上記の実施形態において、会員カード４を使用しないように構成しても良い。
【０５８３】
（４７）  上記の実施形態において、ＩＣカードである会員カード４やＩＣコインであるビジタコイン５は、必ずしもＣＰＵを搭載している必要はないが、ＣＰＵを搭載しているものであっても良い。
【０５８４】
（４８）  上記の実施形態では、ビジタコイン５に対してのみ管理残額有り情報（オンライン残額有りフラグ）が記録される例について説明したが、これに限らず、第１の貸与処理の対象となった会員カード４の管理残額が零でないことを条件として、該会員カード４に管理残額有り情報を記録し、管理残額を記録することなく排出する第１の排出処理を記録媒体排出処理手段（制御部２１）により行うようにしても良い。
【０５８５】
（４９）  上記の実施形態では、図１５に示すように、減算要求に使用額と消費税額とを含めて管理装置５０に対して送信する例について説明したが、これに限らず、該減算要求に使用額のみを含めて管理装置５０に対して送信し、該使用額に対応する消費税額は該管理装置５０において算出するようにしても良く、この場合には、管理装置５０からメダルサンド２０に対して消費税率を配信する必要がなくなる。また管理装置５０が各メダルサンド２０における単位使用額を管理している場合（例えば各メダルサンド２０から送信されてきた単位使用額を各メダルサンド２０毎に管理している場合や、すべてのメダルサンド２０における単位使用額が同一で該単位使用額を管理している場合や、管理装置５０で単位使用額を設定して管理し、該設定した単位使用額を各メダルサンド２０に配信する場合等）には、減算要求に貸与操作が行われた旨のみを含めて管理装置５０に対して送信すれば良い。
【０５８６】
（５０）  上記の実施形態では、例えば図１５のＳ１２５に示す減算処理において、使用額＋消費税額の合算額が管理残額から減算される例について説明したが、これに限らず、使用額と消費税額とを分けて管理残額から減算するようにしても良い。
【０５８７】
（５１）  上記の実施形態では、メダルサンド２０において使用額＋消費税額分の貸与処理が行われた場合に、該使用額＋消費税額（例えば１０５０円）が記憶残額から一度に減算される例について説明したが、これに限らず、１度数分の貸与処理が行われる毎に、税込単位額である１０５円が記憶残額から減算され、該減算が使用額＋消費税額分（例えば１０回）繰り返し行われるようにしても良く、この場合には、残額表示器２５における記憶残額の表示も１０５円ずつ減算更新される。
【０５８８】
（５２）  上記の実施形態では、例えば図１９のＳ１９１〜Ｓ１９２に示すように、収納コイン保持部１４０で保持しているビジタコイン５が排出されてから直ちに、収納通路１３１で収納されている最下位のビジタコイン５が排出されて収納コイン保持部１４０に保持される例について説明したが、これに限らず、収納コイン保持部１４０で保持しているビジタコイン５が排出された後、貨幣が受け付けられたときに、収納通路１３１で収納されている最下位のビジタコイン５が排出されて収納コイン保持部１４０に保持されるようにしても良い。
【０５８９】
（５３）  上記の実施形態では、例えば図２４，図２５，及び図２６に示すように、返却操作を受け付けたことに基づいて、オフライン端数額が記録された記録媒体が排出される例について説明したが、これに限らず、一発貸しが行われる毎に、返却操作の受付によらずに、オフライン端数額が記録された記録媒体が排出されるようにしても良い。
【０５９０】
（５４）  上記の実施形態では、図３１のＳａ７０１に示すように、オフライン端数額が税込単位額未満であるか否かの判定が行われる例について説明したが、これに限らず、オフライン端数額が予め定められた一律の金額（例えば５００円）未満であるか否かの判定が行われるようにしても良い。また該判定は、精算装置６０でなく管理装置５０で行われるようにしても良く、この場合には、精算要求に含まれるオフライン端数額が予め定められた所定の金額未満であるか否かを判定する端数額判定手段が、管理装置５０に備えられる。
【０５９１】
（５５）  上記の実施形態では、精算装置６０において、精算が許諾された金額の全額が精算される例について説明したが、これに限らず、遊技者が希望する精算金額の入力を受け付けて、精算が許諾された金額の範囲内で該希望する精算金額が精算されるようにしても良い。
【０５９２】
（５６）  上記の実施形態では、図１４のＳ１１４に示す加算済更新処理が、受付貨幣額を消去する処理である例について説明したが、これに限らず、該加算済更新処理は、受付貨幣額を零にする処理でも良い。また受付貨幣額が消去又は零にされずに累積的に記憶される場合には、該加算済更新処理は、当該受付貨幣額に対して加算済フラグを立てる処理でも良い。また図１７のＳ２４８に示す加算済更新処理が、オフライン端数額を消去する処理である例について説明したが、これに限らず、該加算済更新処理は、オフライン端数額を零にする処理でも良い。またオフライン端数額が消去又は零にされずに累積的に記憶される場合には、該加算済更新処理は、当該オフライン端数額に対して加算済フラグを立てる処理でも良い。また、図１７のＳ２４７やＳ２４７ａにおけるオフライン消費額やオフライン精算額の消去処理についても同様である。
【０５９３】
（５７）  上記の実施形態では、例えば図１５に示す減算完了通知には管理残額が含まれず、メダルサンド２０において記憶残額の減算が行われる例について説明したが、これに限らず、減算完了通知に管理残額が含まれるようにして、該管理残額が記憶残額として記憶されるようにしても良い。この場合において、オフライン状態が発生したときには、メダルサンド２０において記憶残額の減算を行う。
【０５９４】
（５８）  上記の実施形態では、図２９に示すように、オンライン状態への復帰を検知した管理装置５０からメダルサンド２０に対して開始要求が送信され、該開始要求に応じた開始応答がメダルサンド２０から管理装置５０に対して送信された後に、メダルサンド２０から管理装置５０に対してオンライン復帰通知が送信される（即ち管理装置５０からの要求に応じてメダルサンド２０がオンライン復帰通知を送信する）例について説明したが、これに限らず、これら開始要求及び開始応答のやりとり無しに、オンライン状態への復帰を検知したメダルサンド２０から管理装置５０に対してオンライン復帰通知が送信される（即ち管理装置５０からの要求によらずにメダルサンド２０が自発的にオンライン復帰通知を送信する）ようにしても良い。即ち通信可否検知手段（制御部２１）によりオフライン状態を検知している状態からオンライン状態への復帰したことに基づいて、メダルサンド２０から管理装置５０に対してオンライン復帰通知が送信されれば良い。
【０５９５】
（５９）  上記の実施形態では、図２９に示すように、メダルサンド２０が、開始要求を受信した後に、Ｓ６０３及びＳ６０４の処理を行う例について説明したが、これに限らず、開始応答を送信した後に、該Ｓ６０３及びＳ６０４の処理を行うようにしても良い。
【０５９６】
（６０）  上記の実施形態では、記録媒体を受け付けた場合とオンライン状態に復帰した場合とを統一的に取り扱うために、図２９に示すように、Ｓ６０３及びＳ６０４の処理を行う（即ち図２９では記憶端数額をオフライン端数額として記録媒体に一旦記録する）例について説明したが、該Ｓ６０３及びＳ６０４の処理を行わないようにしても良く、この場合には、Ｓ６０６のオンライン復帰通知には記憶端数額がオフライン端数額として含まれ、図１７のＳ２４４では記憶端数額が消去される。
【０５９７】
（６１）  上記の実施形態では、前記残額を使用した貸与処理を特別処理として行うメダルサンド２０に前記記録媒体処理機構が備えられる例について説明したが、該記録媒体処理機構が備えられる装置の種類は、これには限定されない。
【０５９８】
例えば特別処理を行うための情報として特別処理用価値の大きさ（残額や残度数等）を特定可能な情報が記録された円盤状記録媒体が使用され、商品やサービスの購入についての決済に伴って前記特定処理用価値の大きさを減算するための処理を特別処理として行う装置に、前記記録媒体処理機構が備えられるようにしても良い。この場合には、上記の実施形態と同様に、前記減算が行われた後の残額や残度数が零でなければ、円盤状記録媒体が排出されて返却される。また前記減算が行われた後に残額や残度数が零になると、円盤状記録媒体が回収されて収納される。そして貨幣が受け付けられると、該収納されている円盤状記録媒体に新たな残額や残度数が付与されて排出される。
【０５９９】
また特別処理を行うための情報として有効期間を特定可能な情報が記録された円盤状記録媒体が使用され、該有効期間を照会する処理（例えば鉄道の一日乗車券が有効であるか否かを照会する処理）を特別処理として行う装置（例えば自動改札機等）に、前記記録媒体処理機構が備えられるようにしても良い。この場合には、前記照会が行われた結果として有効期間内と判定されると、円盤状記録媒体が排出されて返却される。また前記照会が行われた結果として有効期間切れと判定されると円盤状記録媒体が回収されて収納される。そして貨幣が受け付けられると、該収納されている円盤状記録媒体に新たな有効期間が付与されて排出される。
【０６００】
また特別処理を行うための情報として所定のデータ（例えば診療データ，住民データ，銀行口座の預金額等）を引き出すための情報が記録された円盤状記録媒体が使用され、該データを引き出す処理を特別処理をして行う装置に、前記記録媒体処理機構が備えられるようにしても良い。この場合には、データを処理を行う際に暗証番号の入力を受け付け、該入力された暗証番号が前記データと対応付けて登録されている暗証番号と一致するか否かを判定し、一致すると判定されると、前記データの引き出しが行われて、円盤状記録媒体が排出されて返却される。一方、一致しないと判定されることが所定回数続くと、前記データの引き出しは行われずに、円盤状記録媒体が回収されて収納される。そして新たなデータが登録されると、該収納されている円盤状記録媒体に該データを引き出すための情報が記録されて排出される。
【０６０１】
（６２）  上記の実施形態では、図１及び図２に示すように、メダルサンド２０の制御部２１と通路ユニット１００の制御部１０１とが別個に設けられている例について説明したが、これに限らず、制御部２１の機能と制御部１０１の機能とを併せ持つ１つの制御部を設けるようにしても良い。これは精算装置６０においても同様である。
【０６０２】
（６３）  上記の実施形態では、図５（ａ）に示すように、カード挿入口１９０がコイン排出口１１２の側方に設けられ、下部アンテナ１０４（第２読取部）が収納コイン保持部１４０（第２保持部）とカード保持部１９１との間に配設される例について説明したが、これに限らず、カード挿入口１９０がコイン投入口１１１の側方に設けられ、上部アンテナ１０３（第１読取部）が投入コイン保持部１２０（第１保持部）とカード保持部１９１との間に配設されるようにしても良い。即ち第１読取部又は第２読取部は、第１保持部又は第２保持部とカード保持部１９１との間に配設されることにより、円盤状記録媒体（ビジタコイン５）及びカード状記録媒体（会員カード４）の両方の記録情報を読み取るものであれば良く、これによれば、第１読取部又は第２読取部が、第１保持部又は第２保持部とカード保持部との間に配設され、円盤状記録媒体及びカード状記録媒体の両方の記録情報を読み取るので、カード保持部に対応する読取部を第１読取部又は第２読取部とは別個に設ける場合と比べて、省スペース化を図ることができると共に、製造コストが削減される。
【０６０３】
（６４）  上記の実施形態では、図７に示すように、投入コイン排出通路１６０の一部である連絡通路１６１に傾斜部１６２を設けて、該投入コイン排出通路１６０を収納排出通路１３０に対してビジタコイン５の厚み方向にずらす例について説明したが、これに限らず、収納排出通路１３０に傾斜部を設けて、該収納排出通路１３０を投入コイン排出通路１６０に対してビジタコイン５の厚み方向にずらすようにしても良く、また投入コイン排出通路１６０及び収納排出通路１３０の双方に傾斜部を設けて、該投入コイン排出通路１６０及び収納排出通路１３０の双方を中心から（例えば半分ずつ）ずらすようにしても良い。即ち投入コイン排出通路１６０の一部又は全部を、収納排出通路１３０に対してビジタコイン５の厚み方向に相対的にずらすことにより、第１誘導通路１６３と第２誘導通路１３３とが重畳してコイン排出口１１２に臨むように形成されていれば良い。
【０６０４】
（６５）  上記の実施形態では、オフライン精算情報は、オフライン状態において精算処理が行われたか否かを示すフラグであることとした。しかし、これに限定されず、オフライン精算情報は、オフライン精算額自体であっても良いし、オフライン消費情報のように、所定の基準金額からオフライン精算額を減算した額であっても良い。
【０６０５】
（６６）  上記の実施形態では、図１９のＳ１９２〜Ｓ１９３及び図２０で説明したように、ビジタコイン５が収納コイン保持部１４０に供給されたときに、供給されたビジタコイン５に記録されたオフライン消費情報及びオフライン精算情報が読み出されて、供給通知に含めて管理装置５０に送信され、管理装置５０で管理されている管理残額を減算補正するようにした。しかし、オフライン消費情報やオフライン精算情報を管理装置５０に送信して管理残額の補正を行うタイミングは、これに限定されず、ビジタコイン５がメダルサンド２０や精算装置６０において回収されてから、メダルサンド２０に補充され返却操作に応じて排出（発行）されるまでの間であれば、どのようなタイミングであっても良い。例えば、収納コイン保持部１４０に供給され、その後貨幣を受け付けたときや排出操作を受け付けたときであっても良いし、収納通路１３１に収納されているときに記録情報を読み出して行うようにしても良い。また、上記の実施形態では、メダルサンド２０がビジタコイン５を発行する発行手段を構成しているが、これに限定されるものではなく、メダルサンド２０とは別個に設けられ、貨幣を受け付けたことに基づいて、収納しているビジタコインのコインＩＤと受付貨幣額とを含む入金要求を管理装置に送信し、管理装置の残額管理ＤＢにおいて両者が対応付けて記憶されたことに基づいて、当該ビジタコイン５を排出（発行）する発行装置であっても良い。
【０６０６】
（６７）  上記の実施形態では、オフライン状態において、図２２のＳ５１０で貨幣（１０００円）を受け付けたときには、Ｓ５１２〜Ｓ５２１で記憶残額や記憶端数額に応じて特定した貸与対象額分の貸与処理（オフライン一発貸し）をＳ５２２で行うようにした。しかし、これに限定されず、オフライン状態において、貨幣を受け付けたときに、一旦、受付貨幣額をオフライン入金額として累積加算し、Ｓ５３１で示すように貸与操作を受け付けたときに、Ｓ５１２〜Ｓ５２１で示したように、オフライン入金額と記憶端数額と記憶残額とから貸与対象額と新たな記憶端数額と記憶残額とを特定して、特定した貸与対象額分の貸与処理を行うようにしても良い。また、特定した貸与対象額の全額を一度に貸与処理に使用するのではなく、一部のみを使用するようにしても良い。
【０６０７】
（６８）  上記の実施形態では、カード会社のセンタ管理装置８０において消費税率が設定されて、当該消費税率が遊技場の管理装置５０及びメダルサンド２０に配信され、メダルサンド２０が当該消費税率に基づいて貸与使用額に対応する消費税額を算出する（例えば、貸与使用額が１０００円であれば、１００円×５％×１０＝５０円、あるいは１０００円×５％＝５０円という算出式で算出）ことで、記憶残額や管理装置の管理残額から貸与使用額＋消費税額（例えば、１０００円＋５０円＝１０５０円）が減算されていた。しかし、これに限定されるものではなく、予め各貸与使用額に応じた消費税額を算出して、各貸与使用額に応じて減算すべき額）を対応付けたテーブル（例えば、１度数（１００円）→１０５円、２度数→２１０円、３度数→３１５円、４度数→４２０円、５度数→５２５円という対応付けがなされたテーブル）を作成・記憶しておき、該テーブルを使用して減算を行い、例えば貸与使用額が４００円であれば４２０円を特定して減算を行うようにしても良い。この場合、かかるテーブルはメダルサンド２０で作成しても良いし、センタ管理装置８０や管理装置５０で作成してメダルサンド２０に配信しても良い。また、税率ではなく、単位使用額（１００円）と対応する消費税額（５円）を合算した税込単位額（１０５円）をセンタ管理装置８０や管理装置５０で設定して、メダルサンド２０に送信しても良く、この場合には、該税込単位額を貸与使用額に対応する整数倍して（例えば、貸与使用額が４００円（４度数）であれば、１０５円×４＝４２０円を特定）記憶残額や管理残額から減算すべく額を特定しても良い。
【０６０８】
（６９）  上記の実施形態では、管理装置５０において、メダルサンド２０から挿入通知，供給通知，オンライン復帰通知を受信した場合や、精算装置６０から精算要求を受信した場合に（以下、挿入通知，供給通知，オンライン復帰通知，及び精算要求をまとめて挿入通知等という）、挿入通知等に含まれるオフライン端数額を管理残額に加算したり、オフライン消費情報から特定されるオフライン消費額及びオフライン精算情報から特定されるオフライン精算額を管理残額から減算したりすることなく（以下、オフライン端数額、オフライン消費額及びオフライン精算額をまとめてオフライン端数額等という）、一旦記録媒体ＩＤに対応付けて記憶し、その後端数額消去通知、消費情報消去通知及び精算許諾情報受信通知（以下、端数額消去通知、消費情報消去通知及び精算許諾情報受信通知をまとめて端数額消去通知等という）を受信したことに基づいて、オフライン端数額等の管理残額に対する加減算を行うと共に、一旦記憶したオフライン端数額等の消去を行うこととされていた。しかし、これに限定されるものではなく、挿入通知等を受信した時点で、オフライン端数額等の管理残額に対する加減算を行うと共に、オフライン端数額等を記録媒体ＩＤに対応付けて記憶し、その後端数額消去通知等を受信したことに基づいて、記憶しているオフライン端数額等の消去のみを行うようにしても良い。この場合には、図１６のＳ２０７，Ｓ２０８，及びＳ２０８ａにおける通番一致時処理においては、記憶しているオフライン端数等を消去する処理に加えて、管理残額にオフライン消費額及びオフライン精算額を加算する処理と、オフライン端数額を減算する処理とが行われる。また、図１８のＳ２６４、Ｓ２６４ａ，及びＳ２６５における通番不一致時処理においては、管理残額からのオフライン消費額やオフライン精算額の減算処理及びオフライン端数額の加算処理が行われることなく、記憶しているオフライン端数額等の消去のみが行われる。
【０６０９】
（７０）  上記の実施形態では、記録媒体に記録された入金残額としてのオフライン端数額が、精算装置６０において精算可能であると共に、メダルサンド２０に記録媒体を投入することにより管理残額に対して加算される構成とされているが、これに限定されず、精算装置６０による精算とメダルサンド２０に記録媒体を投入することによる管理残額に対する加算のいずれか一方のみ可能としても良い。また、精算装置６０のオフライン精算処理においては、オフライン端数額の精算を行わないようにしても良い。
【０６１０】
（７１）  上記の実施形態では、管理残額特定情報とは別にオンライン残額有りフラグをビジタコイン５に記録しているが、これに限定されず、管理残額特定情報のみを記録するようにしても良い。この場合、メダルサンド２０の制御部２１は、オフライン状態で返却操作を受け付けたときに、図２４に示すＳ５４７でオンライン残額有りフラグの記録が有るか否かを判定するのではなく、ビジタコイン５に記録されている管理残額特定情報から管理残額を特定し、特定した管理残額が０であるか否かをを判定する。つまり、制御部２１が、管理残額判定手段を構成する。そして、制御部２１が管理残額が０でないと判定したことを条件として、入金残額（オフライン端数額）が０のビジタコイン５を返却（排出）する。
【０６１１】
（７２）  上記の実施形態では、遊技用装置がメダルサンド２０であり、遊技機がパチスロ機１０である例について説明したが、これに限らず、該遊技機は、遊技媒体としてパチンコ玉を使用するパチンコ機や、遊技媒体としてパチンコ玉を使用するスロットマシンであるパロット（登録商標）であっても良く、遊技用装置は、パチンコ玉を貸与するための玉貸ユニットであっても良い。
【０６１２】
（７３）  上記の実施形態では、遊技機がパチスロ機１０であり、遊技媒体がメダルである例について説明したが、これに限らず、本発明は、今後ＣＲ機が普及してくるような遊技機，及び該遊技機に使用される遊技媒体について適用可能である。
【０６１３】
（７４）  上記の実施形態では、オンライン状態のメダルサンド２０において貨幣を受け付けると、入金処理が行われる例について説明したが、貸与処理において間接税（消費税）を徴収しないように構成した場合には、オンライン状態のメダルサンド２０において貨幣を受け付けると、受付貨幣額の範囲内で貸与処理が行われるようにしても良く、この場合には、貨幣に代わる価値媒体を受け付けたことに基づいて、該受け付けた価値媒体から特定される価値の範囲内で貸与処理が行われるようにしても良い。この価値媒体は、例えば電子マネー額を特定可能な情報を記録したＩＣチップを搭載しているＩＣカード又は携帯電話端末や、預金残高を特定可能な情報を記録したデビットカードや、使用限度額を特定可能な情報を記録したクレジットカード等であっても良い。
【０６１４】
（７５）  上記の実施形態では、図３（ｂ）に示すように、検出手段であるパネル検出スイッチ４２が、供給通路無しパネル（ノズル無しパネル４１）の裏面に設けられた突起４１ａに押されてＯＮになることにより、供給通路無しパネルが装着されていることを検出する例について説明したが、これに限らず、検出手段であるＩＣリーダが、供給通路無しパネルの裏面に設けられたＩＣチップの記録情報を非接触で読み取ることにより、供給通路無しパネルが装着されていることを検出するようにしても良い。
【０６１５】
（７６）  上記の実施形態では、図３（ｂ）に示すように、供給通路無しパネル（ノズル無しパネル４１）に収納スペース部４１ｂが形成され、該ノズル無しパネル４１が遊技用装置（メダルサンド２０）の前面に装着されることで、収納スペースが形成される例について説明したが、これに限らず、ノズル無しパネルには開口のみが形成されると共に、メダルサンド２０の内部に予め収納スペース部が形成されており、該ノズル無しパネルがメダルサンド２０の前面に装着されることで、メダルサンド２０の内部に予め形成されている収納スペース部に遊技者の所有物を置けるようにしても良い。
【０６１６】
（７７）  上記の実施形態では、図９及び図１０に示すように、払出手段（払出装置３０）から出力される払出手段接続信号及びエンプティ信号の両方と形態の異なる制御切替信号を受信したことを条件として、運用形態が第２の制御に切り替えられる例について説明したが、これに限らず、該払出手段接続信号及びエンプティ信号のいずれか一方と形態の異なる制御切替信号を受信したことを条件として、運用形態が第２の制御に切り替えられるようにしても良い。即ち、上記の実施形態の如く、ＨＩＧＨの払出手段接続信号及びパルス状のエンプティ信号の両方を受信した場合のみならず、ＨＩＧＨの払出手段接続信号のみを受信した場合，及びパルス状のエンプティ信号を受信した場合にも、運用形態が第２の制御に切り替えられるようにしても良い。
【０６１７】
（７８）  上記の実施形態では、図８に示すように、払出装置３０の払出制御部３０ａから出力されるニアエンプティ信号が、外部装置（例えば遊技場の景品カウンタにあるカウンタコンピュータや、遊技場の管理事務所にあるホールコンピュータ等）に対して入力され、該外部装置においてニアエンプティである旨の報知が行われる例について説明したが、これに限らず、該ニアエンプティ信号は、メダルサンド２０の制御部２１に対して入力され、該メダルサンド２０においてニアエンプティである旨の報知が行われるようにしても良い。
【０６１８】
この場合には、制御部２１は、前記払出手段接続信号及び前記ニアエンプティ信号に基づいて、前記第１の制御（現金機用の運用）と前記第２の制御（ＣＲ機用の運用）との切替を行い、前記制御切替手段（変換アダプタ４０）は、前記制御切替信号として、前記払出手段接続信号及び前記ニアエンプティ信号の少なくともいずれか一方と形態の異なる信号を前記制御部に対して送信するようにしても良い。即ち、前記図９（ｂ）に示すパルス状のエンプティ信号に代えて、同じくパルス状のニアエンプティ信号を制御切替信号とし、ＨＩＧＨの払出手段接続信号及びパルス状のニアエンプティ信号の両方を受信した場合，ＨＩＧＨの払出手段接続信号のみを受信した場合，及びパルス状のニアエンプティ信号を受信した場合に、運用形態が第２の制御に切り替えられるようにしても良い。これによれば、払出装置３０が出力する２種類の信号に基づいて運用形態の切替が行われ、該払出装置３０から出力される払出手段接続信号及びニアエンプティ信号の少なくともいずれか一方と形態の異なる制御切替信号を受信したことを条件として、運用形態が第２の制御に切り替えられるので、偶然に第１の制御から第２の制御に切り替わるおそれが低減される。
【０６１９】
さらに制御部２１は、前記エンプティ信号及び／又は前記ニアエンプティ信号に基づいて、前記第１の制御（現金機用の運用）と前記第２の制御（ＣＲ機用の運用）との切替を行い、前記制御切替手段（変換アダプタ４０）は、前記制御切替信号として、前記エンプティ信号及び前記ニアエンプティ信号の少なくともいずれか一方と形態の異なる信号を前記制御部に対して送信するようにしても良い。即ち、パルス状のエンプティ信号及びパルス状のニアエンプティ信号の両方を受信した場合，パルス状のエンプティ信号のみを受信した場合，及びパルス状のニアエンプティ信号のみを受信した場合に、運用形態が第２の制御に切り替えられるようにしても良い。これによれば、払出装置３０から出力されるエンプティ信号及びニアエンプティ信号の少なくともいずれか一方と形態の異なる制御切替信号を受信したことを条件として、運用形態を第２の制御に切り替えることができる。なお、エンプティ信号のＨＩＧＨ（即ちメダルがない状態）とニアエンプティ信号のＬＯＷ（即ちメダルが所定量よりも多い状態）とを同時に受信した場合の如く、通常ではあり得ない組み合わせの信号を受信した場合に、運用形態が第２の制御に切り替えられるようにしても良い。
【０６２０】
（７９）  上記の実施形態では、図９（ａ）に示すように、払出手段接続信号が、電圧がＬＯＷで一定の信号であり、図９（ｂ）に示すように、該払出手段接続信号と形態の異なる制御切替信号が、電圧がＨＩＧＨで一定の信号である例について説明したが、これに限らず、払出手段接続信号が、電圧がＨＩＧＨで一定の信号であり、該払出手段接続信号と形態の異なる制御切替信号が、電圧がＬＯＷで一定の信号であるようにしても良い。また制御切替信号は、電圧が一定の信号ではなく、一の極性と逆極性とを所定時間毎に繰り返すパルス状の信号であっても良い。
【０６２１】
（８０）  上記の実施形態では、図９（ａ）に示すように、エンプティ信号が、メダルホッパ３０ｂにメダルが貯留されている状態で一の極性としてＬＯＷを示し、メダルホッパ３０ｂにメダルが貯留されていない状態で逆極性としてＨＩＧＨを示す例について説明したが、これに限らず、該エンプティ信号は、一の極性としてＨＩＧＨを示し、逆極性としてＬＯＷを示す信号であっても良い。
【０６２２】
（８１）  上記の実施形態では、ニアエンプティ信号が、メダルホッパ３０ｂに貯留されているメダルが所定量よりも多い状態で一の極性としてＬＯＷを示し、メダルホッパ３０ｂに貯留されているメダルが所定量よりも少ない状態で逆極性としてＨＩＧＨを示す例について説明したが、これに限らず、該ニアエンプティ信号は、一の極性としてＨＩＧＨを示し、逆極性としてＬＯＷを示す信号であっても良い。
【０６２３】
（８２）  上記の実施形態では、図１０に示すモード決定処理が、本体電源２０ｂがＯＮされたときに実行され、ＣＲ機モードが決定された後にも常時行われる例について説明したが、これに限らず、該モード決定処理は、本体電源２０ｂがＯＮされたときに一度だけ実行されるようにしても良く、この場合には、Ｓ１６，Ｓ１７，Ｓ１８の後に、Ｓ１１に戻るのではなく、処理が終了する。またモード決定処理は、現金機モードが決定された後にも常時行われるようにしても良く、この場合には、１９の後に、処理が終了するのではなく、Ｓ１１に戻る。
【０６２４】
（８３）  上記の実施形態において、図１０のＳ１３に示す処理が、Ｓ１５に示す処理の後に行われるようにしても良い。即ち、検出手段（パネル検出スイッチ４２）により供給通路無しパネル（ノズル無しパネル４１）が装着されていることを検出し、かつ制御切替手段（変換アダプタ４０）から制御切替信号を受信したことを条件として第２の制御が行われるのであれば、検出手段による検出タイミングは特に限定されない。
【０６２５】
（８４）  上記の実施形態では、図１０のＳ１５に示す許容範囲が−１６〜＋１６である例について説明したが、該許容範囲はこれに限定されない。例えばもう少し余裕を持たせて、許容範囲を−１８〜＋１８としても良く、また最大の誤差は滅多に生じないことから、許容範囲を−１４〜＋１４としても良い。
【０６２６】
最後に、上記の実施形態に記載した発明に対応する「従来技術」，「発明が解決しようとする課題」，及び「発明の効果」を説明する。
【０６２７】
まず、特開２００３−１９０５７７号公報に開示されているシステムでは、カードにカードＩＤと残額とを記録し、オフライン状態を検知したときに、既に受け付けているカードについては、記録されている残額を使用して貸与処理を行い、そのカードが排出され、オンラインの遊技用装置で、その排出されたカードが受け付けられ、受け付けられたカードに記録された残額が管理装置で管理されている管理残額以下であるか否かを判定し、記録された残額が管理残額以下であれば、そのカードの使用を許可すると共に、管理装置の管理残額を更新する。
【０６２８】
しかし、特開２００３−１９０５７７号公報のシステムでは、オフライン状態における貸与処理を許容するために、管理装置に、残額を比較・照合する機能を設ける必要がある。そこで、上記の実施形態に記載した発明では、残額を比較・照合する必要はなく、元々備えている管理残額を減算する機能によって、Ｓ２４７で説明したように、管理残額からオフライン状態で使用されたオフライン消費額を減算するだけで、オフライン状態における貸与処理に対処することができる。
【０６２９】
また特開２００５−１３４６５号公報（図１５，段落００５３，００９９）に示すシステムでは、カードユニット（本願の遊技用装置に相当）が会員カード（本願の記録媒体に相当）の挿入中に貨幣を受け付けたときに、受付貨幣額が残額に対して一旦加算され、その後に遊技者の貸与操作によって基準貸与額分の遊技媒体を貸与する。
【０６３０】
しかしながら、特開２００５−１３４６５号公報に示すようなシステムでは、遊技用装置が記録媒体の挿入中に所定額未満の貨幣（例えば５００円硬貨や１００円硬貨等の低額の貨幣）を受け付けた場合にも、受付貨幣額が一旦残額に対して加算され、その後に遊技者の貸与操作によって基準貸与額分（例えば間接税を含む場合は５２５円分，含まない場合は５００円分）の遊技媒体が貸与されることとなる。その結果、貨幣の受付から遊技媒体の貸与までに時間がかかり、円滑な遊技の妨げとなるので遊技者にとって利便性が悪く、遊技場にとっては稼働の低下を招くという問題点がある。
【０６３１】
そこで、上記の実施形態に記載した発明では、予め定められた所定額（１０００円）未満の金額の貨幣を受け付けたときに、管理残額が受付貨幣額に対応する消費税額以上であれば、遊技者の操作によることなく、受付貨幣額＋対応消費税額分のメダルを貸与するか，又は受付貨幣額と管理残額との合算額が基準貸与額以上であれば、遊技者の操作によることなく、基準貸与額分の遊技媒体を貸与するようにしている。これにより、遊技者の操作が不要となる分、貨幣の受付からメダルの貸与までの時間を短縮することができるので、円滑な遊技を促し、遊技者の利便性向上に資すると共に、遊技場にとっては遊技機の稼働低下を防止することができる。
【０６３２】
また第１の従来技術として、特開２００２−３２５９５３号公報（図９，図１０，段落０１３５，０１７４）を示す。この第１の従来技術に示すように、カードユニット管理装置（本願の管理装置に相当）とオフライン状態（本願の通信不可能状態に相当）にあるカードユニット（本願の遊技用装置に相当）であっても、会員カード（本願の記録媒体に相当）の挿入を受け付けると共に貨幣の投入を受け付け、該貨幣の金額を会員カードの残高に加算更新し、該残高を使用して玉の貸出（本願の第２の貸与処理に相当）が行われるシステムも知られている。
【０６３３】
また第２の従来技術として、特開２００１−３４８１５号公報（図１，段落００２８，００３９）を示す。この第２の従来技術に示すように、遊技機台間に設けられ、カード（本願の記録媒体に相当）を収納するカード収納部を備え、収納されているカードに入金額（本願の端数額に相当）を記録して発行すると共に、外部から受け付けたカードの残額が零になって引き続き使用しない場合には、該カードをカード収納部に収納するカード発行装置が知られている。
【０６３４】
また第３の従来技術として、特開２００３−３０５１５号公報（図１，図６，段落００７６）を示す。この第３の従来技術に示すように、遊技媒体の貸与に使用される残度数（本願の残額に相当）を各カード（本願の記録媒体に相当）には記録せずに、各カードの識別符号（本願の記録媒体識別情報に相当）に対応付けて管理装置にて管理すると共に、カード処理ユニット（本願の遊技用装置に相当）において遊技媒体貸出処理（本願の第１の貸与処理に相当）が行われると、前記残度数を遊技媒体の貸与に応じて減算する、いわゆる「完全ＩＤ管理」を行うシステムが知られている。
【０６３５】
しかしながら、第３の従来技術に示すような完全ＩＤ管理のシステムにおいて、遊技機の稼働を確保するために、第１の従来技術に示すように通信不可能状態にある遊技用装置で貨幣を受け付けて貸与処理（一発貸し）を可能とし、該通信不可能状態に限って、受付貨幣額から該貸与処理に使用された使用額を減算した入金残額（オフライン端数額）を記録媒体に記録して排出するようにした場合、該入金残額が記録された記録媒体を通信不可能状態にある遊技用装置に挿入（受付）して貸与処理を行った結果として当該入金残額が零になったときに、第２の従来技術に示すように該記録媒体を一律に回収すると、管理装置で管理されている残額である管理残額が有る場合には遊技者が損をすることになってしまう一方、該記録媒体を一律に排出すると、管理残額が無く本来返却する必要のない記録媒体まで無駄な返却することになってしまうという問題点がある。
【０６３６】
そこで、上記の実施形態に記載した発明では、オフライン状態にあるメダルサンド２０で、貨幣を受け付けて貸与処理（一発貸し）が行われた結果として入金残額（オフライン端数額）が発生し、該入金残額を使用した貸与処理が行われた結果として当該入金残額が零になった場合において、オンライン残額有りフラグが該ビジタコイン５に記録されていることを条件として、当該ビジタコイン５が排出されるようにしている。これによれば、管理残額があるビジタコイン５を遊技者に確実に返却できる一方で、管理残額が無く本来返却する必要のないビジタコイン５の無駄な返却を防止できる。
【０６３７】
また第４の従来技術として、特開２０００−１４８６８３号公報（図５，段落００４５，００４６）を示す。この第４の従来技術に示すように、複数のコンピュータ間でのデータ転送を行うシステムであって、送信側コンピュータから処理要求を送信するにあたり情報格納域の通番に１を加算して、該通番を含む処理要求を受信側コンピュータに送信し、受信側コンピュータは処理要求に応じた処理を実行した後に該処理要求に含まれる通番を登録し、処理結果を送信側コンピュータに返信するものが知られている。ここで送信側コンピュータは、通信エラー等によって処理結果を受信しなかった場合に、通番を含む確認要求を受信側コンピュータに送信し、受信側コンピュータは、確認要求に含まれる通番が登録されている通番よりも大きければ処理完了前に異常が発生したものと判定する。
【０６３８】
しかしながら、第３の従来技術に示すシステムでは、遊技用装置側での特定処理（例えば貸与処理）に対応する管理装置側での連携処理（例えば残額の減算）を要求する連携処理要求（例えば減算要求）を該管理装置が受信する前に、遊技用装置と管理装置とがオフライン状態となった場合、遊技用装置側では特定処理が行われたにも拘わらず、管理装置側では連携処理が行われないことで、処理の不一致が生ずる。ここで第３の従来技術のシステムに第４の従来技術の手法を適用した場合、遊技用装置と管理装置とがオンライン状態に復帰したときに、遊技用装置から管理装置に対して、情報格納域の通番を含む確認要求が送信され、該確認要求に含まれる通番が前記登録されている通番よりも小さいと判定されれば、管理装置側で連携処理が行われていない旨を特定して対処することができるが、遊技用装置と管理装置とがオンライン状態に復帰するまでの間は、管理装置は、前記オフライン状態が発生したときに、該遊技用装置で特定処理が行われたにも拘わらず、管理装置で連携処理が行われていないことを特定できなかったため、オンライン状態に復帰するまでの間は、該連携処理が行われていないことに対する対処ができないという問題点がある。
【０６３９】
そこで、上記の実施形態に記載した発明では、遊技用装置での特定処理に伴って更新される通番が記録媒体に記録されるようにしている。これによれば、オフライン状態が発生した遊技用装置がオンライン状態に復帰するのを待つことなく、該遊技用装置から排出された記録媒体が他のオンライン状態の遊技用装置において受け付けられることで、該記録媒体に記録されている通番と該記録媒体の記録媒体識別情報に対応付けて管理装置で管理されている通番から、オフライン状態の発生により遊技用装置で特定処理が行われたにも拘わらず該特定処理に対応する連携処理が管理装置で行われていないことを特定して、対処することができる。
【０６４０】
次に、前述した実施の形態に記載された他の発明について説明する。
（１）  従来、上記第３の従来技術に示す、「ＩＤ管理」を行うシステムがあった（以下「文献Ａ」という）。
【０６４１】
また、管理装置と通信できない通信不可能状態で遊技用装置が貨幣を受け付けたときに、受付貨幣額を用いて遊技媒体を貸与するシステムがあった（特開２００５−１３４６５号公報（以下「文献Ｃ」という）（図２２，段落００５３，００９９））。ここで、文献ＡのようなＩＤ管理のシステムにおいて、文献Ｃに示すように通信不可能状態で受付貨幣額を用いた貸与処理を行った場合、受付貨幣額のうち貸与処理に未使用の入金残額が発生することにより不都合が生じる。例えば、前記入金残額は管理装置で管理されないため、他の遊技用装置で使用したり精算装置で精算したりできず、遊技者に不便であるという不都合が生じたり、以下のような不都合が生じることもある。
【０６４２】
つまり、パチンコ機に対応して設けられる貸与機（本願の遊技用装置に相当）において、有価価値データ（本願の残額に相当）を特定可能な有価価値特定情報が記録されたカード（本願の記録媒体に相当）を受け付けて、該受け付けたカードに記録されている有価価値特定情報から特定される有価価値データを使用してメダルを貸与する貸与処理を行う際に、例えば５００円分のメダルをパチンコ機から貸与する一方で、該メダルの貸与に使用された使用額である５００円及び該使用額に対応する消費税額である２５円（消費税率が５％の場合）を前記カードの有価価値データから減算する、即ち「貸与処理に使用された使用額に対応する消費税額を徴収」するシステムがあった（例えば、特開２００２−１２３６５１号公報（以下「文献Ｂ」という）（図１８〜図２０，段落００４０，００４２））。ここで消費税は間接税の一例であって、遊技場において提供される遊技サービスに対して課税されるものである。
【０６４３】
上述したように通信不可能状態で受付貨幣額を用いて貸与処理を行う場合に、文献Ｂに示すように貸与処理の使用額に対応する間接税額（消費税額）を徴収するようにすると、予め定められた一単位である単位使用額（例えば１００円）と該単位使用額に対応する間接税額（税額が５％の場合には５円）との合算額である税込単位額（即ち１０５円）未満の端数額が発生する。具体的には、１０００円を受け付けた場合、税込単位額である１０５円の９倍分の遊技媒体が貸与される一方、５５円の端数額が発生する。この端数額を処理するためには、前記遊技用装置に、該端数額に相当する貨幣を払出すための釣銭払出機能や、低額貨幣の追加入金を受け付けて該端数額が税込単位額に達するようにするための追加入金機能を設ける必要があり、遊技用装置のコストが上昇するという不都合が生じる。
【０６４４】
しかし、本発明は、次のような構成を含む。つまり、記録媒体を個々に識別可能な記録媒体識別情報に対応付けて遊技媒体の貸与に使用される残額を管理する管理装置と、前記記録媒体の記録媒体識別情報に対応付けて前記管理装置にて管理されている残額である管理残額を用いて前記遊技媒体を貸与するための第１の貸与処理を行う貸与処理手段を有し遊技機に対応して設けられる遊技用装置と、前記記録媒体の記録媒体識別情報に対応する前記管理残額の精算を行う精算装置とを備える遊技用システムであって、前記遊技用装置は、さらに、貨幣を受け付けて該貨幣の金額を識別する貨幣受付識別手段と、前記管理装置と通信できる通信可能状態であるか通信できない通信不可能状態であるかを検知する遊技用装置通信可否検知手段と、該遊技用装置通信可否検知手段により通信不可能状態を検知しているときに前記貨幣受付識別手段により貨幣を受け付けたことに基づいて、前記貨幣受付識別手段によって識別された受付貨幣額を用いて遊技媒体を貸与するための第２の貸与処理を前記貸与処理手段により行い、前記受付貨幣額のうち前記第２の貸与処理に未使用の入金残額を前記記録媒体に記録する入金残額記録手段と、前記記録媒体を排出する記録媒体排出手段とを備え、前記精算装置は、前記記録媒体に記録されている前記入金残額の精算を行う。このように構成しているため、ＩＤ管理を行うシステムにおいて、通信不可能状態において遊技用装置で貨幣を受け付け、受付貨幣額を用いて第２の貸与処理を行うことにより入金残額が発生しても、当該入金残額を精算装置で精算できるため、上記のような不都合が生じることがない。
【０６４５】
具体的には、図１で説明したように、遊技用システム１は、管理装置５０とメダルサンド２０と精算装置６０とを備える。図１３（ａ）で説明したように、管理装置５０は、記録媒体（例えば、会員カード４、ビジタコイン５）を個々に識別可能な記録媒体ＩＤに対応付けてメダルの貸与に使用される残額を管理する。図１５、図２２及び図２３で説明したように、メダルサンド２０は、パチスロ機１０に対応して設けられ、記録媒体の記録媒体ＩＤに対応付けて管理装置５０にて管理されている管理残額を用いてメダルを貸与するための第１の貸与処理を行う。図３１から図３６までで説明したように、精算装置６０は、記録媒体の記録媒体ＩＤに対応する管理残額の精算を行う。
【０６４６】
図１４のＳ１０１及び図２２のＳ５１０で説明したように、メダルサンド２０の紙幣識別機２２、硬貨識別機２３及び制御部２１によって、貨幣が受け付けられて貨幣の金額が識別される。図２１のＳ３００及び図２９のＳ６０２で説明したように、メダルサンド２０の外部通信部２１ｂ及び制御部２１によって、管理装置５０と通信できるオンライン状態であるか通信できないオフライン状態であるかが検知される。図２２のＳ５２２で説明したように、メダルサンド２０の制御部２１によって、オフライン状態が検知されているときに貨幣が受け付けられたことに基づいて、識別された受付貨幣額を用いてメダルを貸与するための第２の貸与処理が行われる。
【０６４７】
図２４のＳ５５０、図２５のＳ５６９及び図２６のＳ５８４で説明したように、メダルサンド２０の記録媒体Ｒ／Ｗ１０２及び制御部２１によって、受付貨幣額のうち第２の貸与処理に未使用の端数額がオフライン端数額として記録媒体に記録される。図２４のＳ５５２、図２５のＳ５７１及び図２６のＳ５８６で説明したように、メダルサンド２０の通路ユニット１００及び制御部２１によって、記録媒体が排出される。図３２のＳ２４１ａ及び図３３のＳ７８１で説明したように、精算装置６０の制御部６２によって、記録媒体に記録されているオフライン端数額の精算が行われる。
【０６４８】
このように、いわゆるＩＤ管理を行うシステムにおいて、貸与処理に使用された使用額に対応する間接税額を徴収し、かつ、通信不可能状態で遊技用装置が貨幣を受け付けたときに第２の貸与処理を行うようにしても、該第２の貸与処理によって発生する端数額が記録媒体に記録されて排出され、該端数額の精算が行われることにより、該端数額を処理するための釣銭払出機能や追加入金機能を遊技用装置に設ける必要がないので、遊技用装置のコストが上昇することがない。
【０６４９】
また、本発明においては、遊技用装置は、通信不可能状態を検知しているときに前記貨幣受付識別手段により貨幣を受け付けたことに基づいて、前記受付貨幣額から、前記残額を遊技媒体の貸与に使用する際の予め定められた一単位である単位使用額と該単位使用額に対応する間接税額との合算額である税込単位額の整数倍に相当する貸与対象額と、該税込単位額未満の端数額とを特定する特定手段を有し、前記貸与処理手段は、該特定手段により特定された貸与対象額分の遊技媒体を貸与するための処理を前記第２の貸与処理として行い、前記入金残額記録手段は、前記特定手段により特定された端数額を前記入金残額として記録するものである。
【０６５０】
このように、貸与処理に使用される貸与使用額に対応する間接税額を徴収する場合においても、第２の貸与処理の結果生じる入金残額を精算装置で精算することが可能となるため、入金残額を処理するための釣銭払出機能や追加入金機能を遊技用装置に設ける必要がないので、遊技用装置のコストが上昇することがない。
【０６５１】
（２）  また、本発明は、次のような構成を含むようにしても良い。つまり、前記遊技用装置は、さらに、前記遊技用装置通信可否検知手段により通信可能状態が検知されているときに、受け付けた記録媒体に記録されている記録媒体識別情報と入金残額とを含む入金残額加算更新要求を前記管理装置に対して送信する入金残額加算更新要求送信手段を備え、前記管理装置は、さらに、前記入金残額加算更新要求送信手段から送信されてきた前記入金残額加算更新要求に含まれる記録媒体識別情報に対応付けて管理している残額に対して該入金残額加算更新要求に含まれる入金残額を加算更新するための入金残額加算更新処理を行う入金残額加算更新処理手段と、該入金残額加算更新処理が完了した旨を示す入金残額加算完了通知を前記遊技用装置に対して返信する入金残額加算完了通知返信手段とを備え、前記遊技用装置は、さらに、前記入金残額加算完了通知返信手段から返信されてきた入金残額加算完了通知を受信したことを条件として、前記記録媒体に記録されている入金残額を消去する入金残額消去処理を行う入金残額消去処理手段を備える。
【０６５２】
具体的には、図１６のＳ２０２及び図２９のＳ６０６でそれぞれ説明したように、メダルサンド２０の外部通信部２１ｂ及び制御部２１によって、オンライン状態が検知されているときに、受け付けた記録媒体に記録されている記録媒体ＩＤとオフライン端数額とを含む挿入通知及びオンライン復帰通知が管理装置５０に対して送信される。図１６のＳ２１２ならびに図１７及び図３０のＳ２４８で説明したように、管理装置５０の制御部５２によって、メダルサンド２０から送信されてきた挿入通知又はオンライン復帰通知に含まれる記録媒体ＩＤに対応付けて管理している管理残額に対してこの挿入通知又はオンライン復帰通知に含まれるオフライン端数額を加算更新するための端数額加算更新処理が行われる。
【０６５３】
図１７及び図３０のＳ２４１で説明したように、管理装置５０の通信部５１及び制御部５２によって、端数額加算更新処理が完了した旨を示す予定残額通知がメダルサンド２０に対して返信される。図１７及び図３０のＳ２４４で説明したように、メダルサンド２０の制御部２１によって、管理装置５０から返信されてきた予定残額通知が受信されたことを条件として、記録媒体に記録されているオフライン端数額が消去される。
【０６５４】
このように、通信可能状態にある遊技用装置において、通信不可能状態にあった他の遊技用装置で発生した入金残額（オフライン端数額）が記録された記録媒体が受け付けられると、該入金残額が管理装置で管理されている残額に対して加算更新されることにより、該入金残額を精算しなくても遊技に使用できるようになるので、遊技者の利便性が向上する。
【０６５５】
また、本発明においては、遊技用装置は、通信不可能状態を検知しているときに前記貨幣受付識別手段により貨幣を受け付けたことに基づいて、前記受付貨幣額から、前記残額を遊技媒体の貸与に使用する際の予め定められた一単位である単位使用額と該単位使用額に対応する間接税額との合算額である税込単位額の整数倍に相当する貸与対象額と、該税込単位額未満の端数額とを特定する特定手段を有し、前記貸与処理手段は、該特定手段により特定された貸与対象額分の遊技媒体を貸与するための処理を前記第２の貸与処理として行い、前記入金残額記録手段は、前記特定手段により特定された端数額を前記入金残額として記録するものである。
【０６５６】
このように、貸与処理に使用される貸与使用額に対応する間接税額を徴収する場合においても、第２の貸与処理の結果生じる入金残額を他の遊技用装置で精算することが可能となるため、入金残額を処理するための釣銭払出機能や追加入金機能を遊技用装置に設ける必要がないので、遊技用装置のコストが上昇することがない。
【０６５７】
（３）  また、本発明は、次のような構成を含むようにしても良い。つまり、前記遊技用装置は、さらに、前記遊技用装置通信可否検知手段により前記通信不可能状態が検知されている状態から前記通信可能状態への復帰が検知されたことに基づいて、前記受付貨幣額から前記通信不可能状態における前記第２の貸与処理に使用された使用額を減算した入金残額と前記記録媒体の記録媒体識別情報とを含む復帰通知を前記管理装置に対して送信する復帰通知送信手段を備え、前記管理装置は、さらに、該復帰通知送信手段から送信されてきた復帰通知に含まれる記録媒体識別情報に対応付けて管理している管理残額に対して該復帰通知に含まれる入金残額を加算更新するための入金残額加算更新処理を行うと共に、該管理残額と該入金残額との合算額を特定可能な合算額特定情報を前記遊技用装置に対して送信する復帰通知処理手段を備え、前記遊技用装置は、前記合算額特定情報の受信に基づいて、該合算額特定情報から特定される合算額の範囲内で前記貸与処理を可能とする。
【０６５８】
具体的には、図２９のＳ６０６で説明したように、メダルサンド２０の外部通信部２１ｂ及び制御部２１によって、オフライン状態が検知されている状態からオンライン状態への復帰が検知されたことに基づいて、受付貨幣額から第２の貸与処理に使用された使用額を減算したオフライン端数額と記録媒体の記録媒体ＩＤとを含むオンライン復帰通知が管理装置５０に対して送信される。図３０のＳ２４８で説明したように、管理装置５０の制御部５２によって、メダルサンド２０から送信されてきたオンライン復帰通知に含まれる記録媒体ＩＤに対応付けて管理している管理残額に対して、このオンライン復帰通知に含まれるオフライン端数額が加算更新される。図３０のＳ２４１で説明したように、管理装置５０の通信部５１及び制御部５２によって、管理残額とオフライン端数額との合算額を特定可能な予定残額通知がメダルサンド２０に対して送信される。図３０のＳ２４２及び図１５のＳ１２１，Ｓ１２２で説明したように、メダルサンド２０の制御部２１によって、予定残額通知の受信に基づいて、予定残額通知から特定される合算額の範囲内で貸与処理が可能とされる。
【０６５９】
このように、管理装置と通信できない通信不可能状態で遊技用装置が貨幣を受け付けて第２の貸与処理を行った後に通信可能状態に復帰すると、遊技者の操作によらずに、受付貨幣額から第２の貸与処理に使用された使用額を減算した入金残額と記録媒体識別情報とを含む復帰通知（オンライン復帰通知）が管理装置に対して送信され、入金残額と管理残額との合算額を特定可能な合算額特定情報（予定残額通知）が管理装置から送信されてきて、該合算額が貸与処理に使用可能となるので、遊技者に手間をかけることなく、管理残額が使用可能となる。
【０６６０】
（４）  また、本発明は、次のような構成を含むようにしても良い。つまり、前記復帰通知送信手段は、前記通信不可能状態における貸与処理中において、前記遊技用装置通信可否検知手段により前記通信不可能状態が検知されている状態から前記通信可能状態への復帰が検知されたことに基づいて、実行中の貸与処理の終了を待つことなく貸与処理の終了後に生じる前記入金残額と前記記録媒体の記録媒体識別情報とを含む復帰通知を前記管理装置に対して送信し、遊技用装置は、前記通信不可能状態における貸与処理の実行中に前記合算額特定情報を受信したことに基づいて、実行中の貸与処理の終了後に、受信した前記合算額特定情報から特定される合算額の範囲内で前記貸与処理を可能とする。
【０６６１】
具体的には、図２９のＳ６０６で説明したように、メダルサンド２０の外部通信部２１ｂ及び制御部２１によって、オフライン一発貸しの実行中において、オフライン状態が検知されている状態からオンライン状態への復帰が検知されたことに基づいて、実行中のオフライン一発貸しの終了を待つことなくオフライン一発貸しの終了後に生じるオフライン端数額と記録媒体の記録媒体ＩＤとを含むオンライン復帰通知が管理装置５０に対して送信される。図３０のＳ２４２，Ｓ２４９，Ｓ２４９ａ及び図１５のＳ１２１，Ｓ１２２で説明したように、メダルサンド２０の制御部２１によって、オフライン一発貸し実行中に予定残額通知を受信したことに基づいて、実行中のオフライン一発貸しの終了後に、受信した予定残額通知から特定される合算額の範囲内で貸与処理が可能とされる。
【０６６２】
このように、遊技用装置が、通信不可能状態における貸与処理（オフライン一発貸し）実行中に通信不可能状態から通信可能状態への復帰を検知したことに基づき、該実行中の通信不可能状態における貸与処理の終了を待つことなく復帰通知を管理装置に送信し、該通信不可能状態における貸与処理実行中に合算額特定情報を受信したことに基づいて、実行中の通信不可能状態における貸与処理の終了後に、受信した合算額特定情報から特定される合算額の範囲内で貸与処理が可能となるために、遊技者は、通信不可能状態における貸与処理の終了後すぐに管理残額を使用でき、遊技者の利便性が向上する。
【０６６３】
（５）  また、本発明は、次のような構成を含むようにしても良い。つまり、前記特定手段は、前記遊技用装置通信可否検知手段により通信不可能状態が検知されているときに、前記端数額が記録された記録媒体が受け付けられ、さらに、貨幣受付識別手段により貨幣が受け付けられたことに基づいて、該記録媒体に記録されている前記端数額と前記受付貨幣額との合算額から、前記貸与対象額を特定すると共に、端数額を新たに特定する。
【０６６４】
具体的には、図２２のＳ５０１，Ｓ５０２，Ｓ５０３，Ｓ５１０，Ｓ５１３で説明したように、メダルサンド２０の制御部２１によって、オフライン状態が検知されているときに、オフライン端数額が記録された記録媒体が受け付けられ、さらに貨幣が受け付けられたことに基づいて、記録媒体に記録されているオフライン端数額と受付貨幣額との合算額から、貸与対象額が特定されると共に、端数額が新たに特定される。
【０６６５】
このように、通信不可能状態にある遊技用装置において、通信不可能状態にあった他の遊技用装置で発生した端数額が入金残額として記録された記録媒体が受け付けられ、さらに貨幣が受け付けられると、該端数額と受付貨幣額との合算額から貸与対象額と端数額が特定されることにより、通信不可能状態にあった他の遊技用装置で発生した端数額を遊技に使用できるようになるので、端数額が記録された記録媒体を複数扱う必要がなくなって、遊技者の利便性が向上する。
【０６６６】
（６）  また、本発明は、次のような構成を含むようにしても良い。つまり、前記特定手段は、前記端数額の特定を行った後に、前記貨幣受付識別手段により貨幣が受け付けられたときに、前記端数額が前記対応間接税額以上であることを条件として、前記端数額と前記受付貨幣額とから、前記貸与対象額を特定する。
【０６６７】
具体的には、図２２のＳ５１０，Ｓ５１２，Ｓ５１３で説明したように、メダルサンド２０の制御部２１によって、端数額の特定が行われた後に、貨幣が受け付けられたときに、端数額が対応消費税額以上であることを条件として、端数額と受付貨幣額とから貸与対象額が特定される。
【０６６８】
このように、端数額が生じる都度、記録媒体に記録して返却する場合と比較して、端数額が貸与対象額の一部として用いられて貸与処理が行われるので、遊技者の利便性をさらに向上させることができる。
【０６６９】
（７）  従来、前述の文献Ａに加えて、カードユニット管理装置（本願の管理装置に相当）とオフライン状態（本願の通信不可能状態に相当）にあるカードユニット（本願の遊技用装置に相当）であっても、会員カード（本願の記録媒体に相当）の挿入を受け付けると共に貨幣の投入を受け付け、該貨幣の金額を会員カードの残高に加算更新し、該残高を使用して玉の貸出（本願の第２の貸与処理に相当）が行われるシステムがあった（特開２００２−３２５９５３号公報（以下「文献Ｄ」という）（図１６，図１７，段落０１３５，０１７４））。
【０６７０】
また、遊技機台間に設けられ、カード（本願の記録媒体に相当）を収納するカード収納部を備え、収納されているカードに入金額（本願の入金残額に相当）を記録して発行すると共に、外部から受け付けたカードの残額が零になって引き続き使用しない場合には、該カードをカード収納部に収納するカード発行装置があった（特開２００１−３４８１５号公報（以下「文献Ｅ」という）（図１，段落００２８，００３９））。
【０６７１】
しかしながら、文献Ａに示すようなＩＤ管理のシステムにおいても、遊技機の稼動を確保するために、文献Ｄに示すように通信不可能状態にある遊技用装置で貨幣の受付、及び第２の貸与処理を可能とし、該通信不可能状態に限って、記録媒体に入金残額を記録して排出するようにした場合、該入金残額が記録された記録媒体を通信不可能状態にある遊技用装置に挿入（受付）して貸与処理を行った結果として当該入金残額が零になったときに、文献Ｅに示すように該記録媒体を一律に回収すると、管理装置で管理されている残額である管理残額が有る場合には遊技者が損をすることになってしまう一方、該記録媒体を一律に排出すると、管理残額が無く本来返却する必要のない記録媒体まで無駄な返却することになってしまう。
【０６７２】
しかし、本発明は、次のような構成を含む。つまり、記録媒体を個々に識別するための記録媒体識別情報に対応付けて遊技媒体の貸与に使用される残額を管理する管理装置と、前記記録媒体の記録媒体識別情報に対応付けて前記管理装置にて管理されている残額である管理残額を用いて前記遊技媒体を貸与するための第１の貸与処理を行う貸与処理手段を有し遊技機に対応して設けられる遊技用装置とを備える遊技用システムであって、前記遊技用装置は、さらに、前記管理装置と通信できる通信可能状態であるか通信できない通信不可能状態であるかを検知する遊技用装置通信可否検知手段と、貨幣を受け付けて該貨幣の金額を識別する貨幣受付識別手段と、前記記録媒体の管理残額が０でないことを条件として、該管理残額が０でない旨を示す管理残額有り情報を該記録媒体に記録する管理残額有り情報記録手段とを備え、前記貸与処理手段は、前記遊技用装置通信可否検知手段により通信不可能状態が検知されているときに前記貨幣受付識別手段により貨幣が受け付けられたことに基づいて、該貨幣受付識別手段により識別された受付貨幣額を用いて遊技媒体を貸与するための第２の貸与処理を前記貸与処理手段により行い、前記遊技用装置は、さらに、前記受付貨幣額のうち前記第２の貸与処理に未使用の入金残額を前記記録媒体に記録する入金残額記録手段と、前記記録媒体を排出する記録媒体排出手段と、前記記録媒体に前記管理残額有り情報が記録されているか否かを判定する管理残額有り情報記録判定手段とを備え、前記貸与処理手段は、前記遊技用装置通信可否検知手段により通信不可能状態が検知されているときに前記入金残額が記録された記録媒体を受け付けたことに基づいて、該入金残額を使用して前記遊技媒体を貸与するための入金残額貸与処理を行い、前記記録媒体排出手段は、前記管理残額有り情報記録判定手段により前記管理残額有り情報が前記記録媒体に記録されていると判定されたことを条件として、前記入金残額が０である記録媒体を排出する。このように構成しているため、上記の場合においても、管理残額が有る記録媒体を遊技者に確実に返却できる一方で、管理残額が無く本来返却する必要のない記録媒体の無駄な返却を防止することが可能である。
【０６７３】
具体的には、図１で説明したように、遊技用システム１は、管理装置５０とメダルサンド２０とを備える。図１３（ａ）で説明したように、管理装置５０は、記録媒体（例えば、会員カード４、ビジタコイン５）を個々に識別可能な記録媒体ＩＤに対応付けてメダルの貸与に使用される残額を管理する。図１５、図２２及び図２３で説明したように、メダルサンド２０は、パチスロ機１０に対応して設けられ、記録媒体の記録媒体ＩＤに対応付けて管理装置５０にて管理されている管理残額を用いてメダルを貸与するための第１の貸与処理を行う。
【０６７４】
図１４のＳ１０１及び図２２のＳ５１０で説明したように、メダルサンド２０の紙幣識別機２２、硬貨識別機２３及び制御部２１によって、貨幣が受け付けられて貨幣の金額が識別される。図１９のＳ１８３，Ｓ１９０，Ｓ１９５、図２４のＳ５４３，Ｓ５４５及び図２５のＳ５６１，Ｓ５６３で説明したように、メダルサンド２０の制御部２１によって、記録媒体の管理残額が０でないことを条件として、管理残額が０でない旨を示すオンライン残額有りフラグが該記録媒体に記録される。
【０６７５】
図２２のＳ５１１〜Ｓ５２２で説明したように、メダルサンド２０の制御部２１によって、オフライン状態が検知されているときに貨幣が受け付けられたことに基づいて、識別された受付貨幣額を用いてメダルを貸与するための第２の貸与処理が行われる。図２４のＳ５４６，Ｓ５５０、図２５のＳ５６４，Ｓ５６９及び図２６のＳ５８２，Ｓ５８４で説明したように、メダルサンド２０の制御部２１によって、受付貨幣額のうち第２の貸与処理に未使用のオフライン端数額が記録媒体に記録される。図１９のＳ１９１，Ｓ１９６、図２４のＳ５５２及び図２５のＳ５７１で説明したように、メダルサンド２０の通路ユニット１００及び制御部２１によって、記録媒体が排出される。
【０６７６】
図２４のＳ５４７で説明したように、メダルサンド２０の制御部２１によって、記録媒体にオンライン残額有りフラグが記録されているか否かが判定される。図２２のＳ５０１，Ｓ５０２，Ｓ５１２，Ｓ５１５，Ｓ５２２で説明したように、メダルサンド２０の制御部２１によって、オフライン状態が検知されているときにオフライン端数額が記録された記録媒体を受け付けたことに基づいて、該オフライン端数額を使用してメダルを貸与するための端数額貸与処理が行われる。図２４のＳ５４６，Ｓ５４７，Ｓ５５２で説明したように、通路ユニット１００及びメダルサンド２０の制御部２１によって、オンライン残額有りフラグが記録媒体に記録されていると判定されたことを条件として、オフライン端数額が０である記録媒体が排出される。
【０６７７】
このように、通信不可能状態にある遊技用装置で、入金残額が記録された記録媒体が受け付けられ、該入金残額を使用した端数額貸与処理が行われた結果として当該入金残額が０になった場合において、管理残額が０でない旨を示す管理残額有り情報（オンライン残額有りフラグ）が該記録媒体に記録されていることを条件として、当該記録媒体が排出されるので、管理残額が有る記録媒体を遊技者に確実に返却できる一方で、管理残額が無く本来返却する必要のない記録媒体の無駄な返却を防止できる。
【０６７８】
（８）  また、本発明は、次のような構成を含むようにしても良い。つまり、前記遊技用装置は、さらに、前記遊技用装置通信可否検知手段により通信可能状態が検知されているときに受け付けられた前記記録媒体の管理残額が零でないか否かを、少なくとも当該記録媒体の受付中において管理する管理残額有無管理手段を備え、前記記録媒体排出手段は、前記記録媒体の受付後に前記遊技用装置通信可否検知手段により通信不可能状態が検知されているときに、前記管理残額有無管理手段により前記記録媒体の管理残額が零でない旨が管理されていることを条件として、該記録媒体を排出する。
【０６７９】
具体的には、図２５のＳ５６１で説明したように、メダルサンド２０の制御部２１によって、オンライン状態が検知されているときに受け付けられた記録媒体の管理残額が０でないか否かが、少なくとも当該記録媒体の受付中において管理される。図２５のＳ５７１で説明したように、メダルサンド２０の通路ユニット１００及び制御部２１によって、記録媒体の受付後にオフライン状態が検知されているときに、記録媒体の管理残額が零でない旨が管理されていることを条件として、該記録媒体が返却される。
【０６８０】
このように、記録媒体の受付後に通信不可能状態が発生した場合であっても、該記録媒体の管理残額が零でない旨が管理されていることを条件として、当該記録媒体が排出されるので、管理残額が有る記録媒体を遊技者に確実に返却できる。
【０６８１】
（９）  従来より、複数のコンピュータ間でのデータ転送を行うシステムであって、送信側コンピュータから処理要求を送信するにあたり情報格納域の通番に１を加算して、該通番を含む処理要求を受信側コンピュータに送信し、受信側コンピュータは処理要求に応じた処理を実行した後に該処理要求に含まれる通番を登録し、処理結果を送信側コンピュータに返信するものがあった（特開２０００−１４８６８３号公報（以下「文献Ｆ」という）（図１２，段落００４５，００４６））。ここで送信側コンピュータは、通信エラー等によって処理結果を受信しなかった場合に、通番を含む確認要求を受信側コンピュータに送信し、受信側コンピュータは、確認要求に含まれる通番が登録されている通番よりも大きければ処理完了前に異常が発生したものと判定する。
【０６８２】
文献Ａに示すようなシステムでは、遊技用装置での特定処理（例えば貸与処理）に連携して行われる管理装置側での処理（例えば残度数の減算）を行うための処理要求（例えば減算要求）を遊技用装置から受信する前に、遊技用装置と管理装置とがオフライン状態となった場合、遊技用装置側では特定処理（ここでは貸与処理）が行われたにも拘わらず、管理装置側での連携する処理（ここでは残度数の減算）が行われないことで処理の不一致が生ずる。ここで文献Ａのシステムに文献Ｆの手法を適用した場合、記録媒体が使用された遊技用装置と管理装置とがオンライン状態に復帰することで、遊技用装置から管理装置に対して確認要求が送信され、管理装置側での連携する処理（ここでは残度数の減算）が行われていない場合にはその旨を特定して対処することができるが、前記記録媒体が使用された遊技用装置がオンライン状態に復帰するまでは、管理装置は、前記オフライン状態が発生したときに該遊技用装置で特定処理（ここでは貸与処理）が行われたにも拘わらず、該特定処理に連携する処理（ここでは残度数の減算）が行われていない事を特定できなかったため、オンライン状態に復帰するまでの間は、連携する処理が行われていない事に対する対処ができないという問題があった。
【０６８３】
しかし、本発明は、次のような構成を含む。つまり、少なくとも通番が記録される記録媒体を個々に識別するための記録媒体識別情報に対応付けて遊技媒体の貸与に使用される残額及び通番を管理する管理装置と、前記記録媒体の記録媒体識別情報に対応付けて前記管理装置にて管理されている残額である管理残額を用いて前記遊技媒体を貸与するための貸与処理を含む各種処理を前記管理装置と連携して行い遊技機に対応して設けられる遊技用装置とを備える遊技用システムであって、前記遊技用装置は、前記各種処理のうちの予め定められた特定処理に伴って前記記録媒体の通番を更新する第１の通番更新処理を行うと共に、該特定処理に対応する連携処理を要求する連携処理要求を前記管理装置に対して送信する特定処理手段とを含み、前記管理装置は、さらに、前記連携処理要求の受信に応じて前記連携処理を行い、該連携処理に伴って前記記録媒体の記録媒体識別情報に対応付けられた通番を更新する第２の通番更新処理を行う連携処理手段と、前記遊技用装置から前記記録媒体の記録媒体識別情報と通番とを受信し、受信した該通番が受信した該記録媒体識別情報に対応付けられた通番と一致するか否かを判定する通番判定手段と、該通番判定手段により通番が一致しないと判定されたときに、予め定められた通番不一致時処理を行う通番不一致時処理手段とを備える。このように構成しているため、遊技用装置と管理装置が通信不可能状態になったときにも、当該遊技用装置が通信可能状態に復帰するのを待つことなく、管理装置側で特定処理に連携する処理が行われていないことを特定し、連携する処理が行われていない事に対する対処が可能である。
【０６８４】
具体的には、図１で説明したように、遊技用システム１は、管理装置５０とメダルサンド２０とを備える。図１３（ａ）で説明したように、管理装置５０は、少なくとも通番が記録される記録媒体（例えば、会員カード４、ビジタコイン５）を個々に識別可能な記録媒体ＩＤに対応付けてメダルの貸与に使用される残額及び通番を管理する。図１５、図２２及び図２３で説明したように、メダルサンド２０は、パチスロ機１０に対応して設けられ、記録媒体の記録媒体ＩＤに対応付けて管理装置５０にて管理されている管理残額を用いてメダルを貸与するための貸与処理を含む各種処理を管理装置５０と連携して行う。
【０６８５】
図１４のＳ１０９、図１５のＳ１２３、図１７のＳ２２３及び図１７，図２０，図３０のＳ２４５で説明したように、メダルサンド２０の制御部２１によって、各種処理のうちの予め定められた特定処理（例えば、受付貨幣の取込、使用額＋消費税額分の貸与処理、及びオフライン端数額やオフライン消費情報やオフライン精算情報の消去処理）に伴って記録媒体の通番を更新する第１の通番更新処理が行われる。図１４のＳ１１０、図１５のＳ１２４、図１７のＳ２２４、図１７，図３０のＳ２４６及び図２０のＳ２４６ｂで説明したように、メダルサンド２０の制御部２１によって、特定処理に対応する連携処理（例えば、受付貨幣額の加算・消去処理、使用額＋消費税額を管理残額から減算する第１の減算処理、オフライン端数額やオフライン消費額やオフライン精算額の加減算・消去処理）を要求する連携処理要求（例えば、貨幣取込通知、減算要求、残額受信通知、端数額消去通知、消費情報消去通知）が管理装置５０に対して送信される。
【０６８６】
図１４のＳ１１５、図１５のＳ１２５，Ｓ１２６、図１７，図３０のＳ２２７，Ｓ２４７，Ｓ２４７ａ，Ｓ２４８、図２０のＳ２２７ａで説明したように、管理装置５０の制御部５２によって、連携処理要求の受信に応じて連携処理が行われ、該連携処理に伴って記録媒体の記録媒体ＩＤに対応付けられた通番を更新する第２の通番更新処理が行われる。図１６のＳ２０２，Ｓ２０３で説明したように、管理装置５０の制御部５２によって、メダルサンド２０から記録媒体の記録媒体ＩＤと通番とが受信され、受信された該通番が受信された該記録媒体ＩＤに対応付けられた通番と一致するか否かが判定される。図１８のＳ２６０〜Ｓ２９７で説明したように、管理装置５０の制御部５２によって、通番が一致しないと判定されたときに、予め定められた通番不一致時処理が行われる。
【０６８７】
このように、遊技用装置での特定処理に伴って更新される通番が記録媒体に記録されるので、通信不可能状態が発生した遊技用装置から排出された記録媒体を通信可能状態の遊技用装置に挿入することで、該記録媒体に記録されている通番と管理装置において該記録媒体の記録媒体識別情報に対応付けられた通番から、通信不可能状態の発生により遊技用装置で特定処理が行われたにも拘わらず、管理装置で該特定処理に連携する処理が行われていない事を特定して、対処することができる。
【０６８８】
（１０）  また、本発明は、次のような構成を含むようにしても良い。つまり、前記遊技用装置は、さらに、遊技者の操作により、前記管理残額の範囲内で、予め定められた基準貸与額分の遊技媒体を貸与するための貸与処理を前記特定処理として行う貸与処理手段を備え、前記特定処理手段は、該貸与処理に使用される基準貸与額を前記管理残額から減算するための減算要求を前記連携処理要求として前記管理装置に対して送信し、前記管理装置は、さらに、前記基準貸与額を管理する基準貸与額管理手段と、前記減算要求の受信に基づいて、管理している該基準貸与額を前記管理残額から減算する減算処理を実行する減算処理手段と、該減算処理が完了した旨を示す減算完了通知を前記遊技用装置に対して返信する減算完了通知返信手段とを備え、前記貸与処理手段は、前記減算完了通知を受信したことを条件として、次の貸与処理を行い、前記不一致時処理手段は、前記通番判定手段により通番が一致しないと判定したときには、前記管理している基準貸与額を前記記録媒体の記録媒体識別情報と対応付けて管理している管理残額から減算する前記通番不一致時処理を行う。
【０６８９】
具体的には、図１５のＳ１２１，Ｓ１２２で説明したように、メダルサンド２０の制御部２１によって、遊技者の操作により、管理残額の範囲内で、予め定められた貸与設定金額分のメダルを貸与するための貸与処理が特定処理として行われる。図１５のＳ１２４で説明したように、メダルサンド２０の外部通信部２１ｂ及び制御部２１によって、該貸与処理に使用される貸与設定金額を管理残額から減算するための減算要求が連携処理要求として管理装置に対して送信される。
【０６９０】
図１３（ａ）の設定値ＤＢで説明したように、管理装置５０の制御部５２によって、貸与設定金額が管理される。図１５のＳ１２５で説明したように、管理装置５０の制御部５２によって、減算要求の受信に基づいて、管理している該貸与設定金額を管理残額から減算する減算処理が実行される。図１５のＳ１２８で説明したように、管理装置５０の制御部５２によって、減算処理が完了した旨を示す減算完了通知がメダルサンド２０に対して返信される。
【０６９１】
図１５のＳ１２８及び図１４のＳ１１１，Ｓ１１２で説明したように、メダルサンド２０の制御部２１によって、Ｓ１２８で減算完了通知を受信したことを条件として、Ｓ１１１で残額が表示され、Ｓ１１２で貸与操作を待機する状態となり、次の貸与処理が行われる。図１８のＳ２７２で説明したように、管理装置５０の制御部５２によって、通番が一致しないと判定したときには、管理している貸与設定金額を記録媒体の記録媒体ＩＤと対応付けて管理している管理残額から減算する通番不一致時処理が行われる。
【０６９２】
このように、遊技用装置において貸与処理が行われたにもかかわらず、通信不可能状態の発生により管理装置側で残額の減算が実施されなかった場合に、他の通信可能状態の遊技用装置で記録媒体を使用することにより管理装置の残額が補正され確定されるので、通信不可能状態の発生した遊技用装置が通信可能状態に復帰するのを待つことなく、管理装置の残額を他の遊技用装置において使用することが可能となり、遊技者に迷惑がかかることがなく、また遊技場が損をすることもない。
【０６９３】
（１１）  また、本発明は、次のような構成を含むようにしても良い。つまり、前記基準貸与額管理手段は、各遊技用装置について設定される前記基準貸与額を各遊技用装置に対応付けて管理し、前記管理装置は、さらに、前記記録媒体識別情報に対応付けて、該記録媒体識別情報の記録媒体を少なくとも前回受け付けていた遊技用装置であって、管理装置と通信できる通信可能状態で該記録媒体を受け付けた後に管理装置と通信できない通信不可能状態になった当該遊技用装置を特定可能な情報を記憶する遊技用装置特定情報記憶手段と、前記通番判定手段により通番が一致しないと判定したときに、前記記録媒体の記録媒体識別情報に対応付けて前記遊技用装置識別情報記憶手段で記憶している情報から当該記録媒体識別情報の記録媒体が前回受け付けられていた遊技用装置を特定する遊技用装置特定手段とを備え、前記不一致時処理手段は、該遊技用装置特定手段により特定された遊技用装置に対応付けて管理している基準貸与額を前記記録媒体の記録媒体識別情報に対応付けて管理している管理残額から減算する前記通番不一致時処理を行う。
【０６９４】
具体的には、図１３（ａ）の設定値ＤＢで説明したように、管理装置５０の制御部５２によって、各メダルサンド２０について設定される貸与設定金額が各メダルサンド２０に対応付けて管理される。図１３（ａ）の残額管理ＤＢ及び図１７のＳ２２０，Ｓ２４０で説明したように、管理装置５０の制御部５２によって、記録媒体ＩＤに対応付けて、該記録媒体ＩＤの記録媒体を少なくとも前回受け付けていたメダルサンド２０であって、オンライン状態で該記録媒体を受け付けた後にオフライン状態になった当該メダルサンド２０を特定可能な装置ＩＤが記憶される。
【０６９５】
図１８のＳ２６９で説明したように、管理装置５０の制御部５２によって、通番が一致しないと判定したときに、記録媒体の記録媒体ＩＤに対応付けて残額管理ＤＢで記憶している装置ＩＤから当該記録媒体ＩＤの記録媒体が前回受け付けられていたメダルサンド２０が特定される。図１８のＳ２７２で説明したように、管理装置５０の制御部５２によって、特定されたメダルサンド２０に対応付けて管理している貸与設定金額を記録媒体の記録媒体ＩＤに対応付けて管理している管理残額から減算する通番不一致時処理が行われる。
【０６９６】
このように、管理装置は、各遊技用装置について基準貸与額（貸与設定金額）が設定される場合にも、記録媒体が前回受け付けられていた遊技用装置を特定して、対応する基準貸与額を管理残額から減算するので、正確な残額に補正することができる。
【０６９７】
（１２）  また、本発明は、次のような構成を含むようにしても良い。つまり、前記貸与処理手段は、前記管理残額が前記基準貸与額未満であるときに、遊技者の操作により、該管理残額のうちの、前記管理残額を遊技媒体の貸与に使用する際の予め定められた一単位である単位使用額の整数倍に相当する貸与対象額分の遊技媒体を貸与するための貸与処理を前記特定処理として行い、前記特定処理手段は、該貸与処理に使用される貸与対象額を前記管理残額から減算するための減算要求を、前記連携処理要求として、前記管理装置に対して送信し、前記管理装置は、さらに、前記通番判定手段により通番が一致しないと判定したときに、前記記録媒体の記録媒体識別情報に対応付けて管理している管理残額が前記基準貸与額未満であるか否かを判定する基準貸与額判定手段を備え、前記通番不一致時処理手段は、該基準貸与額判定手段により前記管理残額が前記基準貸与額未満であると判定されたときには、前記貸与対象額を前記記録媒体の記録媒体識別情報に対応付けて管理している管理残額から減算する前記通番不一致時処理を行う。
【０６９８】
具体的には、図１５のＳ１２１，Ｓ１２２で説明したように、メダルサンド２０の制御部２１によって、管理残額が貸与設定金額未満であるときに、遊技者の操作により、該管理残額のうちの、管理残額をメダルの貸与に使用する際の予め定められた一単位である税込単位額の整数倍に相当する使用額＋消費税額分のメダルを貸与するための貸与処理が特定処理として行われる。図１５のＳ１２４で説明したように、メダルサンド２０の外部通信部２１ｂ及び制御部２１によって、貸与処理に使用される使用額＋消費税額を管理残額から減算するための減算要求が、連携処理要求として、管理装置に対して送信される。
【０６９９】
図１８のＳ２７１で説明したように、管理装置５０の制御部５２によって、通番が一致しないと判定したときに、記録媒体の記録媒体ＩＤに対応付けて管理している管理残額が貸与設定金額未満であるか否かが判定される。図１８のＳ２７３で説明したように、管理装置５０の制御部５２によって、管理残額が貸与設定金額未満であると判定されたときには、税込単位額の整数倍であって管理残額を超えない最大額を、記録媒体の記録媒体ＩＤに対応付けて管理している管理残額から減算する通番不一致時処理が行われる。
【０７００】
このように、管理装置は、管理残額が基準貸与額未満である場合にも、税込単位額の整数倍に相当する貸与対象額を管理残額から減算するので、正確な残額に補正することができる。
【０７０１】
（１３）  また、本発明は、次のような構成を含むようにしても良い。つまり、前記遊技用装置は、貨幣を受け付けて該貨幣の金額を識別し、識別された受付貨幣額と前記記録媒体識別情報とを特定可能な入金要求を前記管理装置に対して送信し、前記管理装置は、前記入金要求の受信に応じて、該入金要求から特定される受付貨幣額を該入金要求から特定される記録媒体識別情報に対応付けて記憶する処理を行い、該記録媒体識別情報に対応付けて管理している管理残額と前記受付貨幣額との合算額を特定可能な残額通知を前記遊技用装置に対して送信し、前記遊技用装置は、前記残額通知の受信に応じて、該残額通知から特定される合算額の範囲内で遊技媒体の貸与を可能とするための貸与可能処理を第１の特定処理として行い、該貸与可能処理を行った旨を示す貸与可能情報を、前記特定処理に対応する連携処理を要求する連携処理要求として前記管理装置に対して送信し、前記管理装置は、前記貸与可能情報の受信に応じて、当該記録媒体の記録媒体識別情報に対応付けて記憶している受付貨幣額を当該記録媒体の管理残額に対して加算する受付貨幣額加算処理と、該受付貨幣額が加算済であることを特定可能な状態に更新する加算済更新処理とを第１の連携処理として行い、前記通番判定手段により通番が一致しないと判定され、かつ前記受付貨幣額が未加算の状態で記憶されていることを条件として、前記受付貨幣額加算処理と前記加算済更新処理とを行い、前記通番判定手段により通番が一致すると判定され、かつ前記受付貨幣額が未加算の状態で記憶されていることを条件として、前記受付貨幣額加算処理を行うことなく、前記加算済更新処理を行う。
【０７０２】
具体的には、図１４のＳ１０１及び図２２のＳ５１０で説明したように、メダルサンド２０の紙幣識別機２２、硬貨識別機２３及び制御部２１によって、貨幣が受け付けられて貨幣の金額が識別される。図１４のＳ１０３で説明したように、メダルサンド２０の制御部２１によって、識別された受付貨幣額と記録媒体ＩＤとを含む入金要求が管理装置５０に対して送信される。図１４のＳ１０５で説明したように、管理装置５０の制御部５２によって、入金要求の受信に応じて、該入金要求から特定される受付貨幣額を該入金要求から特定される記録媒体ＩＤに対応付けて記憶する処理が行われる。図１４のＳ１０６で説明したように、管理装置５０の通信部５１及び制御部５２によって、該記録媒体ＩＤに対応付けて管理している管理残額と受付貨幣額との合算額を含む予定残額通知がメダルサンド２０に対して送信される。
【０７０３】
図１４のＳ１０８で説明したように、メダルサンド２０の制御部２１によって、予定残額通知の受信に応じて、受付貨幣が取込まれることで、該予定残額通知から特定される合算額の範囲内で遊技媒体の貸与を可能とするための貸与可能処理が第１の特定処理として行われる。図１４のＳ１１０で説明したように、メダルサンド２０の制御部２１によって、該貸与可能処理を行った旨を示す貨幣取込通知が、特定処理に対応する連携処理を要求する連携処理要求として管理装置５０に対して送信される。図１４のＳ１１３，Ｓ１１４で説明したように、管理装置５０の制御部５２によって、貨幣取込通知の受信に応じて、当該記録媒体の記録媒体ＩＤに対応付けて記憶している受付貨幣額を当該記録媒体の管理残額に対して加算する受付貨幣額加算処理と、受付貨幣額を消去することで、該受付貨幣額が加算済であることを特定可能な状態に更新する加算済更新処理とが第１の連携処理として行われる。
【０７０４】
図１８のＳ２６１，Ｓ２６２で説明したように、管理装置５０の制御部５２によって、通番が一致しないと判定され、かつ受付貨幣額が未加算の状態で記憶されていることを条件として、受付貨幣額加算処理と加算済更新処理とが行われる。図１６のＳ２０４，Ｓ２０５で説明したように、管理装置５０の制御部５２によって、通番が一致すると判定され、かつ受付貨幣額が未加算の状態で記憶されていることを条件として、受付貨幣額加算処理が行われることなく、加算済更新処理が行われる。
【０７０５】
このように、管理装置において、通番が一致しないと判定され、かつ受付貨幣額が未加算の状態で記憶されていることを条件として、受付貨幣額加算処理と加算済更新処理とが行われるので、遊技用装置が残額通知（予定残額通知）を受信してから管理装置が貸与可能情報（貨幣取込通知）を受信する前に通信不可能状態となった場合にも、正確な残額を確定することができる。また、管理装置において、通番が一致すると判定され、かつ受付貨幣額が未加算の状態で記憶されていることを条件として、受付貨幣額加算処理が行われることなく、加算済更新処理が行われるので、管理装置が入金要求を受信してから遊技用装置が残額通知を受信する前に通信不可能状態となった場合にも、正確な残額を確定することができる。
【０７０６】
（１４）  また、本発明は、次のような構成を含むようにしても良い。つまり、前記遊技用装置は、前記入金残額が記録された記録媒体を受け付けたことに基づいて、該記録媒体の入金残額と記録媒体識別情報とを含む挿入通知を前記管理装置に送信し、前記管理装置は、受信した前記挿入通知に含まれる記録媒体識別情報に対応付けて前記入金残額を記憶し、記憶が完了した旨を示す記憶完了通知（予定残額通知）を前記遊技用装置に送信し、前記遊技用装置は、前記記録媒体の入金残額を消去する処理を特定処理として行い、入金残額消去通知を前記連携処理要求として前記管理装置に送信し、前記管理装置は、前記入金残額消去通知の受信に応じて、前記連携処理手段により、当該記録媒体の記録媒体識別情報に対応付けて記憶している入金残額を前記管理残額に対して加算する入金残額加算処理と、該入金残額が加算済みであることを特定可能な状態に更新する加算済更新処理とを連携処理として行い、前記通番判定手段により通番が一致しないと判定され、かつ前記入金残額が未加算の状態で記憶されていることを条件として、前記入金残額加算処理と前記加算済更新処理とを行い、前記通番判定手段により通番が一致すると判定され、かつ前記入金残額が未加算の状態で記憶されていることを条件として、前記入金残額加算処理を行うことなく、前記加算済更新処理を行う。
【０７０７】
具体的には、図１６のＳ２０２で説明したように、メダルサンド２０の制御部２１によって、オフライン端数額が記録された記録媒体が受け付けられたことに基づいて、該記録媒体のオフライン端数額と記録媒体ＩＤとを含む挿入通知が管理装置５０に送信される。図１６のＳ２１２で説明したように、管理装置５０の制御部５２によって、受信された挿入通知に含まれる記録媒体ＩＤに対応付けてオフライン端数額が記憶される。図１７のＳ２４１で説明したように、管理装置５０の通信部５１及び制御部５２によって、記憶が完了した旨を示す予定残額通知がメダルサンド２０に送信される。
【０７０８】
図１７のＳ２４４で説明したように、メダルサンド２０の制御部２１によって、記録媒体のオフライン端数額を消去する処理が特定処理として行われる。図１７のＳ２４６で説明したように、メダルサンド２０の外部通信部２１ｂ及び制御部２１によって、端数額消去通知が連携処理要求として管理装置５０に送信される。図１７のＳ２４８で説明したように、管理装置５０の制御部５２によって、端数額消去通知の受信に応じて、当該記録媒体の記録媒体ＩＤに対応付けて記憶しているオフライン端数額を管理残額に対して加算するオフライン端数額加算処理と、該オフライン端数額を消去することによって、該オフライン端数額が加算済みであることを特定可能な状態に更新する加算済更新処理とが連携処理として行われる。
【０７０９】
図１８のＳ２６５で説明したように、管理装置５０の制御部５２によって、通番が一致しないと判定され、かつオフライン端数額が未加算の状態で記憶されていることを条件として、オフライン端数額加算処理と加算済更新処理とが行われる。図１６のＳ２０８で説明したように、管理装置５０の制御部５２によって、通番が一致すると判定され、かつオフライン端数額が未加算の状態で記憶されていることを条件として、オフライン端数額加算処理が行われることなく、加算済更新処理が行われる。
【０７１０】
このように、管理装置は、通番が一致しないと判定され、かつ入金残額が未加算の状態で記憶されていることを条件として、通番不一致時処理として、入金残額加算処理と、加算済更新処理と、通番更新処理とを行うので、遊技用装置が記憶完了通知（予定残額通知）を受信してから管理装置が入金残額消去通知（端数額消去通知）を受信する前に通信不可能状態となった場合にも、正確な残額を確定することができる。一方、通番が一致すると判定され、かつ入金残額が未加算の状態で記憶されていることを条件として、通番一致時処理として、入金残額加算処理を行うことなく、加算済更新処理を行うので、管理装置が入金残額加算更新要求（挿入通知）を受信してから遊技用装置が記憶完了通知を受信する前に通信不可能状態になった場合にも、正確な残額を確定することができる。
【０７１１】
（１５）  また、本発明は、次のような構成を含むようにしても良い。つまり、前記遊技用装置は、前記遊技用装置通信可否検知手段により通信不可能状態から通信可能状態への復帰が検知されたことに基づいて、該記録媒体の入金残額と記録媒体識別情報とを含む復帰通知を前記管理装置に送信し、前記管理装置は、受信した復帰通知に含まれる記録媒体識別情報に対応付けて前記入金残額を記憶し、記憶が完了した旨を示す記憶完了通知（予定残額通知）を前記遊技用装置に送信し、前記遊技用装置は、前記記録媒体の入金残額を消去する処理を特定処理として行い、入金残額消去通知を前記連携処理要求として前記管理装置に送信し、前記管理装置は、前記入金残額消去通知の受信に応じて、前記連携処理手段により、当該記録媒体の記録媒体識別情報に対応付けて記憶している入金残額を管理残額に対して加算する入金残額加算処理と、該入金残額が加算済みであることを特定可能な状態に更新する加算済更新処理とを連携処理として行い、前記通番判定手段により通番が一致しないと判定され、かつ前記入金残額が未加算の状態で記憶されていることを条件として、前記入金残額加算処理と前記加算済更新処理とを行い、前記通番判定手段により通番が一致すると判定され、かつ前記入金残額が未加算の状態で記憶されていることを条件として、前記入金残額加算処理を行うことなく、前記加算済更新処理を行う。
【０７１２】
具体的には、図２９のＳ６０６で説明したように、メダルサンド２０の制御部２１によって、オフライン状態からオンライン状態への復帰が検知されたことに基づいて、該記録媒体のオフライン端数額と記録媒体ＩＤとを含むオンライン復帰通知が管理装置５０に送信される。図１６のＳ２１２で説明したように、管理装置５０の制御部５２によって、受信されたオンライン復帰通知に含まれる記録媒体ＩＤに対応付けてオフライン端数額が記憶される。図３０のＳ２４１で説明したように、管理装置５０の通信部５１及び制御部５２によって、記憶が完了した旨を示す予定残額通知がメダルサンド２０に送信される。
【０７１３】
図３０のＳ２４４で説明したように、メダルサンド２０の制御部２１によって、記録媒体のオフライン端数額を消去する処理が特定処理として行われる。図３０のＳ２４６で説明したように、メダルサンド２０の外部通信部２１ｂ及び制御部２１によって、端数額消去通知が連携処理要求として管理装置５０に送信される。図３０のＳ２４８で説明したように、管理装置５０の制御部５２によって、端数額消去通知の受信に応じて、当該記録媒体の記録媒体ＩＤに対応付けて記憶しているオフライン端数額を管理残額に対して加算するオフライン端数額加算処理と、該オフライン端数額を消去することによって、該オフライン端数額が加算済みであることを特定可能な状態に更新する加算済更新処理とが連携処理として行われる。
【０７１４】
図１８のＳ２６５で説明したように、管理装置５０の制御部５２によって、通番が一致しないと判定され、かつオフライン端数額が未加算の状態で記憶されていることを条件として、オフライン端数額加算処理と加算済更新処理とが行われる。図１６のＳ２０８で説明したように、管理装置５０の制御部５２によって、通番が一致すると判定され、かつオフライン端数額が未加算の状態で記憶されていることを条件として、オフライン端数額加算処理が行われることなく、加算済更新処理が行われる。
【０７１５】
このように、遊技用装置の通信可能状態復帰時に、管理装置は、通番が一致しないと判定され、かつ入金残額が未加算の状態で記憶されていることを条件として、通番不一致時処理として、入金残額加算処理と、加算済更新処理と、通番更新処理とを行うので、遊技用装置が記憶完了通知（予定残額通知）を受信してから管理装置が入金残額消去通知（端数額消去通知）を受信する前に通信不可能状態となった場合にも、正確な残額を確定することができる。一方、通番が一致すると判定され、かつ入金残額が未加算の状態で記憶されていることを条件として、通番一致時処理として、入金残額加算処理を行うことなく、加算済更新処理を行うので、管理装置が復帰通知を受信してから遊技用装置が記憶完了通知を受信する前に通信不可能状態になった場合にも、正確な残額を確定することができる。
【０７１６】
（１６）  また、本発明は、次のような構成を含むようにしても良い。つまり、前記遊技用システムは、さらに、前記記録媒体の記録媒体識別情報に対応する前記管理残額の精算を行う精算装置を備え、該精算装置は、前記記録媒体を受け付けたことに基づいて、当該記録媒体に記録されている通番を含む精算要求を前記管理装置に対して送信し、前記管理装置は、受信した前記精算要求に含まれる通番が前記記録媒体の記録媒体識別情報に対応付けられた通番と一致するか否かを前記通番判定手段により判定し、前記通番判定手段により通番が一致しないと判定され、かつ前記入金残額が未加算の状態で記憶されていることを条件として、前記入金残額加算処理と前記加算済更新処理とを通番不一致時処理として行い、前記通番判定手段により通番が一致すると判定され、かつ前記入金残額が未加算の状態で記憶されていることを条件として、前記入金残額加算処理を行うことなく、前記加算済更新処理を通番一致時処理として行い、通番一致時処理又は通番不一致時処理後の管理残額の精算を許諾する旨の精算許諾情報を前記精算装置に送信し、前記精算装置は、該精算許諾情報を受信したことに基づいて、前記管理残額に相当する貨幣を払出す。
【０７１７】
具体的には、図１及び図３１から図３６までで説明したように、精算装置６０は、記録媒体の記録媒体ＩＤに対応する管理残額の精算を行う。図３１のＳ７０２で説明したように、精算装置６０の制御部６２によって、記録媒体が受け付けられたことに基づいて、当該記録媒体に記録されている通番を含む精算要求が管理装置５０に対して送信される。図１６のＳ２０３で説明したように、管理装置５０の制御部５２によって、受信された精算要求に含まれる通番が記録媒体の記録媒体ＩＤに対応付けられた通番と一致するか否かが判定される。
【０７１８】
図１８のＳ２６５で説明したように、管理装置５０の制御部５２によって、通番が一致しないと判定され、かつオフライン端数額が未加算の状態で記憶されていることを条件として、オフライン端数額加算処理と加算済更新処理とが通番不一致時処理として行われる。図１６のＳ２０８で説明したように、管理装置５０の制御部５２によって、通番が一致すると判定され、かつオフライン端数額が未加算の状態で記憶されていることを条件として、オフライン端数額加算処理が行われることなく、加算済更新処理が通番一致時処理として行われる。図３２のＳ２４１ａで説明したように、管理装置５０の通信部５１及び制御部５２によって、通番一致時処理又は通番不一致時処理後の管理残額の精算を許諾する旨の精算許諾情報が精算装置６０に送信される。図３３のＳ７８０，Ｓ７８１で説明したように、精算装置６０の制御部６２によって、該精算許諾情報が受信されたことに基づいて、管理残額に相当する貨幣が払出される。
【０７１９】
このように、通番一致時処理又は通番不一致時処理後の管理残額に相当する貨幣が払出されるので、遊技用装置にて記録媒体を受け付けたことに基づいて管理装置との間で行われる処理の途中で通信不可能状態が発生した記録媒体が精算装置にて受け付けられた場合にも、正確な残額を精算することができる。
【０７２０】
（１７）  また、本発明は、次のような構成を含むようにしても良い。つまり、遊技用システムは、さらに、前記記録媒体の記録媒体識別情報に対応する前記管理残額の精算処理を含む各種処理を前記管理装置と連携して行う精算装置を備え、前記精算装置は、前記各種処理のうちの予め定められた特定処理に伴って前記記録媒体の通番を更新する第１の通番更新処理を行うと共に、該特定処理に対応する連携処理を要求する連携処理要求を前記管理装置に対して送信する特定処理手段を備え、前記連携処理手段は、前記連携処理要求の受信に応じて前記連携処理を行い、該連携処理に伴って前記記録媒体の記録媒体識別情報に対応付けられた通番を更新する第２の通番更新処理を行い、前記通番判定手段は、前記遊技用装置又は前記精算装置から前記記録媒体の記録媒体識別情報と通番とを受信し、受信した該通番が受信した該記録媒体識別情報に対応付けられた通番と一致するか否かを判定し、前記通番不一致時処理手段は、該通番判定手段により通番が一致しないと判定されたときには、予め定められた通番不一致時処理を行う。
【０７２１】
具体的には、図１及び図３１から図３６までで説明したように、遊技用システム１は、さらに、記録媒体の記録媒体ＩＤに対応する管理残額の精算処理を含む各種処理を管理装置と連携して行う精算装置６０を備える。図３２のＳ２２３，Ｓ２４５及び図３３のＳ７８２で説明したように、精算装置６０の制御部６２によって、各種処理のうちの予め定められた特定処理（例えば、図３２のＳ２２２ａ，Ｓ２４２ａの精算可能処理、図３２のＳ２４３，Ｓ２４３ａ，Ｓ２４４のオフライン消費情報，オフライン精算情報，オフライン端数額の消去処理、図３３のＳ７８１の精算処理）に伴って記録媒体の通番を更新する第１の通番更新処理が行われる。図３２のＳ２２４ａ，Ｓ２４６ａ及び図３３のＳ７８３で説明したように、精算装置６０の通信部６１及び制御部６２によって、特定処理に対応する連携処理（例えば、図３２のＳ２４７，Ｓ２４７ａ，Ｓ２４８のオフライン端数額やオフライン消費額やオフライン端数額の加減算・消去処理、図３３のＳ７８４の管理残額の消去処理）を要求する連携処理要求が管理装置５０に対して送信される。
【０７２２】
図３２のＳ２２７，Ｓ２４７，Ｓ２４７ａ，Ｓ２４８及び図３３のＳ７８４，Ｓ７８５で説明したように、管理装置５０の制御部５２によって、連携処理要求の受信に応じて連携処理が行われ、該連携処理に伴って前記記録媒体の記録媒体ＩＤに対応付けられた通番を更新する第２の通番更新処理が行われる。図１６のＳ２０２，Ｓ２０３、図１９のＳ１９３、図２９のＳ６０６及び図３１のＳ７０２で説明したように、メダルサンド２０又は精算装置６０から記録媒体の記録媒体ＩＤと通番とを含む挿入通知、供給通知、オンライン復帰通知又は精算要求を受信し、受信された該通番が受信された該記録媒体ＩＤに対応付けられた通番と一致するか否かが判定される。図１８のＳ２６０〜Ｓ２７２で説明したように、管理装置５０の制御部５２によって、通番が一致しないと判定されたときに、予め定められた通番不一致時処理が行われる。
【０７２３】
このように、精算装置での特定処理に伴って更新される通番が記録媒体に記録されるので、通信不可能状態が発生した精算装置から排出された記録媒体を通信可能状態の遊技用装置又は精算装置に挿入することで、該記録媒体に記録されている通番と管理装置において該記録媒体の記録媒体識別情報に対応付けられた通番から、通信不可能状態の発生により精算装置で特定処理が行われたにも拘わらず、管理装置で該特定処理に連携する処理が行われていない事を特定して対処することができる。
【０７２４】
（１８）  従来、管理装置においてカードＩＤに対応付けて残額を管理し、当該管理残額を使用して遊技用装置にて貸与処理を行うシステムがあった（例えば、文献Ａ（第００２７段落、第００７６段落））。このようなシステムによれば、カードに記録された情報を改ざんすることによって残額を増加させるような不正行為を防止することができる。
【０７２５】
しかし、文献Ａに開示されたシステムのように、管理装置に記憶された残額を使用して貸与処理を行うシステムにおいては、管理装置と遊技用装置とが通信できないオフライン状態になると、管理残額が貸与処理に使用できなくなり、遊技者にとって不便であると共に、遊技場にとっては売上低下を招くこととなるといった問題があった。
【０７２６】
しかし、本発明は、次のような構成を含む。つまり、記録媒体を個々に識別するための記録媒体識別情報に対応付けて遊技媒体の貸与に使用される残額を管理する管理装置と、記録媒体の記録媒体識別情報に対応付けて前記管理装置にて管理されている残額である管理残額を用いて前記遊技媒体を貸与するための貸与処理を行う貸与処理手段を有し遊技機に対応して設けられる遊技用装置とを備える遊技用システムであって、前記遊技用装置は、さらに、前記記録媒体の記録媒体識別情報に対応する管理残額を前記管理装置から取得する管理残額取得手段と、該管理残額取得手段によって取得された前記管理残額を記憶する残額記憶手段と、該残額記憶手段に記憶された残額を、前記貸与処理手段による前記貸与処理に用いられる貸与使用額分減算された残額に更新する残額更新手段と、前記管理装置と通信できる通信可能状態であるか通信できない通信不可能状態であるかを検知する遊技用装置通信可否検知手段とを備え、前記貸与処理手段は、該遊技用装置通信可否検知手段によって前記通信不可能状態が検知されたときに前記残額記憶手段に記憶された残額が０でないことを条件として、該残額を使用して前記貸与処理を行う。このように構成しているため、遊技者の利便性を向上させると共に、遊技場の売上低下を防止することが可能である。
【０７２７】
具体的には、図１で説明したように、遊技用システム１は、管理装置５０とメダルサンド２０とを備える。図１３（ａ）で説明したように、管理装置５０は、記録媒体（例えば、会員カード４，ビジタコイン５）を個々に識別するための記録媒体ＩＤに対応付けてメダルの貸与に使用される残額を管理する。図１５、図２２及び図２３で説明したように、メダルサンド２０は、パチスロ機１０に対応して設けられる。図１５のＳ１２１〜Ｓ１３０で説明したように、メダルサンド２０の制御部２１によって、記録媒体の記録媒体ＩＤに対応付けて管理装置５０にて管理されている残額である管理残額を用いてメダルを貸与するための貸与処理が行われる。
【０７２８】
図１６のＳ２０１，Ｓ２０２及び図１７のＳ２２１，Ｓ２４１で説明したように、メダルサンド２０の制御部２１によって、記録媒体の記録媒体ＩＤに対応する管理残額が管理装置５０から取得される。図１７のＳ２２２，Ｓ２４２で説明したように、メダルサンド２０の制御部２１によって、取得された管理残額が記憶される。図１５のＳ１２９で説明したように、メダルサンド２０の制御部２１によって、記憶された残額が、貸与処理に用いられる使用額＋消費税額分減算された残額に更新される。図２１のＳ３００で説明したように、メダルサンド２０の制御部２１によって、管理装置５０と通信できるオンライン状態であるか通信できないオフライン状態であるかが検知される。図２３のＳ５３２〜Ｓ５３４で説明したように、メダルサンド２０の制御部２１によって、オフライン状態が検知されたときに、記憶残額が０でないことを条件として、該記憶残額を使用して貸与処理が行われる。
【０７２９】
このように、通信不可能状態が発生しても、管理残額が遊技用装置に残額として記憶済であれば、当該残額が遊技媒体の貸与に使用される。その結果、遊技者の利便性を向上させると共に、遊技場の売上低下を防止することができる。
【０７３０】
（１９）  また、本発明は、次のような構成を含むようにしても良い。つまり、前記遊技用装置は、さらに、前記通信不可能状態において前記残額記憶手段に記憶された残額から前記貸与処理に使用された額であるオフライン消費額を特定可能なオフライン消費情報を特定する消費情報特定手段と、該消費情報特定手段によって特定されたオフライン消費情報を前記記録媒体に記録する消費情報記録手段と、前記遊技用装置通信可否検知手段によって通信可能状態が検知されているときに前記オフライン消費情報が記録された前記記録媒体が受け付けられたことに基づいて、該記録媒体の前記記録媒体識別情報と前記オフライン消費情報とを前記管理装置に送信する消費情報送信手段とを備え、前記管理装置は、前記消費情報送信手段から受信した記録媒体識別情報に対応付けて管理している前記管理残額を、前記消費情報送信手段から受信したオフライン消費情報から特定される前記オフライン消費額分減算された残額に更新する。
【０７３１】
具体的には、図２３のＳ５３５、図２４のＳ９４６、図２５のＳ９５６及び図２６のＳ９６６で説明したように、メダルサンド２０の制御部２１によって、オフライン状態において記憶残額から貸与処理に使用された額であるオフライン消費額を特定可能なオフライン消費情報が特定される。図２４のＳ９４７、図２５のＳ９５７及び図２６のＳ９６７で説明したように、メダルサンド２０の制御部２１によって、特定されたオフライン消費情報が記録媒体に記録される。
【０７３２】
図１６のＳ２０２及び図２９のＳ６０６で説明したように、メダルサンド２０の制御部２１によって、オンライン状態が検知されているときにオフライン消費情報が記録された記録媒体が受け付けられたことに基づいて、該記録媒体の記録媒体ＩＤとオフライン消費情報とが管理装置５０に送信される。図１６のＳ２０２，Ｓ２１４〜Ｓ２１９及び図１７のＳ２４７で説明したように、管理装置５０の通信部５１及び制御部５２によって、メダルサンド２０から受信した記録媒体ＩＤに対応付けて管理している管理残額が、メダルサンド２０から受信したオフライン消費情報から特定されるオフライン消費額分減算された残額に更新される。
【０７３３】
このように、記録媒体が通信可能状態の遊技用装置に受け付けられることで、通信不可能状態で貸与処理に使用された額を管理残額から減算更新し、管理残額を補正することができる。
【０７３４】
（２０）  また、本発明は、次のような構成を含むようにしても良い。つまり、前記遊技用装置は、さらに、貨幣を受け付けて該貨幣の金額を識別する貨幣受付識別手段を備え、前記貸与処理手段は、前記通信可否検知手段によって前記通信不可能状態が検知され、かつ前記貨幣受付識別手段により貨幣が受け付けられたときに、前記残額記憶手段に記憶された残額が、前記貨幣受付識別手段によって識別された受付貨幣額に対応する対応間接税額未満であることを条件として、前記受付貨幣額から、前記貸与処理に供するときの予め定められた一単位である単位使用額と該単位使用額に対応する間接税額との合算額である税込単位額の整数倍の貸与対象額と、前記税込単位額未満の端数額とを特定し、特定した前記貸与対象額の範囲内で前記貸与処理を行う一方、前記残額記憶手段に記憶された残額が前記対応間接税額以上であることを条件として、前記残額記憶手段に記憶された残額と前記受付貨幣額とから、前記貸与対象額を特定し、特定した前記貸与対象額の範囲内で前記貸与処理を行う。
【０７３５】
具体的には、図１４のＳ１０１及び図２２のＳ５１０で説明したように、メダルサンド２０の紙幣識別機２２、硬貨識別機２３及び制御部２１によって、貨幣が受け付けられて貨幣の金額が識別される。図２２のＳ５１０，Ｓ５１５，Ｓ５１６，Ｓ５２０，Ｓ５２２で説明したように、メダルサンド２０の制御部２１によって、オフライン状態が検知され、かつ貨幣が受け付けられたときに、記憶残額が、識別された受付貨幣額に対応する対応間接税額未満であることを条件として、受付貨幣額から、貸与処理に供するときの予め定められた一単位である単位使用額と該単位使用額に対応する消費税額との合算額である税込単位額の整数倍の貸与対象額と、税込単位額未満の端数額とが特定され、特定された貸与対象額の範囲内で貸与処理が行われる一方、記憶残額が対応間接税額以上であることを条件として、記憶残額と受付貨幣額とから、貸与対象額が特定され、特定された貸与対象額の範囲内で貸与処理が行われる。
【０７３６】
このように、貸与処理に使用できない端数額が生じる機会を減少させることができるので、遊技者の利便性をさらに向上させることができる。
【０７３７】
（２１）  また、本発明は、次のような構成を含むようにしても良い。つまり前記貸与処理手段は、前記端数額の特定を行った後に、前記貨幣受付識別手段により貨幣が受け付けられたときに、前記端数額と前記残額記憶手段に記憶された残額との合算額が前記対応間接税額以上であることを条件として、前記残額記憶手段に記憶された残額と前記端数額と前記受付貨幣額とから、前記貸与対象額を特定する。
【０７３８】
具体的には、図２２のＳ５１０，Ｓ５１５，Ｓ５１６で説明したように、メダルサンド２０の制御部２１によって、端数額の特定が行われた後に、貨幣が受け付けられたときに、端数額と記憶残額との合算額が対応消費税額以上であることを条件として、記憶残額と端数額と受付貨幣額とから、貸与対象額が特定される。
【０７３９】
このように、貸与処理に使用できない端数額が生じる機会がさらに減少するので、遊技者の利便性をさらに向上させることができる。
【０７４０】
（２２）  また、本発明は、次のような構成を含むようにしても良い。つまり、前記遊技用装置は、さらに、前記通信不可能状態において前記残額記憶手段に記憶された残額から前記貸与処理に使用された額であるオフライン消費額を特定可能なオフライン消費情報を特定する消費情報特定手段と、該消費情報特定手段によって特定されたオフライン消費情報を前記記録媒体に記録する消費情報記録手段と、前記残額記憶手段に記憶された残額が０であることを条件として、前記消費情報記録手段によって前記オフライン消費情報が記録された前記記録媒体を回収する記録媒体回収手段とを備え、前記遊技用システムは、さらに、前記遊技媒体を発行する発行手段を備え、該発行手段は、前記記録媒体回収手段によって回収された記録媒体に記録された前記記録媒体識別情報及び前記オフライン消費情報を、前記管理装置に送信するオフライン消費情報送信手段と、該オフライン消費情報送信手段による前記オフライン消費情報の送信を条件として、前記記録媒体に記録された前記オフライン消費情報を消去するオフライン消費情報消去手段とを含み、該オフライン消費情報消去手段によって前記オフライン消費情報が消去された前記記録媒体を発行し、前記管理装置は、前記オフライン消費情報送信手段から受信した前記記録媒体識別情報に対応付けて管理している前記管理残額を、前記オフライン消費情報から特定される前記オフライン消費額分減算された額に更新する。
【０７４１】
具体的には、図２３のＳ５３５、図２４のＳ９４６、図２５のＳ９５６及び図２６のＳ９６６で説明したように、メダルサンド２０の制御部２１によって、オフライン状態において記憶残額から貸与処理に使用された額であるオフライン消費額を特定可能なオフライン消費情報が特定される。図２４のＳ９４７、図２５のＳ９５７及び図２６のＳ９６７で説明したように、メダルサンド２０の制御部２１によって、特定されたオフライン消費情報が記録媒体に記録される。図２２のＳ５２７，Ｓ５２９及び図２３のＳ５９４，Ｓ５９６で説明したように、メダルサンド２０の通路ユニット１００及び制御部２１によって、記憶残額が０であることを条件として、オフライン消費情報が記録された記録媒体であるビジタコイン５が回収される。
【０７４２】
図１９のＳ１９３で説明したように、メダルサンド２０の外部通信部２１ｂ及び制御部２１によって、回収されたビジタコイン５に記録された記録媒体ＩＤ及びオフライン消費情報が、管理装置５０に送信される。図２０のＳ２４３で説明したように、メダルサンド２０の制御部２１によって、オフライン消費情報の送信を条件として、記録媒体に記録されたオフライン消費情報が消去される。図１９のＳ１９１及び図２４のＳ５５２で説明したように、メダルサンド２０の通路ユニット１００及び制御部２１によって、オフライン消費情報が消去されたビジタコイン５が発行される。図２０のＳ２４７で説明したように、管理装置５０の制御部５２によって、メダルサンド２０から受信した記録媒体ＩＤに対応付けて管理している管理残額が、オフライン消費情報から特定されるオフライン消費額分減算された額に更新される。
【０７４３】
このように、記憶残額が０になったときに、店員や遊技者の手間を要することなく、当該記録媒体の次回発行までに管理残額を確実に補正することができる。
【０７４４】
（２３）  また、本発明は、次のような構成を含むようにしても良い。つまり、前記記録媒体回収手段は、さらに、前記通信可否検知手段によって前記通信可能状態が検知されているときに、前記管理残額が０の記録媒体を回収し、前記発行手段は、さらに、前記記録媒体回収手段によって回収された記録媒体に前記オフライン消費情報が記録されているか否かを判定するオフライン消費情報判定手段を備え、前記オフライン消費情報送信手段は、該オフライン消費情報判定手段によって前記オフライン消費情報が記録されていると判定されたことを条件として、前記記録媒体識別情報及び前記オフライン消費情報を送信する。
【０７４５】
具体的には、図１５のＳ１３１，Ｓ１３２，Ｓ１３４，Ｓ１３６で説明したように、メダルサンド２０の通路ユニット１００及び制御部２１によって、オンライン状態が検知されているときに、管理残額が０のビジタコイン５が回収される。図１９のＳ１９２ａで説明したように、メダルサンド２０の制御部２１によって、回収されたビジタコイン５にオフライン消費情報が記録されているか否かが判定される。図１９のＳ１９３で説明したように、メダルサンド２０の外部通信部２１ｂ及び制御部２１によって、オフライン消費情報が記録されていると判定されたことを条件として、記録媒体ＩＤ及びオフライン消費情報が送信される。
【０７４６】
このように、オフライン消費情報が記録されているときのみ、管理装置に情報が送信されるので、遊技用装置と管理装置との間における無駄な通信処理を防止することができる。
【０７４７】
（２４）  また、本発明は、次のような構成を含むようにしても良い。つまり前記発行手段は、前記記録媒体の発行に応じて、前記記録媒体の記録情報を読出す読取部に次の記録媒体を供給し、前記次の記録媒体が前記読取部に供給されたときに、供給された該記録媒体に記録された前記記録媒体識別情報及び前記オフライン消費情報を読出し前記オフライン消費情報送信手段により送信する。
【０７４８】
具体的には、図１９のＳ１９２で説明したように、メダルサンド２０の制御部２１によって、ビジタコイン５の発行に応じて、ビジタコイン５の記録情報を読出す記録媒体Ｒ／Ｗ１０２に次のビジタコイン５が供給される。図１９のＳ１９３で説明したように、メダルサンド２０の外部通信部２１ｂ及び制御部２１によって、次のビジタコイン５が記録媒体Ｒ／Ｗ１０２に供給されたときに、供給された該ビジタコイン５に記録された記録媒体ＩＤ及びオフライン消費情報が読出され送信される。
【０７４９】
このように、記録媒体の発行時にオフライン消費情報を送信し管理残額を更新する場合と比較して、迅速に記録媒体を発行することができる。
【０７５０】
（２５）  また、本発明は、次のような構成を含むようにしても良い。つまり、前記管理装置及び前記遊技用装置は、前記通信不可能状態において前記残額記憶手段に記憶された残額を使用して貸与処理が行われた回数であるオフライン貸与回数、又は、前記オフライン消費額に関する基準値を記憶し、前記消費情報記録手段は、前記オフライン貸与回数又は前記オフライン消費額を、前記基準値から減算した数値を前記オフライン消費情報として記録し、前記管理装置は、前記消費情報送信手段から受信した前記オフライン消費情報を前記基準値から減算した減算値に基づいて前記オフライン消費額を特定し、前記管理残額を更新する。
【０７５１】
具体的には、図１３（ａ）の設定値ＤＢ及び図３７から図４０で説明したように、管理装置５０及びメダルサンド２０によって、オフライン状態において記憶残額を使用して貸与処理が行われた回数であるオフライン消費回数に関するオフライン時基準回数又はオフライン消費額に関するオフライン時基準金額が記憶される。図２４のＳ９４６，Ｓ９４７、図２５のＳ９５６，Ｓ９５７及び図２６のＳ９６６，Ｓ９６７で説明したように、メダルサンド２０の制御部２１によって、オフライン貸与回数又はオフライン消費額を、オフライン時基準回数又はオフライン時基準金額から減算した数値がオフライン消費情報として記録される。図１６のＳ２１４〜Ｓ２１９及び図１７のＳ２４７で説明したように、管理装置５０の制御部５２によって、メダルサンド２０から受信したオフライン消費情報をオフライン時基準回数又はオフライン時基準金額から減算した減算値に基づいてオフライン消費額が特定され、管理残額が更新される。
【０７５２】
このように、オフライン消費額を直接記録媒体に記録するのではなくて、基準値を用いて算出したオフライン消費情報が記録媒体に記録されるので、オフライン消費情報を０に書替えたとしても、オフライン消費額を０とすることができない。その結果、通信不可能状態において残額を使用しているにも拘わらず、オフライン消費額が０となるようにオフライン消費情報を書替えるような不正を行い難くすることができる。
【０７５３】
（２６）  また、本発明は、次のような構成を含むようにしても良い。つまり、前記基準値は、前記遊技用装置ごとに異なる値とされ、前記管理装置は、前記遊技用装置を個々に識別するための遊技用装置識別情報に対応付けて前記基準値を記憶し前記消費情報送信手段から受信した前記記録媒体識別情報の記録媒体を排出した遊技用装置の遊技用装置識別情報に対応付けて記憶された前記基準値に基づいてオフライン消費額を特定する。
【０７５４】
具体的には、図１３（ａ）の設置値ＤＢ、図３７及び図３８で説明したように、オフライン時基準金額及びオフライン時基準回数は、メダルサンド２０ごとに異なる値とされ、管理装置５０によって、メダルサンド２０を個々に識別するための装置ＩＤに対応付けてオフライン時基準金額又はオフライン時基準回数が記憶される。図１６のＳ２１４〜Ｓ２１９で説明したように、管理装置５０の制御部５２によって、メダルサンド２０から受信された記録媒体ＩＤの記録媒体を排出したメダルサンド２０の装置ＩＤに対応付けて記憶されたオフライン時基準金額又はオフライン時基準回数に基づいてオフライン消費額が特定される。
【０７５５】
このように、オフライン消費額を直接記録媒体に記録するのではなくて、基準値を用いて算出したオフライン消費情報が記録媒体に記録されるので、オフライン消費情報を０に書替えたとしても、オフライン消費額を０とすることができない。また、基準値は、遊技用装置ごとに異なるので、容易に知ることができない。その結果、通信不可能状態において残額を使用しているにも拘わらず、オフライン消費額が０となるようにオフライン消費情報を書替えるような不正をさらに行い難くすることができる。
【０７５６】
（２７）  また、本発明は、次のような構成を含むようにしても良い。つまり、管理装置及び遊技用装置は、各時刻に応じて異なる基準値を記憶し、前記消費情報記録手段は、時刻を特定可能な時刻特定情報と、当該時刻に応じた基準値に基づいた前記オフライン消費情報とを記録し、前記消費情報送信手段は、前記記録媒体に記録された前記時刻特定情報をさらに送信し、前記管理装置は、前記消費情報送信手段から受信した前記時刻特定情報から特定される時刻に応じた前記基準値に基づいてオフライン消費額を特定する。
【０７５７】
具体的には、図４０で説明したように、管理装置５０及びメダルサンド２０によって、各時刻に応じて異なるオフライン時基準金額が記憶される。オフライン状態のメダルサンド２０の記録媒体Ｒ／Ｗ１０２及び制御部２１によって、オフラインが発生した時刻を特定可能なオフライン発生時刻と、当該時刻に応じたオフライン時基準金額に基づいたオフライン消費情報とが記録媒体に記録される。オンライン状態のメダルサンド２０の外部通信部２１ｂ及び制御部２１によって、オフライン消費情報に加えて、記録媒体に記録されたオフライン発生時刻が管理装置５０にさらに送信される。管理装置５０の制御部５２によって、メダルサンド２０から受信したオフライン発生時刻から特定される時刻に応じたオフライン時基準金額に基づいてオフライン消費額が特定される。
【０７５８】
このように、オフライン消費額を直接記録媒体に記録するのではなくて、基準値を用いて算出したオフライン消費情報が記録媒体に記録されるので、オフライン消費情報を０に書替えたとしても、オフライン消費額を０とすることができない。また、基準値は、時刻に応じて異なるので、容易に知ることができない。その結果、通信不可能状態において残額を使用しているにも拘わらず、オフライン消費額が０となるようにオフライン消費情報を書替えるような不正をさらに行い難くすることができる。
【０７５９】
（２８）  また、本発明は、次のような構成を含むようにしても良い。つまり、前記管理装置及び前記遊技用装置は、各時刻に応じて異なる基準値を記憶し、前記消費情報記録手段は、前記通信可否検知手段によって前記通信不可能状態であると検知された時刻に応じた基準値に基づいた前記オフライン消費情報を記録し、前記管理装置は、さらに、前記遊技用装置と通信できない状態を検知する通信不能検知手段と、該通信不能検知手段によって通信できない状態であることが検知された時刻と通信できない状態である遊技用装置の遊技用装置識別情報とを対応させて記憶する通信不能装置記憶手段とを備え、前記管理装置は、前記消費情報送信手段から受信した前記記録媒体識別情報の記録媒体を排出した遊技用装置の遊技用装置識別情報と対応して前記通信不能装置記憶手段に記憶された時刻を特定し、特定した該時刻に応じた前記基準値に基づいてオフライン消費額を特定する。
【０７６０】
具体的には、図３９で説明したように、管理装置５０及びメダルサンド２０によって、各時刻に応じて異なるオフライン時基準金額が記憶される。メダルサンドの制御部２１によって、オフライン状態であると検知された時刻に応じたオフライン時基準金額に基づいたオフライン消費情報が記録媒体に記録される。管理装置５０の制御部５２によって、メダルサンド２０と通信できない状態が検知され、通信できない状態であることが検知されたオフライン発生時刻と通信できない状態であるメダルサンド２０の装置ＩＤとが対応されて記憶される。管理装置５０の制御部５２によって、メダルサンド２０から受信した記録媒体ＩＤの記録媒体を排出したメダルサンド２０の装置ＩＤと対応して記憶されたオフライン発生時刻が特定され、特定された該時刻に応じたオフライン時基準金額に基づいてオフライン消費額が特定される。
【０７６１】
このように、オフライン消費額を直接記録媒体に記録するのではなくて、基準値を用いて算出したオフライン消費情報が記録媒体に記録されるので、オフライン消費情報を０に書替えたとしても、オフライン消費額を０とすることができない。また、基準値は、遊技用装置と管理装置とが通信不可能状態であると検知されたオフライン発生時刻に応じて異なるので、容易に知ることができない。その結果、通信不可能状態において残額を使用しているにも拘わらず、オフライン消費額が０となるようにオフライン消費情報を書替えるような不正をさらに行い難くすることができる。
【０７６２】
（２９）  従来、管理装置においてカードＩＤに対応付けて残額を管理し、当該管理残額を使用して精算装置にて精算を行うシステムがあった（例えば、文献Ａ（第００２７段落、第００３５段落、第００８２段落））。このようなシステムによれば、カードに記録された情報を改ざんすることによって残額を増加させるような不正行為を防止することができる。
【０７６３】
しかし、文献Ａに開示されたシステムのように、管理装置に記憶された残額を使用して精算を行うシステムにおいては、管理装置と精算装置とが通信できないオフライン状態になると、管理残額の精算ができなくなり、遊技者にとって不便であるといった問題があった。
【０７６４】
しかし、本発明は、次のような構成を含む。つまり、記録媒体を個々に識別するための記録媒体識別情報に対応付けて遊技媒体の貸与に使用される残額を管理する管理装置と、記録媒体の記録媒体識別情報に対応付けて前記管理装置にて管理されている残額である管理残額を用いて前記遊技媒体を貸与するための貸与処理を行う貸与処理手段を有し遊技機に対応して設けられる遊技用装置と、前記記録媒体の記録媒体識別情報に対応する前記管理残額の精算を行う精算装置とを備える遊技用システムであって、前記遊技用装置は、さらに、前記記録媒体の記録媒体識別情報に対応する管理残額を特定可能な管理残額特定情報を該記録媒体に記録する管理残額特定情報記録手段と、前記記録媒体を排出する記録媒体排出手段とを備え、前記精算装置は、さらに、前記管理装置と通信できる通信可能状態であるか通信できない通信不可能状態であるかを検知する精算装置通信可否検知手段と、該精算装置通信可否検知手段によって前記通信可能状態が検知されているときは、前記記録媒体の記録媒体識別情報に対応付けて前記管理装置にて管理されている前記管理残額に基づいて、精算を行うオンライン精算処理を行う一方、前記精算装置通信可否検知手段によって前記通信不可能状態が検知されているときは、前記記録媒体に記録されている前記管理残額特定情報から前記管理残額を特定し、特定した該管理残額の精算を行うオフライン精算処理を行う精算手段とを備える。このように構成しているため、遊技者の利便性を向上させることが可能である。
【０７６５】
具体的には、図１で説明したように、遊技用システム１は、管理装置５０とメダルサンド２０と精算装置６０とを備える。図１３（ａ）で説明したように、管理装置５０は、記録媒体（例えば、会員カード４，ビジタコイン５）を個々に識別するための記録媒体ＩＤに対応付けてメダルの貸与に使用される残額を管理する。図１５、図２２及び図２３で説明したように、メダルサンド２０は、パチスロ機１０に対応して設けられる。図１５のＳ１２１〜Ｓ１３０で説明したように、メダルサンド２０の制御部２１によって、記録媒体の記録媒体ＩＤに対応付けて管理装置５０にて管理されている残額である管理残額を用いてメダルを貸与するための貸与処理が行われる。図３１から図３６までで説明したように、精算装置６０は、記録媒体の記録媒体ＩＤに対応する管理残額の精算を行う。
【０７６６】
図２４のＳ９４１〜Ｓ９４３、図２５のＳ９５１〜Ｓ９５３及び図２６のＳ９６１〜Ｓ９６３で説明したように、メダルサンド２０の制御部２１によって、記録媒体の記録媒体ＩＤに対応する管理残額を特定可能な元データ及び演算方式特定情報が該記録媒体に記録される。図２４のＳ５５２、図２５のＳ５７１及び図２６のＳ５８６で説明したように、メダルサンド２０の通路ユニット１００及び制御部２１によって、記録媒体が排出される。
【０７６７】
図３４のＳ８００で説明したように、精算装置６０の制御部６２によって、管理装置５０と通信できるオンライン状態であるか通信できないオフライン状態であるかが検知される。図３２のＳ２２１ａ，Ｓ２４１ａ及び図３３のＳ７８１で説明したように、精算装置６０の制御部６２によって、オンライン状態が検知されているときは、記録媒体の記録媒体ＩＤに対応付けて管理装置にて管理されている管理残額に基づいて精算を行うオンライン精算処理が行われる。一方、図３５のＳ９０５，Ｓ９０６，Ｓ９１４で説明したように、精算装置６０の制御部６２によって、オフライン状態が検知されているときは、記録媒体に記録されている元データ及び演算方式特定情報から管理残額が特定され、特定された該管理残額の精算を行うオフライン精算処理が行われる。
【０７６８】
このように、通信不可能状態においても、管理残額を精算することができるため、遊技者の利便性を向上させることができる。
【０７６９】
（３０）  また、本発明は、次のような構成を含むようにしても良い。つまり、前記精算装置は、さらに、前記オフライン精算処理で精算されたオフライン精算額を特定可能なオフライン精算情報を、該オフライン精算処理に供された記録媒体に記録するオフライン精算情報記録手段と、該オフライン精算情報記録手段によって前記オフライン精算情報が記録された前記記録媒体を排出する精算装置記録媒体排出手段とを備え、前記取引装置は、さらに、受け付けた記録媒体に記録された前記記録媒体識別情報及び前記オフライン精算情報を、前記管理装置に送信するオフライン精算情報送信手段を備え、前記管理装置は、前記オフライン精算情報送信手段から受信した前記記録媒体識別情報に対応付けて管理している前記管理残額を、前記オフライン精算情報送信手段から受信した前記オフライン精算情報で特定される前記オフライン精算額分減算された額に更新する管理残額更新手段を備える。
【０７７０】
具体的には、図３５のＳ９１６ａで説明したように、精算装置６０の制御部６２によって、オフライン精算処理で精算されたオフライン精算額を特定可能なオフライン精算情報が、該オフライン精算処理に供された記録媒体に記録される。図３５のＳ９１７ａで説明したように、精算装置６０の制御部６２によって、オフライン精算情報が記録された記録媒体が排出される。
【０７７１】
図１６のＳ２０２で説明したように、メダルサンド２０の制御部２１によって、受け付けられた記録媒体に記録された記録媒体ＩＤ及びオフライン精算情報が管理装置５０に送信される。図１７のＳ２４７ａで説明したように、管理装置５０の制御部５２によって、メダルサンド２０から受信した記録媒体ＩＤに対応付けて管理されている管理残額が、メダルサンド２０から受信したオフライン精算情報で特定されるオフライン精算額分減算された額に更新される。
【０７７２】
このように、精算後に記録媒体を排出する必要がある場合にも、当該排出された記録媒体が通信可能状態にある遊技用装置で受け付けられることにより、管理残額がオフライン精算額分減算された額に更新されるので、精算装置が通信可能状態に復帰するのを待つことなく当該記録媒体を使用可能とすることができる。
【０７７３】
（３１）  また、本発明は、次のような構成を含むようにしても良い。つまり、前記精算装置は、さらに、前記オフライン精算処理で精算されたオフライン精算額を特定可能なオフライン精算情報を、該オフライン精算処理に供された記録媒体に記録するオフライン精算情報記録手段と、該オフライン精算情報記録手段によって前記オフライン精算情報が記録された前記記録媒体を回収する記録媒体回収手段とを備え、前記遊技用システムは、さらに、前記記録媒体を発行する発行手段を備え、該発行手段は、前記記録媒体回収手段によって回収された記録媒体に記録された前記記録媒体識別情報及び前記オフライン精算情報を、前記管理装置に送信するオフライン精算情報送信手段と、該オフライン精算情報送信手段による前記オフライン精算情報の送信を条件として、前記記録媒体に記録された前記オフライン精算情報を消去するオフライン精算情報消去手段とを備え、該オフライン精算情報消去手段によって前記オフライン精算情報が消去された前記記録媒体を発行し、前記管理装置は、前記オフライン精算情報送信手段から受信した前記記録媒体識別情報に対応付けて管理している前記管理残額を、前記オフライン精算情報送信手段から受信した前記オフライン精算情報で特定される前記オフライン精算額分減算された額に更新する管理残額更新手段を備える。
【０７７４】
具体的には、図３５のＳ９１６ａで説明したように、精算装置６０の制御部６２によって、オフライン精算処理で精算されたオフライン精算額を特定可能なオフライン精算情報が、該オフライン精算処理に供された記録媒体に記録される。図３５のＳ９１８で説明したように、精算装置６０の通路ユニット１００及び制御部６２によって、オフライン精算情報が記録された記録媒体が回収される。
【０７７５】
図１９のＳ１９３で説明したように、メダルサンド２０の外部通信部２１ｂ及び制御部２１によって、回収された記録媒体に記録された記録媒体ＩＤ及びオフライン精算情報が管理装置５０に送信される。図２０のＳ２４３ａで説明したように、メダルサンド２０の制御部２１によって、オフライン精算情報の送信を条件として、記録媒体に記録されたオフライン精算情報が消去される。図１９のＳ１９１及び図２４のＳ５５２で説明したように、メダルサンド２０の制御部２１によって、オフライン精算情報が消去された記録媒体が発行される。図２０のＳ２４７ａで説明したように、管理装置５０の制御部５２によって、メダルサンド２０から受信した記録媒体ＩＤに対応付けて管理されている管理残額が、メダルサンド２０から受信したオフライン精算情報で特定されるオフライン精算額分減算された額に更新される。
【０７７６】
このように、精算後に記録媒体が回収される場合にも、当該回収された記録媒体が発行される前に、管理残額がオフライン精算額分減算された額に更新されるので、精算装置が通信可能状態に復帰するのを待つことなく当該記録媒体を使用可能とすることができる。
【０７７７】
（３２）  また、本発明は、次のような構成を含むようにしても良い。つまり、前記精算装置は、さらに、前記オフライン精算処理を許容するためのオフライン精算許容操作を係員から受け付ける許容操作受付手段を備え、前記精算手段は、前記精算装置通信可否検知手段によって前記通信不可能状態が検知されているときは、前記許容操作受付手段によって前記オフライン精算許容操作が受け付けられたことを条件として、前記オフライン精算処理を行う。
【０７７８】
具体的には、図３４のＳ８７３で説明したように、精算装置６０の制御部６２によって、オフライン精算処理を許容するためのオフライン移行操作が係員から受け付けられる。図３４のＳ８７４で説明したように、精算装置６０の制御部６２によって、オフライン状態が検知されているときは、オフライン移行操作が受け付けられたことを条件として、オフライン精算処理が行われる。
【０７７９】
このように、係員が状況を確認した上でオフライン精算処理を許容することができるので、故意に通信不可能状態を発生させて不正な記録媒体による精算が行われるおそれを低減させることができる。
【０７８０】
（３３）  また、本発明は、次のような構成を含むようにしても良い。つまり、前記精算装置は、さらに、前記オフライン精算処理に供された精算済の記録媒体の記録媒体識別情報である精算済記録媒体識別情報を記憶する精算済情報記憶手段と、前記通信可否検知手段によって前記通信不可能状態が検知されているときに、受け付けた記録媒体の前記記録媒体識別情報が、前記精算済情報記憶手段に記憶されている前記精算済記録媒体識別情報と一致するか否かを判定する記録媒体判定手段とを備え、前記精算手段は、該記録媒体判定手段によって一致しないと判定されたことを条件として前記オフライン精算処理を行う。
【０７８１】
具体的には、図１３（ｂ）の精算ＤＢで説明したように、精算装置６０の制御部６２によって、オフライン精算処理に供された精算済の記録媒体の記録媒体ＩＤが記憶される。図３５のＳ９０２で説明したように、精算装置６０の制御部６２によって、オフライン状態が検知されているときに、受け付けた記録媒体の記録媒体ＩＤが、精算ＤＢに記憶されている記録媒体ＩＤと一致するか否かが判定され、一致しないと判定されたことを条件としてオフライン精算処理が行われる。
【０７８２】
このように、受け付けられた記録媒体がオフライン精算処理済の記録媒体でない場合は、オフライン精算処理を行うようにすることができる。その結果、不正のおそれのある記録媒体によるオフライン精算処理を防止することができる。
【０７８３】
（３４）  また、本発明は、次のような構成を含むようにしても良い。つまり、前記精算装置は、さらに、前記オフライン精算処理を許容する時間帯であるオフライン精算許容時間帯の設定入力を受け付ける精算許容時間帯受付手段を備え、前記精算手段は、現在の時刻が前記精算許容時間帯受付手段によって受け付けられた前記オフライン精算許容時間帯に含まれることを条件として前記オフライン精算処理を行う。
【０７８４】
具体的には、精算装置６０の通信部６１及び制御部６２によって、オフライン精算処理を許容する時間帯である精算可能時間の設定入力が受け付けられる。図３５のＳ９０４で説明したように、現在の時刻が精算可能時間に含まれることを条件としてオフライン精算処理が行われる。
【０７８５】
このように、オフライン精算処理が行われる時間帯を本来精算が行われるべき時間帯である営業時間中などに限定することができる。その結果、不正の行われる可能性を低減させることができる。
【０７８６】
（３５）  また、本発明は、次のような構成を含むようにしても良い。つまり、前記精算装置は、さらに、前記オフライン精算処理に供された記録媒体の記録媒体識別情報と精算額とを対応付けて記憶する精算額記憶手段と、前記通信可否検知手段によって前記通信不可能状態が検知されている状態から前記通信可能状態への復帰が検知されたことに基づいて、前記精算額記憶手段に記憶されている前記記録媒体識別情報と前記精算額とを前記管理装置に送信する精算額送信手段とを備え、前記管理装置は、前記精算額送信手段から受信した前記記録媒体識別情報に対応して前記管理装置にて管理されている前記管理残額と前記精算額送信手段から受信した前記精算額とが一致するか否かを判定する精算額判定手段と、該精算額判定手段によって一致しないと判定されたことを条件として、前記管理残額と前記精算額とが一致しない旨を報知する不一致報知手段とを備える。
【０７８７】
具体的には、図３５のＳ９１５で説明したように、精算装置６０の制御部６２によって、オフライン精算処理に供された記録媒体の記録媒体ＩＤと精算管理残額とが対応付けて精算ＤＢに記憶される。図３６のＳ９３４で説明したように、精算装置６０の通信部６１及び制御部６２によって、オフライン状態が検知されている状態からオンライン状態への復帰が検知されたことに基づいて、精算ＤＢに記憶されている記録媒体ＩＤと精算管理残額とが管理装置５０に送信される。図３６のＳ９３６で説明したように、管理装置５０の制御部５２によって、精算装置６０から受信された記録媒体ＩＤに対応して管理装置５０にて管理されている管理残額と、精算装置６０から受信した精算管理残額とが一致するか否かが判定される。図３６のＳ９３７で説明したように、管理装置５０の制御部５２によって、一致しないと判定されたことを条件として、管理残額と精算管理残額とが一致しない旨がセンタ管理装置に送信されることによって報知される。
【０７８８】
このように、オフライン精算処理において不正が行われた場合に、通信可能状態への復帰後迅速にその事実を把握して対処することができる。
【０７８９】
（３６）  また、本発明は、次のような構成を含むようにしても良い。つまり、前記管理残額特定情報記録手段は、演算方式を特定可能な情報と当該演算方式による演算により前記管理残額を算出するための元データとを、前記管理残額特定情報として記録し、前記精算手段は、前記管理残額特定情報から前記演算方式と前記元データとを特定すると共に、特定した該演算方式により、特定した該元データを演算して、前記管理残額を特定する。
【０７９０】
具体的には、図２４のＳ９４１〜Ｓ９４３、図２５のＳ９５１〜Ｓ９５３及び図２６のＳ９６１〜Ｓ９６３で説明したように、メダルサンド２０の制御部２１によって、演算方式を特定可能な演算方式特定情報と当該演算方式による演算により管理残額を算出するための元データとが管理残額特定情報として記録される。図３５のＳ９０５，Ｓ９０６で説明したように、管理残額特定情報から演算方式と元データとが特定されると共に、特定された該演算方式により、特定された該元データが演算されて、管理残額が算出される。
【０７９１】
このように、管理残額がそのまま記録媒体に記録される場合と比較して、記録媒体のデータを書替えて、管理残額を改ざんするような不正を行い難くすることができる。
【０７９２】
（３７）  従来、管理装置においてカードＩＤに対応付けて残額を管理し、当該管理残額を使用して精算装置にて精算を行うシステムがあった（特開２００３−３０５１５号公報）（第００２７段落、第００３５段落、第００８２段落）。このようなシステムによれば、カードに記録された情報を改ざんすることによって残額を増加させるような不正行為を防止することができる。
【０７９３】
しかし、特開２００３−３０５１５号公報に開示されたシステムのように、管理装置に記憶された残額を使用して精算を行うシステムにおいては、管理装置と精算装置とが通信できないオフライン状態になると、管理残額の精算ができなくなり、遊技者にとって不便であるといった問題があった。
【０７９４】
しかし、本発明は、次のような構成を含む。つまり、記録媒体（例えば、会員カード４，ビジタコイン５）を個々に識別可能な記録媒体識別情報（例えば、記録媒体ＩＤ）に対応付けて遊技媒体（例えば、メダル）の貸与に使用される残額を（例えば、ハードディスク５５の残額管理ＤＢにて）管理する管理装置（例えば、管理装置５０）と、前記記録媒体の記録媒体識別情報に対応付けて前記管理装置にて管理されている残額である管理残額（例えば、管理残額）を用いて前記遊技媒体を貸与するための第１の貸与処理を行う貸与処理手段を（例えば、制御部２１、Ｓ１２１〜Ｓ１３０）有し遊技機（例えば、パチスロ機１０）に対応して設けられる遊技用装置（例えば、メダルサンド２０）と、前記記録媒体の記録媒体識別情報に対応する前記管理残額の精算を行う精算装置（例えば、精算装置６０）とを備える遊技用システム（例えば、遊技用システム１）であって、前記遊技用装置は、さらに、貨幣（例えば、紙幣２，硬貨３）を受付けて該貨幣の金額を識別する貨幣受付識別手段（例えば、紙幣識別機２２、硬貨識別機２３、制御部２１、Ｓ１０１，Ｓ５１０）と、前記記録媒体の記録媒体識別情報に対応する管理残額を特定可能な管理残額特定情報（例えば、元データ及び演算方式特定情報）を該記録媒体に記録する管理残額特定情報記録手段（例えば、制御部２１、Ｓ９４１〜Ｓ９４３、Ｓ９５１〜Ｓ９５３、Ｓ９６１〜Ｓ９６３）と、前記管理装置と通信できる通信可能状態（例えば、オンライン状態）であるか通信できない通信不可能状態（例えば、オフライン状態）であるかを検知する遊技用装置通信可否検知手段（例えば、制御部２１、Ｓ３００，Ｓ６０２）とを備え、該遊技用装置通信可否検知手段により通信不可能状態を検知しているときに前記貨幣受付識別手段により貨幣を受付けたことに基づいて、前記貨幣受付識別手段によって識別された受付貨幣額を用いて遊技媒体を貸与するための第２の貸与処理を前記貸与処理手段により行い（例えば、制御部２１、Ｓ５２２）、前記遊技用装置は、さらに、前記受付貨幣額のうち前記第２の貸与処理に未使用の入金残額を前記記録媒体に記録する入金残額記録手段（例えば、記録媒体Ｒ／Ｗ１０２、制御部２１、Ｓ５５０，Ｓ５６９，Ｓ５８４）と、前記記録媒体を排出する記録媒体排出手段（例えば、通路ユニット１００、制御部２１、Ｓ５５２、Ｓ５７１、Ｓ５８６）とを備え、前記精算装置は、さらに、前記管理装置と通信できる通信可能状態（例えば、オンライン状態）であるか通信できない通信不可能状態（例えば、オフライン状態）であるかを検知する精算装置通信可否検知手段（例えば、制御部６２、Ｓ８００）と、該精算装置通信可否検知手段によって前記通信可能状態が検知されているときは、前記記録媒体に記録されている前記入金残額の精算を行うと共に、該記録媒体の記録媒体識別情報に対応付けて前記管理装置にて管理されている前記管理残額に基づいて精算を行うオンライン精算処理を行う（例えば、Ｓ２４１ａで管理装置５０から送信された精算許諾情報に含まれる管理残額及びオフライン端数額分の貨幣をステップＳ７８１で払出す）一方、前記精算装置通信可否検知手段によって前記通信不可能状態が検知されているときは、前記記録媒体に記録されている前記入金残額の精算を行うと共に、該記録媒体に記録されている前記管理残額特定情報から前記管理残額を特定し（例えば、制御部６２、Ｓ９０５，Ｓ９０６）、特定した該管理残額の精算を行うオフライン精算処理を行う精算手段（例えば、制御部６２、Ｓ９１４）とを備える。
【０７９５】
このような構成によれば、遊技用装置によって、貨幣が受付けられて貨幣の金額が識別され、記録媒体の記録媒体識別情報に対応する管理残額を特定可能な管理残額特定情報が該記録媒体に記録され、管理装置と通信できる通信可能状態であるか通信できない通信不可能状態であるかが検知され、通信不可能状態が検知されているときに貨幣が受付けられたことに基づいて、識別された受付貨幣額を用いて遊技媒体を貸与するための第２の貸与処理が行われ、受付貨幣額のうち第２の貸与処理に未使用の入金残額が記録媒体に記録され、記録媒体が排出される。
【０７９６】
また、精算装置によって、管理装置と通信できる通信可能状態であるか通信できない通信不可能状態であるかが検知され、通信可能状態が検知されているときは、記録媒体に記録されている入金残額の精算が行われると共に、該記録媒体の記録媒体識別情報に対応付けて管理装置にて管理されている管理残額に基づいて精算を行うオンライン精算処理が行われ、通信不可能状態が検知されているときは、記録媒体に記録されている入金残額の精算が行われると共に、該記録媒体に記録されている管理残額特定情報から管理残額が特定され、特定された該管理残額の精算を行うオフライン精算処理が行われる。
【０７９７】
このため、通信不可能状態においても、管理残額を精算することができるため、遊技者の利便性を向上させることができる。
【０７９８】
また、ＩＤ管理を行うシステムにおいて、通信不可能状態において遊技用装置で貨幣を受付け、受付貨幣額を用いて第２の貸与処理を行うことにより入金残額が発生しても、当該入金残額を精算装置で精算できるため、入金残額の発生に伴う不都合が生じることがない。
【０７９９】
（３８）  また、本発明は、次のような構成を含むようにしても良い。つまり、記録媒体（例えば、会員カード４，ビジタコイン５）を個々に識別可能な記録媒体識別情報（例えば、記録媒体ＩＤ）に対応付けて遊技媒体の貸与に使用される残額を（例えば、ハードディスク５５の残額管理ＤＢにて）管理する管理装置（例えば、管理装置５０）と、前記記録媒体の記録媒体識別情報に対応付けて前記管理装置にて管理されている残額である管理残額（例えば、管理残額）を用いて前記遊技媒体を貸与するための第１の貸与処理を行う貸与処理手段（例えば、制御部２１、Ｓ１２１〜Ｓ１３０）を有し遊技機に対応して設けられる遊技用装置（例えば、メダルサンド２０）と、前記記録媒体の記録媒体識別情報に対応する前記管理残額の精算を行う精算装置（例えば、精算装置６０）とを備える遊技用システム（例えば、遊技用システム１）であって、前記遊技用装置は、さらに、貨幣（例えば、紙幣２，硬貨３）を受付けて該貨幣の金額を識別する貨幣受付識別手段（例えば、紙幣識別機２２、硬貨識別機２３、制御部２１、Ｓ１０１，Ｓ５１０）と、前記記録媒体の記録媒体識別情報に対応する管理残額を特定可能な管理残額特定情報（例えば、元データ及び演算方式特定情報）を該記録媒体に記録する管理残額特定情報記録手段（例えば、制御部２１、Ｓ９４１〜Ｓ９４３、Ｓ９５１〜Ｓ９５３、Ｓ９６１〜Ｓ９６３）と、前記管理装置と通信できる通信可能状態（例えば、オンライン状態）であるか通信できない通信不可能状態（例えば、オフライン状態）であるかを検知する遊技用装置通信可否検知手段（例えば、制御部２１、Ｓ３００，Ｓ６０２）とを備え、該遊技用装置通信可否検知手段により通信不可能状態を検知しているときに前記貨幣受付識別手段により貨幣を受付けたことに基づいて、前記貨幣受付識別手段によって識別された受付貨幣額を用いて遊技媒体を貸与するための第２の貸与処理を前記貸与処理手段により行い（例えば、制御部２１、Ｓ５２２）、前記遊技用装置は、さらに、前記受付貨幣額のうち前記第２の貸与処理に未使用の入金残額を前記記録媒体に記録する入金残額記録手段（例えば、記録媒体Ｒ／Ｗ１０２、制御部２１、Ｓ５５０，Ｓ５６９，Ｓ５８４）と、前記記録媒体を排出する記録媒体排出手段（例えば、通路ユニット１００、制御部２１、Ｓ５５２、Ｓ５７１、Ｓ５８６）とを備え、前記精算装置は、さらに、前記管理装置と通信できる通信可能状態（例えば、オンライン状態）であるか通信できない通信不可能状態（例えば、オフライン状態）であるかを検知する精算装置通信可否検知手段（例えば、制御部６２、Ｓ８００）と、該精算装置通信可否検知手段によって前記通信可能状態が検知されているときは、前記記録媒体の記録媒体識別情報に対応付けて前記管理装置にて管理されている前記管理残額に基づいて精算を行うオンライン精算処理を行う（例えば、Ｓ２４１ａで管理装置５０から送信された精算許諾情報に含まれる管理残額及びオフライン端数額分の貨幣をステップＳ７８１で払出す）一方、前記精算装置通信可否検知手段によって前記通信不可能状態が検知されているときは、前記記録媒体に記録されている前記管理残額特定情報から前記管理残額を特定し���例えば、制御部６２、Ｓ９０５，Ｓ９０６）、特定した該管理残額の精算を行うオフライン精算処理を行う精算手段（例えば、制御部６２、Ｓ９１４）とを備え、前記遊技用装置は、さらに、前記遊技用装置通信可否検知手段により通信可能状態を検知しているときに、受付けた記録媒体に記録されている記録媒体識別情報と入金残額とを含む入金残額加算更新要求（例えば、挿入通知、オンライン復帰通知）を前記管理装置に対して送信する入金残額加算更新要求送信手段（例えば、外部通信部２１ｂ、制御部２１、Ｓ２０２、Ｓ６０６）を備え、前記管理装置は、さらに、前記入金残額加算更新要求送信手段から送信されてきた入金残額加算更新要求に含まれる記録媒体識別情報に対応付けて管理している残額に対して該入金残額加算更新要求に含まれる入金残額を加算更新するための入金残額加算更新処理を行う入金残額加算更新処理手段（例えば、制御部５２、Ｓ２１２、Ｓ２４８）と、前記入金残額加算更新処理が完了した旨を示す入金残額加算完了通知（例えば、予定残額通知）を前記遊技用装置に対して返信する入金残額加算完了通知返信手段（例えば、通信部５１、制御部５２、Ｓ２４１）とを備え、前記遊技用装置は、さらに、前記入金残額加算完了通知返信手段から返信されてきた入金残額加算完了通知を受信したことを条件として、前記記録媒体に記録されている入金残額を消去する入金残額消去処理を行う入金残額消去処理手段（例えば、制御部２１、Ｓ２４４）を備える。
【０８００】
このような構成によれば、遊技用装置によって、貨幣が受付けられて貨幣の金額が識別され、記録媒体の記録媒体識別情報に対応する管理残額を特定可能な管理残額特定情報が該記録媒体に記録され、管理装置と通信できる通信可能状態であるか通信できない通信不可能状態であるかが検知され、通信不可能状態が検知されているときに貨幣が受付けられたことに基づいて、識別された受付貨幣額を用いて遊技媒体を貸与するための第２の貸与処理が行われ、受付貨幣額のうち第２の貸与処理に未使用の入金残額が記録媒体に記録され、記録媒体が排出される。
【０８０１】
また、精算装置によって、管理装置と通信できる通信可能状態であるか通信できない通信不可能状態であるかが検知され、通信可能状態が検知されているときは、記録媒体の記録媒体識別情報に対応付けて管理装置にて管理されている管理残額に基づいて精算を行うオンライン精算処理が行われる一方、通信不可能状態が検知されているときは、記録媒体に記録されている管理残額特定情報から管理残額が特定され、特定された該管理残額の精算を行うオフライン精算処理が行われる。
【０８０２】
また、遊技用装置によって、通信可能状態が検知されているときに、受付けた記録媒体に記録されている記録媒体識別情報と入金残額とを含む入金残額加算更新要求が管理装置に対して送信される。また、管理装置によって、遊技用装置から送信されてきた入金残額加算更新要求に含まれる記録媒体識別情報に対応付けて管理されている残額に対して該入金残額加算更新要求に含まれる入金残額を加算更新するための入金残額加算更新処理が行われ、入金残額加算更新処理が完了した旨を示す入金残額加算完了通知が遊技用装置に対して返信される。また、遊技用装置によって、管理装置から返信されてきた入金残額加算完了通知を受信したことを条件として、記録媒体に記録されている入金残額が消去される。
【０８０３】
このため、通信不可能状態においても、管理残額を精算することができるため、遊技者の利便性を向上させることができる。
【０８０４】
また、通信可能状態にある遊技用装置において、通信不可能状態にあった他の遊技用装置で発生した入金残額が記録された記録媒体が受け付けられると、該入金残額が管理装置で管理されている残額に対して加算更新されることにより、該入金残額を精算しなくても遊技に使用できるようになるので、遊技者の利便性が向上する。
【０８０５】
（３９）  また、本発明は、次のような構成を含むようにしても良い。つまり、前記遊技用装置は、さらに、通信不可能状態を検知しているときに前記貨幣受付識別手段により貨幣を受付けたことに基づいて、前記受付貨幣額から、前記残額を遊技媒体の貸与に使用する際の予め定められた一単位である単位使用額と該単位使用額に対応する間接税額との合算額である税込単位額の整数倍に相当する貸与対象額と、該税込単位額未満の端数額とを特定する特定手段を備え、前記貸与処理手段は、該特定手段により特定された前記貸与対象額分の遊技媒体を貸与するための処理を前記第２の貸与処理として行い、前記入金残額記録手段は、前記特定手段により特定された端数額を前記入金残額として記録する。
【０８０６】
このような構成によれば、遊技用装置によって、通信不可能状態が検知されているときに貨幣が受付けられたことに基づいて、受付貨幣額から、残額を遊技媒体の貸与に使用する際の予め定められた一単位である単位使用額と該単位使用額に対応する間接税額との合算額である税込単位額の整数倍に相当する貸与対象額と、該税込単位額未満の端数額とが特定され、特定された貸与対象額分の遊技媒体を貸与するための処理が第２の貸与処理として行われ、特定された端数額が入金残額として記録媒体に記録される。このため、遊技媒体の貸与に使用された貸与使用額に対して間接税を徴収するようにしても、その結果生じる端数額を精算したり、遊技に使用したりできるため、遊技用装置のコストが上昇するといった不都合がない。
【０８０７】
（４０）  また、本発明は、次のような構成を含むようにしても良い。つまり、前記精算装置は、さらに、前記オフライン精算処理を許容するためのオフライン精算許容操作（例えば、オフライン移行操作）を係員から受付ける許容操作受付手段（例えば、制御部６２、Ｓ８７３）を備え、前記精算手段は、前記精算装置通信可否検知手段によって前記通信不可能状態が検知されているときは、前記許容操作受付手段によって前記オフライン精算許容操作が受付けられたこと（例えば、Ｓ８７３でＹＥＳであること）を条件として、前記オフライン精算処理を行う。
【０８０８】
このような構成によれば、精算装置によって、オフライン精算処理を許容するためのオフライン精算許容操作が係員から受付けられ、通信不可能状態が検知されているときは、オフライン精算許容操作が受付けられたことを条件として、オフライン精算処理が行われる。
【０８０９】
このため、係員が状況を確認した上でオフライン精算処理を許容することができるので、故意に通信不可能状態を発生させて不正な記録媒体による精算が行われるおそれを低減させることができる。
【０８１０】
（４１）  また、本発明は、次のような構成を含むようにしても良い。つまり、前記精算装置は、さらに、前記オフライン精算処理を許容する時間帯であるオフライン精算許容時間帯（例えば、精算可能時間）の設定入力を受付ける精算許容時間帯受付手段（例えば、制御部６２、通信部６１）を備え、前記精算手段は、現在の時刻が前記精算許容時間帯受付手段によって受付けられた前記オフライン精算許容時間帯に含まれること（例えば、ステップＳ９０４でＹであること）を条件として前記オフライン精算処理を行う。
【０８１１】
このような構成によれば、精算装置によって、オフライン精算処理を許容する時間帯であるオフライン精算許容時間帯の設定入力が受付けられ、現在の時刻が、受付けられたオフライン精算許容時間帯に含まれることを条件としてオフライン精算処理が行われる。
【０８１２】
このため、オフライン精算処理が行われる時間帯を本来精算が行われるべき時間帯（例えば、営業時間中）に限定することができる。その結果、不正の行われる可能性を低減させることができる。
【０８１３】
（４２）  また、本発明は、次のような構成を含むようにしても良い。つまり、前記管理残額特定情報記録手段は、演算方式を特定可能な情報（例えば、演算方式特定情報）と当該演算方式による演算により前記管理残額を算出するための元データ（例えば、元データ）とを、前記管理残額特定情報として記録し（例えば、制御部２１、Ｓ９４１〜Ｓ９４３、Ｓ９５１〜Ｓ９５３、Ｓ９６１〜Ｓ９６３）、前記精算手段は、前記管理残額特定情報から前記演算方式と前記元データとを特定する（例えば、制御部６２、Ｓ９１２）と共に、特定した該演算方式により、特定した該元データを演算して、前記管理残額を特定する（例えば、制御部６２、Ｓ９１３）。
【０８１４】
このような構成によれば、遊技用装置によって、演算方式を特定可能な情報と当該演算方式による演算により管理残額を算出するための元データとが、管理残額特定情報として記録媒体に記録される。また、精算装置によって、管理残額特定情報から演算方式と元データとが特定されると共に、特定された該演算方式により、特定された該元データが演算されて、管理残額が特定される。
【０８１５】
このため、管理残額がそのまま記録媒体に記録される場合と比較して、記録媒体を改ざんするような不正を行い難くすることができる。
【０８１６】
今回開示された実施の形態はすべての点で例示であって制限的なものではないと考えられるべきである。本発明の範囲は、上記した説明ではなく、特許請求の範囲によって示され、特許請求の範囲と均等の意味及び範囲内でのすべての変更が含まれることが意図される。
【図面の簡単な説明】
【０８１７】
【図１】図１は本発明に係る遊技用システムの一例を表す機能ブロック図である。
【図２】図２はメダルサンド及びパチスロ機の一例を表す正面図であり、（ａ）は現金機用として運用する場合，（ｂ）はＣＲ機用として運用する場合である。
【図３】図３はメダルサンドのＸ−Ｘ線断面図であり、（ａ）は現金機用として運用する場合，（ｂ）はＣＲ機用として運用する場合である。
【図４】図４はメダルサンド及びパチスロ機の機能ブロック図であり、（ａ）は現金機用として運用する場合，（ｂ）はＣＲ機用として運用する場合である。
【図５】図５（ａ）はメダルサンドのＹ−Ｙ線断面図であり、図５（ｂ）は通路ユニットの機能ブロック図である。
【図６】図６はメダルサンドに備えられる通路ユニットを模式的に表す断面左側面図である。
【図７】図７はメダルサンドに備えられる通路ユニットを模式的に表す斜視図である。
【図８】図８はメダルサンドの制御部と払出装置の払出制御部との間における配線の一例を表す図である。
【図９】図９（ａ）は払出装置の払出制御部からメダルサンドの制御部に対して出力される信号の一例を表す図であり、図９（ｂ）は変換アダプタからメダルサンドの制御部に対して出力される信号の一例を表す図である。
【図１０】図１０はメダルサンドの制御部が実行するモード決定処理の一例を表すフローチャートである。
【図１１】図１１はメダルサンドの制御部が実行するモード決定処理の変形例を表すフローチャートである。
【図１２】図１２（ａ）は精算装置の一例を表す斜視図であり、図１２（ｂ）は精算装置に設けられたディスプレイの表示内容の一例を表す図である。
【図１３】図１３は遊技用システムにおける各装置で記憶されているＤＢの一例を表す図であり、（ａ）は管理装置の残額管理ＤＢ及び設定値ＤＢ，（ｂ）は精算装置の精算ＤＢ，（ｃ）は会員カード又はＩＣコインの記録領域である。
【図１４】図１４は管理装置とオンライン状態であるメダルサンドにおいて貨幣を受け付けた場合の処理の一例を表す図である。
【図１５】図１５は管理装置とオンライン状態であるメダルサンドにおいて貸与操作を受け付けた場合の処理の一例を表す図である。
【図１６】図１６は管理装置とオンライン状態であるメダルサンドにおいて記録媒体を受け付けた場合の処理の一例を表す図である。
【図１７】図１７は図１６に続く図である。
【図１８】図１８は図１６に続く図であり、通番不一致時処理の一例を表す図である。
【図１９】図１９は管理装置とオンライン状態であるメダルサンドにおいて返却操作を受け付けた場合の処理の一例を表す図である。
【図２０】図２０は図１９に続く図である。
【図２１】図２１はメダルサンドにおいてオフライン状態の発生を検知した場合の処理の一例を表す図である。
【図２２】図２２は管理装置とオフライン状態であるメダルサンドにおいて記録媒体を受け付けた場合，及び貨幣を受け付けた場合の処理の一例を表す図である。
【図２３】図２３は管理装置とオフライン状態であるメダルサンドにおいて貸与操作を受け付けた場合の処理の一例を表す図である。
【図２４】図２４は管理装置とオフライン状態であるメダルサンドにおいて返却操作を受け付けた場合の処理の一例を表す第１の図である。
【図２５】図２５は管理装置とオフライン状態であるメダルサンドにおいて返却操作を受け付けた場合の処理の一例を表す第２の図である。
【図２６】図２６は管理装置とオフライン状態であるメダルサンドにおいて返却操作を受け付けた場合の処理の一例を表す第３の図である。
【図２７】図２７は予定残額通知の受信前にオフライン状態となったメダルサンドにおいて貨幣を受け付けた場合の処理の一例を表す図である。
【図２８】図２８は端数額消去通知の送信後にオフライン状態となったメダルサンドにおいて貨幣を受け付けた場合の処理の一例を表す図である。
【図２９】図２９はメダルサンドとのオンライン状態への復帰を検知した場合の処理の一例を表す図である。
【図３０】図３０は図２９に続く図である。
【図３１】図３１は精算装置において記録媒体を受け付けた場合の処理の一例を表す図である。
【図３２】図３２は図３１に続く図である。
【図３３】図３３は精算装置において精算操作を受け付けた場合及び返却操作を受け付けた場合の処理の一例を表す図である。
【図３４】図３４は精算装置においてオフライン状態の発生を検知した場合の処理の一例を表す図である。
【図３５】図３５は管理装置とオンライン状態である精算装置において記録媒体を受け付けた場合，精算操作を受け付けた場合，及び返却操作を受け付けた場合の処理の一例を表す図である。
【図３６】図３６は精算装置とのオンライン状態への復帰を検知した場合の処理の一例を表す図である。
【図３７】図３７はメダルサンドにおいて管理装置とのオフライン状態が発生したときに貸与に使用されたオフライン使用額を管理装置で特定するための第１の方法を示す図である。
【図３８】図３８はメダルサンドにおいて管理装置とのオフライン状態が発生したときに貸与に使用されたオフライン使用額を管理装置で特定するための第２の方法を示す図である。
【図３９】図３９はメダルサンドにおいて管理装置とのオフライン状態が発生したときに貸与に使用されたオフライン使用額を管理装置で特定するための第３の方法を示す図である。
【図４０】図４０はメダルサンドにおいて管理装置とのオフライン状態が発生したときに貸与に使用されたオフライン使用額を管理装置で特定するための第４の方法を示す図である。
【符号の説明】
【０８１８】
１０…パチスロ機
２０…メダルサンド
２１…制御部
２８…接続端子
３０…払出装置
３１…ノズル有りパネル
３１ａ…ノズル
４０…変換アダプタ
４１…ノズル無しパネル
４１ｂ…収納スペース部
４２…パネル検出スイッチ
【図１】
2008161568.tif 000003
【図２】
2008161568.tif 000004
【図３】
2008161568.tif 000005
【図４】
2008161568.tif 000006
【図５】
2008161568.tif 000007
【図６】
2008161568.tif 000008
【図７】
2008161568.tif 000009
【図８】
2008161568.tif 000010
【図９】
2008161568.tif 000011
【図１０】
2008161568.tif 000012
【図１１】
2008161568.tif 000013
【図１２】
2008161568.tif 000014
【図１３】
2008161568.tif 000015
【図１４】
2008161568.tif 000016
【図１５】
2008161568.tif 000017
【図１６】
2008161568.tif 000018
【図１７】
2008161568.tif 000019
【図１８】
2008161568.tif 000020
【図１９】
2008161568.tif 000021
【図２０】
2008161568.tif 000022
【図２１】
2008161568.tif 000023
【図２２】
2008161568.tif 000024
【図２３】
2008161568.tif 000025
【図２４】
2008161568.tif 000026
【図２５】
2008161568.tif 000027
【図２６】
2008161568.tif 000028
【図２７】
2008161568.tif 000029
【図２８】
2008161568.tif 000030
【図２９】
2008161568.tif 000031
【図３０】
2008161568.tif 000032
【図３１】
2008161568.tif 000033
【図３２】
2008161568.tif 000034
【図３３】
2008161568.tif 000035
【図３４】
2008161568.tif 000036
【図３５】
2008161568.tif 000037
【図３６】
2008161568.tif 000038
【図３７】
2008161568.tif 000039
【図３８】
2008161568.tif 000040
【図３９】
2008161568.tif 000041
【図４０】
2008161568.tif 000042